(57)【要約】  デジタル放送送信装置は、複数の物理チャンネルを関連づけるための情報であるチャンネル結合情報を生成する。そして、チャンネル結合情報が付加された番組関連情報を含むビットストリームを複数のビットストリームに分割して、複数の物理チャンネルでそれぞれ送信する。デジタル放送受信装置は、チャンネル結合情報に基づいて、複数のフロントエンド部を用いて複数の物理チャンネルを選局し、それぞれの物理チャンネルで受信した放送波を復調する。そして、それぞれ復調されたビットストリームを結合し、出力する。また、上記ビットストリームよりも情報量が少ないビットストリームである軽量ビットストリームを異なった単一の物理チャンネルで並行して送信する。
2009016835.tif 000002
【特許請求の範囲】
【請求項１】
１つのデジタル放送の番組と当該番組の関連情報で構成されるビットストリームを複数の物理チャンネルで送信するデジタル放送送信装置であって、
前記複数の物理チャンネルを関連づけるための情報であるチャンネル結合情報を生成するチャンネル結合情報生成手段と、
前記ビットストリームを複数のビットストリームに分割し、当該分割したビットストリームを前記チャンネル結合情報と共に前記複数の物理チャンネルでそれぞれ送信する送信手段と、
前記送信手段でビットストリームとして送信される前記デジタル放送の番組と同一内容の番組を構成するビットストリームであり、且つ、当該送信手段で送信されるビットストリームよりも情報量の少ないビットストリームである軽量ビットストリームを生成する軽量ビットストリーム生成手段と、
前記送信手段が前記ビットストリームを送信するのに用いる物理チャンネルとは異なった単一の物理チャンネルで前記軽量ビットストリームを、前記送信手段が送信するビットストリームと並行して送信する並行送信手段とを備える、デジタル放送送信装置。
【請求項２】
前記並行送信手段は、前記軽量ビットストリームと並行して前記送信手段による複数の物理チャンネルでの前記ビットストリームの送信が行われているか否かを示す並行放送情報を当該軽量ビットストリームと共に送信する、請求項１に記載のデジタル放送送信装置。
【請求項３】
前記番組の関連情報は、前記ビットストリームにどのような番組が存在しているかを記した情報であるサービスインフォメーションであり、
前記送信手段は、前記チャンネル結合情報を前記サービスインフォメーションに含めるチャンネル結合情報付加手段を含む、請求項１に記載のデジタル放送送信装置。
【請求項４】
１つのデジタル放送の番組と当該番組の関連情報で構成されるビットストリームを複数の物理チャンネルで送信するデジタル放送送信装置から送信される放送波を受信して復調するフロントエンド部を複数備えるデジタル放送受信装置であって、
単一の物理チャンネルで受信した放送波で構成される番組内容と同じ番組内容であって、当該単一の物理チャンネルとは異なる複数の物理チャンネルで、当該単一の物理チャンネルでの番組の送信と並行して送信されている番組の存在を判別するための判別手段と、
前記複数の物理チャンネルを関連づけるための情報であるチャンネル結合情報に基づいて、前記複数のフロントエンド部を用いて前記複数の物理チャンネルを選局し、それぞれの物理チャンネルで受信した放送波を復調する同時選局復調手段と、
前記同時選局復調手段でそれぞれ復調されたビットストリームを結合する結合手段と、
前記結合されたビットストリームを出力する出力手段とを備え、
前記同時選局復調手段は、前記判別手段が前記複数の物理チャンネルで並行して送信されている番組が存在すると判定したときに、当該複数の物理チャンネルを選局し、
前記結合手段は、前記チャンネル結合情報に基づいて、前記同時選局復調手段でそれぞれ復調されたビットストリームを結合する、受信装置。
【請求項５】
前記チャンネル結合情報は、前記ビットストリームにどのような番組が存在しているかを記した情報であるサービスインフォメーションに含まれ、
前記受信装置は、前記サービスインフォメーションに含まれるチャンネル結合情報に基づいて、視聴対象として選択された番組が複数の物理チャンネルで送信される番組であるか否かを判定する判定手段を更に備え、
前記同時選局復調手段は、視聴対象として選択された番組が複数の物理チャンネルで送信されていると前記判定手段が判定したときに、前記チャンネル結合情報に基づいて当該複数の物理チャンネルを選局する、請求項４に記載のデジタル放送受信装置。
【請求項６】
複数の物理チャンネルを用いてバルク伝送される放送番組であるバルク番組と、単一の物理チャンネルを用いて伝送される放送番組である非バルク番組と、伝送される放送番組がバルク番組であるか非バルク番組であるかを識別するための情報である識別情報および該バルク番組が伝送される複数の物理チャンネル番号を示す情報であるバルクチャンネル情報を少なくとも含む制御情報とをデジタル放送信号として送信する送信装置からの該デジタル放送信号を受信するデジタル放送受信装置であって、
前記バルク番組が伝送される物理チャンネルのうち少なくとも１つのチャンネルでは、当該バルク番組と同じ番組内容であって映像規格が異なる番組である低階層番組が階層伝送されており、
複数のチューナと、
利用者の所定の操作を受け付ける操作受付手段と、
前記操作受付手段が受け付けた操作に基づいて利用者が指定した物理チャンネルを前記チューナに選局させる選局指示手段と、
前記選局指示手段が選局させた物理チャンネルで前記バルク番組が伝送されるか否かを前記制御情報に基づいて検出するバルクチャンネル検出手段と、
前記バルク番組が伝送されることを前記バルクチャンネル検出手段が検出したとき、前記複数のチューナそれぞれの利用状態を検出するチューナ状態検出手段と、
前記チューナ状態検出手段の検出結果に基づいて、前記バルクチャンネル検出手段で検出されたバルク番組がバルク伝送される複数の物理チャンネルを全て選局できるだけの数のチューナが利用可能か否かを判定する受信可否判定手段と、
前記受信可否判定手段が、前記バルク伝送される複数の物理チャンネルを全て選局できるだけの数のチューナが利用可能と判定したときは、前記バルクチャンネル検出手段で検出されたバルク番組を再生するための処理を実行し、当該バルク伝送される複数の物理チャンネルを全て選局できるだけの数のチューナが利用可能ではないと判定したときは、当該バルク番組と階層伝送されている前記低階層番組を再生するための処理を実行する番組再生手段とを備えるデジタル放送受信装置。
【請求項７】
前記受信可否判定手段は、前記バルク番組が伝送される物理チャンネルとは異なる物理チャンネルを録画のために選局している前記チューナについては利用可能ではない状態と判定する、請求項６に記載のデジタル放送受信装置。
【請求項８】
前記デジタル放送受信装置は、ＯＳＤ表示を行うためのＯＳＤ表示手段を更に備え、
前記ＯＳＤ表示手段は、前記再生手段が前記バルク番組と階層伝送されている前記低階層番組を再生するための処理を実行するときに、当該低階層番組を再生することを示すＯＳＤ表示を画面に出力する、請求項６に記載のデジタル放送受信装置。
【請求項９】
前記デジタル放送受信装置は、
前記操作受付手段が受け付けた操作に基づいて、放送予定である所定の番組の放送時間帯、放送される物理チャンネル、および前記識別情報とを少なくとも含む録画予約情報を登録するための録画予約手段と、
前記録画予約情報を記憶するための予約情報記憶手段と、
前記録画予約手段が登録しようとする番組の放送時間帯と放送時間が重複する番組である重複番組が既に録画予約されているか否かを前記予約情報記憶手段に記憶されている録画予約情報に基づいて検出する重複番組検出手段と、
前記録画予約手段が登録しようとする番組および前記重複番組の少なくともいずれか一方が前記バルク番組であるときは、当該バルク番組の録画予約を前記低階層番組の録画予約として登録するための予約内容変更手段とを更に備える、請求項６に記載のデジタル放送受信装置。
【請求項１０】
前記予約内容変更手段は、前記重複番組がバルク番組のときは、当該重複番組の録画予約を前記低階層番組の録画予約に変更する、請求項９に記載のデジタル放送受信装置。
【請求項１１】
前記予約内容変更手段は、前記予約手段が登録しようとする番組がバルク番組のときは、当該予約手段が登録しようとする番組の録画予約を前記低階層番組の録画予約として登録する、請求項９に記載のデジタル放送受信装置。
【請求項１２】
前記予約内容変更手段は、前記予約手段が登録しようとする番組および前記重複番組が共にバルク番組のときは、いずれの番組も前記低階層番組の録画予約として登録する、請求項９に記載のデジタル放送受信装置。
【請求項１３】
複数の物理チャンネルを用いてバルク伝送される番組であるバルク番組と、単一の物理チャンネルを用いて伝送される番組である非バルク番組と、放送される番組がバルク番組であるか非バルク番組であるかを識別するための情報である識別情報および該バルク番組を構成する複数の物理チャンネル番号を示す情報であるバルクチャンネル情報を少なくとも含む制御情報とをデジタル放送信号として送信する送信装置からの該デジタル放送信号を受信するデジタル放送受信装置であって、
所定の物理チャンネルを選局して前記デジタル放送信号を受信する第１のチューナおよび第２のチューナと、
前記第１のチューナで受信したデジタル放送信号で伝送されている番組が前記バルク番組であるか非バルク番組であるかを前記制御情報に基づいて判定する放送種別判定手段と、
放送中あるいは放送予定の前記バルク番組に関する情報を検索するためのバルク番組検索手段と、
前記第１のチューナおよび第２のチューナの選局動作を制御するための選局制御手段と、
前記第１のチューナおよび第２のチューナの少なくとも一方で選局された物理チャンネルで伝送されるデジタル放送信号に基づいて前記バルク番組または非バルク番組を再生して画面に出力するための番組再生出力手段とを備え、
前記選局制御手段は、前記第１のチューナで選局した物理チャンネルで放送されている番組がバルク番組であると前記放送種別判定手段が判定したときは、前記バルクチャンネル情報に基づいて該バルク番組を構成する複数の物理チャンネルを該第１のチューナおよび前記第２のチューナに選局させて、それぞれのチューナで受信されたデジタル放送信号を合成して前記再生出力部に出力し、前記第１のチューナで選局した物理チャンネルで放送されている番組が非バルク番組であると前記放送種別判定手段が判定したときは、該第１のチューナを介して得られたデジタル放送信号を前記再生出力部に出力すると共に、前記バルク番組検索手段にバルク番組を放送している物理チャンネルを検索させ、該バルク番組検索手段によって検索された物理チャンネルのいずれか一つを前記第２のチューナに選局させる、デジタル放送受信装置。
【請求項１４】
前記制御情報には、全てのチャンネルについての前記識別情報およびバルクチャンネル情報が含まれており、
前記バルク番組検索手段は、前記識別情報に基づいて放送中のバルク番組を検索する、請求項１３に記載のデジタル放送受信装置。
【請求項１５】
前記デジタル放送受信装置は、ＥＰＧを取得するためのＥＰＧ取得手段を更に備え、
前記バルク番組検索手段は、前記ＥＰＧに基づいて、放送中または放送予定のバルク番組にかかる物理チャンネル番号を検索する、請求項１３に記載のデジタル放送受信装置。
【請求項１６】
前記バルク番組検索手段は、前記ＥＰＧに基づいて、所定時間以内に放送予定であるバルク番組にかかる物理チャンネル番号を検索する、請求項１５に記載のデジタル放送受信装置。
【請求項１７】
前記バルク番組が伝送される各物理チャンネルでは、当該バルク番組と同じ番組内容であって映像規格が異なる番組である低階層番組が階層伝送されており、
前記選局制御部は、前記第１のチューナで選局した物理チャンネルにかかる番組がバルク番組であると前記放送種別判定手段が判定したときは、前記第１のチューナで受信したデジタル放送信号に含まれている前記低階層番組を構成するデータを前記再生出力部へ出力した後に、それぞれのチューナで受信したデジタル放送信号を合成して前記再生出力部へ出力する、請求項１３に記載のデジタル放送受信装置。
【請求項１８】
前記デジタル放送受信装置は、前記再生出力部からの出力に所定のＯＳＤ表示を合成して画面に出力するためのＯＳＤ合成手段と、
前記ＯＳＤ表示に対する所定の操作入力を受け付けるためのＯＳＤ操作受付手段とを更に備え、
前記ＯＳＤ合成手段は、前記選局制御部が前記低階層番組を構成するデータを前記再生出力部に出力した後、前記バルク番組の再生に切替えるか否かの旨のメッセージをＯＳＤ表示として生成して画面に出力し、
前記選局制御手段は、前記ＯＳＤ合成手段が前記メッセージを表示した後、当該メッセージに対する操作入力内容を前記ＯＳＤ操作受付手段から取得し、当該入力内容に基づいて前記バルク番組を構成する複数の物理チャンネルを前記第１のチューナおよび第２のチューナに選局させ、それぞれのチューナで受信したデジタル放送信号を合成して前記再生出力部に出力する、請求項１７記載のデジタル放送受信装置。
【請求項１９】
前記バルク番組は、スーパーハイビジョン規格で作成された番組であり、
前記非バルク番組は、ハイビジョン規格またはＳＤ規格で作成された番組である、請求項１３〜１７のいずれかに記載のデジタル放送受信装置。
【請求項２０】
前記バルク番組は、スーパーハイビジョン規格で作成された番組であり、
前記低階層番組は、ハイビジョン規格またはＳＤ規格で作成された番組である、請求項１７に記載のデジタル放送受信装置。
【請求項２１】
複数の物理チャンネルを用いてバルク伝送される放送番組であるバルク番組と、単一の物理チャンネルを用いて伝送される放送番組である非バルク番組と、伝送される放送番組がバルク番組であるか非バルク番組であるかを識別するための情報である識別情報および該バルク番組が伝送される複数の物理チャンネル番号を示す情報であるバルクチャンネル情報を少なくとも含む制御情報とをデジタル放送信号として送信する送信装置からの該デジタル放送信号を受信するデジタル放送受信装置であって、
所定の物理チャンネルを選局して前記デジタル放送信号を受信する複数のチューナと、
前記複数のチューナで選局される物理チャンネルのいずれかにおいて前記バルク番組が伝送されることを前記制御情報に基づいて検出するバルクチャンネル検出手段と、
前記バルク番組が伝送される複数の物理チャンネルを前記複数のチューナでそれぞれ選局して受信したデジタル放送信号から前記バルク番組を再生して出力する第１の再生処理モードと、前記非バルク番組が伝送される物理チャンネルを単一のチューナを用いて選局して受信したデジタル放送信号から前記非バルク番組を再生して出力する第２の再生処理モードとの間で再生処理モードを前記バルクチャンネル検出手段の検出結果に応じて切り替える番組再生手段と、
前記番組再生手段から出力される前記バルク番組または非バルク番組を所定の画面または所定の記憶媒体に出力する少なくとも一つの出力部とを備え、
前記番組再生手段は、いずれかの前記チューナで選局している物理チャンネルでバルク番組が伝送されることを前記バルクチャンネル検出手段が検出したときは前記再生処理モードを第１の再生処理モードに切替え、前記チューナで選局されているいずれの物理チャンネルにおいてもバルク番組が伝送されないことを前記バルクチャンネル検出手段が検出したときは前記再生処理モードを第２の再生処理モードに切替える、デジタル放送受信装置。
【請求項２２】
前記デジタル放送受信装置は、
ＯＳＤ表示として表示する内容であるＯＳＤ表示内容を生成するＯＳＤ生成手段と、
ＯＳＤ生成手段が生成した表示内容をＯＳＤ表示するためのＯＳＤ表示手段とを更に備え、
前記ＯＳＤ生成手段は、いずれかの前記チューナで選局している物理チャンネルでバルク番組が伝送されることを前記バルクチャンネル検出手段が検出したとき、所定のメッセージをＯＳＤ表示内容として生成してＯＳＤ表示手段に出力する、請求項２１に記載のデジタル放送受信装置。
【請求項２３】
前記デジタル放送受信装置は、いずれかの前記チューナで選局している物理チャンネルでバルク番組が伝送されることを前記バルクチャンネル検出手段が検出したときに、当該デジタル放送受信装置においてバルク番組を再生することが可能か否かを判定するための再生可否判定手段を更に備え、
前記ＯＳＤ生成手段は、前記再生可否判定手段がバルク番組の再生ができないと判定したときに、バルク番組が再生できないことを示すメッセージを前記ＯＳＤ表示内容として生成する、請求項２２に記載のデジタル放送受信装置。
【請求項２４】
前記バルク番組が伝送される物理チャンネルのうち少なくとも１つのチャンネルでは、当該バルク番組と同じ番組内容であって映像規格が異なる番組である低階層番組が階層伝送されており、
前記デジタル放送受信装置は、複数の前記出力部を備えており、
前記番組再生手段は、前記バルク番組が伝送される複数の物理チャンネルを前記複数のチューナでそれぞれ選局して受信したデジタル放送信号から前記バルク番組を再生して、前記複数の出力部のいずれか一つに出力すると共に、前記低階層番組を再生して、バルク番組を出力している出力部とは異なる出力部に出力する第３の再生処理モードを更に有し、
前記番組再生手段は、いずれかの前記チューナで選局している物理チャンネルでバルク番組が伝送されることを前記バルクチャンネル検出手段が検出したとき、または、前記第１の再生処理モードでバルク番組を再生中に利用者からの所定の操作信号が送られたとき前記再生処理モードを第３の再生処理モードに切替える、請求項２１に記載のデジタル放送受信装置。
【請求項２５】
前記番組再生手段は、前記第３の再生処理モードで低階層番組を出力するときは、当該低階層番組を録画するための所定の記録媒体に出力する、請求項２４に記載のデジタル放送受信装置。
【請求項２６】
複数の物理チャンネルを用いてバルク伝送される放送番組であるバルク番組と、単一の物理チャンネルを用いて伝送される放送番組である非バルク番組と、伝送される放送番組がバルク番組であるか非バルク番組であるかを識別するための情報である識別情報および該バルク番組が伝送される複数の物理チャンネル番号を示す情報であるバルクチャンネル情報を少なくとも含む制御情報とをデジタル放送信号として送信する送信装置からの該デジタル放送信号を受信するデジタル放送受信装置であって、
前記バルク番組が伝送される物理チャンネルのうち少なくとも１つのチャンネルでは、当該バルク番組と同じ番組内容であって映像規格が異なる番組である低階層番組が階層伝送されており、
前記物理チャンネルを選局して前記デジタル放送信号を受信する少なくとも１つのチューナと、
前記選局された物理チャンネルで前記バルク番組が伝送されることを検出するバルクチャンネル検出手段と、
前記バルク番組が伝送される複数の物理チャンネルのうち、前記低階層番組が階層伝送される物理チャンネルを選局して受信したデジタル放送信号から前記低階層番組を再生して出力する第１の再生処理モードと、前記非バルク番組が伝送される物理チャンネルを選局して受信したデジタル放送信号から前記非バルク番組を再生して出力する第２の再生処理モードとの間で再生処理モードを前記バルクチャンネル検出手段の検出結果に応じて切り替える番組再生手段と、
前記チューナで選局されている物理チャンネル番号を記憶するためのチャンネル記憶手段と、
前記番組再生手段から出力される前記低階層番組または非バルク番組を所定の画面または所定の記憶媒体に出力する出力部とを備え、
前記番組再生手段は、前記番組再生モードが前記第２の再生モードのときに前記バルク番組が伝送されることを前記バルクチャンネル検出手段が検出したときは、その時点で選局されている物理チャンネルの番号を前記チャンネル記憶手段に記憶させてから前記低階層番組が階層伝送される物理チャンネルを選局して前記再生処理モードを第１の再生処理モードに切替え、該低階層番組の放送が終了したときに該チャンネル記憶手段に記憶されているチャンネル番号を選局して第２の再生処理モードに切り替える、デジタル放送受信装置。
【請求項２７】
１つのデジタル放送コンテンツを構成する番組データに基づいて放送データを生成して、複数の物理チャンネルに分割して送信するデジタル放送送信装置であって、
前記１つのデジタル放送コンテンツを構成する番組データに所定の符号化処理を行って第１の放送データを生成する第１の符号化手段と、
前記番組データに、前記第１の符号化手段とは異なる符号化処理を行って、１つの物理チャンネルの伝送容量で伝送可能な第２の放送データを生成する第２の符号化手段と、
前記第１の放送データを分割して複数の物理チャンネルで送信する送信部とを備え、
前記送信部は、少なくとも一つの物理チャンネルにおいて前記第１の放送データと第２の放送データとの階層伝送を行う、デジタル放送送信装置。
【請求項２８】
前記送信部は、前記複数の物理チャンネルのうち、最も周波数が低い物理チャンネルを用いて前記階層伝送を行う、請求項２７に記載のデジタル放送送信装置。
【請求項２９】
前記第１の符号化手段は、映像規格がスーパーハイビジョン映像である番組データを符号化し、
前記第２の符号化手段は、映像規格がハイビジョン映像またはＳＤ映像である番組データを符号化する、請求項２７に記載のデジタル放送送信装置。
【請求項３０】
１つのデジタル放送コンテンツを構成する番組データに基づいて放送データを生成して、複数の物理チャンネルに分割して送信するデジタル放送送信装置から送信される放送データを受信して該番組データを再生するデジタル放送受信装置であって、
前記物理チャンネルのうち少なくとも一つは、それぞれ映像規格が異なる第１の放送データと第２の放送データが階層伝送されており、
前記デジタル放送受信装置は、
前記複数の物理チャンネルを同時に選局して前記第１の放送データおよび第２の放送データを受信する受信手段と、
前記第１の放送データが送信される複数の物理チャンネルの伝送品質を検出する伝送品質検出手段と、
前記第１の放送データに復号処理を行い、前記番組データを再生する再生出力手段とを備え、
前記再生出力手段は、前記伝送品質検出手段が、前記第１の放送データが送信される複数の物理チャンネルのうち、いずれかの物理チャンネルの伝送品質が所定の閾値未満になったことを検出したときは、前記階層伝送されてくる前記第２の放送データの復号処理を行い、該復号処理で得られた番組データを再生する、デジタル放送受信装置。
【請求項３１】
前記伝送品質検出手段は、第１の放送データが送信される複数の物理チャンネル毎に受信ＣＮＲを検出し、
前記再生出力手段は、前記伝送品質検出手段が検出した各物理チャンネルの受信ＣＮＲのいずれかが所定の閾値未満となったときに前記第２の放送データの復号処理を行い、該復号処理で得られた番組データを再生する、請求項３０に記載のデジタル放送受信装置。
【請求項３２】
前記伝送品質検出手段は、第１の放送データが送信される複数の物理チャンネル毎にビット誤り率を検出し、
前記再生出力手段は、前記伝送品質検出手段が検出した各物理チャンネルのビット誤り率のうちいずれかが所定の閾値以上となったときに前記第２の放送データの復号処理を行い、該復号処理で得られた番組データを再生する、請求項３０に記載のデジタル放送システム。
【請求項３３】
前記第１の番組データと第２の番組データは、、前記複数の物理チャンネルの全てのチャンネルで階層伝送が行われており、
前記再生出力手段は、前記伝送品質検出手段が前記第１の放送データが送信される複数の物理チャンネルのうち、いずれかの物理チャンネルの伝送品質が所定の閾値未満になったことを検出したとき、伝送品質が最も高い物理チャンネルで階層伝送されてくる前記第２の放送データの復号処理を行い、該復号処理で得られた番組データを再生する、請求項３０に記載のデジタル放送受信装置。
【発明の詳細な説明】
【技術分野】
【０００１】
本発明は、デジタル放送の送受信に関し、より特定的には、デジタル放送のトランスポートストリームを送信または受信する技術に関する。
【背景技術】
【０００２】
近年は、テレビジョン放送を従来のアナログ放送からデジタル放送に置き換えることが実用化されつつある。【０００３】
デジタル放送には、従来のアナログ放送にない特徴として、映像、音声、各種データ等の区別をなくすと共に柔軟な番組編成が可能であること、限られた伝送帯域で高品質かつ多数の番組放送が可能であること、優先度に応じた階層化サービスの提供が可能であること、放送方式そのもののバージョンアップが容易であること、高い双方向性を有すること、等がある。このデジタル放送には、映像符号化方式として、いわゆるＭＰＥＧ（ＭｏｖｉｎｇＰｉｃｔｕｒｅ  Ｉｍａｇｅ  ｃｏｄｉｎｇ  Ｅｘｐｅｒｔｓ  Ｇｒｏｕｐ）２の動画像圧縮符号化技術が採用され、多重化方式としてＭＰＥＧ２システムが採用されている。【０００４】
ＭＰＥＧ２およびＭＰＥＧ２システムを採用したデジタル放送の規格については既に既知であるため、その詳細についての説明は省略するが、各放送事業者は、概ね、以下のような流れでデジタル放送の送信を行う。まず、放送事業者は、プログラム（番組）を構成する映像や音声等の信号をデジタル化（符号化）する。次に、デジタル化された信号を、トランスポートストリーム（以下、ＴＳ）と呼ばれる、伝送に適した信号形式に多重化する。そして、このＴＳを所定の形式で変調して搬送波とし、１つの物理チャンネル（トランスポンダ）を用いて送信している。つまり、放送事業者は、プログラムをデジタル信号に符号化したうえで多重化し、１つのＴＳとして１つの物理チャンネルで送信している（図１６参照）。【０００５】
次に、上記のように送信されたＴＳを受信するデジタル放送受信装置（例えば、特許文献１）について説明する。図１７は、従来のデジタル放送受信装置の構成の一例を示すブロック図である。図１７に示す受信装置は、受信アンテナ９０の出力が入力されるフロントエンド９１と、フロントエンド９１の出力が入力されるデマルチプレクサ９４と、デマルチプレクサ９４の出力が入力されるＭＰＥＧ２ビデオデコーダ９５、ＭＰＥＧ２オーディオデコーダ９６、およびデータ処理部９７とを備えている。また、この衛星デジタル放送受信装置の全体の制御等を行うＣＰＵ９８を備えている。このＣＰＵ９８にはメモリ９９が接続されている。【０００６】
図１７において、受信アンテナ９０にて受信されたＴＳは、フロントエンド９１において受信トランスポンダの選択、復調、エラー訂正等の処理を施された後にデマルチプレクサ９４に入力される。上記ＴＳは多重化されて送られてきたストリームであるため、このストリームはデマルチプレクサ９４において、ＰＳＩ（Ｐｒｏｇｒａｍ  Ｓｐｅｃｉｆｉｃ  Ｉｎｆｏｒｍａｔｉｏｎ：番組特定情報）、ＭＰＥＧ２ビデオＥＳ（Ｅｌｅｍｅｎｔａｒｙ  Ｓｔｒｅａｍ）、ＭＰＥＧ２オーディオＥＳ、およびＰＳ（Ｐｒｉｖａｔｅ  Ｓｅｃｔｉｏｎ）に分割される。【０００７】
デマルチプレクサ９４での分割により得られたＰＳＩはＣＰＵ９８に送られ、ＭＰＥＧ２ビデオＥＳはＭＰＥＧ２ビデオデコーダ９５へ、ＭＰＥＧ２オーディオＥＳはＭＰＥＧ２オーディオデコーダ９６へ、ＰＳはデータ処理部９７へそれぞれ送られる。【０００８】
ＭＰＥＧ２ビデオデコーダ９５、ＭＰＥＧ２オーディオデコーダ９６、データ処理部９７では、それぞれ供給されたＭＰＥＧ２ビデオＥＳ、ＭＰＥＧ２オーディオＥＳ、ＰＳを各々適切に処理し、これらＭＰＥＧ２ビデオデコーダ９５、ＭＰＥＧ２オーディオデコーダ９６、データ処理部９７での処理にて得られた信号が、それぞれ図示しないビデオ出力インターフェース、オーディオ出力インターフェース、データ出力インターフェースから外部へ出力される。【０００９】
ＣＰＵ９８は、メモリ９９を利用しながらＭＰＥＧ２ビデオデコーダ９５、ＭＰＥＧ２オーディオデコーダ９６、およびデータ処理部９７の動作を制御する。また、ＣＰＵ９８は、ＰＳＩに基づいて選局動作を行う。ここで、ＰＳＩの種類としては、ＮＩＴ（Ｎｅｔｗｏｒｋ  Ｉｎｆｏｒｍａｔｉｏｎ  Ｔａｂｌｅ）、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）等がある。ＮＩＴは、ある伝送路の放送全体に関する選局情報として、物理チャンネルであるトランスポンダの周波数と各トランスポンダに属するプログラムのＩＤ、すなわちＳＩＤ（Ｓｅｒｖｉｃｅ  Ｉｄｅｎｔｉｆｉｅｒ）等が記述される。また、ＰＡＴはトランスポンダ毎に定義され、そのトランスポンダの選局情報として、そのトランスポンダで現在放送されているＳＩＤとそのＳＩＤに関する選局情報であるＰＭＴのＰＩＤ(Ｐａｃｋｅｔ  Ｉｄｅｎｔｉｆｉｅｒ) が記述される。ＰＭＴはＳＩＤ毎に定義され、そのＳＩＤの選局情報として、ＳＩＤに含まれているＥＳまたはＰＳについての情報が記述される。ＣＰＵ９８は、ＰＳＩ中のＰＭＴにより得られたＥＳあるいはＰＳのＰＩＤを、デマルチプレクサ９４に設定し、ＥＳあるいはＰＳをＭＰＥＧ２ビデオデコーダ９５、ＭＰＥＧ２オーディオデコーダ９６、データ処理部９７の各処理装置へ割り当てることにより選局を行う。【００１０】
また、上記受信装置に関して、近年では、チューナを２つ搭載した受信装置も知られている。このような受信装置では、２つのチューナで個別に異なるチャンネルを選局し、いわゆるハイビジョン映像規格で作成された、異なる内容の番組を２画面同時表示することができる。【００１１】
ここで、近年、いわゆるスーパーハイビジョンと呼ばれる映像規格が登場している。スーパーハイビジョンとは、最大でハイビジョン放送の１６倍の情報量を持つ高精細映像システムで、約２４Ｇｂｐｓのビットレートとなるため、Ｈ．２６４方式で圧縮符号化を行っても１００〜４００Ｍｂｐｓという膨大な情報量となる。つまり、上述のようにビデオ信号をデジタル化し、１つのＴＳを生成すると、１つのＴＳに含まれる情報量も増えてしまう。その結果、１つのＴＳに含まれるべき情報量が、各放送事業者に割り当てられている周波数帯域（伝送容量）、つまり、１つの物理チャンネルでは伝送しきれないほどの情報量となってしまう（図１８参照）。すなわち、スーパーハイビジョン規格で作成した番組を現行の伝送方式で放送するには、伝送容量が足りないため、１つの物理チャンネルでは伝送することができない【００１２】
ここで、１つのコンテンツファイルを複数の分割配信用データに変換し、これらを互いに異なる複数の伝送路を介して伝送する技術が開示されている（例えば、特許文献２）。そこで、上記スーパーハイビジョン番組を２つの分割配信用データに配信し、２つの異なる物理チャンネルを使って伝送することでデジタル放送を行う場合を考える。この場合、受信装置側で当該スーパーハイビジョン映像の番組を視聴しようとするときは、上記２つのチューナを用いて当該２つの物理チャンネルをそれぞれ選局し、上記分割配信用データを受信する。更に、当該受信した分割配信用データを受信装置内において合成し、元のスーパーハイビジョン番組に復元する機能が必要となる。
【特許文献１】特開平１１−２７５４７６号公報
【特許文献２】国際公開第０１／０５６２４４号パンフレット
【発明の開示】
【発明が解決しようとする課題】
【００１３】
しかしながら、上述したような放送の送受信方法においては、以下に示す問題点があった。【００１４】
例えば、単一のスーパーハイビジョン規格の番組（ＴＳ）を分割し、上記のように複数の物理チャンネルを用いて伝送して、受信機側で、当該複数のチャンネルを同時に受信して１つの番組を再生するという場合、全ての放送が上記のようなスーパーハイビジョン規格の放送になると、同時に複数のチャンネルを受信できないような既存の受信機（例えば、シングルチューナ機など）では、これらの番組が一切視聴できなくなるという問題がある。【００１５】
それ故に、本発明の目的は、１つの物理チャンネルでは伝送しきれないほどの情報量の大きな映像・音声信号で構成される番組を伝送し、視聴することができるデジタル放送送信装置、デジタル放送受信装置、およびデジタル放送システムを提供することである。【００１６】
また、上記チューナを２つ搭載した受信装置において、上記スーパーハイビジョン番組を受信・視聴するためには、当該２つのチューナで上記２つの物理チャンネルを選局する必要がある。そのため、上記スーパーハイビジョン番組の視聴と、その他の番組の録画（いわゆる裏録）を両立できないという問題がある。例えば、ハイビジョン番組を録画中の状態（つまり、チューナを１つだけ使用している状態）において上記スーパーハイビジョン番組を受信・視聴することを優先させると、チューナが２つともスーパーハイビジョン番組の視聴のために用いられ、録画処理が停止してしまう。逆に、録画処理を優先させると、スーパーハイビジョン番組については一切視聴できないという問題がある。【００１７】
それ故に、本発明の別の目的は、複数の物理チャンネルでの伝送に対応した番組の視聴と所定の番組の録画とを両立できるデジタル放送受信装置を提供することである。【００１８】
また、上記のような、２つのチューナ及び各チャンネルで受信したデータの合成・復元機能を備えた受信装置であれば、上記２つの物理チャンネルで送信される動画像コンテンツを受信して視聴することは可能ではある。しかしながら、２つのチューナを用いて、２つの物理チャンネルを個別に選局するということは、１つの動画像コンテンツ（番組）を視聴するために２回分の選局が必要があるということでもある。つまり、（１）視聴者による選局指示操作→（２）１つ目のチャンネルの選局処理→（３）２つめのチャンネルの選局処理→（４）各チャンネルで受信したデータの合成〜再生処理の開始→動画像の出力開始、というステップを踏むことになる。そのため、従来のような、１つの動画像コンテンツが１つの物理チャンネルだけで伝送される場合に比べると、２つめのチャンネルの選局にかかる処理の分だけ、選局指示操作の後、実際に動画像が表示されるまでに時間がかかってしまうという問題がある。【００１９】
それ故に、本発明の別の目的は、複数の物理チャンネルを用いてバルク伝送される１つの動画像コンテンツを受信するデジタル放送受信装置において、選局操作を行ってから画像が表示されるまでの時間を短縮することが可能なデジタル放送受信装置を提供することである。【００２０】
また、上記のように、２つの物理チャンネルで伝送されるスーパーハイビジョン番組をＷチューナで受信し、合成することで当該スーパーハイビジョン番組を視聴することは可能となりうるが、その反面、番組の受信・再生処理については、Ｗチューナで選局して合成し、１つの番組を再生するという処理を前提とする。すなわち、１つの番組の再生のために２つのチューナが存在するという構成、いわば、上記のような２つのチャンネルで伝送されるスーパーハイビジョン番組専用の視聴装置となるため、上述したような、別々の番組を２画面同時表示することができないという問題がある。【００２１】
それ故に、本発明の別の目的は、２つのチューナを備えた受信装置であって、２つのチャンネルでバルク伝送される番組の受信・再生と、１つのチャンネルで伝送される番組の受信・再生とを両立できるデジタル放送受信装置を提供することである。【００２２】
また、上記のような、２つのチューナ及び合成・復元機能を備えた受信機であれば、上記動画像コンテンツを受信して視聴することは可能ではある。しかしながら、上述のような高画質・大容量の動画像コンテンツを受信機側で違和感なく視聴するためには、データの欠落が発生しないような高い伝送品質が求められる。つまり、伝送品質が低下すると、上記動画像コンテンツを構成するデータの欠落が発生し、受信機側において、当該動画像コンテンツが完全に復元できないことが考えられる。その結果、視聴時において当該動画像コンテンツの映像や音声が途切れてしまう、あるいは乱れてしまうことがあり、視聴者にとって快適な視聴が継続できなくなってしまうという問題がある。【００２３】
それ故に、本発明の別の目的は、複数の伝送路を用いて情報量が大きなコンテンツを伝送するときに、伝送品質が低下しても当該コンテンツの違和感のない視聴を継続させることができるデジタル放送送受信システム、および送受信装置を提供することである。
【課題を解決するための手段】
【００２４】
本発明は、上記の課題を解決するために、以下の構成を採用した。なお、括弧内の参照符号および補足説明等は、本発明の理解を助けるために後述する実施形態との対応関係の一例を示したものであって、本発明を何ら限定するものではない。【００２５】
第１の局面は、１つのデジタル放送の番組と当該番組の関連情報で構成されるビットストリーム（例えば、トランスポートストリーム）を複数の物理チャンネルで送信するデジタル放送送信装置であって、複数の物理チャンネルを関連づけるための情報であるチャンネル結合情報を生成するチャンネル結合情報生成手段（１４、１８）と、ビットストリームを複数のビットストリームに分割して、チャンネル結合情報と共に複数の物理チャンネルでそれぞれ送信する送信手段（１５，１６，１７、１８）と、送信手段でビットストリームとして送信されるデジタル放送の番組と同一内容の番組を構成するビットストリームであり、且つ、当該送信手段で送信されるビットストリームよりも情報量の少ないビットストリームである軽量ビットストリームを生成する軽量ビットストリーム生成手段（７１，７２，７３，７４）と、送信手段がビットストリームを送信するのに用いる物理チャンネルとは異なった単一の物理チャンネルで軽量ビットストリームを、送信手段が送信するビットストリームと並行して送信する並行送信手段（７６，７７）とを備える。【００２６】
第１の局面によれば、１つの物理チャンネルでは伝送できないような情報量の大きなテレビ番組を伝送することができる。また、従来から存在していた受信装置に対して、放送が全く視聴できなくなることを防ぐことができる。【００２７】
第２の局面は、第１の局面において、並行送信手段は、軽量ビットストリームと並行して送信手段による複数の物理チャンネルでのビットストリームの送信が行われているか否かを示す並行放送情報を当該軽量ビットストリームと共に送信する。【００２８】
第３の局面は、第１の局面において、番組の関連情報は、ビットストリームにどのような番組が存在しているかを記した情報であるサービスインフォメーションであり、送信手段は、チャンネル結合情報をサービスインフォメーションに含めるチャンネル結合情報付加手段を含む。【００２９】
第２乃至第３の局面によれば、第１の局面と同様の効果を得ることができる。【００３０】
第４の局面は、１つのデジタル放送の番組と当該番組の関連情報で構成されるビットストリームを複数の物理チャンネルで送信するデジタル放送送信装置から送信される放送波を受信して復調するフロントエンド部（３２）を複数備えるデジタル放送受信装置であって、単一の物理チャンネルで受信した放送波で構成される番組内容と同じ番組内容であって、当該単一の物理チャンネルとは異なる複数の物理チャンネルで、当該単一の物理チャンネルでの番組の送信と並行して送信されている番組の存在を判別するための判別手段（８１）と、複数の物理チャンネルを関連づけるための情報であるチャンネル結合情報に基づいて、複数のフロントエンド部を用いて複数の物理チャンネルを選局し、それぞれの物理チャンネルで受信した放送波を復調する同時選局復調手段（３２、３５）と、同時選局復調手段でそれぞれ復調されたビットストリームを結合する結合手段（３３）と、結合されたビットストリームを出力する出力手段（３３）とを備える。そして、同時選局復調手段は、判別手段が複数の物理チャンネルで並行して送信されている番組が存在すると判定したときに、当該複数の物理チャンネルを選局する。更に、結合手段は、チャンネル結合情報に基づいて、同時選局復調手段でそれぞれ復調されたビットストリームを結合する。【００３１】
第４の局面によれば、複数の物理チャンネルで伝送されてくる情報量の大きな一つのテレビ番組を受信し、結合することができる。また、情報量の大きなビットストリームで構成される番組と情報量が小さなビットストリームで構成される番組とが並行して送信されるときに、情報量の大きなビットストリームで構成される番組を受信して再生することが可能となる。更に、チャンネルを結合するための方法として多彩な方法を利用し、使い分けることが可能となる。【００３２】
第５の局面は、第４の局面において、チャンネル結合情報は、ビットストリームにどのような番組が存在しているかを記した情報であるサービスインフォメーションに含まれ、受信装置は、サービスインフォメーションに含まれるチャンネル結合情報に基づいて、視聴対象として選択された番組が複数の物理チャンネルで送信される番組であるか否かを判定する判定手段を更に備える。また、同時選局復調手段は、視聴対象番組が複数の物理チャンネルで送信されていると判定手段が判定したときに、チャンネル結合情報に基づいて当該複数の物理チャンネルを選局する。【００３３】
第５の局面によれば、第４の局面と同様の効果を得ることができる。【００３４】
第６の局面は、複数の物理チャンネルを用いてバルク伝送される放送番組であるバルク番組と、単一の物理チャンネルを用いて伝送される放送番組である非バルク番組と、伝送される放送番組がバルク番組であるか非バルク番組であるかを識別するための情報である識別情報および該バルク番組が伝送される複数の物理チャンネル番号を示す情報であるバルクチャンネル情報を少なくとも含む制御情報とをデジタル放送信号として送信する送信装置からの該デジタル放送信号を受信するデジタル放送受信装置であって、バルク番組が伝送される物理チャンネルのうち少なくとも１つのチャンネルでは、当該バルク番組と同じ番組内容であって映像規格が異なる番組である低階層番組が階層伝送されている。そして、当該デジタル放送受信装置は、複数のチューナ（２０３２，２０３３）と、利用者の所定の操作を受け付ける操作受付手段（２０４８，２０４９）と、操作受付手段が受け付けた操作に基づいて利用者が指定した物理チャンネルをチューナに選局させる選局指示手段（２０４８）と、選局指示手段が選局させた物理チャンネルでバルク番組が伝送されるか否かを制御情報に基づいて検出するバルクチャンネル検出手段（２０４０，２０４８）と、バルク番組が伝送されることをバルクチャンネル検出手段が検出したとき、複数のチューナそれぞれの利用状態を検出するチューナ状態検出手段（２０４８）と、チューナ状態検出手段の検出結果に基づいて、バルクチャンネル検出手段で検出されたバルク番組がバルク伝送される複数の物理チャンネルを全て選局できるだけの数のチューナが利用可能か否かを判定する受信可否判定手段（２０４８）と、受信可否判定手段がバルク伝送される複数の物理チャンネルを全て選局できるだけの数のチューナが利用可能と判定したときは、バルクチャンネル検出手段で検出されたバルク番組を再生するための処理を実行し、当該バルク伝送される複数の物理チャンネルを全て選局できるだけの数のチューナが利用可能ではないと判定したときは、当該バルク番組と階層伝送されている低階層番組を再生するための処理を実行する番組再生手段（２０４１、２０４２，２０４３，２０４８）とを備える。【００３５】
第６の局面によれば、複数の物理チャンネルでの伝送に対応した番組の視聴と所定の番組の録画とを両立できる。【００３６】
第７の局面は、第６の局面において、受信可否判定手段は、バルク番組が伝送される物理チャンネルとは異なる物理チャンネルを録画のために選局しているチューナについては利用可能ではない状態と判定する。【００３７】
第７の局面によれば、第６の局面と同様の効果を得ることができる。【００３８】
第８の局面は、第６の局面において、デジタル放送受信装置は、ＯＳＤ表示を行うためのＯＳＤ表示手段（２０４４，２０４５）を更に備える。ＯＳＤ表示手段は、再生手段がバルク番組と階層伝送されている低階層番組を再生するための処理を実行するときに、当該低階層番組を再生することを示すＯＳＤ表示を画面に出力する。【００３９】
第８の局面によれば、利用者に視聴状況を容易に把握させることが可能となる。【００４０】
第９の局面は、第６の局面において、デジタル放送受信装置は、操作受付手段が受け付けた操作に基づいて、放送予定である所定の番組の放送時間帯、放送される物理チャンネル、および識別情報とを少なくとも含む録画予約情報を登録するための録画予約手段（２０４８、２０５４）と、録画予約情報を記憶するための予約情報記憶手段（２０５０）と、録画予約手段が登録しようとする番組の放送時間帯と放送時間が重複する番組である重複番組が既に録画予約されているか否かを予約情報記憶手段に記憶されている録画予約情報に基づいて検出する重複番組検出手段（２０４８）と、録画予約手段が登録しようとする番組および重複番組の少なくともいずれか一方がバルク番組であるときは、当該バルク番組の録画予約を低階層番組の録画予約として登録するための予約内容変更手段（２０４８）とを更に備える。【００４１】
第１０の局面は、第９の局面において、予約内容変更手段は、重複番組がバルク番組のときは、当該重複番組の録画予約を低階層番組の録画予約に変更する。【００４２】
第１１の局面は、第９の局面において、予約内容変更手段は、予約手段が登録しようとする番組がバルク番組のときは、当該予約手段が登録しようとする番組の録画予約を低階層番組の録画予約として登録する。【００４３】
第１２の局面は、第９の局面において、予約内容変更手段は、予約手段が登録しようとする番組および重複番組が共にバルク番組のときは、いずれの番組も低階層番組の録画予約として登録する。【００４４】
第９乃至第１２の局面によれば、バルク番組が録画できない状態となることを防ぐことができる。また、既に録画予約済みのバルク番組が原因で、非バルク番組等の録画予約ができなくなることを防ぐ事ができる。これにより、デジタル放送受信装置の利便性を高めることができる。【００４５】
第１３の局面は、複数の物理チャンネルを用いてバルク伝送される番組であるバルク番組と、単一の物理チャンネルを用いて伝送される番組である非バルク番組と、放送される番組がバルク番組であるか非バルク番組であるかを識別するための情報である識別情報および該バルク番組を構成する複数の物理チャンネル番号を示す情報であるバルクチャンネル情報を少なくとも含む制御情報とをデジタル放送信号として送信する送信装置からの該デジタル放送信号を受信するデジタル放送受信装置であって、所定の物理チャンネルを選局してデジタル放送信号を受信する第１のチューナ（３０３２）および第２のチューナ（３０３３）と、第１のチューナで受信したデジタル放送信号で伝送されている番組がバルク番組であるか非バルク番組であるかを制御情報に基づいて判定する放送種別判定手段（３０４６）と、放送中あるいは放送予定のバルク番組に関する情報を検索するためのバルク番組検索手段（３０４６）と、第１のチューナおよび第２のチューナの選局動作を制御するための選局制御手段（３０４６）と、第１のチューナおよび第２のチューナの少なくとも一方で選局された物理チャンネルで伝送されるデジタル放送信号に基づいてバルク番組または非バルク番組を再生して画面に出力するための番組再生出力手段（３０４１，３０４２、３０４３）とを備える。そして、選局制御手段は、第１のチューナで選局した物理チャンネルで放送されている番組がバルク番組であると放送種別判定手段が判定したときは、バルクチャンネル情報に基づいて該バルク番組を構成する複数の物理チャンネルを第１のチューナおよび第２のチューナに選局させて、それぞれのチューナで受信されたデジタル放送信号を合成して再生出力部に出力する。また、選局制御手段は、第１のチューナで選局した物理チャンネルで放送されている番組が非バルク番組であると放送種別判定手段が判定したときは、第１のチューナを介して得られたデジタル放送信号を再生出力部に出力すると共に、バルク番組検索手段にバルク番組を放送している物理チャンネルを検索させ、該バルク番組検索手段によって検索された物理チャンネルのいずれか一つを第２のチューナに選局させる。【００４６】
第１３の局面によれば、第１のチューナで非バルク番組が選局された際に、第２のチューナで他のバルク番組にかかる物理チャンネルを選局しておく。これにより、利用者が後にバルク番組にかかるチャンネルが選局したときに、選局操作を行ってから実際にバルク番組が画面に表示されるまでの待ち時間を短縮することができる。【００４７】
第１４の局面は、第１３の局面において、制御情報には、全てのチャンネルについての識別情報およびバルクチャンネル情報が含まれている。そして、バルク番組検索手段は、識別情報に基づいて放送中のバルク番組を検索する。【００４８】
第１４の局面によれば、利用者が非バルク番組を視聴中の時間帯において他のチャンネルで放送されているバルク番組のチャンネルを第２のチューナで選局することができる。これにより、利用者がザッピング操作を行ったとき等にバルク番組が選局された際、選局操作が行われてから実際にバルク番組が画面に表示されるまでの待ち時間を短縮することができる。【００４９】
第１５の局面は、第１３の局面において、デジタル放送受信装置は、ＥＰＧを取得するためのＥＰＧ取得手段（３０６１）を更に備える。そして、バルク番組検索手段は、ＥＰＧに基づいて、放送中または放送予定のバルク番組の物理チャンネル番号を検索する。【００５０】
第１６の局面は、第１５の局面において、バルク番組検索手段は、ＥＰＧに基づいて、所定の時間以内に放送予定のバルク番組にかかる物理チャンネル番号を検索する。【００５１】
第１５乃至第１６の局面によれば、ＥＰＧを利用して、放送中あるいは放送予定のバルク番組にかかる物理チャンネルについて第２のチューナで先行して選局することができる。これにより、利用者が当該バルク番組にかかる物理チャンネルを選局したときに、選局操作が行われてから実際にバルク番組が画面に表示されるまでの待ち時間を短縮することができる。【００５２】
第１７の局面は、第１３の局面において、バルク番組が伝送される各物理チャンネルでは、当該バルク番組と同じ番組内容であって映像規格が異なる番組である低階層番組が階層伝送されている。そして、選局制御部は、第１のチューナで選局した物理チャンネルにかかる番組がバルク番組であると放送種別判定手段が判定したときは、第１のチューナで受信したデジタル放送信号に含まれている低階層番組を構成するデータを再生出力部へ出力した後に、それぞれのチューナで受信したデジタル放送信号を合成して再生出力部へ出力する。【００５３】
第１７の局面によれば、バルク番組にかかるチャンネルの選局操作が行われた後、画面に映像が表示されていない状態である時間を短縮することができる。【００５４】
第１８の局面は、第１７の局面において、デジタル放送受信装置は、再生出力部からの出力に所定のＯＳＤ表示を合成して画面に出力するためのＯＳＤ合成手段（３０５１）と、ＯＳＤ表示に対する所定の操作入力を受け付けるためのＯＳＤ操作受付手段（３０４７）とを更に備える。そして、ＯＳＤ合成手段は、選局制御部が低階層番組を構成するデータを再生出力部に出力した後、バルク番組の再生に切替えるか否かの旨のメッセージをＯＳＤ表示として生成して画面に出力する。更に、選局制御手段は、ＯＳＤ合成手段が前記メッセージを表示した後、当該メッセージに対する操作入力内容をＯＳＤ操作受付手段から取得し、当該入力内容に基づいてバルク番組を構成する複数の物理チャンネルを第１のチューナおよび第２のチューナに選局させ、それぞれのチューナで受信したデジタル放送信号を合成して再生出力部に出力する。【００５５】
第１８の局面によれば、バルク番組にかかるチャンネルの選局操作が行われた後、画面に映像が表示されない状態となっている時間を短縮することができる。また、低階層番組の表示から映像規格が異なるバルク番組への切替について利用者に問い合わせるため、表示された番組（放送されている番組）がより高画質なバルク番組であることを利用者に認識させることが可能となる。【００５６】
第１９の局面は、第１３〜第１７のいずれかに記載の局面において、バルク番組は、スーパーハイビジョン規格で作成された番組であり、非バルク番組は、ハイビジョン規格またはＳＤ規格で作成された番組である。【００５７】
第１９の局面によれば、利用者がスーパーハイビジョン規格で作成された番組を視聴するときに、選局操作を行ってから実際にスーパーハイビジョンの番組が画面に表示されるまでの待ち時間を短縮することができる。【００５８】
第２０の局面は、第１７の局面において、バルク番組は、スーパーハイビジョン規格で作成された番組であり、低階層番組は、ハイビジョン規格またはＳＤ規格で作成された番組である。【００５９】
第２０の局面によれば、利用者がスーパーハイビジョン規格で作成された番組が放送されているチャンネルを選局したときに、選局操作を行ってから画面に映像が表示されていない状態である時間を短縮することができる。【００６０】
第２１の局面は、複数の物理チャンネルを用いてバルク伝送される放送番組であるバルク番組と、単一の物理チャンネルを用いて伝送される放送番組である非バルク番組と、伝送される放送番組がバルク番組であるか非バルク番組であるかを識別するための情報である識別情報および該バルク番組が伝送される複数の物理チャンネル番号を示す情報であるバルクチャンネル情報を少なくとも含む制御情報とをデジタル放送信号として送信する送信装置からの該デジタル放送信号を受信するデジタル放送受信装置であって、所定の物理チャンネルを選局してデジタル放送信号を受信する複数のチューナ（４０３２、４０３３）と、複数のチューナで選局される物理チャンネルのいずれかにおいてバルク番組が伝送されることを制御情報に基づいて検出するバルクチャンネル検出手段（４０４０、４０４８）と、バルク番組が伝送される複数の物理チャンネルを複数のチューナでそれぞれ選局して受信したデジタル放送信号からバルク番組を再生して出力する第１の再生処理モードと、非バルク番組が伝送される物理チャンネルを単一のチューナを用いて選局して受信したデジタル放送信号から非バルク番組を再生して出力する第２の再生処理モードとの間で再生処理モードをバルクチャンネル検出手段の検出結果に応じて切り替える番組再生手段（４０４１、４０４２、４０４３、４０４８）と、番組再生手段から出力されるバルク番組または非バルク番組を所定の画面または所定の記憶媒体に出力する少なくとも一つの出力部（４０４２、４０４３）とを備える。そして、番組再生手段は、いずれかのチューナで選局している物理チャンネルでバルク番組が伝送されることをバルクチャンネル検出手段が検出したときは再生処理モードを第１の再生処理モードに切替え、チューナで選局されているいずれの物理チャンネルにおいてもバルク番組が伝送されないことをバルクチャンネル検出手段が検出したときは再生処理モードを第２の再生処理モードに切替える。【００６１】
第２１の局面によれば、バルク番組および非バルク番組の視聴の両立が可能となり、利便性の高い受信装置を提供することができる。【００６２】
第２２の局面は、第２１の局面において、デジタル放送受信装置は、ＯＳＤ表示として表示する内容であるＯＳＤ表示内容を生成するＯＳＤ生成手段（４０４４，４０４５）と、ＯＳＤ生成手段が生成した表示内容をＯＳＤ表示するためのＯＳＤ表示手段（４０４４，４０４５）とを更に備える。そして、ＯＳＤ生成手段は、いずれかのチューナで選局している物理チャンネルでバルク番組が伝送されることをバルクチャンネル検出手段が検出したとき、所定のメッセージをＯＳＤ表示内容として生成してＯＳＤ表示手段に出力する。【００６３】
第２２の局面によれば、視聴する番組がバルク番組か否かを利用者に認識させることができ、デジタル放送受信装置の利便性を高めることができる。【００６４】
第２３の局面は、第２２の局面において、デジタル放送受信装置は、いずれかのチューナで選局している物理チャンネルでバルク番組が伝送されることをバルクチャンネル検出手段が検出したときに、当該デジタル放送受信装置においてバルク番組を再生することが可能か否かを判定するための再生可否判定手段を更に備える。そして、ＯＳＤ生成手段は、再生可否判定手段がバルク番組の再生ができないと判定したときに、バルク番組が再生できないことを示すメッセージをＯＳＤ表示内容として生成する。【００６５】
第２３の局面によれば、バルク番組が再生できないときに、利用者に故障が発生したかのような誤解を与えることを防ぐことができる。【００６６】
第２４の局面は、第２１の局面において、バルク番組が伝送される物理チャンネルのうち少なくとも１つのチャンネルでは、当該バルク番組と同じ番組内容であって映像規格が異なる番組である低階層番組が階層伝送されている。また、デジタル放送受信装置は、複数の出力部を備えている。番組再生手段は、バルク番組が伝送される複数の物理チャンネルを複数のチューナでそれぞれ選局して受信したデジタル放送信号からバルク番組を再生して複数の出力部のいずれか一つに出力すると共に、低階層番組を再生して、バルク番組を出力している出力部とは異なる出力部に出力する第３の再生処理モードを更に有する。更に、番組再生手段は、いずれかのチューナで選局している物理チャンネルでバルク番組が伝送されることをバルクチャンネル検出手段が検出したとき、または、第１の再生処理モードでバルク番組を再生中に利用者からの所定の操作信号が送られたときに再生処理モードを第３の再生処理モードに切替える。【００６７】
第２４の局面によれば、バルク番組と低階層番組を同時に出力することができ、利便性の高い受信装置を提供することが可能となる。【００６８】
第２５の局面は、第２４の局面において、番組再生手段は、第３の再生処理モードで低階層番組を出力するときは、当該低階層番組を録画するための所定の記録媒体に出力する。【００６９】
第２５の局面によれば、非バルク番組の録画に用いるための構成を流用することが可能となり、バルク番組の視聴および同内容の番組の録画が可能な受信装置を低コストで提供することが可能となる。【００７０】
第２６の局面は、複数の物理チャンネルを用いてバルク伝送される放送番組であるバルク番組と、単一の物理チャンネルを用いて伝送される放送番組である非バルク番組と、伝送される放送番組がバルク番組であるか非バルク番組であるかを識別するための情報である識別情報および該バルク番組が伝送される複数の物理チャンネル番号を示す情報であるバルクチャンネル情報を少なくとも含む制御情報とをデジタル放送信号として送信する送信装置からの該デジタル放送信号を受信するデジタル放送受信装置であって、バルク番組が伝送される物理チャンネルのうち少なくとも１つのチャンネルでは、当該バルク番組と同じ番組内容であって映像規格が異なる番組である低階層番組が階層伝送されている。そして、デジタル放送受信装置は、物理チャンネルを選局して前記デジタル放送信号を受信する少なくとも１つのチューナと、選局された物理チャンネルでバルク番組が伝送されることを検出するバルクチャンネル検出手段と、バルク番組が伝送される複数の物理チャンネルのうち、低階層番組が階層伝送される物理チャンネルを選局して受信したデジタル放送信号から低階層番組を再生して出力する第１の再生処理モードと、非バルク番組が伝送される物理チャンネルを選局して受信したデジタル放送信号から非バルク番組を再生して出力する第２の再生処理モードとの間で再生処理モードをバルクチャンネル検出手段の検出結果に応じて切り替える番組再生手段と、チューナで選局されている物理チャンネル番号を記憶するためのチャンネル記憶手段と、番組再生手段から出力される低階層番組または非バルク番組を所定の画面または所定の記憶媒体に出力する出力部とを備える。番組再生手段は、番組再生モードが第２の再生モードのときにバルク番組が伝送されることをバルクチャンネル検出手段が検出したときは、その時点で選局されている物理チャンネルの番号をチャンネル記憶手段に記憶させてから低階層番組が階層伝送される物理チャンネルを選局して再生処理モードを第１の再生処理モードに切替え、該低階層番組の放送が終了したときに該チャンネル記憶手段に記憶されているチャンネル番号を選局して第２の再生処理モードに切り替える。【００７１】
第２６の局面によれば、バルク伝送される番組と同内容の番組が視聴でき、かつ、よりコストを抑えることができるシングルチューナ構成のデジタル放送受信装置を提供することが可能となる。【００７２】
第２７の局面は、１つのデジタル放送コンテンツを構成する番組データに基づいて放送データを生成して、複数の物理チャンネルに分割して送信するデジタル放送送信装置であって、１つのデジタル放送コンテンツを構成する番組データに所定の符号化処理を行って第１の放送データを生成する第１の符号化手段（６０１１）と、番組データに第１の符号化手段とは異なる符号化処理を行って、１つの物理チャンネルの伝送容量で伝送可能な第２の放送データを生成する第２の符号化手段（６０１２）と、第１の放送データを分割して複数の物理チャンネルで送信する送信部（６０１３〜６０２０）とを備える。そして、送信部は、少なくとも一つの物理チャンネルにおいて第１の放送データと第２の放送データとの階層伝送を行う。【００７３】
第２７の局面によれば、情報量の大きな動画像コンテンツを複数の物理チャンネルを用いて伝送している際に伝送品質が低下しても、コンテンツそのもののについては映像や音声が乱れることを防ぎ、当該動画像コンテンツの違和感のない視聴を利用者に継続させることができる。【００７４】
第２８の局面は、第２７の局面において、送信部は、複数の物理チャンネルのうち、最も周波数が低い物理チャンネルを用いて階層伝送を行う。【００７５】
第２８の局面によれば、周波数が低い物理チャンネルは伝送路の安定度も高いため、第２の放送データをより確実に伝送することができ、その結果、動画像コンテンツの視聴の継続をより確実なものとすることができる。【００７６】
第２９の局面は、第２７の局面において、第１の符号化手段は、映像規格がスーパーハイビジョン映像である番組データを符号化する。また、第２の符号化手段は、映像規格がハイビジョン映像またはＳＤ映像である番組データを符号化する。【００７７】
第２９の局面によれば、スーパーハイビジョンの規格に対応していない受信装置であっても、当該スーパーハイビジョンによるコンテンツと同内容のコンテンツを視聴することが可能となる。【００７８】
第３０の局面は、１つのデジタル放送コンテンツを構成する番組データに基づいて放送データを生成して、複数の物理チャンネルに分割して送信するデジタル放送送信装置から送信される放送データを受信して該番組データを再生するデジタル放送受信装置であって、物理チャンネルのうち少なくとも一つは、それぞれ映像規格が異なる第１の放送データと第２の放送データが階層伝送されている。そして、デジタル放送受信装置は、複数の物理チャンネルを同時に選局して第１の放送データおよび第２の放送データを受信する受信手段（６０３２〜６０４０）と、第１の放送データが送信される複数の物理チャンネルの伝送品質を検出する伝送品質検出手段（６０４１、６０４２、６０５１、６０５２）と、第１の放送データに復号処理を行い、番組データを再生する再生出力手段とを備える。再生出力手段は、第１の放送データが送信される複数の物理チャンネルのうち、いずれかの物理チャンネルの伝送品質が所定の閾値未満になったことを伝送品質検出手段が検出したときは、階層伝送されてくる第２の放送データの復号処理を行い、該復号処理で得られた番組データを再生する。【００７９】
第３０の局面によれば、第１の局面と同様の効果を得ることができる。【００８０】
第３１の局面は、第２９の局面において、伝送品質検出手段は、第１の放送データが送信される複数の物理チャンネル毎に受信ＣＮＲを検出する。そして、再生出力手段は、伝送品質検出手段が検出した各物理チャンネルの受信ＣＮＲのいずれかが所定の閾値未満となったときに第２の放送データの復号処理を行い、該復号処理で得られた番組データを再生する。【００８１】
第３２の局面は、第３１の局面において、伝送品質検出手段は、第１の放送データが送信される複数の物理チャンネル毎にビット誤り率を検出する。そして、再生出力手段は、伝送品質検出手段が検出した各物理チャンネルのビット誤り率のうちいずれかが所定の閾値以上となったときに第２の放送データの復号処理を行い、該復号処理で得られた番組データを再生する。【００８２】
第３１乃至第３２の局面によれば、伝送品質の低下を簡便にかつ的確に検出することができ、第１の放送データの再生から第２の放送データの再生への切替をより適切なタイミングで行うことが可能となる。【００８３】
第３３の局面は、第３０の局面において、第１の番組データと第２の番組データは、複数の物理チャンネルの全てのチャンネルで階層伝送が行われる。また、再生出力手段は、伝送品質検出手段が第１の放送データが送信される複数の物理チャンネルのうち、いずれかの物理チャンネルの伝送品質が所定の閾値未満になったことを検出したとき、伝送品質が最も高い物理チャンネルで階層伝送されてくる第２の放送データの復号処理を行い、該復号処理で得られた番組データを再生する。【００８４】
第３３の局面によれば、第１の放送データの再生中に伝送品質が低下した場合、複数の物理チャンネルのうち、より伝送品質が良い物理チャンネルを選んで第２の放送データを再生することができる。
【発明の効果】
【００８５】
本発明によれば、１つの物理チャンネルでは伝送しきれないほど情報量の大きな映像・音声信号を有するデジタル放送の送受信が可能となる。【００８６】
また、本発明によれば、バルク伝送に対応する番組の視聴と所定の番組の録画を両立させることができる。【００８７】
また、本発明によれば、利用者がバルク番組が放送されている物理チャンネルを選局してから実際に番組の映像・音声が出力されるまでにかかる時間を短縮することが出来る。【００８８】
また、本発明によれば、バルク番組および非バルク番組の視聴の両立が可能となり、利便性の高い受信装置を提供することができる。【００８９】
また、本発明によれば、複数の物理チャンネルを用いて情報量の大きな動画像コンテンツを伝送している際に、伝送品質が低下しても、コンテンツそのものの映像や音声が途切れて乱れた動画像となることを防ぎ、違和感のない視聴を利用者に継続させることができる。
【図面の簡単な説明】
【００９０】
【図１】図１は、本実施形態にかかるデジタル放送システムのシステム構成の一例を示す図である。
【図２】図２は、本発明にかかる処理の概要を説明するための図である。
【図３】図３は、本実施形態に係る送信装置１０の構成の一例を示す機能ブロック図である。
【図４】図４は、受信装置３０の構成の一例を示す機能ブロック図である。
【図５】図５は、本実施形態で用いるＮＩＴを説明するための図である。
【図６】図６は、サービスリスト情報５３４のデータ構造の一例を示す図である。
【図７】図７は、Ｃｈ結合情報５３５のデータ構造の一例を示した図である。
【図８】図８は、選局テーブル６０のデータ構造の一例である。
【図９】図９は、送信装置１０における信号処理の詳細を示すフローチャートである。
【図１０】図１０は、受信装置３０における選局処理の詳細を示すフローチャートである。
【図１１】図１１は、３つめの物理チャンネルを用いる場合の伝送の概要を説明するための図である。
【図１２】図１２は、図１１に示した伝送形態における送信装置の構成を示す機能ブロック図である。
【図１３】図１３は、結合機能対応機８０の構成の一例を示す機能ブロック図である。
【図１４】図１４は、結合機能対応機８０における選局処理を示すフローチャートである。
【図１５】図１５は、結合可否情報に基づく選局処理を示すフローチャートである。
【図１６】図１６は、トランスポートストリームの伝送の概念を示す図である。
【図１７】図１７は、従来のデジタル放送受信装置の構成を示す図である。
【図１８】図１８は、１つの物理チャンネルで伝送しきれないトランスポートストリームの概念を示す図である。
【図１９】図１９は、本実施形態におけるスーパーハイビジョン番組の伝送の概念を説明するための模式図である。
【図２０】図２０は、本実施形態における送信側の設備の一例を示す機能ブロック図である。
【図２１】図２１は、バルク関連情報の一例を示す図である。
【図２２】図２２は、本発明の第１の実施形態に係る受信装置２０３０の構成を示した機能ブロック図である。
【図２３】図２３は、第１の主信号誤り訂正復号部２０３６の詳細を示すブロック図である。
【図２４】図２４は、フラッシュメモリ２０５０に記憶される予約一覧２５００の一例である。
【図２５】図２５は、本実施形態を説明するための放送スケジュールの一例である。
【図２６】図２６は、第１の実施形態にかかる選局再生処理の詳細を示すフローチャートである。
【図２７】図２７は、本実施形態を説明するための放送スケジュールの一例である。
【図２８】図２８は、第３の実施形態にかかる録画予約処理の詳細を示すフローチャートである。
【図２９】図２９は、第４の実施形態にかかる録画予約処理の詳細を示すフローチャートである。
【図３０】図３０は、第５の実施形態にかかる録画予約処理の詳細を示すフローチャートである。
【図３１】図３１は、第６の実施形態にかかる録画予約処理の詳細を示すフローチャートである。
【図３２】図３２は、第７の実施形態におけるスーパーハイビジョン規格で構成された番組の伝送の概念を説明するための模式図である。
【図３３】図３３は、バルク関連情報の一例を示す図である。
【図３４】図３４は、本発明の第７の実施形態に係る受信装置３０３０の構成を示した機能ブロック図である。
【図３５】図３５は、第１の主信号誤り訂正復号部３０３６の詳細を示すブロック図である。
【図３６】図３６は、受信装置３０３０によって実行される番組選局再生処理を示すフローチャートである。
【図３７】図３７は、本発明の第８の実施形態に係る受信装置３０５０の構成を示したブロック図である。
【図３８】図３８は、第８の実施形態にかかる受信装置３０５０で実行される選局再生処理の詳細を示すフローチャートである。
【図３９】図３９は、本発明の第９の実施形態に係る受信装置３０６０の構成を示したブロック図である。
【図４０】図４０は、第９の実施形態にかかる受信装置３０６０で実行される選局再生処理の詳細を示すフローチャートである。
【図４１】図４１は、第１０の実施形態におけるスーパーハイビジョン番組の伝送の概念を説明するための模式図である。
【図４２】図４２は、第１０の実施形態における送信側の設備の一例を示す機能ブロック図である。
【図４３】図４３は、バルク関連情報の一例を示す図である。
【図４４】図４４は、本発明の第１０の実施形態に係る受信装置４０３０の構成を示した機能ブロック図である。
【図４５】図４５は、第１の主信号誤り訂正復号部４０３６の詳細を示すブロック図である。
【図４６】図４６は、本実施形態を説明するための放送スケジュールの一例である。
【図４７】図４７は、受信装置４０３０によって実行される番組選局再生処理を示すフローチャートである。
【図４８】図４８は、第１１の実施形態にかかる受信装置４０６０の構成を示すブロック図である。
【図４９】図４９は、第１２の実施形態にかかる受信装置４０７０の構成を示す機能ブロック図である。
【図５０】図５０は、第１２の実施形態にかかる受信再生処理の詳細を示すフローチャートである。
【図５１】図５１は、番組スケジュールの一例である。
【図５２】図５２は、第１３の実施形態の処理概要を説明するための図である。
【図５３】図５３は、本発明の第１３の実施形態に係る送信装置の構成を示した機能ブロック図である。
【図５４】図５４は、高階層パケットの振り分け方について説明するための図である。
【図５５】図５５は、第１の主信号誤り訂正符号化部６０１５の詳細を示すブロック図である。
【図５６】図５６は、バルク伝送関連情報の一例を示す図である。
【図５７】図５７は、本発明の第１の実施形態に係る受信装置６０３０の構成を示した機能ブロック図である。
【図５８】図５８は、第１の主信号誤り訂正復号部６０３６の詳細を示すブロック図である。
【図５９】図５９は、本発明の第１３の実施形態に係る受信再生処理を示すフローチャートである。
【図６０】図６０は、本発明の第１３の実施形態に係る受信再生処理を示すフローチャートである。
【図６１】図６１は、ビット誤り率に基づいて伝送品質を判断する場合の受信装置６０５０の構成を示したブロック図である。
【図６２】図６２は、第１４の実施形態の処理概要を説明するための図である。
【図６３】図６３は、第１４の実施形態に係る送信装置６０６０の構成を示した機能ブロック図である。
【図６４】図６４は、１つの低階層ＡＶストリームを２つのチャンネルに振り分けて伝送する場合の模式図である。
【符号の説明】
【００９１】
１０    送信装置
１１    映像符号化部
１２    音声符号化部
１３    データ符号化部
１４    マルチプレクサ
１５    分割部
１６    誤り訂正・変調部
１７    送信部
１８    ＣＰＵ
１９    メモリ
２０    アンテナ
３０    受信装置
３１    アンテナ
３２    フロントエンド
３３    結合部
３４    デマルチプレクサ
３５    ＣＰＵ
３６    メモリ
３７    ビデオデコーダー
３８    オーディオデコーダー
３９    データ処理部
５０    ＮＩＴ
６０    選局テーブル
２０３０    受信装置
２０３１    アンテナ
２０３２    第１のチューナ
２０３３    第２のチューナ
２０３４    第１の復調部
２０３５    第２の復調部
２０３６    第１の主信号誤り訂正復号部
２０３７    第２の主信号誤り訂正復号部
２０３８    第１のＴＭＣＣ復号部
２０３９    第２のＴＭＣＣ復号部
２０４０    ＴＭＣＣ制御部
２０４１    ＴＳ合成・分離部
２０４２    第１のＡＶデコーダ
２０４３    第２のＡＶデコーダ
２０４４    第１のＯＳＤ作成・合成部
２０４５    第２のＯＳＤ作成・合成部
２０４６    第１の表示部
２０４７    第２の表示部
２０４８    ＣＰＵ
２０４９    リモコン処理部
２０５０    フラッシュメモリ
２０５１    リモコン
２０５２    録画処理部
２０５３    記録部
２０５４    ＥＰＧ情報取得部
２３６１  デインターリーブ部
２３６２  内符号誤り復号部
２３６３  エネルギー逆拡散部
２３６４  外符号誤り復号部
３０３０    受信装置
３０３１    アンテナ
３０３２    第１のチューナ
３０３３    第２のチューナ
３０３４    第１の復調部
３０３５    第２の復調部
３０３６    第１の主信号誤り訂正復号部
３０３７    第２の主信号誤り訂正復号部
３０３８    第１のＴＭＣＣ復号部
３０３９    第２のＴＭＣＣ復号部
３０４０    ＴＭＣＣ制御部
３０４１    ＴＳ合成・分離部
３０４２    第１のＡＶデコーダ
３０４３    第２のＡＶデコーダ
３０４４    第１の表示部
３０４５    第２の表示部
３０４６    ＣＰＵ
３０４７    リモコン処理部
３０４８    フラッシュメモリ
３０４９    リモコン
３０５０    受信装置
３０５１    第１のＯＳＤ作成・合成部
３０５２    第２のＯＳＤ作成・合成部
３０６０    受信装置
３０６１    ＥＰＧ情報取得部
３３６１  デインターリーブ部
３３６２  内符号誤り復号部
３３６３  エネルギー逆拡散部
３３６４  外符号誤り復号部
４０３０    受信装置
４０３１    アンテナ
４０３２    第１のチューナ
４０３３    第２のチューナ
４０３４    第１の復調部
４０３５    第２の復調部
４０３６    第１の主信号誤り訂正復号部
４０３７    第２の主信号誤り訂正復号部
４０３８    第１のＴＭＣＣ復号部
４０３９    第２のＴＭＣＣ復号部
４０４０    ＴＭＣＣ制御部
４０４１    ＴＳ合成・分離部
４０４２    第１のＡＶデコーダ
４０４３    第２のＡＶデコーダ
４０４４    第１のＯＳＤ作成・合成部
４０４５    第２のＯＳＤ作成・合成部
４０４６    第１の表示部
４０４７    第２の表示部
４０４８    ＣＰＵ
４０４９    リモコン処理部
４０５０    フラッシュメモリ
４０５１    リモコン
４０６０    受信装置
４０６１    録画処理部
４０６２    記録部
４０７０    受信装置
４３６１  デインターリーブ部
４３６２  内符号誤り復号部
４３６３  エネルギー逆拡散部
４３６４  外符号誤り復号部
６０１０    送信装置
６０１１    高階層エンコーダ
６０１２    低階層エンコーダ
６０１３    時分割多重部
６０１４    ＴＳ分割部
６０１５    第１の主信号誤り訂正符号化部
６０１６    第２の主信号誤り訂正符号化部
６０１７    第１のマッピング部
６０１８    第２のマッピング部
６０１９    第１の周波数変換部
６０２０    第２の周波数変換部
６０２１    ＣＰＵ
６０２２    第２の低階層エンコーダ
６０２３    第１のＴＭＣＣ生成部
６０２４    第２のＴＭＣＣ生成部
６０３０    受信装置
６０３１    アンテナ
６０３２    第１のチューナ
６０３３    第２のチューナ
６０３４    第１の復調部
６０３５    第２の復調部
６０３６    第１の主信号誤り訂正復号部
６０３７    第２の主信号誤り訂正復号部
６０３８    第１のＴＭＣＣ復号部
６０３９    第２のＴＭＣＣ復号部
６０４０    ＴＭＣＣ制御部
６０４１    第１の受信ＣＮＲ検出部
６０４２    第２の受信ＣＮＲ検出部
６０４３    ＴＳ合成・分離部
６０４４    ＡＶデコーダ
６０４５    ＣＰＵ
６０４６    表示部
６０５０    受信装置
６０５１    第１の高階層スロットビット誤り検出部
６０５２    第２の高階層スロットビット誤り検出部
６０６０    送信装置
６１５１  外符号誤り訂正部
６１５２  エネルギー拡散部
６１５３  内符号誤り訂正部
６１５４  インターリーブ部
６３６１  デインターリーブ部
６３６２  内符号誤り復号部
６３６３  エネルギー逆拡散部
６３６４  外符号誤り復号部
【発明を実施するための最良の形態】
【００９２】
以下、本発明の実施の形態について、図面を参照して説明する。尚、この実施例により本発明が限定されるものではない。【００９３】
（第１の実施形態）
まず、本発明の第１の実施形態について説明する。第１の実施形態にかかるデジタル放送システムでは、ＢＳデジタル放送用の放送局から送信されてくる放送信号を１つの受信装置にて受信している放送システムを例にとって説明する。なお、ＢＳデジタル放送の代わりに、ＣＳデジタル放送であってもよいし、地上波デジタル放送であってもよい。【００９４】
図１は、本実施形態にかかるデジタル放送システムのシステム構成の一例を示す図である。図１において、放送番組を放送する放送局１は、アンテナ２０および、図示しない放送衛星を介して放送電波を送信する送信装置１０を備えている。また、視聴者の各家２には、ＢＳ放送を受信するアンテナ３１が設置され、受信装置３０に接続されており、視聴者の選局操作により、ＢＳデジタル放送を視聴することが可能である。ここで、受信装置３０には、複数のフロントエンドが搭載されており、同時に複数の物理チャンネルを選局・受信することが可能となっている。【００９５】
次に、本発明にかかる処理の概要（原理）を、図２を用いて説明する。本実施形態では、１つの物理チャンネルでは伝送しきれない情報量を有するトランスポートストリーム（以下、ＴＳと呼ぶ）を、複数の物理チャンネルを用いて伝送する。図２において、まず、送信側（放送局１）において、上記１つの物理チャンネルでは伝送しきれない情報量を有するＴＳ１００（以下、原ＴＳと呼ぶ）を、複数のＴＳに分割する。本実施形態では、説明の簡略化のため、２つのＴＳ１０１ａ、１０１ｂに分割する。この分割後のＴＳを、以下、分割ＴＳと呼ぶ。そして、これら分割ＴＳ１０１ａ、１０１ｂを、それぞれ異なる物理チャンネルを用いて送信する。この際、当該分割ＴＳ１０１ａ、１０１ｂを結合して原ＴＳ１００に戻すための情報であるＣｈ（チャンネル）結合情報（例えば、上記２つの物理チャンネルの周波数情報等）を生成する。そして、当該Ｃｈ結合情報をＳＩ（Ｓｅｒｖｉｃｅ  Ｉｎｆｏｒｍａｔｉｏｎ；番組配列情報）に含めて送信する。ＳＩとは、デジタル放送ストリームの分配システム、内容、並びにスケジュール／タイミングなどを定義するものであり、ＴＳにどのようなプログラムが存在し、ＴＳに含まれる各ＥＳ（Ｅｌｅｍｅｎｔａｒｙ  Ｓｔｒｅａｍ）がどのプログラムに属しているかを記し、受信機が自動的にＴＳ内の多重を解除しＥＳをデコードする機能を実現するための情報（ＰＳＩ；Ｐｒｏｇｒａｍ  Ｓｐｅｃｉｆｉｃ  Ｉｎｆｏｒｍａｔｉｏｎ；番組特定情報）に、番組内容、スケジュール情報などを含めた情報である。つまり、上記Ｃｈ結合情報がＳＩに含まれて、分割ＴＳ１０１ａ、１０１ｂとして送信されることになる。本実施形態では、当該Ｃｈ結合情報は、ＰＳＩの１つであるＮＩＴ（Ｎｅｔｗｏｒｋ  Ｉｎｆｏｒｍａｔｉｏｎ  Ｔａｂｌｅ）に含める。【００９６】
次に、受信側（視聴者の各家２）において、上記Ｃｈ結合情報に基づいて、上記２つの物理チャンネルを同時に受信する。そのため、受信側ではフロントエンド部（チューナーと復調）が複数必要となる。そして、当該２つの物理チャンネルで受信した分割ＴＳ１０１ａおよび１０１ｂを結合し、原ＴＳ１００を復元する。そして、当該原ＴＳ１００に対して、従来と同様の選局処理等を行うことで、映像・音声信号等を出力する。【００９７】
このように、本実施形態では、原ＴＳを複数の分割ＴＳへと分割し、それぞれの分割ＴＳを異なる物理チャンネルを用いて送信する。このとき、当該分割ＴＳを結合するために、これら異なる物理チャンネルを関連づけた情報であるＣｈ結合情報をＳＩに含め、当該ＳＩが分割ＴＳに含まれて送信される。そして、受信側で、当該Ｃｈ結合情報に基づいて、上記異なる物理チャンネルを同時に受信し、復調することで得られた分割ＴＳを結合することで原ＴＳを復元して再生等の処理を行う（換言すれば、複数のチャンネルを結合することになる）。これにより、従来、１つの物理チャンネルでは伝送しきれなかったような番組を送受信することが可能となる。【００９８】
次に、図３を参照して、本発明の実施形態に係る送信装置１０について説明する。図３は、本実施形態に係る送信装置１０の構成の一例を示す機能ブロック図であり、本実施形態に関わるブロックを中心に記載している。図３において、送信装置１０は、映像符号化部１１と、音声符号化部１２と、データ符号化部１３と、マルチプレクサ１４と、分割部１５と、誤り訂正・変調部１６ａ、１６ｂと、送信部１７ａ、１７ｂと、ＣＰＵ１８と、メモリ１９とで構成される。【００９９】
映像符号化部１１は、アナログのビデオ信号を標本化および量子化することでデジタル信号へと変換する。また、変換したデジタル信号をマルチプレクサ１４に出力する。音声符号化部１２は、アナログのオーディオ信号を標本化および量子化することでデジタル信号へと変換する。また、変換したデジタル信号をマルチプレクサ１４に出力する。データ符号化部１３は、データ放送に用いられるデータ信号の符号化を行う。また、符号化した信号をマルチプレクサ１４に出力する。【０１００】
マルチプレクサ１４は、上記各符号化部から出力される信号を多重化することで、原ＴＳを生成する。また、マルチプレクサ１４は、セクションデータ、すなわち、ＮＩＴや、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）等のＰＳＩを生成し、これらも原ＴＳに含める。この際、上述したようなＣｈ結合情報がＮＩＴに書き込まれる。また、マルチプレクサ１４は、当該原ＴＳを分割部１５に出力する。【０１０１】
分割部１５は、原ＴＳを複数の分割ＴＳに分割する。そして、当該分割ＴＳを、誤り訂正・変調部１６ａおよび１６ｂにそれぞれ出力する。【０１０２】
誤り訂正・変調部１６ａおよび１６ｂは、誤り訂正のためのパリティービットの付加等の処理を分割ＴＳに対して行う。更に、所定の方式を用いてキャリア変調を行うことでデジタル放送信号を生成する。そして、当該デジタル放送信号を送信部１７ａ、１７ｂにそれぞれ出力する。【０１０３】
送信部１７ａおよび１７ｂは、誤り訂正・変調部１６ａ、１６ｂから入力されたデジタル放送信号をアンテナ２０を介してそれぞれ出力する。【０１０４】
ＣＰＵ１８は、当該送信装置１０全体の動作を制御する。また、メモリ１９は、当該ＣＰＵ１８の動作用の各種情報を蓄積している。【０１０５】
次に、受信装置（典型的にはデジタル放送の受信が可能なテレビ受像機）の構成について説明する。図４は、受信装置３０の構成の一例を示す機能ブロック図である。受信装置３０は、受信アンテナ３１の出力が入力されるフロントエンド３２ａおよび３２ｂと、フロントエンド３２ａおよび３２ｂの出力が入力される結合部３３と、結合部３３からの出力が入力されるデマルチプレクサ３４と、デマルチプレクサ３４の出力が入力されるＭＰＥＧ２ビデオデコーダ３７、ＭＰＥＧ２オーディオデコーダ３８、およびデータ処理部３９とを備えている。また、この衛星ディジタル放送受信装置の全体の制御等を行うＣＰＵ３５を備えている。このＣＰＵ３５にはメモリ３６が接続されている。【０１０６】
図４において、受信アンテナ３１にて受信された分割ＴＳは、フロントエンド３２において受信トランスポンダの選択、復調、エラー訂正等の処理を施された後に、結合部３３に入力される。【０１０７】
結合部３３は、フロントエンド３２から入力された分割ＴＳを、上記Ｃｈ結合情報に基づいて結合することで、原ＴＳを生成する。そして、当該原ＴＳがデマルチプレクサ３４に出力される。【０１０８】
デマルチプレクサ３４において、ＰＳＩ、ＭＰＥＧ２ビデオＥＳ、ＭＰＥＧ２オーディオＥＳ、およびＰＳ（Ｐｒｉｖａｔｅ  Ｓｅｃｔｉｏｎ）が原ＴＳから分離されて取り出される。デマルチプレクサ３４で原ＴＳから取り出されたＰＳＩはＣＰＵ３５に送られ、ＭＰＥＧ２ビデオＥＳはＭＰＥＧ２ビデオデコーダ３７へ、ＭＰＥＧ２オーディオＥＳはＭＰＥＧ２オーディオデコーダ３８へ、ＰＳはデータ処理部３９へそれぞれ送られる。【０１０９】
ＭＰＥＧ２ビデオデコーダ３７、ＭＰＥＧ２オーディオデコーダ３８、データ処理部３９では、それぞれ供給されたＭＰＥＧ２ビデオＥＳ、ＭＰＥＧ２オーディオＥＳ、ＰＳを各々適切に処理し、これらＭＰＥＧ２ビデオデコーダ３７、ＭＰＥＧ２オーディオデコーダ３８、データ処理部３９での処理にて得られた信号が、ビデオ出力インターフェース、オーディオ出力インターフェース、データ出力インターフェース（図示せず）から外部へ出力される。【０１１０】
ＣＰＵ３５は、メモリ３６を利用しながら、フロントエンド３２、ＭＰＥＧ２ビデオデコーダ３７、ＭＰＥＧ２オーディオデコーダ３８、およびデータ処理部３９の動作を制御する。また、ＣＰＵ３５は、上記ＰＳＩに基づいて選局動作を行う。すなわち、ＣＰＵ３５は、ＰＳＩ中のＮＩＴにより得られた物理チャンネル周波数、変調方式等をフロントエンド３２に設定し、またＰＳＩ中のＰＭＴにより得られたＥＳあるいはＰＳのＰＩＤをデマルチプレクサ３４に設定し、ＥＳあるいはＰＳをＭＰＥＧ２ビデオデコーダ３７、ＭＰＥＧ２オーディオデコーダ３８、データ処理部３９の各処理装置へ割り当てることにより選局を行う。【０１１１】
次に、本実施形態の処理で用いられるデータについて説明する。図５は、本実施形態で用いられるＮＩＴのデータ構造の一例である。ＮＩＴは、上述したＳＩの一つであり、送信するネットワーク（伝送路）に関するテーブルである。図５において、ＮＩＴ５０は、ヘッダ情報５１とネットワーク情報５２とＴＳ情報５３等との集合から成る。【０１１２】
ヘッダ情報５１には、当該ＮＩＴ５０自体に関する情報が含まれる。例えば、テーブル識別子やバーション情報等の情報が含まれる。【０１１３】
ネットワーク情報５２には、ネットワークに関する情報が含まれる。例えば、ネットワーク名、ネットワークＩＤ等の情報が含まれる。ここで、ネットワークＩＤとは、当該ネットワークの種別を識別するためのＩＤである。例えば、地上波デジタル放送、ＢＳデジタル放送、１１０度ＣＳデジタル放送を識別する為のＩＤである。そのため、例えば、ＢＳデジタル放送の各物理チャンネル内で送られているネットワークＩＤは全て、同一のＩＤが割り振られることになる。【０１１４】
ＴＳ情報５３は、当該伝送路の放送全体において送信される全てのＴＳについての情報である。そのため、複数のＴＳ（一般的に、ＴＳの数は放送を行っている放送事業者の数となる）について、各ＴＳ毎（図５のＴＳ００１，ＴＳ００２，ＴＳ００３・・・）に各種情報が定義されている。各ＴＳ情報５３は、ＴＳ−ＩＤ５３１、衛星分配システム情報５３３と、サービスリスト情報５３４と、Ｃｈ結合情報５３５とで構成されている。【０１１５】
ＴＳ−ＩＤ５３１は、各ＴＳを識別するためのＩＤである。【０１１６】
衛星分配システム情報５３３には、物理チャンネルの周波数や、変調方式、誤り訂正方式等についての情報が含まれる。ここで、本実施形態では、上述のように１つの原ＴＳを２つの物理チャンネルに分けて送信するため、当該物理チャンネルの周波数としては、いずれか一方の物理チャンネルの周波数が含まれる。以下、衛星分配システム情報５３３に記載される物理チャンネルのことをメインチャンネルと呼び、他方の物理チャンネルのことをサブチャンネルと呼ぶ。【０１１７】
サービスリスト情報５３４は、ＴＳに含まれる各プログラムを示す情報である。図６は、サービスリスト情報５３４のデータ構造の一例を示す図である。サービスリスト情報５３４は、ＳＩＤ（Ｓｅｒｖｉｃｅ  Ｉｄｅｎｔｉｆｉｅｒ）５３４１、サービス形式５３４２等から構成される。ＳＩＤ５３４１は、ＴＳに含まれている各プログラム（番組）を識別するための情報である。サービス形式５３４２は、当該プログラムの形式（例えば、ＴＶ、音声、データ）を示すための情報である。【０１１８】
図５に戻り、Ｃｈ結合情報５３５は、上記分割ＴＳを結合して原ＴＳにするために用いられる情報である。図７は、Ｃｈ結合情報５３５のデータ構造の一例を示した図である。Ｃｈ結合情報５３５は、結合フラグ５３５１、サブチャンネル周波数５３５２、変調方式５３５３、誤り訂正方式５３５４等で構成される。【０１１９】
結合フラグ５３５１は、当該ＴＳが、ＴＳの結合を行う必要があるか否か、換言すれば、分割ＴＳであるか否かを示すためのフラグである。オンに設定されているときは、分割ＴＳであることを示す。オフに設定されているときは、分割ＴＳでないこと、つまり、ＴＳの結合を行う必要はないことを示す。【０１２０】
サブチャンネル周波数５３５２は、上記サブチャンネルの周波数を示す。つまり、原ＴＳが２つの物理チャンネルに分けて送信される場合、上記衛星分配システム情報５３３にメインチャンネルの周波数が設定され、当該Ｃｈ結合情報５３５にサブチャンネルの周波数が設定されることになる。【０１２１】
変調方式５３５３は、サブチャンネルで送られてくる分割ＴＳの変調方式を示す。誤り訂正方式５３５４は、サブチャンネルで送られてくる分割ＴＳの誤り訂正方式を示す。【０１２２】
Ｃｈ結合関連情報５３５５には、分割ＴＳを結合して原ＴＳにするために必要な情報、例えば、ＴＳの分割ルール（メインチャンネル及びサブチャンネルへ分割する順序や、メインチャンネル及びサブチャンネルへの分割パケット数、等）を示す情報が含まれる。なお、ＴＳ分割のルールが一意に決まっている場合や、ＴＳ自体に分割ルールを載せない場合には、Ｃｈ関連情報５３５にＣｈ結合関連情報５３５５を含める必要はない。【０１２３】
次に、受信装置３０のメモリ３６に格納される選局テーブルについて説明する。選局テーブルとは、上記ＮＩＴ、ＰＡＴ、及びＰＭＴ等に基づいて生成されるテーブルであり、受信装置３０において選局処理を行うために用いられる情報である。本実施形態では、例えば、受信装置３０の初期設定時にある特定の物理チャンネルで伝送されるＴＳを受信することにより取得する上記ＮＩＴ、及び通常選局時に希望チャンネルを伝送するＴＳを受信することにより取得するＰＭＴやＰＡＴに基づいて生成され、受信装置３０のメモリ３６に記憶される。選局テーブルは、いわば、受信装置３０のリモコンのチャンネルボタンと各放送局の放送データとの対応づけを定義したテーブルである。【０１２４】
図８は、選局テーブル６０のデータ構造の一例である。選局テーブル６０は、ＳＩＤ６１と、ＴＳ−ＩＤ６２と、Ｃｈ結合フラグ６３と、Ｃｈ結合関連情報６４と、トランスポンダ周波数６５と、ＰＭＩ−ＰＩＤ６６と、ＥＳ−ＰＩＤ６７との集合から構成されている。【０１２５】
ＳＩＤ６１は、ＴＳに含まれている各プログラム（番組）を識別するための情報であり、上記ＮＩＴ５０のサービスリスト情報５３４に含まれるＳＩＤ５３４１がコピーされたものである。【０１２６】
ＴＳ−ＩＤ６２は、各ＴＳを識別するためのＩＤであり、上記ＮＩＴ５０のＴＳ情報５３に含まれるＴＳ−ＩＤ５３１がコピーされたものである。【０１２７】
Ｃｈ結合フラグ６３は、ＴＳの結合を行う必要があるか否かを示すフラグであり、上記Ｃｈ結合情報５３５の結合フラグ５３５１がコピーされたものである。【０１２８】
Ｃｈ結合関連情報６４は、分割ＴＳを結合して原ＴＳにするために必要な情報であり、上記Ｃｈ結合関連情報５３５５がコピーされたものである。【０１２９】
トランスポンダ周波数６５は、ＴＳ−ＩＤ６２で示されるＴＳを受信するための周波数を示す。上記ＮＩＴ５０の衛星分配システム情報５３３に含まれるメインチャンネルの周波数の情報がコピーされたものである。また、Ｃｈ結合フラグ６３がオンに設定される場合は、更に、上記サブチャンネル周波数５３５２もコピーされることになる。【０１３０】
ＰＭＴ−ＰＩＤ６６は、上記ＳＩＤ６１で示されるプログラムのＰＭＴを識別するためのＩＤである。通常選局時に希望チャンネルを伝送するＴＳ受信において、ＰＡＴからコピーされる。【０１３１】
ＥＳ−ＰＩＤ６７は、上記ＳＩＤ６１で示されるプログラムのＥＳを識別するためのＩＤである。通常選局時に希望チャンネルを伝送するＴＳ受信において、ＰＭＴからコピーされる。【０１３２】
次に、本実施形態に係るデジタル放送の送受信処理の詳細を説明する。まず、上記送信装置１０における信号処理の詳細を説明する。図９は、送信装置１０における信号処理の詳細を示すフローチャートである。まず、ステップＳ１において、符号化処理が行われる。このステップＳ１の処理をより具体的に説明すると、ＣＰＵ１８は、映像符号化部１１に、入力されてきたビデオ信号を圧縮符号化させ、ビデオＥＳを生成させる。また、音声符号化部１２に、入力されてきたオーディオ信号を圧縮符号化させ、オーディオＥＳを生成させる。また、データ符号化部１３に、入力されてきたデータ信号を圧縮符号化させ、ＰＳを生成させる。そして、ＣＰＵ１８は、各符号化部に、それぞれ符号化した信号をマルチプレクサ１４に出力させる。【０１３３】
次に、ステップＳ２において、ＴＳ生成処理が行われる。このステップＳ２の処理をより具体的に説明すると、ＣＰＵ１８は、マルチプレクサ１４に、各符号化部から入力された信号をパケット化してＰＥＳ（Ｐａｃｋｅｔｉｚｅｄ  Ｅｌｅｍｅｎｔａｒｙ  Ｓｔｒｅａｍｓ）を生成させる。更に、マルチプレクサ１４に、当該ＰＥＳを分解してＴＳパケットを生成させる。また、このとき、ＣＰＵ１８は、図５を用いて上述したようなＮＩＴ５０を生成する。上述のようにＮＩＴ５０には、Ｃｈ結合情報５３５が含まれるため、Ｃｈ結合情報５３５もこのときに生成される。具体的には、Ｃｈ結合情報５３５の基礎となる情報、例えばサブチャンネルの周波数やＴＳの分割・結合の方式（ルール）を示す情報が放送事業者による入力操作等に基づいて設定され、メモリ１９に予め格納される。その他、ＮＩＴ５０を生成するために必要な各種情報もメモリ１９に予め格納される。そして、ＣＰＵ１８は、メモリ１９からこれらの情報を読み出すことで、Ｃｈ結合情報５３５が格納されたＮＩＴ５０を生成する。また、ＣＰＵ１８は、ＮＩＴ５０の他、上記ＰＭＴ、ＰＡＴ等の他のセクションデータを適宜生成し、マルチプレクサ１４に出力する。そして、マルチプレクサ１４に当該セクションデータをＴＳパケット化させる。更に、ＣＰＵ１８は、マルチプレクサ１４に、これらのＴＳパケットを多重化させることで、原ＴＳを生成させる。そして、ＣＰＵ１８は、マルチプレクサ１４から分割部１５へ原ＴＳを出力させる。【０１３４】
次に、ステップＳ３において、ＣＰＵ１８は、原ＴＳに含まれるＮＩＴ５０を参照し、結合フラグ５３５１がオンであるか否かを判定する。その結果、結合フラグ５３５１がオフと判定したときは（ステップＳ３でＮＯ）、ＣＰＵ１８は、分割部１５に原ＴＳをそのまま誤り訂正・変調部１６へ出力させて、処理を後述のステップＳ５へ進める。【０１３５】
一方、ステップＳ３の判定の結果、結合フラグ５３５１がオンである判定したときは（ステップＳ３でＹＥＳ）、ステップＳ４において、ＴＳ分割処理が実行される。すなわち、ＣＰＵ１８は、分割部１５に、原ＴＳを２つの分割ＴＳに分割させる。また、この際、ＣＰＵ１８は、分割部１５に、分割ルールを示す情報等、受信装置３０において分割ＴＳの結合を行う際に必要な情報であるＣｈ結合関連情報５３５５を適宜生成させて、Ｃｈ結合情報５３５に書き込ませる。そして、ＣＰＵ１８は、一方の分割ＴＳを誤り訂正・変調部１６ａに出力させ、他方の分割ＴＳを誤り訂正・変調部１６ｂに出力させる。なお、分割ＴＳへの分割の方法については、上記原ＴＳの分割および受信装置側での結合ができれば、どのような処理方法を用いても良い。また、ＴＳ分割のルールが一意に決まっている場合や、ＴＳ自体に分割ルールを載せない場合では、Ｃｈ結合関連情報５３５５を生成は不要となる。【０１３６】
次に、ステップＳ５において、変調処理が実行される。すなわち、ＣＰＵ１８は、受信装置３０において行われる誤り訂正処理のために、誤り訂正・変調部１６に、入力されたそれぞれの分割ＴＳ（ステップＳ３の判定で分割が行われない場合は、原ＴＳ）の各パケットに対して所定の誤り訂正符号を付加させる。そして、ＣＰＵ１８は、誤り訂正・変調部１６に、誤り訂正符号が付加されたＴＳを所定の方式で変調させる。【０１３７】
次に、ステップＳ６において、送信処理が実行される。すなわち、ＣＰＵ１８は、各送信部１７に、誤り訂正・変調部１６で変調された分割ＴＳを放送波として出力させる。その結果、別々の物理チャンネルで分割ＴＳが送信されることになる。以上で、送信装置１０における信号処理が終了する。【０１３８】
次に、受信装置３０の選局処理の詳細について説明する。まず、受信装置３０では、図８で示したような選局テーブル６０が生成される。例えば、ユーザが受信装置３０を購入した後、受信装置の設置時の初期設定処理においてある特定の物理チャンネルで伝送されるＴＳを受信することと、通常選局により、上述した選局テーブル６０が生成される。具体的には、初期設定処理において、ＣＰＵ３５は、ある特定の物理チャンネルで伝送されるＴＳを受信することにより、ＮＩＴ５０を取得する。次に、ＮＩＴ５０の衛星分配システム情報５３３、サービスリスト情報５３４、及びＣＨ結合情報５３５により、各プログラム毎（つまり各ＳＩＤ毎）の、ＴＳ−ＩＤ、ＣＨ結合フラグ、ＣＨ結合関連情報、トランスポンダー周波数の情報を取得し、当該選局テーブル６０のうち、ＳＩＤ６１、ＴＳ−ＩＤ６２、ＣＨ結合フラグ６３、ＣＨ結合関連情報６４、トランスポンダー周波数６５のテーブルが生成される。以下に説明する処理は、当該選局テーブル６０のうち、ＳＩＤ６１からトランスポンダー周波数６５までのテーブルが生成されていること（つまり、受信装置３０の初期設定が終わっていること）を前提とする処理となる。【０１３９】
図１０は、受信装置３０における選局処理の詳細を示すフローチャートである。まず、ステップＳ１１において、ＣＰＵ３５は、ユーザの操作等に基づいて、ＳＩＤの決定を行う。続いて、ステップＳ１２において、ＣＰＵ３５は、上記初期設定で生成された選局テーブル６０にアクセスする。【０１４０】
次に、ステップＳ１３において、ＣＰＵ３５は、選局テーブル６０のＳＩＤ６１の中に、ステップＳ１１で決定されたＳＩＤが存在するか否かを判定する。当該判定の結果、当該ＳＩＤがないと判定したときは（ステップＳ１３でＮＯ）、選局不可能であることを示すため、ステップＳ２６において、ＣＰＵ３５は、選局できない旨のメッセージを画面に表示させて、選局処理を終了する。【０１４１】
一方、ステップＳ１３の判定の結果、ＳＩＤがあると判定したときは（ステップＳ１３でＹＥＳ）、ステップＳ１４において、ＣＰＵ３５は、Ｃｈ結合フラグ６３がオンか否かを判定する。その結果、オンであれば（ステップＳ１４でＹＥＳ）、ＣＰＵ３５は、２つの物理チャンネルを選局し、それぞれの放送波を復調するための処理を行う。すなわち、ＣＰＵ３５は、上記選局テーブル６０のトランスポンダ周波数６５を参照し、受信すべき複数の周波数、本実施形態では２つの周波数の情報を取得する。図８の例を用いると、例えば上記ステップＳ１１で決定されたＳＩＤが”１００”であるとすると、”１１．７２７４８ＧＨｚ”と”１１．８０４２０ＧＨｚ”という２つの周波数の情報を取得する。そして、ＣＰＵ３５は、一方の周波数（”１１．７２７４８ＧＨｚ”）をフロントエンド３２ａにチューニングさせ、放送波を受信させる。また、他方の周波数（”１１．８０４２０ＧＨｚ”）をフロントエンド３２ｂにチューニングさせ、放送波を受信させる。そして、各フロントエンド３２に、それぞれ受信した放送波を復調させる。【０１４２】
次に、ステップＳ１６において、ＣＰＵ３５は、各フロントエンド３２において放送波の復調ができたか否か判定する。これは、例えば降雨減衰などで受信状況が良くない場合に、復調に時間がかかるような場合を想定したものである。そのため、ステップＳ１６の判定の結果、復調できないと判定されたときは（ステップＳ１６でＮＯ）、復調できるまでステップＳ１６の判定を繰り返す。なお、ここで、所定の回数だけ判定を繰り返しても、復調ができないと判定されるときは、上記ステップＳ２６と同様に選局不可能のメッセージを表示するようにしても良い。【０１４３】
一方、ステップＳ１６の判定の結果、復調ができたと判定されたときは（ステップＳ１６でＹＥＳ）、ステップＳ１７において、ＣＰＵ３５は、分割ＴＳを結合するための処理を実行する。すなわち、ＣＰＵ３５は、上記選局テーブル６０からＣｈ結合関連情報６４を取得する。そして、結合部３３に各フロントエンド３２から出力された分割ＴＳを、当該Ｃｈ結合関連情報６４に基づいて結合させる。そして、ＣＰＵ３５は、結合部３３からデマルチプレクサ３４へ、当該結合した原ＴＳを出力させる。なお、ＴＳ分割のルールが一意に決まっている場合は、Ｃｈ結合関連情報６４の取得は不要となる。【０１４４】
一方、上記ステップＳ１４の判定の結果、Ｃｈ結合フラグ６３がオンではないと判定したときは、ステップＳ１８において、ＣＰＵ３５は、従来と同様の選局処理、すなわち、１つの物理チャンネルを選局して、受信した放送波を復調するための処理を行う。具体的には、ＣＰＵ３５は、上記選局テーブル６０のトランスポンダ周波数６５を参照し、受信すべき周波数を取得する。図８の例を用いると、例えば上記ステップＳ１１で決定されたＳＩＤが”１０１”であるとすると、”１１．７６５８４ＧＨｚ”という１つの周波数の情報を取得する。そして、ＣＰＵ３５は、当該周波数（”１１．７６５８４ＧＨｚ”）をフロントエンド３２ａにチューニングさせ、放送波を受信させる。そして、フロントエンド３２ａに、受信した放送波を復調させる。【０１４５】
続くステップＳ１９において、上記ステップＳ１６と同様に、ＣＰＵ３５は、復調できたか否かの判定を行い、復調できないと判定したときは（ステップＳ１９でＮＯ）、復調できるまで当該判定処理を繰り返す。復調できたと判定したときは（ステップＳ１９でＹＥＳ）、処理をステップＳ２０へと進める。なお、ここで、所定の回数だけ判定を繰り返しても、復調ができないと判定されるときは、上記ステップＳ２６と同様に選局不可能のメッセージを表示するようにしても良い。【０１４６】
次に、ステップＳ２０において、結合部３３から出力されるＴＳを取得するための処理が実行される。すなわち、ＣＰＵ３５は、デマルチプレクサ３４に、結合部３３からの原ＴＳを取得させる。【０１４７】
次に、ステップＳ２１において、ＣＰＵ３５は、デマルチプレクサ３４に原ＴＳからＰＡＴを取得させる。続くステップＳ２２において、ＣＰＵ３５は、上記ステップＳ１１で決定されたＳＩＤが放送中であるか否かを判定し、放送中ではないと判定したときは（ステップＳ２２でＮＯ）、上記ステップＳ２６の処理を行う。一方、放送中であると判定したときは（ステップＳ２２でＹＥＳ）、ステップＳ２３において、ＣＰＵ３５は、ＰＡＴに記述されている当該ＳＩＤに対応するＰＭＴ ＰＩＤに基づいて、デマルチプレクサ３４に上記ＴＳからＰＭＴを取得させる。そして、続くステップＳ２４において、ＣＰＵ３５は、当該ＰＭＴに記述されているＰＩＤを用いてデマルチプレクサ３４にＥＳ、またはＰＳを分離させ、それらをビデオデコーダ３７、オーディオデコーダ３８、データ処理部３９の各処理部へ割り当てることにより選局を行う。これにより、ステップＳ２５において、選局が完了する。以上で、受信装置３０にかかる選局処理が終了する。【０１４８】
このように、本実施形態では、１つのＴＳでは伝送できないような情報量の大きな映像・音声・データ信号（１つのテレビ番組）を、２つの物理チャンネル（２つのＴＳ）に分けて伝送している。そして、受信装置において、２つのチューナー（フロントエンド）を使って当該２つの物理チャンネルで受信し、２つに分けられたＴＳを結合している。これにより、上記のような情報量が大きな映像・音声・データ信号を含むテレビ番組を受信して視聴することが可能となる。【０１４９】
なお、本説明では説明の簡略化のため、物理チャンネルが２つの場合を例として説明したが、受信装置側において、対応する数のチューナーを搭載しさえすれば、３つ以上の物理チャンネルを用いてもよい。【０１５０】
また、上述した第１の実施形態では、１つのＴＳでは伝送できないような情報量の大きな番組を２つの物理チャンネルを用いて伝送していた。これに限らず、更に、当該番組とその番組内容は同じであって、映像の低画質化等を図ることで情報量を減らした番組（ＴＳ）を３つめの物理チャンネルを用いて並行して伝送するようにしてもよい。図１１は、３つめの物理チャンネルを用いる場合の伝送の概要を説明するための図である。図１１では、上記図２で示したような２つの物理チャンネルで１つのＴＳを伝送する伝送路に加えて、３つめの物理チャンネルで１つのＴＳ２００を伝送している。当該ＴＳ２００は、上記ＴＳ１００と番組内容としては同じ内容ではあるが、その映像や音声の質、例えばビットレート等を低下させることで、１つの物理チャンネルで伝送できる程度の情報量となるように調整（符号化）したものである。【０１５１】
このように、番組内容は同じであって、情報量を軽減させたＴＳを別の物理チャンネルで伝送するのは、次のような場合を想定したものである。すなわち、放送される番組が全て、２つの物理チャンネルを用いるような情報量のものとなったような場合を想定する。この場合、上述したようなチャンネルの結合機能を有していない受信装置（例えば、シングルチューナの受信装置等。以下、結合機能非対応機と呼ぶ）では、放送される番組を一切視聴する事ができなくなる。そこで、図１１に示したように、１つの物理チャンネルで伝送可能な情報量にまで映像や音声の質を軽減させたＴＳを並行して放送するようにする。これにより、映像や音声の品質は劣ることになるが、結合機能非対応機でも番組内容自体は視聴可能とし、全く番組が視聴できないということを防ぐことを図ったものである。【０１５２】
図１１に示した伝送の形態においては、受信装置側では、所定の放送局を選局した場合、デフォルトではＴＳ２００が送信される物理チャンネルが選局されるような構成にする。例えば、ＮＩＴ等に、所定の放送局の（デフォルトの）チャンネルは物理チャンネル３である旨を定義しておく。更に、当該ＮＩＴには、同一の番組内容が、別の物理チャンネル（図１１の例では物理チャンネル１と２）で分割されて伝送されていることを示す旨の情報（以下、並行放送情報と呼ぶ）を含めておく。例えば、上記図７に示したＣｈ結合情報５３５に、メインチャンネルの周波数を示す情報を加えたものを並行放送情報として当該ＮＩＴに含めて伝送するようにする。【０１５３】
このような構成で伝送を行うことで、結合機能非対応機では、所定の選局操作を行うことで、図１１の例で言うと物理チャンネル３が選局され、ＴＳ２００が取得されて番組が再生される（換言すると、結合機能非対応機では、上記ＮＩＴに含まれる並行放送情報を読み取る機能がないため、物理チャンネル３を選局することしかできない）。一方、Ｃｈ結合機能を有する受信装置（以下、結合機能対応機と呼ぶ）では、所定の選局操作で、一旦、物理チャンネル３が選局されるが、その後、ＮＩＴを参照して、上記のような並行放送情報の有無を判定する。そして分割ＴＳが伝送されている場合は、上述したような処理で分割ＴＳの伝送にかかる物理チャンネル（図１１の例では物理チャンネル１および２）を選局し、上述したような処理でＴＳの結合等を行ってから番組の再生を行う。これにより、結合機能非対応機であっても結合機能対応機であっても、番組そのものは視聴できる。すなわち、結合機能非対応機において、全く番組が視聴できなくことを防ぐ事が出き、また、結合機能対応機では、同一内容の番組であって、より高画質、高音質の番組の視聴が可能となる。【０１５４】
次に、図１１に示したような伝送形態における送信装置の構成について、図１２を用いて説明する。図１２に示す送信装置７０は、上述した第１の実施形態で図３を用いて説明した送信装置１０の機能構成に、映像符号化部７１と、音声符号化部７２と、データ符号化部７３と、マルチプレクサ７４と、誤り訂正・変調部７６と、送信部７７を加えたものに相当し、他の構成部は、図３に示したものと同様である。これらの新たに加えられた構成部の基本的な機能は、上述した映像符号化部１１、音声符号化部１２、データ符号化部１３、マルチプレクサ１４、誤り訂正・変調部１６ａ、送信部１７ａと同様である。つまり、ＴＳを分割して複数の物理チャンネルに振りわけるという機能が省かれた構成となっている。そのため、図１２において、映像符号化部７１、音声符号化部１２は、アナログのビデオ信号、オーディオ信号をデジタル信号に変換するが、上記のように、ＴＳの情報量を１つの物理チャンネルで伝送できる程度の情報量に抑えるために、映像符号化部１１や音声符号化部１２よりも画質や音質を低下等させて、デジタル信号への変換を行う。【０１５５】
また、図１２において、マルチプレクサ７４は、映像符号化部７１と、音声符号化部７２と、データ符号化部７３から出力される信号を多重化することで、ＴＳ２００を生成する。このとき、マルチプレクサ７４は、上記マルチプレクサ１４と同様に適宜ＮＩＴ等のＰＳＩを生成してＴＳ２００に含めるが、この際、上述したような並行放送情報をＮＩＴに付加する。【０１５６】
このように、送信装置７０では、高画質、高音質であり情報量が多いＴＳを分割し、複数の物理チャンネルに振り分けて伝送するのと並行して、同内容の番組であって、画質や音質等を劣化させることで情報量を軽減させたＴＳを１つの物理チャンネルで伝送する。【０１５７】
次に、図１１に示したような伝送形態における受信装置の構成について説明する。ここでの受信装置は、上述したような結合機能非対応機と結合機能対応機の２種類が存在するが、このうち、結合機能非対応機については、従来から存在するデジタル放送受信装置を想定するものであり、その主要なハードウェア構成や制御手法等については当業者には既知であるため、詳しい説明は省略する。【０１５８】
図１３は、結合機能対応機８０の構成の一例を示す機能ブロック図である。図１３に示す結合機能対応機８０は、上述した第１の実施形態で図４を用いて説明した受信装置３０の機能構成に判別部８１を加えたものに相当し、他の構成部は、第１の実施形態と同様である。従って、判別部８１以外の構成部については同一の参照符号を付して詳細な説明を省略する。【０１５９】
判別部８１は、受信アンテナ３１にて受信された放送波に復調、エラー訂正等の処理を行い、ＮＩＴを抽出する。そして、上記並行放送情報の有無を判別し、その結果を示す信号をＣＰＵ３５に出力する。ＣＰＵ３５は、この信号に応じて、分割ＴＳが伝送されている物理チャンネルを選局する処理を実行する。【０１６０】
次に、図１３で示した結合機能対応機８０の選局処理について説明する。図１４は、結合機能対応機８０における選局処理を示すフローチャートである。ここでは、上記図１１で示したように、１つの番組を構成するＴＳが物理チャンネル１と２に分割して伝送されており、番組内容としては同内容であるが、画質等が低下しているＴＳが物理チャンネル３で伝送されている場合を例にして説明する。まず、ユーザによる所定の選局操作等に基づいて、物理チャンネル３が選局されると、ステップＳ４１において、放送波からＮＩＴが取得され、上記並行放送情報が参照される。そして、物理チャンネル３とは別の物理チャンネルを用いた同一内容番組の伝送が並行して行われているか否かが判別部８１によって判別される。その結果、複数の物理チャンネルでの分割ＴＳの伝送が並行して行われているときは（ステップＳ４１でＹＥＳ）、ステップＳ４２において、分割ＴＳが伝送されている物理チャンネル（ここでは物理チャンネル１および２）を選局し、上述したような分割ＴＳを結合するための、結合Ｃｈ選局処理が実行される。この処理では、例えば、上記図１０を用いて説明したような処理が実行される。一方、複数の物理チャンネルでの分割ＴＳの伝送が並行して行われていないとき（ステップＳ４１でＮＯ）、ステップＳ４３において、物理チャンネル３で伝送されるＴＳに基づいて番組を再生するための単一Ｃｈ選局処理が実行される。当該処理は、従来から存在する一般的なデジタル放送受信装置で行われる処理（典型的には、いわゆるハイビジョン放送を選局、再生する処理）であり、その基本的な制御手法等については当業者には既知であるため、詳しい説明は省略する。以上で、結合機能対応機８０の選局処理は終了する。【０１６１】
このように、同一内容の番組を、高画質・高音質等の情報量の多いＴＳにして複数の物理チャンネルで伝送するのと並行して、情報量を軽減させて単一の物理チャンネルでも伝送するようにすることで、分割ＴＳの結合機能を有していない従来の受信装置であっても、番組が一切視聴できなくなることを防ぐ事が可能となる。【０１６２】
また、結合機能対応機８０の不揮発性メモリ（図示せず）に、自身が上記のような分割ＴＳの結合機能を有することを示す情報（以下、結合可否情報と呼ぶ）を記憶しておくように構成してもよい。そして、ＣＰＵ３６が当該結合可否情報を参照し、当該情報に基づいて選局処理を切替えるようにしてもよい。図１５は、当該結合可否情報に基づく選局処理を示すフローチャートである。図１５において、まず、ステップＳ５１において、上記不揮発性メモリに格納されている結合可否情報が参照される。そして、自身が分割ＴＳを結合する機能を有するか否かが判定される（あるいは、当該結合可否情報自体が存在するか否かが判定されるようにしても良い）。結合可否情報は、例えば１ビットのデータであり、“０”であれば、分割ＴＳを結合する機能を有していないことを示し、“１”であれば分割ＴＳを結合する機能を有していることを示すと定義しておく。そして、自身がチャンネルの結合機能を有すると判定されたときは（ステップＳ５１でＹＥＳ）、上記ステップＳ４２と同様の結合Ｃｈ選局処理が実行され、自身がチャンネルの結合機能を有しないと判定したときは（ステップＳ５１でＮＯ）、上記ステップＳ４３と同様の単一Ｃｈ選局処理が実行される。【０１６３】
また、結合機能非対応機については、図１５に示したような処理を実行するプログラムや、結合可否情報を、例えばファームウエアのバージョンアップ等の手段で提供するようにすればよい（あるいは、新規出荷分の結合機能非対応機に関しては、当初から実装するようにしてもよい）。そして、結合機能非対応機で図１５に示したような処理が実行されるよう構成し、結果的に結合機能非対応機では単一Ｃｈ選局処理が実行されるようにすればよい。これにより、図１１を例にすると、結合機能非対応機では物理チャンネル３が選局されてＴＳ２００に基づく番組が再生され、結合機能対応機では物理チャンネル１および２が選局され、分割ＴＳの結合等が行われて、より高画質、高音質の番組であるＴＳ１００に基づく番組が再生される。【０１６４】
(第２の実施形態)
次に、本発明の第２の実施形態について説明する。まず、第２の実施形態の詳細を説明するに先立ち、第２の実施形態、および、その後に説明する第３〜第６の実施形態で共通して想定しているデジタル放送システムにおける伝送の概要について説明する。第２の実施形態では、いわゆるハイビジョン規格の動画像コンテンツと、いわゆるスーパーハイビジョン規格の動画像コンテンツとを混在して放送するデジタル放送システムを想定している。例えば、あるチャンネルにおいて、午後８：００〜午後９：００まではハイビジョン規格の動画像コンテンツを放送し、午後９：００〜午後１１：００まではスーパーハイビジョン規格の動画像コンテンツを放送するような場合を想定している。ここで、ハイビジョン規格で構成された番組については、その情報量は１つの物理チャンネルで伝送可能な情報量であるものとする。一方、スーパーハイビジョン規格で構成された番組については、１つの物理チャンネルだけでは伝送できない情報量を有するものとする。そのため、ハイビジョン規格で構成されている番組を放送する場合は、１つの物理チャンネルで１つの番組を伝送するが、スーパーハイビジョン規格で構成された番組については、図１９に示すように、その放送データ（トランスポートストリーム）２１０１を２つに分割し、２つの物理チャンネル２１１１および２１１２で伝送する。以下、このような１つの番組を２つの物理チャンネルを用いて伝送する（つまり、２つの物理チャンネルを束ねて１本の伝送路として使う）ことをバルク伝送と呼ぶ。また、当該バルク伝送によって伝送される、上記スーパーハイビジョン規格で構成された番組をバルク番組と呼び、１つの物理チャンネルで伝送可能なハイビジョン規格で構成されている番組を非バルク番組と呼ぶ。そのため、上記の時間帯を例に取ると、例えば、午後８：００〜午後９：００までは、物理チャンネル１と物理チャンネル２（以下、単にＣｈ１、Ｃｈ２・・のように呼ぶ）とではそれぞれ異なる内容の非バルク番組が表示されることになり、午後９：００〜午後１１：００までは、両チャンネルとも同じ内容のバルク番組が表示されていることになる。つまり、いずれのチャンネルを選局しても、同じ番組が画面に表示される。【０１６５】
ここで、本実施形態では、上記バルク番組をバルク伝送する際に、伝送に用いられる２つの物理チャンネルのうち、一方のチャンネルについて階層伝送を行うようにしている。具体的には、送信側で、上記バルク番組と同内容のコンテンツをハイビジョン規格で生成する（以下、当該ハイビジョン規格のコンテンツを低階層番組と呼ぶ）。つまり、バルク番組と低階層番組とは、ハイビジョン規格で作成されたかスーパーハイビジョン規格で作成されたかの違いがあるだけで、その番組内容（放送される内容）は同じものである。そして、本実施形態では、変調方式として、バルク番組に関しては、３２ＡＰＳＫ（Amplitude Phase Shift Keying）を用い、当該低階層番組についてはＱＰＳＫ（quadrature phase shift keying））を用いて変調する。低階層番組（ハイビジョン規格）は、バルク番組のものよりは情報量が少ないため、伝送するためのネットワーク帯域も少なくて済む。そして、本実施形態では、図１に示すように、バルク伝送を行うチャンネルのうち一方のチャンネルについてはバルク番組１０１ａと低階層番組１０２との階層伝送を行っている。なお、上記非バルク番組や低階層番組の映像規格については、ハイビジョン映像に限らずＳＤ（Standard Definition）映像であってもよい。【０１６６】
図２０は、上記のような放送を行うための送信側の設備（送信装置）の一例を示す機能ブロック図である。図２０に示す送信装置は、ＳＨＶ符号化部１１と低階層符号化部２０１２と合成部２０１３と、分配部２０１４と、ＨＶ符号化部２０１５ａおよび２０１５ｂと、切替スイッチ部２０１６ａおよび２０１６ｂと、変調部２０１７ａおよび２０１７ｂと、送信アンテナ２０１８とで構成されている。【０１６７】
図２０において、まず、スーパーハイビジョン映像の番組が送信される場合について説明する。この場合、切替スイッチ部２０１６ａおよび２０１６ｂのスイッチは、変調部２０１７ａおよび２０１７ｂが分配部２０１４と接続されるように設定される。このようにスイッチが設定された状態で、スーパーハイビジョン映像の番組がＳＨＶ符号化部２０１１に出力され、所定の符号化形式で符号化（エンコード）されて上記バルク番組として合成部２０１３に出力される。また、当該スーパーハイビジョン映像の番組は、低階層符号化部２０１２にも出力され、所定の符号化形式で符号化され（ここでは、ハイビジョン規格相当の画質になるよう符号化されるものとする）、上記低階層番組２１０２として合成部２０１３に出力される。合成部２０１３では、バルク番組と低階層番組を多重化したトランスポートストリームを生成し、分配部２０１４に出力する。分配部２０１４では、当該トランスポートストリームを所定の規則に基づいて切替スイッチ部２０１６ａおよび２０１６ｂという２つの出力先に分配する（このとき、低階層番組にかかるデータは切替スイッチ部２０１６ａおよび２０１６ｂのいずれか一方の経路にのみ出力される）。出力されたデータは、それぞれ変調部２０１７ａおよび２０１７ｂに入力され、所定の方式で放送信号に変調される。そして、それぞれ異なる物理チャンネルを用いて、送信アンテナ２０１８から出力される。その結果、図１を例に取ると、一方の物理チャンネルでは上記低階層番組２１０２と上記分割されたスーパーハイビジョン番組（バルク番組）２１０１ａが階層伝送され、他方の物理チャンネルでは、上記分割された残りの分のスーパーハイビジョン番組２１０１ｂのみが伝送されることになる。【０１６８】
次に、上記非バルク番組を送信する場合を説明する。この場合は、それそれ異なる内容の２つの非バルク番組が異なるチャンネルでそれぞれ送信される。切替スイッチ部２０１６ａおよび２０１６ｂについては、変調部２０１７ａがＨＶ符号化部２０１５ａと接続され、変調部２０１７ｂがＨＶ符号化部２０１５ｂと接続されるように切替えられる。そして、ハイビジョン映像の番組であるハイビジョン番組ＡがＨＶ符号化部２０１５ａに入力され、所定の符号化形式で符号化される。また、ハイビジョン番組Ａとは異なる内容であるハイビジョン番組ＢがＨＶ符号化部２０１６ｂに入力され、所定の符号化形式で符号化される。そして、符号化されたハイビジョン番組ＡがＨＶ符号化部２０１５ａから変調部２０１７ａへと出力され、放送信号に変調される。同様に、符号化されたハイビジョン番組ＢがＨＶ符号化部２０１５ｂから変調部２０１７ｂへと出力され、放送信号に変調される。そして、それぞれ異なるチャンネルを使って送信アンテナ２０１８から送信される。このように、本実施形態では、バルク番組と非バルク番組の出力を適宜切替ながらデジタル放送を行っている。【０１６９】
ここで、上記バルク伝送に関して、受信装置側（２つの物理チャンネルを同時に受信する必要があるため、少なくとも２つのチューナを備えている）においては、バルク番組を再生するための情報、例えば、どの物理チャンネルとどの物理チャンネルの組み合わせでバルク番組が構成されるか等の情報（以下、バルク関連情報と呼ぶ）が必要となる。本実施形態では、当該バルク関連情報を、いわゆるＴＭＣＣ（Transmission and Multiplexing Configuration Control）信号（伝送パラメータ等を含む信号）に載せて送信するものとする。受信装置側では、いずれか１つのチューナで選局・受信した放送信号からＴＭＣＣ信号を分離し、上記バルク関連情報を得る。そして、当該バルク関連情報に基づいて、これから送信されてくる番組がバルク番組であるか否かや、バルク番組の場合はどのチャンネルとの組み合わせで構成されているか等を判定し、選局・合成等を行う処理が実行されることになる。【０１７０】
図２１は、本実施形態で用いられる上記バルク関連情報の一例を示す図である。バルク関連情報は、物理Ｃｈ番号２１３１と接続フラグ２１３２と接続対象Ｃｈ２１３３と階層伝送Ｃｈ２１３４の集合から構成されている。バルク関連情報には、全ての物理チャンネルについての情報が含まれており、物理Ｃｈ番号２１３１は、物理チャンネルの番号を示す。接続フラグ２１３２は、放送される番組がバルク番組か非バルク番組かを識別するためのフラグである。接続フラグ２１３２がオンに設定されているときは、その物理チャンネルで伝送される番組がバルク番組であることを示す。また、オフに設定されているときは、その物理チャンネルのみを使用して非バルク番組が放送されることを示す。【０１７１】
接続対象Ｃｈ２１３３は、その物理チャンネルで放送される番組がバルク番組である場合に、その物理チャンネルと共に当該バルク番組を構成している物理チャンネル番号を示すためのデータである。図２１の例では、例えばＷチューナ構成の受信装置において、一方のチューナでＣｈ１を選局して図２１のようなバルク関連情報を取得した場合、Ｃｈ１で放送される番組がバルク番組であること、および、当該バルク番組は物理チャンネル１と物理チャンネル２とで構成されることがわかる。そのため、バルク番組を再生するためには、他方のチューナでＣｈ２を選局する必要があることがわかる。【０１７２】
階層伝送Ｃｈ２１３４は、バルク伝送が行われている２つのチャンネルのうち、上記低階層番組が階層伝送されている物理チャンネルを示すためのフラグである。階層伝送Ｃｈ２１３４がオンに設定されている物理チャンネルは、上記低階層番組が階層伝送されている物理チャンネルであることを示す。【０１７３】
このように、本実施形態が想定するデジタル放送システムでは、バルク番組と非バルク番組とを混在して放送し、バルク番組については２つの物理チャンネルを使ってバルク伝送を行っている。以下に説明する各実施形態における受信装置は、上記の様に送信されるデジタル放送を受信するためのものである。【０１７４】
（第２の実施形態）
次に、本発明の第２の実施形態にかかる受信装置について説明する。図２２は、第２の実施形態にかかる受信装置２０３０の一例を示す機能ブロック図である。図２２において、受信装置２０３０は、アンテナ２０３１と、第１のチューナ２０３２と、第２のチューナ２０３３と、第１の復調部２０３４と、第２の復調部２０３５と、第１の主信号誤り訂正復号部２０３６と、第２の主信号誤り訂正復号部２０３７と、第１のＴＭＣＣ復号部２０３８と、第２のＴＭＣＣ復号部２０３９と、ＴＭＣＣ制御部２０４０と、ＴＳ合成・分離部２０４１と、第１のＡＶデコーダ２０４２と、第２のＡＶデコーダ２０４３と、第１のＯＳＤ作成・合成部２０４４と、第２のＯＳＤ作成・合成部２０４５と、第１の表示部２０４６と第２の表示部２０４７と、ＣＰＵ２０４８と、リモコン処理部２０４９と、フラッシュメモリ２０５０と、リモコン２０５１とで構成される。【０１７５】
第１のチューナ２０３２および第２のチューナ２０３３は、ＣＰＵ２０４８からの制御信号に基づいて所定の物理チャンネルを選局し、デジタル放送信号をアンテナ３１を介して受信する。【０１７６】
第１の復調部２０３４は、第１のチューナ２０３２から出力される送信信号をデジタル信号に復調し、第１の主信号誤り訂正復号部２０３６および第１のＴＭＣＣ復号部２０３８に出力する。【０１７７】
第１の主信号誤り訂正復号部２０３６は、第１の復調部２０３４から出力されたデジタル信号に対して誤り訂正復号処理を実行し、トランスポートストリームを得る。そして、当該トランスポートストリームをＴＳ合成・分離部２０４１に出力する。図２３は、第１の主信号誤り訂正復号部２０３６の詳細を示すブロック図である。図２３において、第１の主信号誤り訂正復号部２０３６では、第１の復調部２０３４から出力されたデジタル信号について、デインターリーブ部２３６１でデインタリーブが行われ、内符号誤り復号部２３６２における内符号の復号、エネルギー逆拡散部２３６３におけるエネルギー逆拡散を経て外符号誤り復号部２３６４による外符号の復号が行われ、トランスポートストリームとして出力される。【０１７８】
第１のＴＭＣＣ復号部２０３８は、第１の復調部２０３４から出力されたデジタル信号（ＴＭＣＣ信号）からＴＭＣＣ情報を復号して取得する。そして、当該ＴＭＣＣ情報をＴＭＣＣ制御部２０４０に出力する。【０１７９】
第２の復調部２０３５、第２の主信号誤り訂正復号部２０３７、および、第２のＴＭＣＣ復号部２０３９は、第２のチューナ２０３３から出力される送信信号に対して、上記第１の復調部２０３４、第１の主信号誤り訂正復号部２０３６、第１のＴＭＣＣ復号部２０３８と同様の処理を行う。【０１８０】
ＴＭＣＣ制御部２０４０は、第１のＴＭＣＣ復号部２０３８から出力されるＴＭＣＣ情報（より正確には、ＴＭＣＣ情報から得られる各種伝送パラメータの情報等）に基づいて、第１の復調部２０３４および第１の主信号誤り訂正復号部２０３６を制御する。また、第２のＴＭＣＣ復号部２０３９から出力されるＴＭＣＣ情報に基づいて、第２の復調部２０３５および第２の主信号誤り訂正復号部２０３７を制御する。また、ＴＭＣＣ制御部２０４０は、取得したＴＭＣＣ情報をＣＰＵ２０４８に出力する。【０１８１】
ＴＳ合成・分離部２０４１は、ＣＰＵ２０４８からの制御信号に基づいて、以下のような３種類の処理モードを切り替えて実行する処理モードである。まず、１つめの処理モードとして、バルク番組を再生するための処理を実行する。この場合は、ＴＳ合成・分離部２０４１は、第１の主信号誤り訂正復号部２０３６および第２の主信号誤り訂正復号部２０３７から出力されてくる両トランスポートストリームを合成することによって、送信側で２つに分割される前のトランスポートストリームを復元する。更に、ＴＳ合成・分離部２０４１は、当該合成後のトランスポートストリームから、上記バルク番組にかかるＡＶストリーム、および、低階層番組にかかるＡＶストリームを分離して取得する。そして、ＴＳ合成・分離部２０４１は、ＣＰＵ２０４８からの制御信号に基づいて、バルク番組にかかるＡＶストリームおよび低階層番組にかかるＡＶストリームの少なくとも一方を、第１のＡＶデコーダ２０４２または第２のＡＶデコーダ２０４３の少なくとも一方に出力する。【０１８２】
次に、ＴＳ合成・分離部２０４１が行う２つめの処理モードとして、非バルク番組を再生するための処理を実行する処理モードがある。この場合は、ＴＳ合成・分離部２０４１は、第１の主信号誤り訂正復号部２０３６および第２の主信号誤り訂正復号部２０３７から出力されてくる両トランスポートストリームの合成は行わない。すなわち、第１の主信号誤り訂正復号部２０３６から出力されるトランスポートストリームからＡＶストリームを分離し、第１のＡＶデコーダ２０４２に出力する。また、第２の主信号誤り訂正復号部２０３７から出力されるトランスポートストリームからＡＶストリームを分離し、第２のＡＶデコーダ２０４３に出力する。【０１８３】
次に、ＴＳ合成・分離部４１が行う３つめの処理モードとして、低階層番組を再生するための処理を実行する処理モードがある。この場合は、ＴＳ合成・分離部２０４１は、第１の主信号誤り訂正復号部２０３６または第２の主信号誤り訂正復号部２０３７から出力されるトランスポートストリーム（階層伝送されている物理チャンネルで取得されたトランスポートストリーム）から低階層番組にかかるＡＶストリームを分離し、第１のＡＶデコーダ２０４２または第２のＡＶデコーダ２０４３に出力する。以下、上記バルク番組の再生のための処理モードについてはバルク再生モードと呼び、非バルク番組の再生のための処理モードについては非バルク再生モードと呼ぶ。また、低階層番組の再生のための処理モードについては、低階層番組再生モードと呼ぶ。なお、ＴＳ合成・分離部２０４１において、上記非バルク再生モードと低階層再生モードについては並列で処理することが可能である。また、ＴＳ合成・分離部２０４１は、ＣＰＵ２０４８からの制御信号に基づいて、上記各ＡＶストリームを適宜録画処理部２０５２へ出力する。【０１８４】
また、ＴＳ合成・分離部２０４１はＥＰＧ情報取得部２０５４を含んでいる。ＥＰＧ情報取得部２０５４は、第１の主信号誤り訂正復号部２０３６または第２の主信号誤り訂正復号部２０３７から出力されるトランスポートストリームからＥＰＧにかかるデータを分離して取得する。また、ＣＰＵ２０４８からの制御信号に基づいて、利用者の録画予約操作に用いるために適宜ＥＰＧを画面に出力する。ここで、当該ＥＰＧには、各番組の放送時間や放送内容に関するデータの他に、各番組が上記バルク番組であるか否かを示す情報およびバルク放送を構成する物理チャンネルを示す情報が含まれている。また、バルク番組については、更に、上記低階層番組が階層伝送される物理チャンネルについての情報も含まれている。なお、ＥＰＧ情報取得部２０５４は、例えばインターネットからＥＰＧを取得するよう構成されていても良い。【０１８５】
第１のＡＶデコーダ２０４２および第２のＡＶデコーダ２０４３は、ＣＰＵ２０４８からの制御信号に基づいて、それぞれＴＳ合成・分離部２０４１から出力されたＡＶストリームをデコードして映像・音声信号を取得する。そして、第１のＡＶデコーダ２０４２は、デコードの結果得られた映像・音声信号を第１の表示部２０４６に出力する。また、第２のＡＶデコーダ２０４３は、デコードの結果得られた映像・音声信号を第２の表示部２０４７に出力する。ここで、第１のＡＶデコーダ２０４２および第２のＡＶデコーダ２０４３は、少なくとも、バルク番組のＡＶストリームと非バルク番組のＡＶストリームの双方の符号化形式に対応するデコード形式でデコード処理が可能である。そして、第１のＡＶデコーダ２０４２および第２のＡＶデコーダ２０４３は、ＣＰＵ２０４８からの制御信号に基づき、これらのデコード方式を適宜切り替えてデコード処理を実行する。【０１８６】
第１のＯＳＤ作成・合成部２０４４は、第１のＡＶデコーダ２０４２が第１の表示部２０４６に出力した画面の上に重ねて表示するためのＯＳＤ表示を生成する。そして、第１のＯＳＤ作成・合成部２０４４は、第１のＡＶデコーダ２０４２からの出力と当該ＯＳＤ表示を合成して第１の表示部２０４６に出力する。また、第２のＯＳＤ作成・合成部２０４５は、第２のＡＶデコーダ２０４３が第２の表示部２０４７に出力した画面の上に重ねて表示するためのＯＳＤ表示を生成し、第２のＡＶデコーダ２０４３からの出力と合成して第２の表示部２０４７に出力する。【０１８７】
第１の表示部２０４６および第２の表示部２０４７は、いわゆる２画面表示における各画面に相当するものである。第１の表示部２０４６は、第１のＡＶデコーダ２０４２から出力された映像・音声信号に基づいて映像・音声を利用者に提示する。第２の表示部２０４７は、第２のＡＶデコーダ２０４３から出力された映像・音声信号に基づいて映像・音声を利用者に提示する。【０１８８】
ＣＰＵ２０４８は、上述したようなバルク再生モード、非バルク再生モード、低階層再生モードを切り替えながら、上記第１のチューナ２０３２、第２のチューナ２０３３、ＴＳ合成・分離部２０４１、第１のＡＶデコーダ２０４２、第２のＡＶデコーダ２０４３等を制御して、バルク番組、低階層番組、または非バルク番組を利用者が視聴できるようにするための処理を実行する。【０１８９】
リモコン処理部２０４９は、リモコン２０５１からの操作信号を受信し、操作指示内容を示す信号をＣＰＵ２０４８に出力する。【０１９０】
フラッシュメモリ２０５０は、不揮発性のメモリであり、録画予約に関するデータ（以下、予約一覧と呼ぶ）が記憶される。図２４は、当該予約一覧のデータ構造の一例を示した図である。図２４において、予約一覧２５００は、放送時間帯２５０１、放送チャンネル２５０２、番組識別情報２５０３、番組情報２５０４等の集合から成る。放送時間帯２５０１は、予約されている番組の放送日時および放送時間帯を示し、放送チャンネル２５０２は、当該番組の放送される物理チャンネルを示す。バルク番組の場合は２つの物理チャンネルが記憶され、非バルク番組または低階層番組の場合は１つの物理チャンネルのみが記憶される。番組識別情報２５０３は、予約されている番組の種別、すなわち、バルク番組であるか非バルク番組であるか、低階層番組であるかを示すための情報である。また、番組情報２５０４は、その番組に関する書誌的事項（番組タイトルや出演者名等）のデータである。また、フラッシュメモリ２０５０には、その他、ＣＰＵ２０４８が各種制御に用いるためのデータ等も記憶される。【０１９１】
録画処理部２０５２は、ＣＰＵ２０４８からの制御信号に基づいて、上記各番組（すなわち、ＴＳ合成・分離部２０４１から出力されるＡＶストリーム）を記録部２０５３に録画するための処理（符号化処理や録画データの管理処理等）を実行する。記録部２０５３は、上記のような各番組を録画するための記録媒体である。例えば、ハードディスクドライブやＳＳＤ（Solid State Drive）によって実現される。【０１９２】
次に、以上のような受信装置２０３０で実行される選局再生処理の処理概要を説明する。以下の説明の前提として、本実施形態では、次のような状況を想定する。まず、視聴対象とするチャンネルはＣｈ１〜Ｃｈ４とする。そして、これらのチャンネルの放送スケジュールとして、図２５に示すようなスケジュールが組まれているとする。すなわち、Ｃｈ１およびＣｈ２では、午後６：００：００〜７：５９：５９はバルク番組である「番組Ａ」が放送される。また、Ｃｈ３では、それぞれ午後６：００：００〜６：５９：５９までは非バルク番組である「番組Ｂ」が放送され、午後７：００：００〜７：５９：５９は、非バルク番組である「番組Ｃ」が放送される。更に、Ｃｈ４では、それぞれ午後６：００：００〜６：５９：５９までは非バルク番組である「番組Ｄ」が放送され、午後７：００：００〜７：５９：５９は、非バルク番組である「番組Ｅ」が放送される場合を想定する。【０１９３】
このような放送スケジュールにおいて、「番組Ｂ」を録画中の状態で、利用者がＣｈ１を選局した場合を考える。例えば、図２４において、午後６：３０：００のタイミングで、利用者がＣｈ１を選局した場合である。この場合は、「番組Ｂ」を録画中の状態、すなわち、いずれか一方のチューナが使用中（Ｃｈ３を選局中）の状態であることになる。一方、Ｃｈ１で放送されている「番組Ａ」は、Ｃｈ１とＣｈ２を用いてバルク伝送されているバルク番組であるため、２つの物理チャンネルを選局する必要がある。しかし、上記のように、「番組Ｂ」の録画のために一方のチューナが使用中の状態であるため、Ｃｈ２の選局ができず、バルク番組の視聴ができない。そこで、本実施形態では、当該バルク番組と階層伝送されている上記低階層番組を再生・表示する処理を行う。つまり、低階層番組については階層伝送されている物理チャンネルさえ選局できれば再生可能であり、かつ、上述のように番組内容そのものは同じものである。そこで、当該低階層番組をもって「番組Ａ」の再生とする処理を行う。これにより、「番組Ｂ」が録画中の状態であっても、バルク伝送に対応した番組そのものの視聴は可能となる。【０１９４】
次に、第２の実施形態における選局再生処理の詳細を説明する。図２６は、当該選局再生処理の詳細を示すフローチャートである。ここで、図２６のフローチャートの処理は、バルク番組が放送されている物理チャンネルを選局する操作（リモコン２０５１の数字キー「１」を押下）する等）が利用者によって行われることによって実行される。また、ここでは、利用者の操作に基づいて選局するために、第１のチューナ２０３２が用いられるものとする。【０１９５】
図２６において、利用者がリモコン２０５１でバルク番組にかかるチャンネル（ここではＣｈ１）を選局する操作を行うと、ステップＳ１において、受信装置２０３０で録画処理が実行中であるか否かが判定される。つまり、バルク番組にかかるチャンネルが選局された時点で、何らかの番組が録画中の状態であるか否かが判定されることになる。【０１９６】
当該判定の結果、録画処理が実行されていなければ（ステップＳ１でＮＯ）、チューナは２つとも使用可能な状態であるため、ステップＳ７において、上記選局されたチャンネルで放送されるバルク番組を再生するための処理が開始される。具体的には、まず、ＣＰＵ２０４８は、上記バルク関連情報を参照して、Ｃｈ１の接続対象Ｃｈ２１３３に示されている物理チャンネルを第２のチューナ２０３３に選局させる処理を行う。すなわち、バルク番組が伝送される２つの物理チャンネルが第１のチューナ２０３２および第２のチューナ２０３３で選局された状態するための処理を実行する。そして、各チューナで受信された放送信号が復調等され、トランスポートストリームが得られる。続いて、ＣＰＵ２０４８は、ＴＳ合成・分離部２０４１に、上記処理モードをバルク再生モードに切り替えるための制御信号を出力する。その結果、ＴＳ合成・分離部２０４１は、第１のチューナ２０３２経由で得られたトランスポートストリームと第２のチューナ２０３３経由で得られたトランスポートストリームを合成する処理を開始する。そして、ＴＳ合成・分離部２０４１は、合成されたトランスポートストリームからバルク番組にかかるＡＶストリームを分離し、バルク番組にかかるＡＶストリームを第１のＡＶデコーダ２０４２に出力する。第１のＡＶデコーダ２０４２は、当該バルク番組にかかるＡＶストリームをデコードし、第１のＯＳＤ作成・合成部２０４４を経由して第１の表示部２０４６に映像・音声信号を出力する処理を開始する。これにより、バルク番組が画面に表示される、つまり、バルク番組の再生処理が開始されることになる。その後、処理は終了する。【０１９７】
一方、ステップＳ１の判定の結果、録画処理が実行されているときは（ステップＳ２００１でＹＥＳ）、次にステップＳ２において、録画中の番組の数が１以下であるか否かが判定される。当該判定の結果、録画中の番組の数が１以下でない、つまり、２つのチューナ共に録画に用いられているような場合、例えば、図２５の「番組Ｂ」および「番組Ｄ」の双方を録画しているような場合は（ステップＳ２００２でＮＯ）、ステップＳ６において、選局されたチャンネルは選局できない、あるいは視聴できない旨をＯＳＤ表示する処理が実行される。より具体的には、ＣＰＵ２０４８は、上記の旨のメッセージを生成させるための制御信号を第１のＯＳＤ作成・合成部２０４４に出力する。これに応じて、第１のＯＳＤ作成・合成部２０４４は上記の旨のＯＳＤ表示を生成する。そして、第１のＯＳＤ作成・合成部２０４４は、当該ＯＳＤ表示を第１の表示部２０４６に出力する。この結果、選局したチャンネルは視聴できない旨が画面上に表示されることになる。【０１９８】
一方、上記ステップＳ２００２の判定の結果、録画中の番組数が１以下の場合（ステップＳ２００２でＹＥＳ）、例えば、図２５の「番組Ｂ」のみが録画中であるような場合は、次にステップＳ２００３において、選局された物理チャンネルの番組については低階層番組であれば表示可能である旨、および、低階層番組として視聴するか否かを問い合わせるためのＯＳＤ表示する処理が実行される。例えば、「放送される番組はスーパーハイビジョン番組ですが、ハイビジョン画質であれば視聴可能です。ハイビジョン画質で視聴しますか？」等のメッセージをＯＳＤ表示する処理が実行される。そして、ＣＰＵ２０４８は、利用者からの返答操作を受け付ける。【０１９９】
次に、ステップＳ２００４において、上記ステップＳ２００３での問い合わせの結果、利用者が低階層番組を視聴することを選択したか否かが判定される。当該判定の結果、利用者が低階層番組の視聴を選択しなかったときは（ステップＳ２００４でＮＯ）、上記ステップＳ２００６の処理へ進む。一方、利用者が低階層番組を視聴することを選択したときは（ステップＳ２００４でＹＥＳ）、続くステップＳ２００５において、低階層番組を再生するための処理が実行される。すなわち、ＣＰＵ２０４８は、上記バルク関連情報の階層伝送Ｃｈ２１３４を参照して階層伝送が行われている物理チャンネル番号を検出する。そして、その時点で階層伝送が行われている物理チャンネルが選局されていないときは、ＣＰＵ２０４８は、第１のチューナ２０３２に当該階層伝送が行われている物理チャンネルを選局させるための制御信号を出力する。さらに、ＣＰＵ２０４８は、処理モードを上記低階層番組再生モードに切り替えるための制御信号をＴＳ合成・分離部２０４１に出力する。また、ＣＰＵ２０４８は、第１のＡＶデコーダ２０４２に対しても、低階層番組用のデコード処理に切り替えるための制御信号を出力する。その結果、第１のチューナ２０３２から得られたトランスポートストリームがＴＳ合成分離部に入力されると、ＴＳ合成・分離部２０４１において低階層番組にかかるＡＶストリームが分離され、第１のＡＶデコーダ２０４２に出力される。そして、デコードされた映像音声信号が第１のＡＶデコーダ２０４２から第１のＯＳＤ作成・合成部２０４４を経由して第１の表示部２０４６に出力される。これにより、低階層番組の再生が開始されることになる。以上で、第１の実施形態にかかる選局再生処理が終了する。【０２００】
以上のように、第１の実施形態では、非バルク番組の録画処理が実行中のタイミングでバルク番組にかかる物理チャンネルが選局されたときは、バルク番組と共に階層伝送されている低階層番組を再生している。これにより、所定の非バルク番組が録画中の状態においても、バルク番組にかかる番組内容を視聴することが可能となる。つまり、バルク伝送に対応している番組の視聴と非バルク番組の録画（いわゆる裏録）の両立が可能となる。また、上記のように低階層番組での再生を行う旨や視聴できない旨をＯＳＤ表示するため、利用者は視聴状況を容易に把握することが可能となる。【０２０１】
（第３の実施形態）
次に、図２７から図２８を参照して、本発明の第３の実施形態について説明する。上述の第２の実施形態では、録画中の状態でバルク番組にかかる物理チャンネルが選局された場合を想定していた。これに対して、第３の実施形態では、録画予約を行う場面を想定する。なお、当該実施形態に係る受信装置は、上述した第２の実施形態と同様であるため、同一の参照符号を付して詳細な説明を省略する。【０２０２】
以下、第３の実施形態における処理の概要を説明する。第３の実施形態では、図２７に示すような放送スケジュールを想定する。図２７においては、午後８：００：００〜９：５９：５９までの２時間枠で、Ｃｈ１およびＣｈ２ではバルク番組である「番組Ｆ」が、Ｃｈ３およびＣｈ４では同じくバルク番組である「番組Ｇ」が放送される。更に、Ｃｈ５では、同じく２時間枠で非バルク番組である「番組Ｈ」が放送される。またＣｈ６およびＣｈ７ついては、それぞれ午後８：００：００〜８：５９：５９までは非バルク番組である「番組Ｉ」「番組Ｊ」が放送されるが、午後９：００：００〜９：５９：５９は、両チャンネルを使ってバルク番組である「番組Ｋ」が放送される。【０２０３】
上記のような放送スケジュールにおいて、第３の実施形態では、次のような処理が実行される。例えば、利用者が非バルク番組である「番組Ｈ」を録画予約しようとした際に、受信装置３０において「番組Ｈ」の放送時間帯に重複して既に録画予約されている番組が存在するか否かが判定される。そして、既にバルク番組の録画予約、例えば「番組Ｆ」の録画予約が登録されていた場合は、「番組Ｈ」の録画はできない旨がＯＳＤ表示される。【０２０４】
以下、第３の実施形態における録画予約処理の詳細を説明する。図２８は、当該録画予約処理の詳細を示すフローチャートである。当該フローチャートの処理は、利用者が非バルク番組の録画予約を登録するための操作を行ったときに実行される。【０２０５】
図２８において、まず、ステップＳ２０２１において、フラッシュメモリ２０５０から、上記予約一覧２５００（図２４参照）が取得される。次に、ステップＳ２０２２において、利用者が予約しようとする番組（以下、予約希望番組と呼ぶ）の放送時間帯と重複している録画予約が存在するか否かが判定される。当該判定の結果、重複する録画予約がなければ（ステップＳ２０２１でＮＯ）、ステップＳ２０２６において、予約希望番組の録画予約をフラッシュメモリ２０５０に登録する処理が実行される。【０２０６】
一方、ステップＳ２０２２の判定の結果、重複する録画予約が存在したときは（ステップＳ２０２２でＹＥＳ）、次のステップＳ２０２３において、番組識別情報２５０３に基づいて、重複する録画予約の番組はバルク番組か否かが判定される。当該判定の結果、録画予約が重複している番組がバルク番組であるときは（ステップＳ２０２３でＹＥＳ）、ステップＳ２０２４において、予約希望番組の録画予約ができない旨のＯＳＤ表示を行う処理が実行される。これは、バルク番組の録画のためには２つのチューナが必要となるため、それ以上の録画予約ができないためである。【０２０７】
一方、ステップＳ２０２３の判定の結果、録画予約が重複している番組がバルク番組ではない、つまり、非バルク番組であるときは（ステップＳ２０２３でＮＯ）、次のステップＳ２０２５において、重複している録画予約の数が１以下であるか否かが判定される。当該判定の結果、重複している録画予約の数が１以下であるときは（ステップＳ２０２３でＹＥＳ）、当該時間帯においては録画のために用いられるチューナは１つだけという状態であるため、他方のチューナを用いた予約希望番組の録画は可能である。そのため、上記ステップＳ２０２６の処理へ進み、上記予約希望番組を録画予約する処理が実行される。一方、重複している録画予約の数が１以下ではないときは（ステップＳ２０２５でＮＯ）、既に２つの非バルク番組の録画予約が登録されており、チューナに空きがない状態であると考えられる。そのため、この場合は、上記ステップＳ２０２４の処理に進み、予約希望番組の録画予約ができない旨をＯＳＤ表示する処理が実行される。以上で、第３の実施形態における録画予約処理は終了する。【０２０８】
以上のように、第３の実施形態では、非バルク番組の録画予約を行うときに、バルク番組の録画予約と重複しないか否かを判定し、重複する際にＯＳＤ表示による警告を行うようにしている。これにより、利用者が録画予約操作を行う際の受信装置の利便性を高めることができる。【０２０９】
（第４の実施形態）
次に、本発明の第４の実施形態について説明する。第４の実施形態は、上述の第３の実施形態と同様に非バルク番組の録画予約を行う場面を想定している。そして、第３の実施形態では、非バルク番組の録画予約希望時間帯にバルク番組の予約が重複していた場合、予約できない旨のＯＳＤ表示を行うだけであったが、第４の実施形態では、この場合、上記低階層番組を利用する。すなわち、第４の実施形態では、先約分のバルク番組の録画予約を低階層番組の録画予約に変更することで、録画のために使用されるチューナ数を１つにし、予約希望番組の予約登録を可能とする。上記図２７に示したような放送スケジュールを例として説明すると、例えば、利用者が非バルク番組である「番組Ｈ」を録画予約する操作を行った場合を想定する。このときに、バルク番組である「番組Ｆ」が既に録画予約されていたときは、本実施形態では、「番組Ｆ」のバルク番組としての録画を上記低階層番組としての録画に変更することで、「番組Ｆ」と「番組Ｈ」の録画を両立させる。なお、当該実施形態に係る受信装置は、上述した第２の実施形態と同様であるため、同一の参照符号を付して詳細な説明を省略する。【０２１０】
以下、第４の実施形態における録画予約処理の詳細を説明する。図２９は、当該録画予約処理の詳細を示すフローチャートである。当該フローチャートの処理は、利用者が非バルク番組の録画予約を登録するための操作を行ったときに実行される。なお、図２９において、ステップＳ２０２１からステップＳ２０２６までの処理は、上述の第３の実施形態で図２８を用いて説明したステップＳ２０２１からステップＳ２０２６の処理と同様であるため、ここでは詳細な説明を省略する。【０２１１】
図２９のステップＳ２０２３において、重複している番組がバルク番組か否かが判定される。当該判定の結果、録画予約が重複している番組がバルク番組であるときは（ステップＳ２０２３でＹＥＳ）、次のステップＳ２０３１において、次の旨の内容をＯＳＤ表示する処理が実行される。すなわち、既に予約されているバルク番組の録画を低階層番組の録画に変更すれば、上記予約希望番組の録画が可能になる旨をＯＳＤ表示する。つまり、現在、スーパーハイビジョン映像での録画予約がなされているが、これをハイビジョン映像での録画に変更すれば、録画予約を希望している非バルク番組の録画が可能となる旨をＯＳＤ表示する処理が実行される。更に、既に予約済みであるバルク番組の録画を低階層番組の録画に変更するか否かの問い合わせをＯＳＤ表示する処理が実行される。その後、利用者からの返答操作が受け付けられる。【０２１２】
次に、ステップＳ２０３２において、上記問い合わせに対する利用者の返答内容が、低階層番組の録画への変更を指示する内容であるか否かが判定される。当該判定の結果、低階層番組の録画への変更が指示されていないときは（ステップＳ２０３２でＮＯ）、上記ステップＳ２０２４の処理に進み、録画予約ができない旨をＯＳＤ表示する。【０２１３】
一方、ステップＳ２０３２の判定の結果、低階層番組の録画への変更を指示する内容のときは（ステップＳ２０３２でＹＥＳ）、次のステップＳ２０３３において、上記重複しているバルク番組の録画予約がキャンセルされる。そして、当該バルク番組と共に階層伝送される低階層番組を録画するための録画予約が予約一覧２５００に登録される。具体的には、予約一覧２５００の放送チャンネル２５０２に、階層伝送が行われる物理チャンネル（当該階層伝送が行われる物理チャンネルの情報は、ＥＰＧに含まれているものとする）が格納され、番組識別情報２５０３には、低階層番組であることを示す情報が格納される。放送時間帯２５０１および番組情報２５０４には、キャンセルしたバルク番組のものと同じ情報が格納される。そして、続くステップＳ２０３４において、上記予約希望番組の録画予約が予約一覧２５００に登録される。以上で、第４の実施形態にかかる録画予約処理は終了する。【０２１４】
以上のように、第４の実施形態では、非バルク番組を録画予約するときに、バルク番組の録画予約と重複しているときは、バルク番組の録画予約を低階層番組の録画予約へと変更することで、当該非バルク番組の録画予約を可能としている。これにより、バルク番組の録画予約がなされている時間帯にそれ以上の番組録画ができない状態となることを防ぐ事ができる。つまり、バルク伝送に対応する番組（スーパーハイビジョン放送に対応している番組）と非バルク番組（ハイビジョン放送の番組）の録画を両立させることが可能となる。【０２１５】
（第５の実施形態）
次に、本発明の第５の実施形態について説明する。上記第３および第４の実施形態は、非バルク番組の録画予約を行う場面を想定していた。これに対して、第５の実施形態では、バルク番組の録画予約を行う場面を想定する。すなわち、バルク番組の録画予約を行う際に、他の録画予約を重複する際の処理となる。なお、当該実施形態に係る受信装置は、上述した第２の実施形態と同様であるため、同一の参照符号を付して詳細な説明を省略する。また、第５の実施形態でも、上記図２７に示したような放送スケジュールを想定する。【０２１６】
以下、第５の実施形態における録画予約処理の詳細を説明する。図３０は、当該録画予約処理の詳細を示すフローチャートである。当該フローチャートの処理は、利用者がバルク番組の録画予約を登録するための操作を行ったときに実行される。なお、ステップＳ２０４１およびＳ２０４２の動作は、上述の第３の実施形態で図２８を用いて説明したステップＳ２０２１およびＳ２０２２と同様であるため、詳細な説明を省略する。【０２１７】
図３０において、まず、ステップＳ２０４１において、フラッシュメモリ２０５０から予約一覧２５００が取得され、ステップＳ２０４２において、予約希望番組の放送時間帯と重複している録画予約が存在するか否かが判定される。当該判定の結果、重複する録画予約がなければ（ステップＳ２０４２でＮＯ）、ステップＳ２０４４において、予約希望番組の録画予約をフラッシュメモリ２０５０に登録する処理が実行される。【０２１８】
一方、ステップＳ２０４２の判定の結果、重複する録画予約が存在したときは（ステップＳ２０４２でＹＥＳ）、次のステップＳ２０４３において、予約希望番組の録画予約ができない旨のＯＳＤ表示を行う処理が実行される。つまり、バルク番組の録画のためには２つのチューナが必要となるところ、バルク番組／非バルク番組を問わず、何らかの録画予約を重複していれば、バルク番組の録画予約ができない。そのため、重複する録画予約が存在する場合は、バルク番組の録画ができないとするものである以上で、第５の実施形態における録画予約処理は終了する。【０２１９】
以上のように、第５の実施形態では、バルク番組の録画予約を行うときに、何らかの録画予約と重複しないか否かを判定し、重複する際にＯＳＤ表示により録画予約が出来ない旨を警告している。これにより、利用者が録画予約操作を行う際の受信装置の利便性を高めることができる。【０２２０】
（第６の実施形態）
次に、本発明の第６の実施形態について説明する。第６の実施形態は、上述の第５の実施形態と同様にバルク番組の録画予約を行う場面を想定している。そして、第５の実施形態では、バルク番組の録画予約希望時間帯に何らかの番組の録画予約が重複していた場合、予約できない旨のＯＳＤ表示を行うだけであったが、第６の実施形態では、この場合、上記低階層番組を利用する。すなわち、第６の実施形態では、バルク番組の予約を、適宜低階層番組の録画予約に変更することで、録画のために使用されるチューナ数を１つにし、予約希望番組の予約登録を可能とする。上記図２７の放送スケジュールを例として説明すると、例えば、利用者が「番組Ｇ」を録画予約する操作を行った場合を想定する。このときに、バルク番組である「番組Ｆ」が既に録画予約されていたときは、本実施形態では、「番組Ｆ」「番組Ｇ」を共に上記低階層番組の録画として予約することで、両番組の録画を両立させる。また、利用者が「番組Ｇ」を録画予約する操作を行った際に、非バルク番組である「番組Ｈ」が既に録画予約されていたときは、「番組Ｇ」を低階層番組の録画として予約することで、「番組Ｇ」「番組Ｈ」の録画を両立させる。【０２２１】
なお、当該実施形態に係る受信装置は、上述した第１の実施形態と同様であるため、同一の参照符号を付して詳細な説明を省略する。【０２２２】
以下、第６の実施形態における録画予約処理の詳細を説明する。図３１は、当該録画予約処理の詳細を示すフローチャートである。当該フローチャートの処理は、利用者が非バルク番組の録画予約を登録するための操作を行ったときに実行される。なお、図３１において、ステップＳ２０４１からステップＳ２０４４までの処理は、上述の第５の実施形態で図２９を用いて説明したステップＳ２０４１からステップＳ２０４４の処理と同様であるため、ここでは詳細な説明を省略する。【０２２３】
図３１において、ステップＳ２０４２で上記のように予約希望番組の放送時間帯と重複している録画予約が存在するか否かが判定された結果、重複している予約がないときは（ステップＳ２０４２でＮＯ）、上記ステップＳ２０４４の処理において、予約希望番組を録画予約する処理が実行される。【０２２４】
一方、重複している予約があるときは（ステップＳ２０４２でＹＥＳ）、続くステップＳ２０５１において、重複している番組がバルク番組か否かが判定される。当該判定の結果、録画予約が重複している番組がバルク番組であるときは（ステップＳ２０５１でＹＥＳ）、次のステップＳ２０５２において、ＯＳＤ表示のための処理が実行される。当該ＯＳＤ表示の内容は、次のような内容である。すなわち、既に予約されているバルク番組の録画を上記低階層番組での録画に変更し、且つ、予約希望番組であるバルク番組についても上記低階層番組での録画とすれば、上記予約希望番組の録画が可能になる旨の内容である。更に、上記両バルク番組の録画を共に低階層番組の録画に変更するか否かの問い合わせをＯＳＤ表示する処理が実行される。その後、利用者からの返答操作が受け付けられる。【０２２５】
次に、ステップＳ２０５３において、上記問い合わせに対する利用者の返答内容が、両バルク番組の録画を共に低階層番組の録画へ変更する内容であるか否かが判定される。当該判定の結果、低階層番組の録画への変更を指示していないときは（ステップＳ２０５３でＮＯ）、そのまま録画予約処理は終了する。【０２２６】
一方、ステップＳ２０５３の判定の結果、低階層番組の録画への変更を指示する内容のときは（ステップＳ２０５３でＹＥＳ）、次のステップＳ２０５４において、上記重複しているバルク番組の録画予約がキャンセルされる。そして、当該バルク番組と階層伝送される低階層番組を録画するための録画予約がフラッシュメモリ２０５０に登録される。そして、続くステップＳ２０３４において、上記予約希望番組と階層伝送される低階層番組を録画するための録画予約がフラッシュメモリ２０５０に登録される。その結果、上記２つのバルク番組は共に低階層番組の録画予約として登録されることになる。【０２２７】
一方、上記ステップＳ２０５１の判定の結果、録画予約が重複している番組がバルク番組ではない、つまり、非バルク番組であるときは（ステップＳ２０５１でＮＯ）、次のステップＳ２０５５において、重複している録画予約の数が１以下であるか否かが判定される。当該判定の結果、１以下であるときは（ステップＳ５５でＹＥＳ）、当該時間帯においては録画のために用いられるチューナは１つだけという状態である。そのため、ステップＳ２０５６において、予約希望番組を低階層番組の録画にすれば、当該予約希望番組の録画が可能になる旨をＯＳＤ表示する処理が実行される。更に、予約希望番組を低階層番組の録画として録画予約するか否かの問い合わせをＯＳＤ表示する処理が実行される。その後、利用者からの返答操作を受け付ける。【０２２８】
次に、ステップＳ２０５７において、上記問い合わせに対する利用者の返答内容が、低階層番組での録画予約を指示する内容であるか否かが判定される。当該判定の結果、低階層番組での録画を指示していないときは（ステップＳ２０５７でＮＯ）、そのまま録画予約処理は終了する。【０２２９】
一方、ステップＳ２０５７の判定の結果、低階層番組の録画への変更を指示する内容のときは（ステップＳ２０５７でＹＥＳ）、次のステップＳ２０５８において、予約希望番組を低階層番組で録画するための録画予約がフラッシュメモリ２０５０に登録される。【０２３０】
一方、ステップＳ２０５５の判定の結果、重複する予約数が１以下ではないときは（ステップＳ２０２５でＮＯ）、既に２つの非バルク番組の録画予約が登録されており、チューナに空きがない状態であると考えられる。そのため、この場合は、上記ステップＳ２０４３の処理に進み、予約希望番組の録画予約ができない旨をＯＳＤ表示する処理が実行される。以上で、第６の実施形態にかかる録画予約処理は終了する。【０２３１】
以上のように、第６の実施形態では、バルク番組を録画予約するときに、他のバルク番組の録画予約と重複しているときは、双方のバルク番組を低階層番組の録画予約することで、当該両バルク番組と同内容の番組の録画予約を可能としている。これにより、録画が一切できないという状態が発生することを防ぎ、利用者の利便性を高めることが可能となる。【０２３２】
なお、上述したデジタル放送システムでは、低階層番組はバルク伝送にかかる２つの物理チャンネルのうち一方だけで階層伝送を行っていたが、これに限らず、双方のチャンネルで低階層番組を階層伝送（つまり、低階層番組の２重化）するようにしてもよい。この場合は、階層伝送されている物理チャンネルを検索する処理を省くことができる。【０２３３】
次に、本発明の第７の実施形態について説明する。まず、第７の実施形態の詳細を説明するに先立ち、第７実施形態、および、その後に説明する第８〜第９の実施形態で共通して想定しているデジタル放送システムにおける伝送の概要について説明する。本実施形態では、いわゆるハイビジョン規格の動画像コンテンツと、いわゆるスーパーハイビジョン規格の動画像コンテンツとを混在して放送するデジタル放送システムを想定している。例えば、あるチャンネルにおいて、午後８：００〜午後９：００まではハイビジョン規格の動画像コンテンツを放送し、午後９：００〜午後１１：００まではスーパーハイビジョン規格の動画像コンテンツを放送するような場合である。ここで、ハイビジョン規格で構成された番組については、その情報量は１つの物理チャンネルで伝送可能な情報量であるものとする。一方、スーパーハイビジョン規格で構成された番組については、１つの物理チャンネルだけでは伝送できない情報量を有するものとする。そのため、ハイビジョン規格で構成されている番組を放送する場合は、１つの物理チャンネルで１つの番組を伝送するが、スーパーハイビジョン規格で構成された番組については、その放送データ（トランスポートストリーム）を２つに分割し、２つの物理チャンネルを用いて伝送する。図３２は、本実施形態におけるスーパーハイビジョン規格で構成された番組の伝送の概念を示す模式図である。図３２に示すように、本実施形態ではスーパーハイビジョン規格の番組の放送データ（トランスポートストリーム）３１０１を２つに分割し、２つの物理チャンネル３１１１および３１１２で伝送する。つまり、２つの物理チャンネルを束ねてスーパーハイビジョン規格の番組を伝送する。以下、このような１つの番組を２つの物理チャンネルを用いて伝送することをバルク伝送と呼ぶ。また、当該バルク伝送によって伝送される、上記スーパーハイビジョン規格で構成された番組をバルク番組と呼び、１つの物理チャンネルで伝送可能なハイビジョン規格で構成されている番組を非バルク番組と呼ぶ。そのため、上記のような時間帯を例に取ると、例えば、午後８：００〜午後９：００までは、例えば、１チャンネルと２チャンネルとではそれぞれ異なる内容の非バルク番組が表示されることになり、午後９：００〜午後１１：００までは、両チャンネルとも同じ内容のバルク番組が表示されていることになる。つまり、いずれのチャンネルを選局しても、同じ番組が画面に表示される。【０２３４】
ここで、本実施形態では、上記バルク番組をバルク伝送する際に、伝送に用いられる２つの物理チャンネルのそれぞれについて階層伝送を行うようにしている。具体的には、送信側で、上記バルク番組と同内容のコンテンツをハイビジョン規格で生成する（以下、当該ハイビジョン規格のコンテンツを低階層番組と呼ぶ）。つまり、バルク番組と低階層番組とは、ハイビジョン規格で作成されたかスーパーハイビジョン規格で作成されたかの違いがあるだけで、その番組内容（放送される内容）は同じものである。そして、本実施形態では、変調方式として、バルク番組に関しては、３２ＡＰＳＫ（Amplitude Phase Shift Keying）を用い、当該低階層番組についてはＱＰＳＫ（quadrature phase shift keying））を用いて変調する。低階層番組（ハイビジョン規格）は、バルク番組のものよりは情報量が少ないため、伝送するためのネットワーク帯域も少なくて済む。そして、本実施形態では、バルク伝送を行う各チャンネルについて、図３２に示すように、バルク番組３１０１ａと低階層番組３１０２ａ、および、バルク番組３１０１ｂと低階層番組３１０２ｂとの階層伝送を行っている（図３２では、同じ内容の低階層番組を２つ作成して、それぞれ各チャンネルに含めるようにしている）。【０２３５】
また、上記バルク伝送に関しては、受信装置側（２つの物理チャンネルを同時に受信する必要があるため、少なくとも２つのチューナを備えていることが前提となる）においてバルク番組を再生するための情報、例えば、どの物理チャンネルとどの物理チャンネルの組み合わせでバルク番組が構成されるか等の情報（以下、バルク関連情報と呼ぶ）が必要となる。本実施形態では、当該バルク関連情報を、いわゆるＴＭＣＣ信号（伝送パラメータ等を含む信号）に載せて送信するものとする。受信装置側では、いずれか１つのチューナで選局・受信した放送信号からＴＭＣＣ信号を分離し、上記バルク関連情報を得る。そして、当該バルク関連情報に基づいて、これから送信されてくる番組がバルク番組であるか否かや、バルク番組の場合はどのチャンネルとの組み合わせで構成されているか等を判定し、選局・合成等を行う処理が実行されることになる（詳細は後述）。【０２３６】
図３３は、本実施形態で用いられる上記バルク関連情報の一例を示す図である。バルク関連情報は、物理Ｃｈ番号３１３１と接続フラグ３１３２と接続対象Ｃｈ３１３３の集合から構成されている。バルク関連情報には、全ての物理チャンネルについての情報が含まれており、物理Ｃｈ番号３１３１は、各物理チャンネルの番号を示す。接続フラグ３１３２は、放送される番組がバルク番組か非バルク番組かを識別するためのフラグである。接続フラグ３１３２がオンに設定されているときは、その物理チャンネルで伝送される番組がバルク番組であることを示す。また、オフに設定されているときは、その物理チャンネルのみを使用して非バルク番組が放送されることを示す。【０２３７】
接続対象Ｃｈ３１３３は、その物理チャンネルで放送される番組がバルク番組である場合に、その物理チャンネルと共に当該バルク番組を構成している物理チャンネル番号を示すためのデータである。例えば、Ｗチューナを備える受信装置において、一方のチューナで物理チャンネル１（以下、単にＣｈ1と表す。他の物理チャンネルについても同様とする）を選局して図３３のようなバルク関連情報を取得した場合、Ｃｈ１で放送される番組がバルク番組であること、および、当該バルク番組はＣｈ１とＣｈ２とで構成されることがわかる。そのため、バルク番組を再生するためには、他方のチューナでＣｈ２を選局する必要があることがわかる。【０２３８】
このように、本実施形態が想定するデジタル放送システムでは、バルク番組と非バルク番組とを混在して放送し、バルク番組については２つの物理チャンネルを使ってバルク伝送を行っている。また、受信装置はＷチューナーを備えており、ＴＭＣＣ信号に含まれるバルク関連情報に基づいてバルク番組／非バルク番組の判別や再生処理を行う。【０２３９】
（第７の実施形態）
次に、以上のようなデジタル放送システムにおいて、第７の実施形態で用いられる受信装置の構成について説明する。図３４は、本発明の第７の実施形態に係る受信装置３０３０の構成を示した機能ブロック図である。図３４において、受信装置３０３０は、アンテナ３０３１と、第１のチューナ３０３２と、第２のチューナ３０３３と、第１の復調部３０３４と、第２の復調部３０３５と、第１の主信号誤り訂正復号部３０３６と、第２の主信号誤り訂正復号部３０３７と、第１のＴＭＣＣ復号部３０３８と、第２のＴＭＣＣ復号部３０３９と、ＴＭＣＣ制御部３０４０と、ＴＳ合成・分離部３０４１と、第１のＡＶデコーダ３０４２と、第２のＡＶデコーダ３０４３と、第１の表示部３０４４と第２の表示部３０４５と、ＣＰＵ３０４６と、リモコン処理部３０４７と、フラッシュメモリ３０４８と、リモコン３０４９とで構成される。【０２４０】
第１のチューナ３０３２および第２のチューナ３０３３は、ＣＰＵ３０４６からの制御信号に基づいて所定の物理チャンネルを選局し、図示しない送信装置からの送信信号をアンテナ３０３１を介して受信する。【０２４１】
第１の復調部３０３４は、第１のチューナ３０３２から出力される送信信号をデジタル信号に復調し、第１の主信号誤り訂正復号部３０３６および第１のＴＭＣＣ復号部３０３８に出力する。【０２４２】
第１の主信号誤り訂正復号部３０３６は、第１の復調部３０３４から出力されたデジタル信号に対して、誤り訂正の復号処理を実行し、トランスポートストリームを得る。そして、当該トランスポートストリームをＴＳ合成・分離部３０４１に出力する。図３５は、第１の主信号誤り訂正復号部３０３６の詳細を示すブロック図である。図３５において、第１の主信号誤り訂正復号部３０３６では、第１の復調部３０３４から出力されたデジタル信号について、デインターリーブ部３３６１でデインタリーブが行われ、内符号誤り復号部３３６２における内符号の復号、エネルギー逆拡散部３３６３におけるエネルギー逆拡散を経て外符号誤り復号部３３６４による外符号の復号が行われ、トランスポートストリームとして出力される。【０２４３】
第１のＴＭＣＣ復号部３０３８は、第１の復調部３０３４から出力されたデジタル信号（ＴＭＣＣ信号）からＴＭＣＣ情報を復号して取得する。そして、当該ＴＭＣＣ情報をＴＭＣＣ制御部３０４０に出力する。【０２４４】
第２の復調部３０３５、第２の主信号誤り訂正復号部３０３７、および、第２のＴＭＣＣ復号部３０３９は、第２のチューナ３３から出力される送信信号に対して、上記第１の復調部３０３４、第１の主信号誤り訂正復号部３０３６、第１のＴＭＣＣ復号部３０３８と同様の処理を行う。【０２４５】
ＴＭＣＣ制御部３０４０は、第１のＴＭＣＣ復号部３０３８から出力されるＴＭＣＣ情報（より正確には、ＴＭＣＣ情報から得られる各種伝送パラメータの情報等）に基づいて、第１の復調部３０３４および第１の主信号誤り訂正復号部３０３６を制御する。また、第２のＴＭＣＣ復号部３０３９から出力されるＴＭＣＣ情報に基づいて、第２の復調部３０３５および第２の主信号誤り訂正復号部３０３７を制御する。また、ＴＭＣＣ制御部３０４０は、取得したＴＭＣＣ情報をＣＰＵ３０４６に出力する。【０２４６】
ＴＳ合成・分離部３０４１は、ＣＰＵ３０４６からの制御信号に基づいて、以下のような処理を実行する。まず、ＴＳ合成・分離部３０４１は、上記バルク番組を再生する場合は、第１の主信号誤り訂正復号部３０３６および第２の主信号誤り訂正復号部３０３７から出力されてくる両トランスポートストリームを合成することによって、送信側で２つに分割される前のトランスポートストリームを復元する。更に、ＴＳ合成・分離部３０４１は、当該合成後のトランスポートストリームから、上記バルク番組にかかるＡＶストリームを分離して取得する。そして、ＴＳ合成・分離部４１は、ＣＰＵ３０４６からの制御信号に基づいて、バルク番組にかかるＡＶストリームを第１のＡＶデコーダ４２または第２のＡＶデコーダ３０４３の少なくとも一方に出力する。また、上記低階層番組を再生する場合は、上述のようなＴＳの合成は行わずに、第１の主信号誤り訂正復号部３０３６および第２の主信号誤り訂正復号部３０３７のいずれかから出力されてくるトランスポートストリームから、低階層番組にかかるＡＶストリームを分離する。そして、ＴＳ合成・分離部３０４１は、ＣＰＵ３０４６からの制御信号に基づいて、低階層番組にかかるＡＶストリームを第１のＡＶデコーダ３０４２または第２のＡＶデコーダ３０４３の少なくとも一方に出力する。【０２４７】
第１のＡＶデコーダ３０４２および第２のＡＶデコーダ３０４３は、ＣＰＵ３０４６からの制御信号に基づいて、それぞれＴＳ合成・分離部３０４１から出力されたＡＶストリームをデコードして映像・音声信号を取得する。そして、第１のＡＶデコーダ３０４２は、デコードの結果得られた映像・音声信号（典型的にはバルク番組、または第１のチューナ３０３２から得られた非バルク番組）を第１の表示部３０４４に出力する。また、第２のＡＶデコーダ３０４３は、デコードの結果得られた映像・音声信号（典型的には第２のチューナ３０３３から得られた非バルク番組）を第２の表示部３０４４に出力する。ここで、第１のＡＶデコーダ３０４２および第２のＡＶデコーダ３０４３は、少なくとも、上記高階層ＡＶストリーム、低階層ＡＶストリームのエンコード形式に対応するデコード形式でデコード処理が可能である。例えば、高階層ＡＶストリームのときはＨ．２６４方式でのデコード、低階層ＡＶストリームのときは、ＭＰＥＧ２方式でのデコードが可能である。そして、第１のＡＶデコーダ３０４２および第２のＡＶデコーダ３０４３は、ＣＰＵ３０４６からの制御信号に基づき、これらのデコード方式を切り替えてデコード処理を実行する。【０２４８】
第１の表示部３０４４および第２の表示部３０４５は、いわゆる２画面表示における各画面に相当するものである。第１の表示部３０４４は、第１のＡＶデコーダ３０４２から出力された映像・音声信号に基づいて映像・音声を利用者に提示する。第２の表示部３０４５は、第２のＡＶデコーダ３０４３から出力された映像・音声信号に基づいて映像・音声を利用者に提示する。【０２４９】
ＣＰＵ３０４６は、図３６を用いて後述するフローチャートに示すような処理を行い、上記第１のチューナ３０３２、第２のチューナ３０３３、ＴＳ合成・分離部３０４１、第１のＡＶデコーダ３０４２、第２のＡＶデコーダ３０４３等を制御して、上記動画像コンテンツを利用者が視聴できるようにするための処理を実行する。【０２５０】
リモコン処理部３０４７は、リモコン３０４９からの操作信号を受信し、操作指示内容を示す信号をＣＰＵ３０４６に出力する。【０２５１】
フラッシュメモリ３０４８には、ＣＰＵ３０４６が各種制御に用いるためのデータ等が記憶される。【０２５２】
次に、以上のような受信装置３０３０で実行される選局再生処理の処理概要を説明する。本実施形態の受信装置では、例えば利用者によって、リモコン３０４９のチャンネルアップダウンボタンが押されたとき等の選局操作が行われたときに、以下のような処理が実行される。まず、第１のチューナ３０３２で、利用者の指示した物理チャンネルが選局される。次に、受信した放送信号からＴＭＣＣ信号と分離し、上述したようなバルク関連情報を取得する。次に、当該バルク関連情報（図３３参照）を参照し、第１のチューナで選局したチャンネルで放送される番組がバルク番組か非バルク番組かを判定する。そして、非バルク番組のときは、上記バルク関連情報を参照し、他のチャンネルでバルク番組が放送されていないかどうかを調べる。その結果、他のチャンネルでバルク番組が放送されていれば、その物理チャンネルを第２のチューナで選局しておくという処理を行う。つまり、非バルク番組を視聴する場合はチューナは１つしか使わないため、使わないほうのチューナで他のバルク番組のチャンネルを先に選局しておくという処理を行うものである。このような処理を行っておくことで、例えば、後に第１のチューナ３０３２で当該バルク番組のチャンネルが選局された際に、第２のチューナ３０３３は既に選局済みの状態であるため、速やかにバルク番組の再生にかかる処理（トランスポートストリームの合成やデコード処理等）を進めることができる。その結果、利用者による選局操作が行われてから実際に画面に番組の映像が表示されるまでの時間を短縮することが可能となる。【０２５３】
以下、図３６を用いて、受信装置３０３０で実行される番組選局再生処理の詳細動作を説明する。なお、図３６は、利用者がリモコン３０４９等で選局操作を行ったときに受信装置３０３０によって実行される番組選局再生処理を示すフローチャートである。【０２５４】
図３６において、まず、ステップＳ３００１において、リモコン３０４９からの選局情報が取得される。すなわち、ＣＰＵ３０４６は、リモコン処理部３０４７を介して、利用者の選局操作内容を示す情報を取得する。次に、ステップＳ３００２において、当該選局情報に基づき、第１のチューナ３０３２で選局処理が実行される。より具体的には、ＣＰＵ３０４６は、利用者の選局した物理チャンネルを選局させるための制御信号を第１のチューナ３０３２に出力する。これに応じて、第１のチューナ３０３２は、利用者が指示した物理チャンネルを選局する。【０２５５】
次に、ステップＳ３００３において、ＴＭＣＣ情報の取得、および、全物理チャンネルについての接続フラグ３１３２を調べる処理が実行される。より具体的には、第１のチューナ３０３２で選局した物理チャンネルの受信信号からＴＭＣＣ信号が分離され、第１のＴＭＣＣ復号部３０３８に入力される。第１のＴＭＣＣ復号部３０３８においてＴＭＣＣ情報が復号され、ＴＭＣＣ制御部３０４０に出力される。ＴＭＣＣ制御部３０４０は、ＴＭＣＣ情報からバルク関連情報（図３３参照）を抽出し、ＣＰＵ３０４６に出力する。ＣＰＵ３０４６は、当該バルク関連情報に含まれている全物理チャンネルの接続フラグ３１３２を参照し、接続フラグがオンに設定されている物理Ｃｈ番号３１３１を取得する。【０２５６】
次に、ステップＳ３００４において、上記ステップＳ３００２で選局された物理チャンネルがバルク番組が放送されるチャンネルであるか否かが判定される。すなわち、ＣＰＵ３０４６は、上記ステップＳ３００３で取得した物理Ｃｈ番号３１３１にステップＳ３００２で選局された物理チャンネル番号が含まれているか否かを判定する。当該判定の結果、上記ステップＳ３００２で選局された物理チャンネルでは、バルク番組が放送されない、すなわち、非バルク放送が放送されるときは（ステップＳ３００４でＮＯ）、続くステップＳ３００５において、ステップＳ３００３で取得した物理Ｃｈ番号３１３１が参照され、他の物理チャンネルでバルク番組が放送されているか否かが判定される。当該判定の結果、他の物理チャンネルでもバルク番組は放送されていない、すなわち、上記選局操作を行った時間帯にはバルク番組が放送されていないような場合は（ステップＳ３００５でＮＯ）、後述するステップＳ３００７の処理に進む。【０２５７】
一方、他の物理チャンネルでバルク番組が放送されているときは（ステップＳ３００５でＹＥＳ）、続くステップＳ３００６において、第２のチューナ３０３３が開放されているか否かが判定される。ここで、「開放されていない」状態とは、例えば２画面表示や裏番組の録画等が行われており、第２のチューナが現在使用中であるような状態のことを言い、「開放されている」状態は、第２のチューナ３０３３が現在使用されていない状態のことを言う。当該判定の結果、第２のチューナ３０３３が開放されていないときは（ステップＳ３００６でＮＯ）、ステップＳ３００８において、第２のチューナ３０３３の現在の選局状態を維持する。その後、処理が後述のステップＳ３００８に進められる。【０２５８】
一方、第２のチューナ３０３３が開放されているときは（ステップＳ３００６でＹＥＳ）、ステップＳ３００７において、バルク番組が放送されている他の物理チャンネルを第２のチューナ３０３３で選局する。このとき、複数のバルク番組が放送されているときは、第１のチューナ３０３２で選局している物理チャンネルに最も近いバルク番組の物理チャンネルを第２のチューナ３０３３で選局する（差が付けられない場合は、ランダムに一方を選択する）。ここで、当該バルク番組の伝送には２つの物理チャンネルが利用されているが、本実施形態では、この２つの物理チャンネルのうち、第１のチューナ３０３２で選局している物理チャンネルから遠い方の周波数のチャンネルを選局する（ここでは、周波数は、１ｃｈ＜２ｃｈ・・・＜４ｃｈ・・・＜９ｃｈ・・・の関係であるとする）。例えば、第１のチューナ３０３２で４ｃｈを選局し、同時間帯に１ｃｈおよび２ｃｈを利用してバルク番組が放送されているとする。このような場合は、１ｃｈを第２のチューナ３０３３で選局する。また、同様に第１のチューナ３０３２で４ｃｈを選局し、同時間帯に８ｃｈおよび９ｃｈを利用してバルク番組が放送されている場合は、９ｃｈを第２のチューナ３０３３で選局する。これは、リモコンのチャンネルアップダウンボタンでの操作（つまり、チャンネル番号が順次／逆次で指定される操作）を想定したものである。すなわち、４ｃｈからチャンネルアップの操作が行われた場合、４ｃｈ→５ｃｈ→６ｃｈ・・・と切り替わり、８ｃｈが先に選局されることになる。このような場合に、８ｃｈが選局された時点で、既に９ｃｈは選局済みであるという状態にするために、上記のように、２つの物理チャンネルのうち、第１のチューナ３０３２で選局している物理チャンネルから遠い方の物理チャンネルを選局するようにしている。【０２５９】
なお、当該ステップＳ３００７による第２のチューナ３０３３による選局の結果、その後に上記ステップＳ３００６の判定が行われたときは、第２のチューナ３０３３は「開放されていない」と判定されることになる。その結果、上記４ｃｈ→５ｃｈ〜８ｃｈが選局されるまでの各操作においては、第２のチューナ３０３３による９ｃｈの選局が維持されている状態となる。【０２６０】
ステップＳ３００７の処理の次に、ステップＳ３００９において、第１のチューナ３０３２で選局した物理チャンネルで放送されている非バルク番組の再生のための処理が開始される。より具体的には、ＴＭＣＣ制御部４０は、上記ＴＭＣＣ情報から伝送パラメータ等を取得する。そして、ＴＭＣＣ制御部３０４０は、当該伝送パラメータに基づいた復調処理を実行させるための制御信号を第１の復調部３０３４に出力する。これに応じて、第１の復調部３０３４は、主信号（番組のデータが含まれている信号）の復調を開始する。復調された主信号は、第１の主信号誤り訂正復号部３０３６に出力される。そして、第１の主信号誤り訂正復号部３０３６において誤り訂正処理が行われることによって得られたトランスポートストリームがＴＳ合成・分離部３０４１に出力される。ＴＳ合成・分離部３０４１では、ＣＰＵ３０４６からの制御信号に基づいて、当該トランスポートストリームからＡＶストリームを分離し、第１のＡＶデコーダ３０４２へ出力する処理が開始される。更に、第１のＡＶデコーダ３０４２は、ＣＰＵ３０４６からの制御信号に基づいて、当該ＡＶストリームのデコード処理を開始し、デコード結果である映像・音声信号を第１の表示部３０４４に出力する処理を開始する。以上のような処理が実行されることで、非バルク番組が画面に表示される。【０２６１】
一方、上記ステップＳ３００４の判定の結果、バルク番組が放送される物理チャンネルが選局されたときは（ステップＳ３００４でＹＥＳ）、ステップＳ３０１０において、上記バルク関連情報を参照して、接続対象Ｃｈ３１３３で示される物理チャンネルを第２のチューナ３０３３で選局する。但し、上記のように、事前に非バルク番組の物理チャンネルが選局されたことにより、先行して接続対象ｃｈが選局されていた場合は、このステップＳ３０１０の処理はスキップされる。これにより、第２のチューナ３０３３での選局にかかる処理を省略することが可能となる。換言すれば、最初に行われた選局操作でバルク放送の物理チャンネルが選局された場合は、本ステップが実行されることになる。【０２６２】
次に、ステップＳ３０１１において、バルク番組を再生するための処理が実行される。具体的には、第１のチューナ３０３２経由で得られたトランスポートストリームと第２のチューナ３０３３経由で得られたトランスポートストリームがそれぞれＴＳ合成・分離部３０４１に出力され、両トランスポートストリームを合成する処理が開始される。そして、合成されたトランスポートストリームからバルク番組にかかるＡＶストリームと低階層番組にかかるＡＶストリームが分離され、バルク番組にかかるＡＶストリームが第１のＡＶデコーダ３０４２に出力される。第１のＡＶデコーダ３０４２は、当該バルク番組にかかるＡＶストリームをデコードし、映像・音声信号を第１の表示部３０４４に出力する処理を開始する。これにより、バルク番組が画面に表示されることになる。【０２６３】
以上のように、本実施形態では、第１のチューナ３０３２で非バルク番組を選局した際に、第２のチューナ３０３３を用いて、他の物理チャンネルで放送されているバルク番組にかかる物理チャンネルを選局しておく。このようにあらかじめバルク番組にかかる物理チャンネルを選局しておくことにより、その後、当該バルク番組の物理チャンネルが第１のチューナ３０３２で選局されたとき、第２のチューナ３０３３での選局処理を省略することができる。その結果、視聴者がバルク番組の物理チャンネルを選局してから実際にバルク番組が画面に表示されるまでにかかる時間を短縮することができ、視聴者にとって利便性の高いデジタル放送受信装置を提供することができる。【０２６４】
なお、上記実施形態では、非バルク番組の例としてハイビジョン規格の動画像コンテンツを例としたが、非バルク番組は、ＳＤ（Standard Definition）規格の動画像コンテンツであっても良い。また、上記低階層番組についても同様に、ＳＤ規格の動画像コンテンツとしてもよい。【０２６５】
また、上記ステップＳ３００７の処理に関して、上記の実施形態では、リモコン３０４９のチャンネルアップダウンボタンでの操作を想定し、第１のチューナ３０３２で選局している物理チャンネルに最も近いバルク番組のチャンネルを第２のチューナ３０３３で選局するようにしていた。これに限らず、第２のチューナ３０３３で選局する物理チャンネルを次のようにして決定するようにしてもよい。まず、受信装置３０３０において、各チャンネルの視聴履歴をフラッシュメモリ３０４８に記録しておくようにする。また、利用者の選局操作についての操作履歴もフラッシュメモリ３０４８に記録しておくようにする。具体的には、リモコン３０４９のチャンネルアップダウンによる選局操作の回数と、数字キーの押下による選局操作の回数を示す情報をフラッシュメモリに記録しておくようにする。【０２６６】
そして、上記ステップＳ３００７の処理において、フラッシュメモリ３０４８の操作履歴を参照し、選局操作として、チャンネルアップダウンボタンによる選局操作の回数が多いか、数字キーの押下による選局、いわゆるダイレクト選局による操作の回数が多いかを判定する。その結果、チャンネルアップダウンによる選局操作の回数のほうが多い場合は、上述したような処理が実行されるように構成する。一方、ダイレクト選局による選局操作の回数が多い場合は、次に、フラッシュメモリ３０４８の視聴履歴を参照する。そして、上記ステップＳ３００３の処理の結果検出された、バルク番組を放送している物理チャンネルの中で、利用者が最も良く視聴していた物理チャンネルを検索し、選局するようにしてもよい。【０２６７】
（第８の実施形態）
次に、図３７から図３８を参照して、本発明の第８の実施形態について説明する。上述の第７の実施形態では、非バルク番組の選局時に、第２のチューナ３３による先行選局を行うことで、バルク番組のチャンネル選局時の画面表示までの時間を短縮していた。これに対して、第８の実施形態では、バルク放送選局操作時に、バルク番組に階層伝送されてくる上記低階層番組を先に画面に出力する処理を行う。これは、低階層番組については片方のチャンネルが受信できていれば再生可能であること、および、情報量が少ない分、処理速度も速く、上記のように番組内容については同じものであることから、先に低階層番組を画面に出すことで、選局操作から画面出力までの時間を短縮するためである。【０２６８】
図３７は、本発明の第８の実施形態に係る受信装置３０５０の構成を示したブロック図である。当該実施形態に係る受信装置３０５０は、上述した第７の実施形態で図３４を用いて説明した受信装置３０３０の機能構成に第１のＯＳＤ作成・合成部３０５１および第２のＯＳＤ作成・合成部３０５２を加えたものに相当し、他の構成部は、第１の実施形態と同様である。従って、第１のＯＳＤ作成・合成部３０５１および第２のＯＳＤ作成・合成部３０５２以外の構成部については同一の参照符号を付して詳細な説明を省略する。【０２６９】
図３７において、第１のＯＳＤ作成・合成部３０５１は、第１のＡＶデコーダ３０４２が第１の表示部３０４４に出力した画面の上に重ねて表示するための画面（以下、ＯＳＤ表示と呼ぶ）を生成する。そして、第１のＯＳＤ作成・合成部３０５１は、第１のＡＶデコーダ３０４２からの出力と当該ＯＳＤ表示を合成して第１の表示部３０４４に出力する。また、第２のＯＳＤ作成・合成部３０５２は、第２のＡＶデコーダ３０４３が第２の表示部３０４５に出力した画面の上に重ねて表示するためのＯＳＤ表示を生成し、第２のＡＶデコーダ３０４３からの出力と合成して第２の表示部３０４５に出力する。【０２７０】
次に、第８の実施形態における受信装置３０５０の処理について説明する。図３８は、第８の実施形態にかかる受信装置３０５０で実行される選局再生処理の詳細を示すフローチャートである。図３８において、まず、ステップＳ３０２１において、リモコン３０４９からの選局情報が取得される。すなわち、ＣＰＵ３０４６は、リモコン処理部３０４７を介して、利用者の選局操作内容を示す情報を取得する。【０２７１】
次に、ステップＳ３０２２において、当該選局情報に基づき、第１のチューナ３０３２で選局処理が実行される。より具体的には、ＣＰＵ３０４６は、利用者の選局したチャンネルを選局させるための制御信号を第１のチューナ３０３２に出力する。これに応じて、第１のチューナ３０３２は、利用者が指示したチャンネルを選局する。【０２７２】
次に、ステップＳ３０２３において、ＴＭＣＣ信号からバルク関連情報が取得される。そして、当該バルク関連情報に含まれている全物理チャンネルの接続フラグ３１３２が参照され、接続フラグがオンに設定されている物理Ｃｈ番号３１３１が取得される。【０２７３】
次に、ステップＳ３０２４において、上記ステップＳ３０２２で選局された物理チャンネルがバルク番組の放送される物理チャンネルであるか否かが判定される。当該判定の結果、非バルク番組が放送される物理チャンネルであるときは（ステップＳ３０２４でＮＯ）、上記第７の実施形態で説明したステップＳ３００９と同様の処理が実行されることで非バルク番組の再生処理が開始される。【０２７４】
一方、バルク番組が放送される物理チャンネルであるときは（ステップＳ３０２４でＹＥＳ）、続くステップＳ３０２５において、上記低階層番組を再生するための処理が開始される。すなわち、第１のチューナ３０３２経由で得られたトランスポートストリームがＴＳ合成・分離部３０４１に出力され、低階層番組にかかるＡＶストリームが分離されて、第１のＡＶデコーダ３０４２に出力される。第１のＡＶデコーダ３０４２は、低階層番組にかかるＡＶストリームをデコードし、低階層番組の映像・音声信号を第１の表示部３０４４に出力する処理を開始する。その結果、低階層番組が画面に表示されることになる。【０２７５】
次に、ステップＳ３０２６において、ＯＳＤ表示を生成し、第１の表示部３０４４に出力する処理が実行される。ここで、当該ＯＳＤ表示の内容は、利用者に対して、画面表示をスーパーハイビジョン映像（ＳＨＶ）に切り替えるか否かを問い合わせるための表示である。例えば、「スーパーハイビジョン映像に切り替えますか？」のようなメッセージである。ＣＰＵ３０４６は、このようなＯＳＤ表示を生成させ、第１の表示部３０４４の画面に合成して表示させるための制御信号を第１のＯＳＤ作成・合成部３０５１に出力する。そして、ＣＰＵ３０４６は、利用者からの返答操作の受付を行う。【０２７６】
次に、ステップＳ３０２７において、ステップＳ３０２６で表示した問い合わせに対する利用者の返答内容の判定が行われる。当該判定の結果、スーパーハイビジョン映像への切替を希望しない旨の返答内容のときは（ステップＳ３０２７でＮＯ）、そのまま処理は終了する。その結果、第１の表示部３０４４には、低階層番組が出力され続けることになる。【０２７７】
一方、スーパーハイビジョン映像への切替を希望する旨の返答内容であれば（ステップＳ３０２７でＹＥＳ）、続くステップＳ３０２８において、第２のチューナ３０３３で接続対象チャンネルを選局するための処理が実行される。続くステップＳ３０２９において、第１の実施形態で説明したステップＳ３０１１と同様の処理が実行され、バルク番組を再生するための処理が開始される。その結果、第１の表示部３０４４には、バルク番組が表示されることになる。以上で、第２の実施形態にかかる受信再生処理は終了する。【０２７８】
以上のように、第８の実施形態では、バルク番組を放送している物理チャンネルが選局されたとき、バルク番組の表示を行う前に、低階層番組を先行して表示するようにしている。これにより、利用者が選局操作を行ってから、実際に画面に番組が表示されるまでにかかる時間を短縮することができる。【０２７９】
なお、上記第８の実施形態では、図３８のステップＳ３０２８における第２のチューナ３０３３での選局処理を上記ＯＳＤ表示によるメッセージに対する返答を受けてから行うようにしていたが、これに限らず、ＯＳＤ表示を行う前（図３８のステップＳ３０２５の次のタイミング）あるいはＯＳＤ表示のメッセージに対する返答操作を受け付ける前（図３８のステップＳ２６の次のタイミング）に第２のチューナ３０３３での選局処理を行っておくようにしてもよい。これにより、利用者がスーパーハイビジョン映像への切替を指示した後に実際にバルク番組が表示されるまでの時間を短縮することができる。【０２８０】
（第９の実施形態）
次に、図３９から図４０を参照して、本発明の第９の実施形態について説明する。上述の第７の実施形態では、非バルク番組の選局時に、第２のチューナ３０３３による先行選局を行うことで、バルク番組の物理チャンネル選局時の画面表示までの時間を短縮していた。これに対して、第９の実施形態では、非バルク番組の選局時に、ＥＰＧ（Electronic Program Guide）を参照し、今後放送予定の番組にバルク番組があるか否かを判定する。そして、バルク番組が放送予定であれば、そのバルク番組の物理チャンネルを選局しておくという処理を行う。そのため、何らかの形でＥＰＧが受信装置に送信されている必要があるが、本実施形態では、送信装置から送信される放送信号にＥＰＧが含まれているものとする。これにより、後にバルク番組が選局されたときに、第７の実施形態と同様に、第２のチューナ３０３３にかかる選局動作を省略することができ、利用者の選局指示から実際に映像が表示されるまでの時間をより短縮することが可能となる。【０２８１】
図３９は、本発明の第９の実施形態に係る受信装置３０６０の構成を示したブロック図である。当該実施形態に係る受信装置３０６０は、上述した第７の実施形態で図３４を用いて説明した受信装置３０の機能構成にＥＰＧ情報取得部３０６１を加えたものに相当し、他の構成部は、第７の実施形態と同様である。従って、ＥＰＧ情報取得部３０６１以外の構成部については同一の参照符号を付して詳細な説明を省略する。【０２８２】
図３９において、ＴＳ合成・分離部３０４１はＥＰＧ情報取得部３０６１を含んでいる。ＥＰＧ情報取得部３０６１は、第１の主信号誤り訂正復号部３０３６から出力されるトランスポートストリームからＥＰＧにかかるデータを分離して取得する。また、ＣＰＵ３０４６からの制御信号に基づいて、当該ＥＰＧから所定の条件に合致する番組を検索し、検索結果をＣＰＵ３０４６に出力する。ここで、当該ＥＰＧには、各番組の放送時間や放送内容に関するデータの他に、各番組が上記バルク番組であるか否かを示す情報およびバルク放送を構成する物理チャンネルを示す情報が含まれている。そのため、ＥＰＧ情報取得部３０６１は、ＣＰＵ３０４６からの制御信号に応じて、所定時間以内に放送予定のバルク番組およびその構成チャンネルをＥＰＧから検索することが可能に構成されている。なお、ＥＰＧ情報取得部６１は、例えばインターネットからＥＰＧを取得するよう構成されていても良い。【０２８３】
次に、第９の実施形態における受信装置３０６０の処理について説明する。図４０は、第９の実施形態にかかる受信装置３０６０で実行される選局再生処理の詳細を示すフローチャートである。ここで、当該フローチャートの処理は、利用者の選局操作の結果、非バルク番組のチャンネルが選局された場合を前提として説明する。【０２８４】
図４０において、まず、ステップＳ３０４１において、リモコン３０４９からの選局情報が取得される。すなわち、ＣＰＵ３０４６は、リモコン処理部３０４７を介して、利用者の選局操作内容を示す情報を取得する。【０２８５】
次に、ステップＳ３０４２において、当該選局情報に基づき、第１のチューナ３０３２で選局処理が実行される。より具体的には、ＣＰＵ３０４６は、利用者の選局したチャンネルを選局させるための制御信号を第１のチューナ３０３２に出力する。これに応じて、第１のチューナ３０３２は、利用者が指示した物理チャンネルを選局する。ここでは、上記のように非バルク番組が放送されている物理チャンネルが選局されるものとする。【０２８６】
その後、上記第７の実施形態で説明したような、非バルク番組を再生するための各種処理が実行され、選局された物理チャンネルの非バルク番組の再生が開始される。【０２８７】
次に、ステップＳ３０４３において、ＥＰＧが取得される。すなわち、ＣＰＵ３０４６は、ＥＰＧ情報取得部３０６１にＥＰＧを取得させるための制御信号を出力する。これに応じて、ＥＰＧ情報取得部３０６１は、第１の主信号誤り訂正復号部３０３６から出力されるトランスポートストリームから当該ＥＰＧを取得する。【０２８８】
次に、ステップＳ３０４４において、現在時刻から所定の時間以内に放送予定のバルク番組が存在するか否かが判定される。具体的には、ＣＰＵ３０４６は、検索条件として、「現在時刻から１時間以内」、「バルク番組」という検索条件を指定した検索指示の制御信号をＥＰＧ情報取得部３０６１に出力する。これに応じて、ＥＰＧ情報取得部３０６１は上記取得したＥＰＧから当該条件に合致する番組を全ての物理チャンネルを対象として検索する。検索の結果、当該条件に合致するバルク番組が存在しないときは（ステップＳ３０４４でＮＯ）、上記ステップＳ３０４３に戻り処理を繰り返す。【０２８９】
なお、上記検索対象とする時間はあくまで一例であり、「現在時刻から２時間以内」等のようにしてもよいことは言うまでもない。【０２９０】
一方、当該条件に合致するバルク番組が存在すれば（ステップＳ３０４４でＹＥＳ）、当該バルク番組を構成する物理チャンネル番号を取得し、ＣＰＵ３０４６に出力する。続くステップＳ３０４５において、上記放送予定のバルク番組を構成する２つの物理チャンネルのうち、いずれか一方のチャンネルを第２のチューナ３０３３で選局させる処理が実行される。バルク番組を構成する２つの物理チャンネルのうち、いずれのチャンネルを選択するかについては、上記第１の実施形態で説明したような手法で決定すればよい。【０２９１】
次に、ステップＳ３０４６において、上記放送予定のバルク番組の放送時間帯において、上記ステップＳ３０４５において第２のチューナ３０３３で選局されなかったほうの物理チャンネルが第１のチューナ３０３２で選局されたか否かが判定される。当該判定の結果、選局されていないときは、第２のチューナ３０３３で選局されなかったほうの物理チャンネルが第１のチューナ３０３２で選局されるまで、当該ステップＳ３０４６の処理を繰り返す。【０２９２】
一方、第２のチューナ３０３３で選局されなかったほうの物理チャンネルが第１のチューナ３０３２で選局されたときは（ステップＳ３０４６でＹＥＳ）、続くステップＳ３０４７において、選局された物理チャンネルのバルク番組を再生するための処理が開始される。２つの物理チャンネル選局後におけるバルク番組再生のための処理は、第７の実施形態を同様であるため、説明は省略する。以上で、第９の実施形態にかかる選局再生処理は終了する。【０２９３】
以上のように、第９の実施形態では、ＥＰＧを利用して放送予定のバルク番組を検索しておき、放送予定のバルク番組のチャンネルの一方を第２のチューナ３０３３で先行して選局する。これにより、利用者の選局操作に基づいて第１のチューナ３０３２でバルク番組にかかる物理チャンネルが選局された際に、第２のチューナ３０３３による選局処理を省略することができる。その結果、利用者の選局操作が行われてからバルク番組にかかる映像・音声が実際に出力されるまでの待ち時間を短縮することが可能となる。【０２９４】
なお、上記ステップＳ４４におけるＥＰＧからのバルク番組の検索条件については、全てのチャンネルを検索対象とすることに限らず、上記ステップＳ３０４２において第１のチューナ３０３２で選局された物理チャンネルのみを検索対象とするようにしてもよい。これにより、検索速度を速めることができる。【０２９５】
次に、本発明の第１０の実施形態について説明する。まず、第１０の実施形態の詳細を説明するに先立ち、第１０の実施形態で共通して想定しているデジタル放送システムにおける伝送の概要について説明する。本実施形態では、いわゆるハイビジョン規格の動画像コンテンツと、いわゆるスーパーハイビジョン規格の動画像コンテンツとを混在して放送するデジタル放送システムを想定している。例えば、あるチャンネルにおいて、午後７：００〜午後８：００まではハイビジョン規格の動画像コンテンツを放送し、午後８：００〜午後１０：００まではスーパーハイビジョン規格の動画像コンテンツを放送するような場合を想定している。ここで、ハイビジョン規格で構成された番組については、その情報量は１つの物理チャンネルで伝送可能な情報量であるものとする。一方、スーパーハイビジョン規格で構成された番組については、１つの物理チャンネルだけでは伝送できない情報量を有するものとする。そのため、ハイビジョン規格で構成されている番組を放送する場合は、１つの物理チャンネルで１つの番組を伝送するが、スーパーハイビジョン規格で構成された番組については、図４１に示すように、その放送データ（トランスポートストリーム）４１０１を２つに分割し、２つの物理チャンネル４１１１および４１１２で伝送する。以下、このような１つの番組を２つの物理チャンネルを用いて伝送する（つまり、２つの物理チャンネルを束ねて１本の伝送路として使う）ことをバルク伝送と呼ぶ。また、当該バルク伝送によって伝送される、上記スーパーハイビジョン規格で構成された番組をバルク番組と呼び、１つの物理チャンネルで伝送可能なハイビジョン規格で構成されている番組を非バルク番組と呼ぶ。そのため、上記の時間帯を例に取ると、例えば、午後７：００〜午後８：００までは、物理チャンネル１と物理チャンネル２（以下、単にＣｈ１、Ｃｈ２・・のように呼ぶ）とではそれぞれ異なる内容の非バルク番組が表示されることになり、午後８：００〜午後１０：００までは、両チャンネルとも同じ内容のバルク番組が表示されていることになる。つまり、いずれのチャンネルを選局しても、同じ番組が画面に表示される。【０２９６】
ここで、本実施形態では、上記バルク番組をバルク伝送する際に、伝送に用いられる２つの物理チャンネルのうち、一方のチャンネルについて階層伝送を行うようにしている。具体的には、送信側で、上記バルク番組と同内容のコンテンツをハイビジョン規格で生成する（以下、当該ハイビジョン規格のコンテンツを低階層番組と呼ぶ）。つまり、バルク番組と低階層番組とは、ハイビジョン規格で作成されたかスーパーハイビジョン規格で作成されたかの違いがあるだけで、その番組内容（放送される内容）は同じものである。そして、本実施形態では、変調方式として、バルク番組に関しては、３２ＡＰＳＫ（Amplitude Phase Shift Keying）を用い、当該低階層番組についてはＱＰＳＫ（quadrature phase shift keying）を用いて変調する。低階層番組（ハイビジョン規格）は、バルク番組のものよりは情報量が少ないため、伝送するためのネットワーク帯域も少なくて済む。そして、本実施形態では、図４１に示すように、バルク伝送を行うチャンネルのうち一方のチャンネルについてはバルク番組４１０１ａと低階層番組４１０２との階層伝送を行っている。なお、上記非バルク番組や低階層番組の映像規格については、ハイビジョン映像に限らずＳＤ（Standard Definition）映像であってもよい。【０２９７】
図４２は、上記のような放送を行うための送信側の設備（送信装置）の一例を示す機能ブロック図である。図４２に示す送信装置は、ＳＨＶ符号化部４０１１と低階層符号化部４０１２と合成部４０１３と、分配部４０１４と、ＨＶ符号化部４０１５ａおよび４０１５ｂと、切替スイッチ部４０１６ａおよび４０１６ｂと、変調部４０１７ａおよび４０１７ｂと、送信アンテナ４０１８とで構成されている。【０２９８】
図４２において、まず、スーパーハイビジョン映像の番組が送信される場合について説明する。この場合、切替スイッチ部４０１６ａおよび４０１６ｂのスイッチは、変調部４０１７ａおよび４０１７ｂが分配部４０１４と接続されるように設定される。このようにスイッチが設定された状態で、スーパーハイビジョン映像の番組がＳＨＶ符号化部４０１１に出力され、所定の符号化形式で符号化（エンコード）されて上記バルク番組４１０１として合成部４０１３に出力される。また、当該スーパーハイビジョン映像の番組は、低階層符号化部４０１２にも出力され、所定の符号化形式で符号化され（ここでは、ハイビジョン規格相当の画質になるよう符号化されるものとする）、上記低階層番組４１０２として合成部４０１３に出力される。合成部４０１３では、バルク番組４１０１と低階層番組４１０２を多重化したトランスポートストリームを生成し、分配部４０１４に出力する。分配部４０１４では、当該トランスポートストリームを所定の規則に基づいて切替スイッチ部４０１６ａおよび４０１６ｂという２つの出力先に分配する（このとき、低階層番組にかかるデータは切替スイッチ部４０１６ａおよび４０１６ｂのいずれか一方の経路にのみ出力される）。出力されたデータは、それぞれ変調部４０１７ａおよび４０１７ｂに入力され、所定の方式で放送信号に変調される。そして、それぞれ異なる物理チャンネルを用いて、送信アンテナ４０１８から出力される。その結果、図４１を例に取ると、一方の物理チャンネルでは上記低階層番組４１０２と上記分割されたスーパーハイビジョン番組４１０１ａが階層伝送され、他方の物理チャンネルでは、上記分割された残りの分のスーパーハイビジョン番組４１０１ｂのみが伝送されることになる。【０２９９】
次に、上記非バルク番組を送信する場合を説明する。この場合は、それぞれ異なる内容の２つの非バルク番組が異なるチャンネルでそれぞれ送信される。切替スイッチ部４０１６ａおよび４０１６ｂについては、変調部４０１７ａがＨＶ符号化部４０１５ａと接続され、変調部４０１７ｂがＨＶ符号化部４０１５ｂと接続されるように切替えられる。そして、ハイビジョン映像の番組であるハイビジョン番組ＡがＨＶ符号化部４０１５ａに入力され、所定の符号化形式で符号化される。また、ハイビジョン番組Ａとは異なる内容であるハイビジョン番組ＢがＨＶ符号化部４０１６ｂに入力され、所定の符号化形式で符号化される。そして、符号化されたハイビジョン番組ＡがＨＶ符号化部４０１５ａから変調部４０１７ａへと出力され、放送信号に変調される。同様に、符号化されたハイビジョン番組ＢがＨＶ符号化部４０１５ｂから変調部４０１７ｂへと出力され、放送信号に変調される。そして、それぞれ異なるチャンネルを使って送信アンテナ４０１８から送信される。このように、本実施形態では、バルク番組と非バルク番組の出力を適宜切替ながらデジタル放送を行っている。【０３００】
ここで、上記バルク伝送に関して、受信装置側（２つの物理チャンネルを同時に受信する必要があるため、少なくとも２つのチューナを備えている）においては、バルク番組を再生するための情報、例えば、どの物理チャンネルとどの物理チャンネルの組み合わせでバルク番組が構成されるか等の情報（以下、バルク関連情報と呼ぶ）が必要となる。本実施形態では、当該バルク関連情報を、いわゆるＴＭＣＣ（Transmission and Multiplexing Configuration Control）信号（伝送パラメータ等を含む信号）に載せて送信するものとする。受信装置側では、いずれか１つのチューナで選局・受信した放送信号からＴＭＣＣ信号を分離し、上記バルク関連情報を得る。そして、当該バルク関連情報に基づいて、これから送信されてくる番組がバルク番組であるか否かや、バルク番組の場合はどのチャンネルとの組み合わせで構成されているか等を判定し、選局・合成等を行う処理が実行されることになる。【０３０１】
図４３は、本実施形態で用いられる上記バルク関連情報の一例を示す図である。バルク関連情報は、物理Ｃｈ番号４１３１と接続フラグ４１３２と接続対象Ｃｈ４１３３の集合から構成されている。バルク関連情報には、全ての物理チャンネルについての情報が含まれており、物理Ｃｈ番号４１３１は、物理チャンネルの番号を示す。接続フラグ４１３２は、放送される番組がバルク番組か非バルク番組かを識別するためのフラグである。接続フラグ４１３２がオンに設定されているときは、その物理チャンネルで伝送される番組がバルク番組であることを示す。また、オフに設定されているときは、その物理チャンネルのみを使用して非バルク番組が放送されることを示す。【０３０２】
接続対象Ｃｈ４１３３は、その物理チャンネルで放送される番組がバルク番組である場合に、その物理チャンネルと共に当該バルク番組を構成している物理チャンネル番号を示すためのデータである。図４３の例では、例えばＷチューナ構成の受信装置において、一方のチューナでＣｈ１を選局して図４３のようなバルク関連情報を取得した場合、Ｃｈ１で放送される番組がバルク番組であること、および、当該バルク番組は物理チャンネル１と物理チャンネル２とで構成されることがわかる。そのため、バルク番組を再生するためには、他方のチューナでＣｈ２を選局する必要があることがわかる。【０３０３】
このように、本実施形態が想定するデジタル放送システムでは、バルク番組と非バルク番組とを混在して放送し、バルク番組については２つの物理チャンネルを使ってバルク伝送を行っている。以下に説明する各実施形態における受信装置は、上記の様に送信されるデジタル放送を受信するためのものである。【０３０４】
（第１０の実施形態）
次に、本発明の第１０の実施形態にかかる受信装置について説明する。図４４は、第１０の実施形態にかかる受信装置４０３０の一例を示す機能ブロック図である。図４４において、受信装置４０３０は、アンテナ４０３１と、第１のチューナ４０３２と、第２のチューナ４０３３と、第１の復調部４０３４と、第２の復調部４０３５と、第１の主信号誤り訂正復号部４０３６と、第２の主信号誤り訂正復号部４０３７と、第１のＴＭＣＣ復号部４０３８と、第２のＴＭＣＣ復号部４０３９と、ＴＭＣＣ制御部４０４０と、ＴＳ合成・分離部４０４１と、第１のＡＶデコーダ４０４２と、第２のＡＶデコーダ４０４３と、第１のＯＳＤ作成・合成部４０４４と、第２のＯＳＤ作成・合成部４０４５と、第１の表示部４０４６と第２の表示部４０４７と、ＣＰＵ４０４８と、リモコン処理部４０４９と、フラッシュメモリ４０５０と、リモコン４０５１とで構成される。【０３０５】
第１のチューナ４０３２および第２のチューナ４０３３は、ＣＰＵ４０４８からの制御信号に基づいて所定の物理チャンネルを選局し、デジタル放送信号をアンテナ４０３１を介して受信する。【０３０６】
第１の復調部４０３４は、第１のチューナ４０３２から出力される受信信号をデジタル信号に復調し、第１の主信号誤り訂正復号部４０３６および第１のＴＭＣＣ復号部４０３８に出力する。【０３０７】
第１の主信号誤り訂正復号部４０３６は、第１の復調部４０３４から出力されたデジタル信号に対して誤り訂正復号処理を実行し、トランスポートストリームを得る。そして、当該トランスポートストリームをＴＳ合成・分離部４０４１に出力する。図４５は、第１の主信号誤り訂正復号部４０３６の詳細を示すブロック図である。図４５において、第１の主信号誤り訂正復号部４０３６では、第１の復調部４０３４から出力されたデジタル信号について、デインターリーブ部４３６１でデインターリーブが行われ、内符号誤り復号部４３６２における内符号の復号、エネルギー逆拡散部４３６３におけるエネルギー逆拡散を経て外符号誤り復号部４３６４による外符号の復号が行われ、トランスポートストリームとして出力される。【０３０８】
第１のＴＭＣＣ復号部４０３８は、第１の復調部４０３４から出力されたデジタル信号（ＴＭＣＣ信号）からＴＭＣＣ情報を復号して取得する。そして、当該ＴＭＣＣ情報をＴＭＣＣ制御部４０４０に出力する。【０３０９】
第２の復調部４０３５、第２の主信号誤り訂正復号部４０３７、および、第２のＴＭＣＣ復号部４０３９は、第２のチューナ４０３３から出力される受信信号に対して、上記第１の復調部４０３４、第１の主信号誤り訂正復号部４０３６、第１のＴＭＣＣ復号部４０３８と同様の処理を行う。【０３１０】
ＴＭＣＣ制御部４０４０は、第１のＴＭＣＣ復号部４０３８から出力されるＴＭＣＣ情報（より正確には、ＴＭＣＣ情報から得られる各種伝送パラメータの情報等）に基づいて、第１の復調部４０３４および第１の主信号誤り訂正復号部４０３６を制御する。また、第２のＴＭＣＣ復号部４０３９から出力されるＴＭＣＣ情報に基づいて、第２の復調部４０３５および第２の主信号誤り訂正復号部４０３７を制御する。また、ＴＭＣＣ制御部４０４０は、取得したＴＭＣＣ情報をＣＰＵ４０４８に出力する。【０３１１】
ＴＳ合成・分離部４１は、ＣＰＵ４０４８からの制御信号に基づいて、以下のような２種類の処理モードを切り替えて実行する。まず、１つめの処理モードとして、バルク番組を再生するための処理を実行する。この場合は、ＴＳ合成・分離部４０４１は、第１の主信号誤り訂正復号部４０３６および第２の主信号誤り訂正復号部４０３７から出力されてくる両トランスポートストリームを合成することによって、送信側で２つに分割される前のトランスポートストリームを復元する。更に、ＴＳ合成・分離部４０４１は、当該合成後のトランスポートストリームから、上記バルク番組にかかるＡＶストリームと上記低階層番組にかかるＡＶストリームとを分離して取得する。そして、ＴＳ合成・分離部４０４１は、ＣＰＵ４０４８からの制御信号に基づいて、バルク番組にかかるＡＶストリーム、または、低階層番組にかかるＡＶストリームを第１のＡＶデコーダ４０４２に出力する。次に、２つめの処理モードとして、非バルク番組を再生するための処理を実行する。この場合は、ＴＳ合成・分離部４０４１は、第１の主信号誤り訂正復号部４０３６および第２の主信号誤り訂正復号部４０３７から出力されてくる両トランスポートストリームの合成は行わない。すなわち、第１の主信号誤り訂正復号部４０３６から出力されるトランスポートストリームからＡＶストリームを分離し、第１のＡＶデコーダ４０４２に出力する。また、第２の主信号誤り訂正復号部４０３７から出力されるトランスポートストリームからＡＶストリームを分離し、第２のＡＶデコーダ４０４３に出力する。以下、上記バルク番組の再生のための処理モードについてはバルク再生モードと呼び、非バルク番組の再生のための処理モードについては非バルク再生モードと呼ぶ。【０３１２】
第１のＡＶデコーダ４０４２および第２のＡＶデコーダ４０４３は、ＣＰＵ４０４８からの制御信号に基づいて、それぞれＴＳ合成・分離部４０４１から出力されたＡＶストリームをデコードして映像・音声信号を取得する。そして、第１のＡＶデコーダ４０４２は、デコードの結果得られた映像・音声信号を第１の表示部４０４６に出力する。また、第２のＡＶデコーダ４０４３は、デコードの結果得られた映像・音声信号を第２の表示部４０４７に出力する。ここで、第１のＡＶデコーダ４０４２および第２のＡＶデコーダ４０４３は、少なくとも、バルク番組のＡＶストリームと非バルク番組のＡＶストリームの双方の符号化形式に対応するデコード形式でデコード処理が可能である。そして、第１のＡＶデコーダ４０４２および第２のＡＶデコーダ４０４３は、ＣＰＵ４０４８からの制御信号に基づき、これらのデコード方式を適宜切り替えてデコード処理を実行する。【０３１３】
第１のＯＳＤ作成・合成部４０４４は、第１のＡＶデコーダ４０４２が第１の表示部４０４６に出力した画面の上に重ねて表示するためのＯＳＤ表示を生成する。そして、第１のＯＳＤ作成・合成部４０４４は、第１のＡＶデコーダ４０４２からの出力と当該ＯＳＤ表示を合成して第１の表示部４０４６に出力する。また、第２のＯＳＤ作成・合成部４０４５は、第２のＡＶデコーダ４０４３が第２の表示部４０４７に出力した画面の上に重ねて表示するためのＯＳＤ表示を生成し、第２のＡＶデコーダ４０４３からの出力と合成して第２の表示部４０４７に出力する。【０３１４】
第１の表示部４０４６および第２の表示部４０４７は、いわゆる２画面表示における各画面に相当するものである。第１の表示部４０４６は、第１のＡＶデコーダ４２から出力された映像・音声信号に基づいて映像・音声を利用者に提示する。第２の表示部４０４７は、第２のＡＶデコーダ４０４３から出力された映像・音声信号に基づいて映像・音声を利用者に提示する。【０３１５】
ＣＰＵ４０４８は、上述したようなバルク再生モード、非バルク再生モードを切り替えながら、上記第１のチューナ４０３２、第２のチューナ４０３３、ＴＳ合成・分離部４０４１、第１のＡＶデコーダ４０４２、第２のＡＶデコーダ４０４３等を制御して、バルク番組あるいは非バルク番組を利用者が視聴できるようにするための処理を実行する。【０３１６】
リモコン処理部４０４９は、リモコン４０５１からの操作信号を受信し、操作指示内容を示す信号をＣＰＵ４０４８に出力する。【０３１７】
フラッシュメモリ４０５０は、不揮発性のメモリであり、ＣＰＵ４０４８が各種制御に用いるためのデータ等が記憶される。【０３１８】
次に、以上のような受信装置４０３０で実行される選局再生処理の処理概要を説明する。以下の説明の前提として、本実施形態では、次のような状況を想定する。まず、視聴対象とするチャンネルはＣｈ１およびＣｈ２とする。そして、これらのチャンネルの放送スケジュールとして、図４６に示すようなスケジュールが組まれているとする。すなわち、午後７：００：００〜７：５９：５９は非バルク番組が放送され、午後８：００：００〜９：５９：５９まではバルク番組が放送され、午後１０：００：００〜１０：５９：５９は、また非バルク番組が放送される場合を想定する。一例として、午後７：００：００〜７：５９：５９までは、Ｃｈ１では非バルク番組としてのアニメ番組が放送され、Ｃｈ２では、非バルク番組としてのニュース番組が放送されるものとする。そして、午後８：００：００〜９：５９：５９は、Ｃｈ１およびＣｈ２でバルク番組としての映画番組が放送されるものとする。また、午後１０：００：００〜１０：５９：５９は、Ｃｈ１では非バルク番組としてのバラエティ番組が放送され、Ｃｈ２では、非バルク番組としてのドラマ番組が放送されるものとする。【０３１９】
以上のような放送スケジュールにおいて、午後７：３０：００の時点で、利用者が第１のチューナ４０３２でＣｈ１を選局したとする。この場合、午後７：５９：５９までは非バルク放送であるアニメ番組が放送され、午後８：００：００になると、バルク番組である映画番組の放送が開始されることになる。上述のように、放送される番組がバルク番組であるか非バルク番組であるかはＴＭＣＣ信号に含まれる上記バルク関連情報（図４３参照）に基づいて判別することができる。そこで、本実施形態では、当該バルク関連情報に基づいてこれから放送される番組がバルク番組であるか非バルク番組かを判定する。そして、放送内容が非バルク番組からバルク番組に切り替わる場合、上記の例では、午後８：００：００のタイミングで第２のチューナ４０３３で２ｃｈを選局し、それまで行っていた非バルク番組の再生のための処理からバルク番組の再生のための処理へと切り替える。また、このとき、本実施形態は、放送内容がバルク番組へ切り替わる旨をＯＳＤ表示を利用して表示する。その後、午後１０：００：００になり、バルク番組から非バルク番組へと切り替わるときは、それまで行っていたバルク番組の再生のための処理から非バルク番組の再生のための処理（第２のチューナを開放する等の処理）へと切り替える。また、このときもＯＳＤ表示により、バルク番組から非バルク番組へ切り替わる旨を表示する。【０３２０】
このように、第１０の実施形態では、ＴＭＣＣ信号に含まれるバルク関連情報に基づいて、放送される内容がバルク番組であるか非バルク番組であるかを判定し、その判定結果に応じて、バルク番組再生のための処理と非バルク番組再生のための処理を自動的に切り替える。これにより、２つのチューナを備えた受信装置で、バルク番組および非バルク番組の視聴の両立が可能となり、利便性の高い受信装置を提供することができる。さらに、番組内容が切り替わる旨をＯＳＤ表示するため、視聴する番組がバルク番組か否かを利用者に認識させることができ、利便性を高めることができる。【０３２１】
以下、第１０の実施形態における受信装置４０３０が行う受信再生処理の詳細を説明する。図４７は、当該受信再生処理の詳細を示すフローチャートである。ここで、図４６のフローチャートの処理は、上記図４６に示したような番組スケジュールにおいて第１のチューナ４０３２でＣｈ２を視聴している状態（上記処理モードが非バルク再生モードの状態）において実行される場合を例として説明する。【０３２２】
図４７において、まず、ステップＳ４００１において、第１のチューナ４０３２で受信した放送信号からＴＭＣＣ信号が分離され、上記バルク関連情報が取得される。【０３２３】
次に、ステップＳ４００２において、当該バルク関連情報が参照されて、Ｃｈ２で伝送されてくる番組がバルク番組であるか否かの判定が実行される。より具体的には、第１のチューナ４０３２で選局されている物理チャンネルであるＣｈ２の接続フラグ４１３２が参照されて、Ｃｈ２で伝送されてくる番組がバルク番組であるか否かの判定が実行される。上記番組スケジュールを例にとると、例えば、ニュース番組が伝送されている間は（７：００：００〜７：５９：５９）、Ｃｈ２で伝送されるＴＭＣＣ信号のバルク関連情報では、Ｃｈ２の接続フラグ４１３２には値は設定されていない状態であり、映画番組のバルク伝送がなされる間（８：００：００〜９：５９：５９）は、Ｃｈ２の接続フラグ４１３２には”Ｃｈ１”が設定されている。【０３２４】
上記ステップＳ４００２の判定の結果、これから伝送されてくる番組がバルク番組のときは（ステップＳ２でＹＥＳ；例えば８：００：００のタイミングの場合）、続くステップＳ４００３において、現在視聴している番組がバルク放送か否かが判定される。これは、例えば、上述したようなＴＳ合成・分離部４０４１の処理モードがその時点でバルク再生モードであるか非バルク再生モードであるか等によって判定する。【０３２５】
ステップＳ４００３の判定の結果、現在再生している番組が非バルク番組のときは（ステップＳ４００３でＮＯ）、現在視聴されている番組は非バルク番組であるが、これから伝送されてくる番組はバルク番組に切り替わるということになる。そのため、上記処理モードを切り替える必要が発生する。この場合、次のステップＳ４００４において、放送される番組が非バルク番組からバルク番組に切り替わる旨をＯＳＤ表示するための処理が実行される。すなわち、ＣＰＵ４０４８は、放送内容が切り替わる旨の告知メッセージ（例えば、「バルク番組放送開始」等のメッセージ）を生成させるための制御信号を第１のＯＳＤ作成・合成部４０４４に出力する。これに応じて、第１のＯＳＤ作成・合成部４０４４は当該告知メッセージを生成する。（当該告知メッセージの生成については、予め決められた文字列を所定のメモリに記憶しておいて、上記制御信号に応じて読み出すようにしても良いし、ＣＰＵ４０４８が文字列を生成して、上記制御信号に告知メッセージとなる文字列を示すデータを含めるようにしてもよい）。そして、第１のＯＳＤ作成・合成部４０４４は、当該告知メッセージを第１のＡＶデコーダ４０４２からの映像信号に合成して第１の表示部４０４６に出力する。この結果、これからバルク番組が開始される旨が画面上に表示されることになる。【０３２６】
次に、ステップＳ４００５において、バルク番組を再生するための処理が開始される。具体的には、まず、ＣＰＵ４０４８は、上記バルク関連情報を参照して、Ｃｈ２の接続対象Ｃｈ４１３３で示される物理チャンネル（本実施形態ではＣｈ１）を第２のチューナ４０３３で選局する。この結果、第１のチューナ４０３２ではＣｈ２が、第２のチューナ４０３３ではＣｈ１が選局された状態となる。そして、各チューナで受信された放送信号が復調等され、トランスポートストリームが得られる。続いて、ＣＰＵ４０４８は、ＴＳ合成・分離部４０４１に、上記処理モードをバルク再生モードに切り替えるための制御信号を出力する。その結果、ＴＳ合成・分離部４０４１は、第１のチューナ４０３２経由で得られたトランスポートストリームと第２のチューナ４０３３経由で得られたトランスポートストリームを合成する処理を開始する。そして、ＴＳ合成・分離部４０４１は、合成されたトランスポートストリームからバルク番組にかかるＡＶストリームと低階層番組にかかるＡＶストリームを分離し、バルク番組にかかるＡＶストリームを第１のＡＶデコーダ４０４２に出力する。第１のＡＶデコーダ４０４２は、当該バルク番組にかかるＡＶストリームをデコードし、映像・音声信号を第１の表示部４０４６に出力する処理を開始する。これにより、バルク番組が画面に表示される、つまり、バルク番組の再生処理が開始されることになる。その後、処理は上記ステップＳ４００１に戻る。【０３２７】
一方、上記ステップＳ４００３の判定の結果、現在再生している番組がバルク番組のときは（ステップＳ４００３でＹＥＳ）、そのまま上記ステップＳ４００１の処理に戻る。つまり、現在視聴されている番組はバルク番組であり、これから伝送されてくる番組もバルク番組であるため（つまり、バルク番組視聴中の状態；例えば図４６の午後９：００：００のタイミングの場合）、上記処理モードを切り替える必要はないことになる。【０３２８】
一方、上記ステップＳ４００２の判定の結果、これから伝送されてくる番組がバルク番組ではない場合は（ステップＳ４００２でＮＯ；例えば７：３０：００のタイミングの場合）、ステップＳ４００６において、現在視聴している番組がバルク放送か否かが判定される。これは、例えば、上述したような処理モードがその時点でバルク再生モードであるか非バルク再生モードであるか等によって判定する。【０３２９】
ステップＳ４００６の判定の結果、現在再生している番組が非バルク番組のときは（ステップＳ４００６でＮＯ）、そのまま上記ステップＳ４００１の処理に戻る。つまり、現在視聴されている番組は非バルク番組であり、これから伝送されてくる番組も非バルク番組であるため、上記処理モードを切り替える必要はないことになる。【０３３０】
一方、ステップＳ４００６の判定の結果、現在再生している番組がバルク番組のときは（ステップＳ４００６でＹＥＳ）、現在視聴されている番組はバルク番組であるが、これから伝送されてくる番組は非バルク番組に切り替わるということになる（例えば、図４５の午後１０：００：００のタイミングの場合）。そのため、上記処理モードをバルク再生モードから非バルク再生モードに切り替える必要が発生する。この場合、続くステップＳ４００７において、放送される番組がバルク番組から非バルク番組に切り替わる旨をＯＳＤ表示するための処理が実行される。すなわち、ＣＰＵ４０４８は、上記の旨を告知するメッセージ（例えば、「バルク番組放送終了」等のメッセージ）を生成させるための制御信号を第１のＯＳＤ作成・合成部４０４４に出力する。これに応じて、第１のＯＳＤ作成・合成部４０４４は当該告知メッセージを生成する。そして、第１のＯＳＤ作成・合成部４０４４は、当該告知メッセージを第１のＡＶデコーダ４０４２からの映像信号に合成して第１の表示部４０４６に出力する。この結果、これから非バルク番組が開始される旨が画面上に表示されることになる。【０３３１】
次に、ステップＳ４００８において、非バルク番組を再生するための処理が開始される。具体的には、まず、ＣＰＵ４０４８は、第２のチューナ４０３３を開放するための制御信号を第２のチューナ４０３３に出力する。この結果、第２のチューナ４０３３でのＣｈ１の選局状態が一旦解除される。更に、ＣＰＵ４０４８は、上記処理モードを非バルク再生モードに切り替えるための制御信号をＴＳ合成・分離部４０４１に出力する。その結果、ＴＳ合成・分離部４０４１は、上述したようなトランスポートストリームの合成処理は行わずに、第１のチューナ４０３２経由で得られたトランスポートストリームから非バルク番組にかかるＡＶストリームを分離して第１のＡＶデコーダ４０４２へ出力する処理を開始する。第１のＡＶデコーダ４０４２は、当該非バルク番組にかかるＡＶストリームをデコードし、映像・音声信号を第１の表示部４０４６に出力する処理を開始する。これにより、非バルク番組の再生処理が開始されることになる。その後、処理は上記ステップＳ４００１に戻る。以上で、第１０の実施形態にかかる受信再生処理の説明を終了する。【０３３２】
以上のように、本実施形態では、ＴＭＣＣ信号に含まれるバルク関連情報に基づいて、バルク番組を再生するための処理と非バルク番組を再生するための処理を自動的に切り替える。これにより、１台の受信装置でバルク番組と非バルク番組の視聴を両立することが可能となる。また、切り替わる際にＯＳＤ表示を用いて、バルク番組−非バルク番組間の切り替わる旨の表示を行うため、放送される番組がバルク番組か非バルク番組かを利用者に認識させやすくすることができる。【０３３３】
なお、上記ＯＳＤ表示に関しては、上記のような表示処理の他に、以下のような処理を行ってもよい。例えば、第１のチューナ４０３２で選局している物理チャンネルでバルク番組が開始したタイミングにおいて２画面同時表示を行っている等で、第２のチューナ４０３３が使用中の状態のときは、バルク伝送にかかる２つの物理チャンネルが選局できず、バルク番組の再生ができない。このようなときに、画面に何も表示せず、真っ暗な画面を表示してしまうと、あたかも故障が発生したかのような誤解を視聴者に与えてしまう。そこで、このような場合は、受信ができない旨をＯＳＤ表示することで、故障ではないことを視聴者に認識させるようにしてもよい。すなわち、ＣＰＵ４０４８は、バルク番組が開始するタイミング（上記ステップＳ２００２でＹＥＳの場合）において、２つのチューナを用いた選局が可能であるか否か、すなわち、バルク番組の再生・表示が可能か否かを判定する。その結果、バルク番組の表示ができないと判定したときは、上記の旨のＯＳＤ表示を行うための制御信号を第１のＯＳＤ作成・合成部４０４４に出力するようにすればよい。【０３３４】
また、上記受信装置に関しては、例えば、図４４の構成から第１、および第２の表示部を除いたような構成、いわゆる、デジタルチューナ単体という構成であってもよい。すなわち、表示部、例えばディスプレイについては利用者が別途準備し、単体のデジタルチューナと接続するという構成を採るようにしてもよい。この場合に、ディスプレイがバルク番組に非対応のディスプレイであったような場合、例えば、ディスプレイの解像度がバルク番組を表示するために十分な解像度を有していないような場合に、単にディスプレイに何も表示しないのではなく、ＯＳＤ表示を利用してディスプレイが非対応である旨を表示するようにしても良い。すなわち、ＣＰＵ４０４８に、上記接続されたディスプレイに関する情報（ディスプレイの解像度等の情報）を取得させる。そして、接続されているディスプレイでバルク番組を表示することが可能か否かを判定させ、表示できないと判定されたときに上記のようなディスプレイが非対応である旨をＯＳＤ表示する処理を実行させればよい。【０３３５】
更に、受信装置がバルク伝送の受信に非対応であるような場合、すなわち、Ｗチューナを備えてはいるが、２つの物理チャンネルで受信したトランスポートストリームを合成する機能を備えていないような場合、上記バルク番組が再生できない旨をＯＳＤ表示するようにしてもよい。すなわち、デジタル放送信号には上記バルク関連情報を含むＴＭＣＣ信号が含まれている。そこで、トランスポートストリームの合成機能を備えていない受信装置であっても、当該バルク関連情報に基づいてバルク番組が伝送されてくるか否かの判定を行うことが可能なように構成しておく（例えば、既に市場に出回っているＷチューナ構成の受信装置に対して、ファームウェアのアップデート等を行うことが考えられる）。そして、上記バルク関連情報に基づいて上記ステップＳ２と同様の判定を行い、バルク番組が伝送されるような場合は、受信装置がバルク番組の再生に非対応である旨をＯＳＤ表示するための処理を実行するようにすればよい。【０３３６】
（第１１の実施形態）
次に、図４８を参照して、本発明の第１１の実施形態について説明する。上述の第１の実施形態では、バルク番組再生中は、第１のＡＶデコーダ側の出力系統（第１のＡＶデコーダ〜第１の表示部４０４６）のみが使用されており、第２のＡＶデコーダ側の出力系統は使用されていなかった。これに対して、第１１の実施形態では、バルク番組を再生する際、当該バルク番組と共に階層伝送されている上記低階層番組を第２のＡＶデコーダ４０４３に出力し、録画のために用いる。【０３３７】
ここで、上記バルク番組は、スーパーハイビジョン映像であるが故に、その情報量も膨大なものとなっている。そのため、スーパーハイビジョン映像をそのまま録画するためには、数十〜数百テラバイト程度の記憶容量では実用的なレベルではないと考えられる。また、録画に際して、リアルタイムに圧縮処理（符号化処理）を施して記録することも考えられるが、上記のように、その情報量が膨大であるため、このような符号化処理に必要な演算能力も相当高いものが要求される。仮に、実用に耐えうるレベルの大容量の記憶媒体や高性能な演算能力を備えたＣＰＵ等を家庭用のデジタル放送受信装置に搭載することを考えても、コスト面からすると、現実的・実用的なものとは言えない。【０３３８】
そこで、本実施形態では、スーパーハイビジョン映像よりは情報量が少なく、録画処理にかかる負荷を抑えることができる低階層映像（換言すれば、従来の録画機器で録画処理が十分可能な映像）を第２のＡＶデコーダ経由で記録部に出力させ、録画可能とする。つまり、バルク番組の再生が行われているときに、その番組と同内容の低階層番組を録画用に用いることで、画質は低下するものの、その番組内容自体は録画可能とする。これにより、バルク番組についてはリアルタイムの視聴のみが可能でその内容の録画は一切できない、という状況が発生することを防ぎ、バルク番組を視聴しながら同時に録画することが可能となる。その結果、例えば、利用者がバルク番組を視聴中に、利用者にとって有益な情報が放送されていることに気づき、その番組をすぐに録画しておきたいと所望したような場合に、当該番組を録画して保存することが可能となる。【０３３９】
図４８は、第１１の実施形態にかかる受信装置４０６０の構成を示すブロック図である。本実施形態に係る受信装置４０６０は、上述した第１の実施形態で図４４を用いて説明した受信装置４０３０の機能構成に録画処理部４０６１および記録部４０６２を加えたものに相当し、他の構成部は、第１の実施形態と同様である。従って、録画処理部４０６１および記録部４０６２以外の構成部については同一の参照符号を付して詳細な説明を省略する。【０３４０】
図４８において、録画処理部４０６１は、ＣＰＵ４０４８からの制御信号に基づいて、録画のための各種処理（符号化処理や録画データの管理処理等）を実行することで低階層番組あるいは非バルク番組の録画データを記録部４０６２に出力する。記録部４０６２は、上記のような低階層番組や非バルク番組の録画データを記憶するための媒体である。例えば、ハードディスクドライブやＳＳＤ（Solid State Drive）によって実現される。【０３４１】
図４８のような構成において、ＣＰＵ４０４８は、以下のような処理を行うことで上記低階層番組の録画を実現する。まず、バルク番組が放送中の状態において、利用者がリモコン４０５１を介して録画指示を入力すると、当該録画指示を示す信号がＣＰＵ４０４８に入力される。当該信号を受けたＣＰＵ４０４８は、ＴＳ合成・分離部４０４１において合成されたトランスポートストリームから、上記バルク番組にかかるＡＶストリームを分離させる処理に加えて、上記低階層番組にかかるＡＶストリームを分離させ、第２のＡＶデコーダ４０４３に出力させるための制御信号をＴＳ合成・分離部４０４１に出力する。更に、第２のＡＶデコーダ４０４３に、当該低階層番組のＡＶストリームをデコードさせ、録画処理部４０６１に出力させるための制御信号を第２のＡＶデコーダ４０４３に出力する。併せて、ＣＰＵ４０４８は、録画処理部４０６１に、第２のＡＶデコーダ４０４３から入力されてくる映像・音声信号を録画させるための制御信号を出力する。このような処理が実行された結果、低階層番組が記録部４０６２に録画されることになる。【０３４２】
以上のように、第１１の実施形態では、バルク番組の再生中に、同時に低階層番組を録画可能としている。これにより、利便性の高い受信装置を提供することが可能となる。また、録画処理を実行する機器構成についても、非バルク番組の録画に用いるような従来の構成を流用することが可能となり、バルク番組の視聴および同内容の番組の録画が可能な受信装置を低コストで提供することが可能となる。【０３４３】
なお、上述の第１１の実施形態では、バルク番組が放送中の状態において、利用者がリモコン４０５１を介して録画指示を入力した場合を例にしたが、これに限らず、例えば録画予約等の設定に基づいて、バルク番組の開始と同時に低階層番組の出力も行うようにしてもよい。【０３４４】
（第１２の実施形態）
次に、図４９から図５０を参照して、本発明の第１２の実施形態について説明する。上述の第１の実施形態では、２つのチューナを備えてバルク番組を視聴できる受信装置を例としていた。これに対して、第１２の実施形態では、第１の実施形態における受信装置の廉価版としての位置づけの、シングルチューナ構成の受信装置を想定する。すなわち、再生処理系統を１つだけとすることで、受信装置にかかるコストダウンを図ったものである。【０３４５】
第１２の実施形態にかかる受信装置は、上記のようにシングルチューナ構成であるため、２つのチューナが必要な、バルク伝送にかかるバルク番組の視聴はできない。そのため、バルク番組の代わりに、番組内容は同じものである低階層番組を再生することで、番組内容そのものは視聴できるようにしている。そのため、第１２の実施形態にかかる受信装置では、バルク番組が放送される時間帯では、階層伝送されているチャンネルを検索して自動的に選局し、低階層番組にかかるＡＶストリームを取得して再生するという処理が行われる。【０３４６】
上記図４６で示したような番組スケジュールにおいてＣｈ２を視聴している場合を例として、第１２の実施形態で実行される処理概要を説明する。まず、Ｃｈ２で午後７時台のニュース番組が視聴されているとする。その後、午後８：００をまわると、バルク伝送される映画番組が開始される。しかし、第１２の実施形態にかかる受信装置はシングルチューナ構成であるため、バルク番組としての映画番組の再生はできない。そのため、第１２の実施形態では、上記低階層番組の再生を行う。ここで、本実施形態では、Ｃｈ２では階層伝送が行われていないため（図４１参照）、階層伝送が行われているＣｈ１を選局する。そして、Ｃｈ１で階層伝送されている低階層番組としての映画番組を再生する。更に、午後１０：００をまわり、映画番組が終了すると、元々視聴していたＣｈ２を選局する処理を実行する。以上のような処理が第１２の実施形態では実行される。【０３４７】
図４９は、第１２の実施形態にかかる受信装置４０７０の構成を示す機能ブロック図である。当該実施形態に係る受信装置４０７０は、上述した第１の実施形態で図４４を用いて説明した受信装置３０の機能構成から、第２のチューナ４０３３〜第２の表示部４０４７にかかる再生処理系統を除いたものに相当し、他の構成部は、第１の実施形態と同様である。従って、同一の構成部には同一の参照符号を付して詳細な説明を省略する。【０３４８】
また、図４９において、ＴＳ合成・分離部４０４１は、第１の実施形態と同様に２つの処理モードを切り替えて動作するが、第１の実施形態とは異なり、上記バルク再生モードで動作する場合は、以下のような動作を行う。すなわち、バルク番組が放送されるときは、まず、ＣＰＵ４０４８からの制御信号に基づいて、第１のチューナ４０３２は、バルク伝送が行われている２つの物理チャンネルのうち、階層伝送がなされているチャンネルを選局する。そして、ＴＳ合成・分離部４０４１は、階層伝送されている物理チャンネルから得られたトランスポートストリームから、低階層番組にかかるＡＶストリームを分離して、第１のＡＶデコーダ４０４２に出力する処理を実行する。【０３４９】
次に、第１２の実施形態にかかる受信装置４０７０での受信再生処理の詳細を説明する。図５０は、当該受信再生処理の詳細を示すフローチャートである。図５０において、まず、ステップＳ４０２１において、利用者の操作に基づいて第１のチューナ４０３２での選局処理が実行される。ここでは、Ｃｈ２が選局されるものとする。【０３５０】
次に、ステップＳ４０２２において、ステップＳ４０２１で選局された物理チャンネルの番号がフラッシュメモリ４０５０に一時的に記憶される。【０３５１】
次に、ステップＳ４０２３において、ＴＭＣＣ信号から上記バルク関連情報が取得される。続くステップＳ４０２４で、バルク番組の放送が開始されるか否かが判定される。具体的には、ＣＰＵ４０４８は、上記バルク関連情報の接続フラグ４１３２を参照し、第１のチューナ４０３２で選局されているチャンネルでバルク番組が放送されるか否かを判定する。【０３５２】
当該判定の結果、バルク番組の放送が開始されると判定されたときは（ステップＳ４０２４でＹＥＳ）、続くステップＳ４０２５において、現在選局しているチャンネルが階層伝送が行われているチャンネルであるか否かを判定する。本実施形態では、選局中のチャンネルがＣｈ１であるか否かを判定する。【０３５３】
なお、バルク放送のうち、いずれのチャンネルで階層伝送が行われているかを示す情報については、例えば予め、階層伝送は周波数が低い方の物理チャンネルで行うという規格を決めておき、選局中の物理チャンネルがバルク番組を構成する２つのチャンネルのうち周波数が低い方の物理チャンネルであるか否かで判定するようにしても良いし、当該情報を上記バルク関連情報に含むようにし、これに基づいて判定するようにしてもよい。【０３５４】
ステップＳ４０２５の判定の結果、階層伝送が行われていない物理チャンネル（本実施形態ではＣｈ２）のときは（ステップＳ４０２５でＮＯ）、次のステップＳ４０２６において、階層伝送が行われている物理チャンネルを選局する処理が実行される。すなわち、上記バルク関連情報の接続対象Ｃｈ４１３３に示されている物理チャンネルを第１のチューナ４０３２で選局する処理が実行される。一方、ステップＳ４０２５の判定の結果、階層伝送が行われている物理チャンネル（本実施形態ではＣｈ１）のときは（ステップＳ４０２５でＹＥＳ）、ステップＳ４０２６の処理はスキップされて、処理が次に進められる。【０３５５】
次に、ステップＳ４０２７において、低階層番組の再生処理が開始される。具体的には、ＣＰＵ４０４８は、処理モードを上記バルク再生モードに切り替えるための制御信号をＴＳ合成・分離部４０４１に出力する。同時に、ＣＰＵ４０４８は、第１のＡＶデコーダ４０４２に対しても、低階層番組用のデコード処理に切り替えるための制御信号を出力する。その結果、第１のチューナ４０３２から得られたトランスポートストリームがＴＳ合成分離部に入力されると、ＴＳ合成・分離部４０４１において低階層番組にかかるＡＶストリームが分離され、第１のＡＶデコーダ４０４２に出力される。そして、デコードされた映像音声信号が第１のＡＶデコーダ４０４２から第１のＯＳＤ作成・合成部４０４４を経由して第１の表示部４０４６に出力される。このとき、第１のＯＳＤ作成・合成部４０４４で、バルク番組（低階層番組）が始まった旨等を表示するようにしても良い。【０３５６】
次に、ステップＳ４０２８で低階層番組が終了したか否かが判定される。当該判定の結果、まだ放送中であれば（ステップＳ４０２８でＮＯ）、低階層番組の放送が終了するまで、ステップＳ４０２８の判定が繰り返される。一方、低階層番組の放送が終了すれば（ステップＳ４０２８でＹＥＳ）、続くステップＳ２９において、フラッシュメモリ４０５０に記憶されているＣｈ番号が取得される。本実施形態では、Ｃｈ２が取得される。そして、当該取得されたチャンネルが第１のチューナ４０３２で選局される。同時に、ＣＰＵ４０４８から処理モードを非バルク再生モードへ切替る旨の制御信号がＴＳ合成・分離部４０４１に出力される。その結果、Ｃｈ２で放送される非バルク番組の再生処理が開始されることになる。以上で、第１２の実施形態にかかる受信再生処理は終了する。【０３５７】
このように、第１２の実施形態では、バルク伝送される番組の内容そのものはシングルチューナ機であっても視聴できる。更に、当該番組視聴のためにチャンネルが変更されても、番組終了後に、元の物理チャンネルに自動的に戻す処理が実行される。そのため、バルク伝送される番組と同内容の番組が視聴でき、かつ、よりコストを抑えることができるシングルチューナ構成のデジタル放送受信装置を提供することが可能となる。【０３５８】
なお、上述のような、バルク番組の開始時にそれまで視聴していた物理チャンネルを記憶する処理については、第１０の実施形態で上述したような構成の受信装置に適用しても良い。例えば、図５１に示すような番組スケジュールが組まれているとする。すなわち、Ｃｈ１およびＣｈ２では、午後７：００：００〜７：５９：５９はそれぞれ非バルク番組が放送され、午後８：００：００〜８：５９：５９までは両チャンネルを使ったバルク番組が放送され、午後９：００：００〜９：５９：５９は、それぞれ非バルク番組が放送される場合を想定する。また、Ｃｈ３では、午後７：００：００〜９：５９：５９まで、１本の非バルク番組が放送されているとする。【０３５９】
このような番組スケジュールにおいて、午後７：３０の時点で、利用者が第１のチューナ４０３２ではＣｈ１を選局し、第２のチューナ４０３３ではＣｈ３を選局して、それぞれの番組を２画面同時表示している場合を考える。この場合、午後８：００になれば、Ｃｈ１ではバルク番組が開始されることになる。しかし、第２のチューナ４０３３はＣｈ３を選局している状態であるため、このままではバルク番組の再生処理が開始できない。そのため、午後８：００のタイミングで、上記図４６のステップＳ２００４の処理において、第１のＯＳＤ作成・合成部４０４４に、バルク番組が開始する旨、および、Ｃｈ３の視聴を停止してバルク番組の再生を行うか否かを問い合わせる表示を行わせる。その結果、バルク番組の再生を行う旨の指示が入力されたときは、第２のチューナ４０３３で選局している物理チャンネル番号をフラッシュメモリ４０５０に記憶させる処理を行い、バルク番組の１画面での再生処理を実行する。その後、午後９：００をまわり、バルク番組が終了すれば、フラッシュメモリ４０５０に記憶されている物理チャンネル番号を第２のチューナ３３に選局させ、２画面同時表示に戻すような処理を行うようにしてもよい。すなわち、Ｃｈ１とＣｈ３の２画面同時表示に戻しても良い。このような処理を行うことで、第１０の実施形態に示したような受信装置（Ｗチューナ機）の場合であっても、利便性を高めた受信装置を提供することが可能となる。【０３６０】
（第１３の実施形態）
まず、図５２を用いて、本発明の原理及び本実施形態が想定している処理概要について説明する。本実施形態では、いわゆるスーパーハイビジョンの動画像コンテンツ（以下、ＳＨＤコンテンツと呼ぶ）を伝送するデジタル放送システムを想定している。そして、本実施形態では、図５２に示すように、送信側において当該ＳＨＤコンテンツ１０１を２つに分割し（図５２のＳＨＤコンテンツ１０１ａおよび１０１ｂ）、２つの物理チャンネル１１１および１１２を用いて伝送する。これは、ＳＨＤコンテンツが、１つの物理チャンネルでは伝送しきれない情報量を有するためである。以下、このような、１つのＳＨＤコンテンツを２つの物理チャンネルを用いて伝送することをバルク伝送と呼ぶ。【０３６１】
ここで、本実施形態では、当該２つの物理チャンネルのうち、いずれか一方のチャンネルについて階層伝送を行うようにしている。具体的には、送信側で、上記ＳＨＤコンテンツと同内容のコンテンツを、いわゆるＨＤ映像（High Definition映像）あるいはＳＤ映像（Standard Definition映像）として、上記ＳＨＤコンテンツと別途に生成する（以下、これらを、ＨＤ／ＳＤコンテンツと呼ぶ）。そして、本実施形態では、変調方式として、ＳＨＤコンテンツに関しては、雑音などの外乱に弱いが伝送効率が高い変調方式である、例えば３２ＡＰＳＫ（Amplitude Phase Shift Keying）を用い、一方ＨＤ／ＳＤコンテンツについては、ＳＨＤコンテンツの変調方式よりも、雑音などの外乱に強いが伝送効率が低い変調方式である、例えばＱＰＳＫ（quadrature phase shift keying）を用いて変調する。ここで、これらＨＤ／ＳＤコンテンツは、上記ＳＨＤコンテンツよりは情報量が少ないため、伝送するためのネットワーク帯域も少なくて済む。すなわち、ＨＤ／ＳＤコンテンツは、１チャンネル分の伝送容量以内で且つ、ＳＨＤコンテンツの変調方式よりも伝送効率が低い変調方式でも、十分伝送可能である。そして、本実施形態では、上記いずれか一方のチャンネル、図５２の例では、物理チャンネル１１１について、ＳＨＤコンテンツ１０１ａとＨＤ／ＳＤコンテンツ１０２との階層伝送を行うように構成する。つまり、ＨＤ／ＳＤコンテンツ１０２を伝送する為の変調方式のほうがＳＨＤコンテンツ１０１を伝送する為の変調方式よりも所要ＣＮＲを低くなるようにしている（例えば、ＨＤ／ＳＤコンテンツ１０２はＱＰＳＫ、ＳＨＤコンテンツ１０１は３２ＡＰＳＫで変調する）。【０３６２】
一方、受信側においては、通常は上記ＳＨＤコンテンツ１０１の再生のための処理を行う（図５２の受信〜復元処理６１２１に相当）。同時に、伝送品質の監視、具体的には、受信ＣＮＲ（Carrier to Noise Ratio）やビット誤り率の監視を行う（図５２の伝送品質監視１２２に相当）。そして、いずれか一方のチャンネルの伝送品質が予め設定されている閾値より低下したとき、例えば、ＳＨＤコンテンツの良好な再生に必要な受信ＣＮＲを下回ったときには、受信側において、ＳＨＤコンテンツの再生から上記ＨＤ／ＳＤコンテンツの再生へと処理を切り替える（図５２の切替処理１２３に相当）。上述のように、ＨＤ映像のコンテンツはＳＨＤコンテンツよりも所要ＣＮＲが低い。そのため、ＳＨＤコンテンツを良好な状態で再生するには伝送品質が足りない場合であっても、ＨＤ／ＳＤコンテンツを再生するには十分な伝送品質であることが考えられる。そこで、受信機側においてＳＨＤコンテンツを再生中に伝送品質が低下したときは、ＳＨＤコンテンツからＨＤ／ＳＤコンテンツへと再生処理を切り替えることで、映像や音声が途切れることのない、違和感のない動画像コンテンツの視聴を視聴者に継続させることを可能とするものである。【０３６３】
次に、本実施形態のデジタル放送システムで使用される送信装置および受信装置の構成について説明する。図５３は、本発明の第１の実施形態に係る送信装置の構成を示した機能ブロック図である。図５３において、送信装置６０１０は、高階層エンコーダ６０１１と低階層エンコーダ６０１２と、時分割多重部６０１３と、ＴＳ分割部６０１４と、第１の主信号誤り訂正符号化部６０１５と、第２の主信号誤り訂正符号化部６０１６と、第１のマッピング部６０１７と第２のマッピング部６０１８と、第１の周波数変換部６０１９と、第２の周波数変換部６０２０と、ＣＰＵ６０２１と、第１のＴＭＣＣ生成部６０２３と、第２のＴＭＣＣ生成部６０２４とで構成される。【０３６４】
高階層エンコーダ６０１１は、放送対象となる動画像コンテンツ（例えば放送番組）をＳＨＤの映像としてエンコードする。具体的には、圧縮符号化形式として、例えば”ＭＰＥＧ−４  ＡＶＣ／Ｈ．２６４”（以下、単にＨ．２６４と呼ぶ）を用いてエンコードを行う。そして、エンコードの結果であるＡＶストリーム（以下、高階層ＡＶストリームと呼ぶ）を時分割多重部６０１３に出力する。【０３６５】
低階層エンコーダ６０１２は、放送対象となる動画像コンテンツをＨＤまたはＳＤの映像としてエンコードする。具体的には、圧縮符号化形式として、例えば上述のＨ．２６４、又は、いわゆる”ＭＰＥＧ２”方式を用いてエンコードを行う。そして、エンコードの結果であるＡＶストリーム（以下、低階層ＡＶストリームと呼ぶ）を時分割多重部６０１３に出力する。【０３６６】
時分割多重部６０１３は、高階層ＡＶストリームおよび低階層ＡＶストリームを多重化し、トランスポートストリーム（以下、原ＴＳと呼ぶ）を生成する。すなわち、時分割多重部６０１３は、ＣＰＵ６０２１からの制御信号に基づいて高階層ＡＶストリーム／低階層ＡＶストリームを切り替えながら、両ＡＶストリームを多重化することで、原ＴＳを生成する。そして、生成した原ＴＳをＴＳ分割部６０１４に出力する。【０３６７】
ＴＳ分割部６０１４は、２つの物理チャンネルで原ＴＳを伝送できるように原ＴＳを２つに分割して（振り分けて）第１の主信号誤り訂正符号化部６０１５および第２の主信号誤り訂正符号化部６０１６に出力する処理を行う。より具体的には、ＴＳ分割部６０１４は、高階層ＡＶストリームを構成するパケット（以下、高階層パケット）については、第１の主信号誤り訂正符号化部６０１５と第２の主信号誤り訂正符号化部６０１６とに振り分けて出力する。一方、低階層ＡＶストリームを構成するパケット（以下、低階層パケット）については、分割は行わずに、第１の主信号誤り訂正符号化部６０１５にのみ、そのまま出力する。これは、低階層ＡＶストリームについては片方の物理チャンネルのみで階層伝送を行うためである。また、低階層パケットを階層伝送する物理チャンネルについては、周波数が低い物理チャンネルが好ましい。これは、周波数が低い方が伝送路が安定していると考えられるためである。本実施形態でも、階層伝送を行う経路（第１の周波数変換部６０１９を通る経路）側のほうに周波数の低いチャンネルを割り当てるものとする。【０３６８】
ここで、上記高階層パケットの振り分け方について説明する。図５４は、この振り分け方の概念を示す模式図である。本実施形態では、原ＴＳ内の、高階層ＡＶストリームを構成する各パケット（図５４では説明の便宜のため、各パケットに連番を付している）を２つの物理チャンネルに交互に振り分けるような処理が行われる。すなわち、図５４では、奇数番号のパケットが物理チャンネル１に振り分けられ、偶数番号のパケットが物理チャンネル２に振り分けられている。その結果、奇数番号のパケットが物理チャンネル１で伝送され、偶数番号のパケットは物理チャンネル２で伝送されることになる。なお、受信機側においては、当該２つのチャンネルを用いてＴＳを受信することになるが、これらを合成する場合は、元の順番通りになるよう復元するため、各チャンネルで受信したＴＳ（のパケット）を交互に繋いでいく必要がある。この繋いでいく順番、すなわち、どちらの物理チャンネルのＴＳパケットが先でどちらが後であるかを示すための情報については、後述するようなＴＭＣＣ情報に含まれて伝送される。【０３６９】
図５３に戻り、第１の主信号誤り訂正符号化部６０１５は、ＴＳ分割部６０１４から出力された高階層パケットおよび低階層パケットに対して、誤り訂正等の処理を行う。図５５は、第１の主信号誤り訂正符号化部１５の詳細を示すブロック図である。第１の主信号誤り訂正符号化部６０１５は、外符号誤り訂正部６１５１、エネルギー拡散部６１５２、内符号誤り訂正部６１５３、インターリーブ部６１５４とで構成されている。外符号誤り訂正部６１５１は、入力されてきた各パケットに対して、例えばＢＣＨ符号を用いて外符号誤り訂正をかける。エネルギー拡散部６１５２は、外符号誤り訂正部６１５１から出力されたパケットに対して、一定の規則に沿ったランダムデータを加えることでエネルギー拡散を行う。内符号誤り訂正部６１５３は、エネルギー拡散部６１５２から出力されたパケットに対して、例えばＬＣＰＣ符号を行う。インターリーブ部６１５４は、内符号誤り訂正部６１５３から出力されてくるデータについて、インタリーブを行う。【０３７０】
図５３に戻り、第２の主信号誤り訂正符号化部６０１６は、ＴＳ分割部６０１４から出力された高階層パケットに対して、誤り訂正等の処理を行う。その機能内容については、上記第１の主信号誤り訂正符号化部６０１５と同様であるため、ここでは説明を省略する。【０３７１】
第１のマッピング部６０１７は、第１の主信号誤り訂正符号化部６０１５から入力されてくるビットストリームを、キャリアの位相と振幅で決まる信号点にマッピングし、当該マッピングされたデータを第１の周波数変換部６０１９に出力する。具体的には、ＣＰＵ６０２１の制御に基づいて、誤り訂正符号化された高階層パケットについては、所要ＣＮＲは高いが、伝送効率が高い変調方式（例えば３２ＡＰＳＫ）にマッピングされ、誤り訂正符号化された低階層パケットについては、高階層パケットに施す変調よりも、所要ＣＮＲは低いが、伝送効率が低い変調方式（例えばＱＰＳＫ）にマッピングされる。【０３７２】
第２のマッピング部６０１８は、第２の主信号誤り訂正符号化部６０１６から入力されてくるビットストリームに対してキャリアの位相と振幅で決まる信号点にマッピングし、当該マッピングされたデータを第２の周波数変換部６０２０に出力する。具体的には、第２のマッピング部６０１８には誤り訂正符号化された高階層パケットのみが入力されるため、ＣＰＵ６０２１の制御に基づいて、第１のマッピング部６０１７において高階層パケットに施す変調方式と同じ変調方式（例えば３２ＡＰＳＫ）にマッピングされる。【０３７３】
第１のＴＭＣＣ生成部６０２３、及び第２のＴＭＣＣ生成部６０２４は、階層伝送に関する情報（各時間毎の変調方式情報）、バルク伝送に関する制御情報、その他伝送パラメータなど、受信機の制御に必要なＴＭＣＣ情報をＴＭＣＣ信号として生成する。具体的には、ＣＰＵ６０２１の制御に基づいて、第１のＴＭＣＣ生成部６０２３では第１の周波数変換部６０１９から出力される変調信号に対するＴＭＣＣ信号を生成して、第１のマッピング部６０１７に出力する。一方、第２のＴＭＣＣ生成部６０２４では、第２の周波数変換部６０２０から出力される変調信号に対するＴＭＣＣ信号を生成し、第２のマッピング部６０１８に出力する。第１のＴＭＣＣ生成部６０２３で生成されたＴＭＣＣ信号は、第１のマッピング部６０１７で、上述のようにキャリアの位相と振幅で決まる信号点にマッピングした上で、同じく第１のマッピング部６０１７でマッピングされたＡＶデータ（主信号）に多重化し、第１の周波数変換部６０１９に出力する。一方、第２のＴＭＣＣ生成部６０２４で生成されたＴＭＣＣ信号は、第２のマッピング部６０１８で、上述のようにキャリアの位相と振幅で決まる信号点にマッピングした上で、同じく第２のマッピング部６０１８でマッピングされたＡＶデータ（主信号）に多重化し、第２の周波数変換部６０２０に出力する。【０３７４】
なお、第１のマッピング部６０１７、及び第２のマッピング部６０１８に於ける、ＴＭＣＣ信号に対するマッピングについては、受信機において、外乱により受信状態が劣化し低階層パケットを表示しなければならない状況下でも、確実にＴＭＣＣ信号を受信し、そのＴＭＣＣ信号による受信機制御を行えるようにする為に、上記低階層パケットに施した変調よりも、外乱に対して同等、若しくは強い変調方式（例えばＱＰＳＫ、又はＢＰＳＫ）でマッピングされる。第１のマッピング部６０１７でマッピングされた主信号とＴＭＣＣとの多重化変調信号は、第１の周波数変換部６０１９で所定の周波数に周波数変換を施して送信信号として出力する。また、第２のマッピング部６０１８でマッピングされた主信号とＴＭＣＣとの多重化変調信号は、第２の周波数変換部６０２０で所定の周波数に周波数変換を施して送信信号として出力する。【０３７５】
ここで、上記ＴＭＣＣ情報に関して説明する。上記ＴＭＣＣ情報には、受信機制御を行えるように、一般的な伝送制御情報の他、上述したような各時間毎の変調方式に関する情報である階層伝送情報や、バルク伝送に関する情報であるバルク伝送関連情報が含まれている。図５６は、バルク伝送関連情報の一例を示す図である。バルク伝送関連情報は、物理Ｃｈ番号６１３１と接続フラグ６１３２と前接続Ｃｈ６１３３と後接続Ｃｈ６１３４の集合から構成されている。バルク伝送関連情報には、全ての物理チャンネルについての情報が含まれており、物理Ｃｈ番号６１３１は、物理チャンネルの番号を示す。接続フラグ６１３２は、放送（伝送）されるコンテンツがバルク伝送を用いたコンテンツであるか否かを識別するためのフラグである。接続フラグ６１３２がオンに設定されているときは、その物理チャンネルで伝送されている動画像コンテンツはバルク伝送を用いた動画像コンテンツであること、すなわち、２つの物理チャンネルを用いて１つの動画像コンテンツを伝送していることを示す。オフに設定されているときは、バルク伝送は用いずに、その物理チャンネルのみを使用して１つの動画像コンテンツを伝送していることを示す。【０３７６】
前接続Ｃｈ６１３３、および後接続Ｃｈ６１３４は、上記のようなバルク伝送において、対となる物理チャンネル番号を示すためのデータである。前接続Ｃｈ６１３３、および後接続Ｃｈ６１３４は、接続フラグ６１３２がオンのときにのみ設定され、且つ、前接続Ｃｈ６１３３、後接続Ｃｈ６１３４のいずれか一方だけに値が設定される。上述したように、受信機側においては、２つの物理チャンネルから得られたトランスポートストリームを合成する必要があるが、この際に、どちらの物理チャンネルのパケットが先にしてどちらを後にするかを示すための情報が前接続Ｃｈ６１３３、後接続Ｃｈ６１３４である。図５４の例で言うと、奇数番号のパケットが振り分けられた物理チャンネル１が前接続Ｃｈになり、偶数番号のパケットが振り分けられた物理チャンネル２が後接続Ｃｈとなる。そのため、図５６に示した例では、受信機側では、次のような判定処理が可能となる。すなわち、受信機側で物理チャンネル１を選局し、図５６に示されるようなバルク伝送関連情報を取得すると、まず、物理チャンネル１で伝送されてくるコンテンツはバルク伝送を用いたもの、すなわち、ＳＨＤコンテンツであることが判定できる。そして、当該物理チャンネル１には後接続Ｃｈとして物理チャンネル２が存在することが判定できる。更に、物理チャンネル１および物理チャンネル２でそれぞれ受信したＴＳパケットの合成順序としては、Ｃｈ１→Ｃｈ２→Ｃｈ１→Ｃｈ２→・・・のような順序で合成すべきことが判定できることになる。【０３７７】
図５３に戻り、ＣＰＵ６０２１は、時分割多重部６０１３、ＴＳ分割部６０１４、第１の主信号誤り訂正符号化部６０１５、第２の主信号誤り訂正符号化部６０１６、第１のマッピング部６０１７、第２のマッピング部６０１８に上述したような処理を実行させるための各種制御を行う。【０３７８】
次に、本実施形態のデジタル放送システムで使用される受信装置（典型的にはデジタル放送の受信が可能なテレビ受像機）について説明する。図５７は、本発明の第１３の実施形態に係る受信装置３０の構成を示した機能ブロック図である。図５７において、受信装置６０３０は、アンテナ６０３１と、第１のチューナ６０３２と、第２のチューナ６０３３と、第１の復調部６０３４と、第２の復調部６０３５と、第１の主信号誤り訂正復号部６０３６と、第２の主信号誤り訂正復号部６０３７と、第１のＴＭＣＣ復号部６０３８と、第２のＴＭＣＣ復号部６０３９と、ＴＭＣＣ制御部６０４０と、第１の受信ＣＮＲ検出部６０４１と第２の受信ＣＮＲ検出部６０４２と、ＴＳ合成・分離部６０４３と、ＡＶデコーダ６０４４と、ＣＰＵ６０４５と、表示部６０４６とで構成される。【０３７９】
第１のチューナ６０３２および第２のチューナ６０３３は、ＣＰＵ６０４５からの制御信号に基づいて所定の物理チャンネルを選局し、送信装置６０１０からの送信信号をアンテナ６０３１を介して受信する。【０３８０】
第１の復調部６０３４は、第１のチューナ６０３２から出力される送信信号をデジタル信号に復調し、第１の主信号誤り訂正復号部６０３６および第１のＴＭＣＣ復号部６０３８に出力する。【０３８１】
第１の主信号誤り訂正復号部６０３６は、第１の復調部３４から出力されたデジタル信号に対して、上記第１の主信号誤り訂正符号化部６０１５で行われた処理と逆の処理を行うことで、トランスポートストリームを得る。そして、当該トランスポートストリームをＴＳ合成・分離部６０４３に出力する。図５８は、第１の主信号誤り訂正復号部６０３６の詳細を示すブロック図である。図５８において、第１の主信号誤り訂正復号部６０３６では、第１の復調部６０３４から出力されたデジタル信号について、デインターリーブ部６３６１でデインタリーブが行われ、内符号誤り復号部６３６２における内符号の復号、エネルギー逆拡散部６３６３におけるエネルギー逆拡散を経て外符号誤り復号部６３６４による外符号の復号が行われ、トランスポートストリームとして出力される。【０３８２】
第１のＴＭＣＣ復号部６０３８は、第１の復調部６０３４から出力されたデジタル信号（ＴＭＣＣ信号）からＴＭＣＣ情報を復号して取得する。そして、当該ＴＭＣＣ情報をＴＭＣＣ制御部６０４０に出力する。【０３８３】
第１の受信ＣＮＲ検出部６０４１は、第１の復調部６０３４における復調結果に基づいて受信ＣＮＲを所定の単位時間毎に算出し、ＣＰＵ６０４５に出力する。【０３８４】
第２の復調部６０３５、第２の主信号誤り訂正復号部６０３７、および、第２のＴＭＣＣ復号部６０３９は、第２のチューナ６０３３から出力される送信信号に対して、上記第１の復調部６０３４、第１の主信号誤り訂正復号部６０３６、第１のＴＭＣＣ復号部６０３８と同様の処理を行う。【０３８５】
また、第２の受信ＣＮＲ検出部６０４２は、第２の復調部６０３５における復調結果に基づいて受信ＣＮＲを所定の単位時間毎に算出し、ＣＰＵ６０４５に出力する。【０３８６】
ＴＭＣＣ制御部６０４０は、第１のＴＭＣＣ復号部６０３８から出力されるＴＭＣＣ情報の内、時間毎の変調方式に関する情報である階層伝送情報等の伝送パラメータに基づいて、第１の復調部６０３４および第１の主信号誤り訂正復号部６０３６を制御する。また、第２のＴＭＣＣ復号部６０３９から出力されるＴＭＣＣ情報の内各時間毎の変調方式に関する情報である階層伝送情報、等の伝送パラメータに基づいて、第２の復調部６０３５および第２の主信号誤り訂正復号部６０３７を制御する。また、ＴＭＣＣ制御部６０４０は、取得したＴＭＣＣ情報をＣＰＵ６０４５に出力する。【０３８７】
ＴＳ合成・分離部６０４３は、ＣＰＵ６０４５からの制御信号に基づいて、以下のような処理を実行する。まず、ＴＳ合成・分離部６０４３は、第１の主信号誤り訂正復号部６０３６および第２の主信号誤り訂正復号部６０３７から出力されてくるトランスポートストリームを合成することによって、原ＴＳを復元する。更に、ＴＳ合成・分離部６０４３は、原ＴＳから、上記高階層ＡＶストリームと低階層ＡＶストリームとを分離して取得する。そして、ＴＳ合成・分離部６０４３は、ＣＰＵ６０４５からの制御信号に基づいて、高階層ＡＶストリーム、または、低階層ＡＶストリームをＡＶデコーダ６０４４に出力する。【０３８８】
ＡＶデコーダ６０４４は、ＣＰＵ６０４５からの制御信号に基づいて、ＴＳ合成・分離部６０４３から出力されたＡＶストリームをデコードして映像・音声信号を取得する。そして、ＡＶデコーダ６０４４は、デコードの結果得られた映像・音声信号を表示部６０４６に出力する。ここで、ＡＶデコーダ６０４４は、少なくとも、上記高階層ＡＶストリーム、低階層ＡＶストリームのエンコード形式に対応するデコード形式でデコード処理が可能である。例えば、高階層ＡＶストリームのときはＨ．２６４方式でのデコード、低階層ＡＶストリームのときは、ＭＰＥＧ２方式でのデコードが可能である。そして、ＡＶデコーダ６０４４は、ＣＰＵ６０４５からの制御信号に基づき、これらのデコード方式を切り替えてデコード処理を実行する。【０３８９】
ＣＰＵ６０４５は、図５９等を用いて後述するフローチャートに示すような処理を行い、上記第１のチューナ６０３２、第２のチューナ６０３３、第１の受信ＣＮＲ検出部６０４１、第２の受信ＣＮＲ検出部６０４２、ＴＳ合成・分離部６０４３、ＡＶデコーダ６０４４等を制御して、送信装置６０１０から送信された動画像コンテンツを利用者が視聴できるようにするための処理を実行する。また、第１の受信ＣＮＲ検出部６０４１および第２の受信ＣＮＲ検出部６０４２からの入力に基づいて、ＴＳ合成・分離部６０４３からＡＶデコーダ６０４４への出力内容の切替を制御し、更に、ＡＶデコーダ６０４４のデコード処理の切替制御も行う。【０３９０】
表示部６０４６は、ＡＶデコーダ６０４４から出力された映像・音声信号に基づいて映像・音声を利用者に提示する。【０３９１】
また、図示は省略するが、受信装置には、利用者が選局操作等を行うための操作部が設けられており、ＣＰＵ６０４５は、操作部からの操作信号に基づいて選局処理等の制御を行う。【０３９２】
以下、図５９を用いて、受信装置６０３０において実行される受信再生処理の詳細動作を説明する。図５９は、受信装置６０３０において実行される受信再生処理の流れを示すフローチャートである。【０３９３】
まず、ステップＳ６００１において、利用者の選局操作に基づいた選局処理が行われる。より具体的には、ＣＰＵ６０４５は、リモコン等の操作部からの指示信号を取得し、選局対象となる物理チャンネルを検出する。続いて、ＣＰＵ６０４５は、第１のチューナ６０３２に当該物理チャンネルを選局させるための制御信号を出力する。これに応じて、第１のチューナ６０３２は指定された物理チャンネルを選局する処理を実行する。選局が完了すれば、アンテナ６０３１を介して受信された信号（以下、受信信号と呼ぶ）が第１のチューナ６０３２から第１の復調部６０３４に入力され、受信信号からＴＭＣＣ信号が分離されて、第１のＴＭＣＣ復号部６０３８に出力される。第１のＴＭＣＣ復号部６０３８において、ＴＭＣＣ信号からＴＭＣＣ情報が復号され、ＴＭＣＣ制御部６０４０に出力される。ＴＭＣＣ制御部６０４０は、当該ＴＭＣＣ情報から、階層伝送情報、伝送パラメータ、及び、上記バルク伝送関連情報（図５６参照）を取得する。そして、ＴＭＣＣ制御部６０４０は、当該階層伝送情報や伝送パラメータに基づいた復調処理を実行させるための制御信号を第１の復調部６０３４に出力する。これに応じて、第１の復調部６０３４は、受信信号に含まれている主信号（コンテンツにかかるデータが含まれている信号）の復調を開始する。復調された主信号は、第１の主信号誤り訂正復号部６０３６に出力される。第１の主信号誤り訂正復号部６０３６において誤り訂正が行われることによってトランスポートストリームが得られることになる。そして、当該トランスポートストリームが、ＴＳ合成・分離部６０４３に出力される。【０３９４】
次に、ステップＳ６００２において、上記バルク伝送関連情報から接続フラグ６１３２が読み出される。続くステップＳ６００３において、上記選局した物理チャンネルの接続フラグ６１３２がオンに設定されているか否かが判定される。当該判定の結果、接続フラグ６１３２がオンでないときは（ステップＳ６００３でＮＯ）、ステップＳ６００２に戻り、処理が繰り返される（なお、この場合は、単一のチャンネルによる番組放送と考えられるため、接続フラグ６１３２のオンが検出されるまでの間、上記ステップＳ６００１で選局した物理チャンネルのトランスポートストリームに基づいて動画像コンテンツを再生する処理を行っても良い）。【０３９５】
一方、接続フラグ６１３２がオンと判定されたときは（ステップＳ６００３でＹＥＳ）、続くステップＳ６００４において、第２のチューナ６０３３でバルク伝送の対となる物理チャンネルの選局処理が実行される。具体的には、ＣＰＵ６０４５は、上記バルク伝送関連情報から、前接続Ｃｈ６１３３および後接続Ｃｈ６１３４を取得する。上記のように、いずれか一方にのみ物理チャンネル番号が示されているので、いずれか一方に示されている物理チャンネル番号を取得する。図５４の例で言うと、第１のチューナ６０３２で物理チャンネル１を選局している場合は、物理チャンネル２が取得される。また、第１のチューナ６０３２で物理チャンネル２を選局している場合は、物理チャンネル１が取得される。そして、当該取得された物理チャンネルを第２のチューナ６０３３で選局するための制御信号を第２のチューナ６０３３に出力する。第２のチューナ６０３３は、当該制御信号に応じて選局処理を行う。【０３９６】
第２のチューナでの選局が完了すれば、アンテナ６０３１を介して受信された受信信号からＴＭＣＣ信号が分離され、第２のＴＭＣＣ復号部６０３９に出力される。第２のＴＭＣＣ復号部６０３９において、ＴＭＣＣ信号からＴＭＣＣ情報が復号されてＴＭＣＣ制御部６０４０に出力される。ＴＭＣＣ制御部６０４０は、当該ＴＭＣＣ情報から伝送パラメータ等を取得する。そして、ＴＭＣＣ制御部６０４０は、当該伝送パラメータに基づいた復調処理を実行させるための制御信号を第２の復調部６０３５に出力する。これに応じて、第２の復調部６０３５は、主信号の復調を開始する。復調された主信号は、第２の主信号誤り訂正復号部６０３７に出力される。第２の主信号誤り訂正復号部６０３７において、誤り訂正処理が行われることによってトランスポートストリームが得られることになる。そして、当該トランスポートストリームが、ＴＳ合成・分離部６０４３に出力される。この結果、第１のチューナ６０３２経由で得られたトランスポートストリームと第２のチューナ６０３３経由で得られたトランスポートストリームがＴＳ合成・分離部６０４３に入力されることになる。【０３９７】
続いて、ステップＳ６００５において、両トランスポートストリームを合成する処理が開始される。具体的には、ＣＰＵ６０４５は、両トランスポートストリームを合成する処理を開始させるための制御信号をＴＳ合成・分離部６０４３に出力する。当該制御信号には、上述したような前接続ｃｈ６１３３および後接続ｃｈ６１３４に基づいた、トランスポートストリームを合成していく順番に関する情報も含まれている。ＴＳ合成・分離部６０４３は、ＣＰＵ６０４５からの制御信号に応じて、第１のチューナ６０３２経由のトランスポートストリームと第２のチューナ６０３３経由のトランスポートストリームとの合成処理を行い、原ＴＳを復元する処理を開始する。【０３９８】
続くステップＳ６００６において、原ＴＳから、高階層ＡＶストリームと低階層ＡＶストリームを分離するための処理が開始される。【０３９９】
続くステップＳ６００７において、高階層ＡＶストリームのデコード処理が開始される。すなわち、ＣＰＵ６０４５は、ＴＳ合成・分離部６０４３に高階層ＡＶストリームをＡＶデコーダ６０４４に出力させるための制御信号を出力する。当該制御信号に応じて、ＴＳ合成・分離部６０４３は、高階層ＡＶストリームをＡＶデコーダ６０４４に出力する。更に、ＣＰＵ６０４５は、ＡＶデコーダ６０４４に、高階層ＡＶストリームのデコード処理を開始させるための制御信号を出力する。当該制御信号に応じて、ＡＶデコーダ６０４４は、ＴＳ合成・分離部６０４３から入力されてくる高階層ＡＶストリームのデコード処理を開始し、デコード結果である映像・音声信号を表示部６０４６に出力する。【０４００】
次に、ステップＳ６００８において、受信ＣＮＲの取得を開始するための処理が実行される。より具体的には、ＣＰＵ６０４５は、第１の受信ＣＮＲ検出部４１に第１の復調部６０３４における受信ＣＮＲを要求するための制御信号を出力する。第１の受信ＣＮＲ検出部６０４１は、当該制御信号に応じて、第１の復調部３４における受信ＣＮＲをＣＰＵ６０４５に出力する処理を開始する。更に、ＣＰＵ６０４５は、第２の受信ＣＮＲ検出部６０４２に、第２の復調部６０３５における受信ＣＮＲを要求するための制御信号を出力する。当該制御信号に応じて、第２の受信ＣＮＲ検出部６０４２は、第２の復調部６０３５における受信ＣＮＲをＣＰＵ６０４５に出力する処理を開始する。【０４０１】
次に、ステップＳ６００９において、第１の受信ＣＮＲ検出部６０４１、および、第２の受信ＣＮＲ検出部６０４２から出力される受信ＣＮＲのいずれか一方の値が所定の閾値未満であるか否かが判定される。当該所定の閾値は、ＳＨＤコンテンツの良好な再生に必要と考えられる、高階層変調方式の所要ＣＮＲを示している。いずれかの受信ＣＮＲが所定の閾値未満のとき、すなわち、伝送品質が低下したと考えられるときは（ステップＳ６００９でＹＥＳ）、続くステップＳ６０１０において、高階層ＡＶストリームのデコード処理および表示部への出力処理が現在実行中であるか否かが判定される。【０４０２】
当該判定の結果、高階層ＡＶストリームのデコード処理等が実行中であれば（ステップＳ６０１０でＹＥＳ）、ステップＳ６０１１において、低階層ＡＶストリームをＡＶデコーダ６０４４に出力するための処理が実行される。具体的には、ＣＰＵ６０４５は、ＴＳ合成・分離部６０４３に低階層ＡＶストリームをＡＶデコーダ６０４４に出力させるための制御信号を出力する。当該制御信号に応じて、ＴＳ合成・分離部６０４３は、低階層ＡＶストリームをＡＶデコーダ４４に出力する。【０４０３】
続くステップＳ６０１２において、低階層ＡＶストリームのデコード処理等の指示が実行される。具体的には、ＣＰＵ６０４５は、ＡＶデコーダ６０４４に低階層ＡＶストリームのデコード処理を開始させるための制御信号を出力する。当該制御信号に応じて、ＡＶデコーダ６０４４は、ＴＳ合成・分離部６０４３から入力されてくる低階層ＡＶストリームのデコード処理を開始し、デコード結果である映像・音声信号を表示部６０４６に出力する。【０４０４】
一方、ステップＳ６０１０の判定の結果、高階層ＡＶストリームのデコード処理等が実行中でないときは（ステップＳ６０１０でＮＯ）、既に低階層ＡＶストリームの処理が実行中であると考えられるため、後述のステップＳ６０１６へ処理が進められる。【０４０５】
一方、上記ステップＳ６００９の判定の結果、いずれかの受信ＣＮＲが所定の閾値以上のとき、すなわち、伝送品質は高階層ＡＶストリームの再生に十分な品質である考えられるときは（ステップＳ６００９でＮＯ）、ステップＳ６０１３において、低階層ＡＶストリームのデコード処理および表示部への出力処理が現在実行中であるか否かが判定される。当該判定の結果、低階層ＡＶストリームのデコード処理等が実行中であれば（ステップＳ６０１３でＹＥＳ）、一旦低下した伝送品質が再び良好な状態に戻ったような場合と考えられる。そのため、ステップＳ６０１４において、高低階層ＡＶストリームをＡＶデコーダ６０４４に出力するための処理が実行される。具体的には、ＣＰＵ６０４５は、ＴＳ合成・分離部４３に高階層ＡＶストリームをＡＶデコーダ６０４４に出力させるための制御信号を出力する。当該制御信号に応じて、ＴＳ合成・分離部６０４３は、高階層ＡＶストリームをＡＶデコーダ６０４４に出力する。【０４０６】
続くステップＳ６０１５において、高階層ＡＶストリームのデコード処理等の指示が実行される。具体的には、ＣＰＵ６０４５は、ＡＶデコーダ６０４４に、高階層ＡＶストリームのデコード処理を開始させるための制御信号を出力する。当該制御信号に応じて、ＡＶデコーダ６０４４は、ＴＳ合成・分離部６０４３から入力されてくる高階層ＡＶストリームのデコード処理を開始し、デコード結果である映像・音声信号を表示部６０４６に出力する。【０４０７】
一方、ステップＳ６０１３の判定の結果、低階層ＡＶストリームのデコード処理等が実行中でないときは（ステップＳ６０１３でＮＯ）、既に高階層ＡＶストリームの処理が実行中であると考えられるため、後述のステップＳ６０１６へ処理が進められる。【０４０８】
次に、ステップＳ６０１６において、処理終了の指示、例えば、電源をオフにする操作が行われたか否かが判定される。処理終了の指示が出されていないときは（ステップＳ６０１６でＮＯ）、上記ステップＳ６００８に戻って処理が繰り返される。一方、処理終了の指示が出されたときは（ステップＳ６０１６でＹＥＳ）、本実施形態にかかる受信再生処理は終了する。【０４０９】
以上のように、本実施形態では、バルク伝送によってＳＨＤコンテンツを伝送するときに、いずれか一方の物理チャンネルで同内容のＨＤ／ＳＤコンテンツを階層伝送する。受信機側では、当該ＳＨＤコンテンツを再生するときに、バルク伝送に用いられている物理チャンネルの受信ＣＮＲを監視しておく。そして、当該受信ＣＮＲが高階層変調されているＳＨＤコンテンツの再生のための所要ＣＮＲを下回ったときに、低階層変調されているＨＤ／ＳＤコンテンツの再生へ切り替える処理を行う。また、上述のように、ＨＤ／ＳＤコンテンツとＳＨＤコンテンツとは、エンコード方式が異なるだけで、その内容については同じものである。そのため、高い伝送品質が求められるＳＨＤコンテンツの再生中に伝送品質が低下したようなときでも、より低い伝送品質でも良好な視聴が可能なＨＤ／ＳＤコンテンツに切り替えることで、映像や音声が途切れたり乱れたりする状態を発生させずに当該コンテンツの視聴を継続させることが可能となる。【０４１０】
また、チューナを一つだけしか備えていない受信装置に対しても、上記低階層コンテンツが階層伝送されている物理チャンネルを選局させ、低階層ＡＶストリームをデコードするようにすれば、上記ＳＨＤコンテンツと同じ内容のコンテンツを当該チューナが一つだけの受信装置で視聴させることが可能となる。【０４１１】
なお、上述の実施形態では、伝送品質の監視に受信ＣＮＲを利用していたが、これに限らず、例えばビット誤り率を監視して伝送品質を判断するようにしてもよい。図６１は、ビット誤り率に基づいて伝送品質を判断する場合の受信装置６０５０の構成を示したブロック図である。図６１に示す受信装置６０５０の構成は、上述の実施形態における受信装置６０３０に類似している。すなわち、図５７における第１の受信ＣＮＲ検出部６０４１および第２の受信ＣＮＲ検出部６０４２の代わりに、第１の高階層スロットビット誤り検出部６０５１および第２の高階層スロットビット誤り検出部６０５２を備えた構成となっている。そこで、ここでは、図６１で示す構成要素のうち、図５７と同一の構成要素については、同一の参照符号を付して簡単な説明に止める。【０４１２】
第１の高階層スロットビット誤り検出部６０５１は、第１の主信号誤り訂正復号部６０３６およびＣＰＵ６０４５と接続されている。また、第２の高階層スロットビット誤り検出部６０５２は、第２の主信号誤り訂正復号部６０３７およびＣＰＵ６０４５と接続されている。【０４１３】
第１の高階層スロットビット誤り検出部６０５１は、第１の主信号誤り訂正復号部６０３６における誤り訂正処理の結果を示す情報を取得し、当該情報から高階層パケットについてのビット誤り率を算出する。同様に、第２の高階層スロットビット誤り検出部６０５２は、第２の主信号誤り訂正復号部６０３７における高階層パケットのビット誤り率を算出する。そして、それぞれ算出したビット誤り率をＣＰＵ６０４５に出力する。【０４１４】
以上のような構成で、受信装置６０５０において次のような処理が実行される。すなわち、基本的には図５９〜図６０で示したフローチャートに沿った処理が実行されるが、図５９のステップＳ８の処理において、受信ＣＮＲの取得の代わりに、ＣＰＵ６０４５は、第１の高階層スロットビット誤り検出部６０５１に上述したようなビット誤り率の出力を要求する制御信号を送る。第１の高階層スロットビット誤り検出部６０５１は、当該制御信号に応じて、上記ビット誤り率の算出およびＣＰＵ６０４５への出力を開始する。更に、ＣＰＵ６０４５は、第２の高階層スロットビット誤り検出部６０５２に対しても、同様の制御信号を送る。当該制御信号に応じて、第２の高階層スロットビット誤り検出部６０５２は、上記ビット誤り率の算出およびＣＰＵ６０４５への出力を開始する。【０４１５】
更に、図６０のステップＳ６００９において、受信ＣＮＲが閾値未満か否かを判定する代わりに、第１の高階層スロットビット誤り検出部６０５１および第２の高階層スロットビット誤り検出部６０５２から出力される上記ビット誤り率のうち、いずれか一方の値が所定の閾値を越えたか否かが判定される。当該所定の閾値としては、ＳＨＤコンテンツの良好な再生のために許容される高階層変調方式のビット誤り率が考えられる。そして、いずれかのビット誤り率が所定の閾値を越えるようであれば（ステップＳ６００９でＹＥＳ）、伝送品質が低下したものとして、上記ステップＳ６０１０以降の処理を実行すればよい。【０４１６】
このように、高階層パケット（つまり、ＳＨＤコンテンツを構成するデータ）のビット誤り率を監視することによっても、上述したような実施形態と同様の効果を得ることができる。【０４１７】
（第１４の実施形態）
次に、図６２から図６３を参照して、本発明の第１４の実施形態について説明する。上述の第１３の実施形態では、いずれか一方の物理チャンネルについてのみ、ＳＨＤコンテンツとＨＤ／ＳＤコンテンツとの階層伝送を行っていた。これに対して、第２の実施形態では、双方の物理チャンネルで階層伝送を行う。具体的には、図６２に示すように、送信側において上記ＨＤ／ＳＤコンテンツ６１０２を２つ生成し、双方のチャンネルでそれぞれ階層化して伝送を行う。そして、受信側においては、第１の実施形態と同様に、伝送品質が低下したときにＨＤ／ＳＤコンテンツに切り替える処理を行うが、このとき、２つのチャンネルのうち、伝送品質が高いほうのチャンネルのＨＤ／ＳＤコンテンツを再生するようにしている。【０４１８】
図６３は、本発明の第１４の実施形態に係る送信装置６０６０の構成を示した機能ブロック図である。当該実施形態に係る送信装置６０６０は、上述した第１３の実施形態で図５３を用いて説明した送信装置６０１０の機能構成に第２の低階層エンコーダ６０２２を加えたものに相当し、他の構成部は、第１３の実施形態と同様である。なお、図５３における低階層エンコーダ６０１２は、図６３では第１の低階層エンコーダ６０１２と称している。従って、第２の低階層エンコーダ６０２２以外の構成部については同一の参照符号を付して詳細な説明を省略する。【０４１９】
図６３において、第２の低階層エンコーダ６０２２は、第１の低階層エンコーダ６０１２と同様の機能を有している。時分割多重部６０１３は、高階層ＡＶストリームと、第１の低階層エンコーダ６０１２から出力される低階層ストリームと、第２の低階層エンコーダ６０２２から出力される低階層ストリームとを多重化して原ＴＳを生成する。換言すれば、第１４の実施形態における原ＴＳには、１つの高階層ＡＶストリームと同じ内容の２つの低階層ＡＶストリームが含まれていることになる。【０４２０】
また、ＴＳ分割部６０１４は、入力されてくる原ＴＳについて、高階層ＡＶストリームは、第１の主信号誤り訂正符号化部６０１５と第２の主信号誤り訂正符号化部６０１６に振り分けて出力する。一方、低階層ＡＶストリームについては、第１の低階層エンコーダ６０１２から出力された低階層ストリームは第１の主信号誤り訂正符号化部６０１５に出力し、第２の低階層エンコーダ６０２２から出力された低階層ストリームは第２の主信号誤り訂正符号化部６０１６へ出力する。【０４２１】
上記のような構成で、第１４の実施形態にかかる送信装置は、動画像コンテンツの送信を行う。その結果、バルク伝送に係る各チャンネルでＨＤ／ＳＤコンテンツが階層伝送されることになる。【０４２２】
次に、第１４の実施形態にかかる受信装置について説明する。第１４の実施形態の受信装置の機能ブロック図は、第１３の実施形態と同様である（図６参照）。そして、当該受信装置において、基本的には、第１３の実施形態で図５９〜図６０を用いて上述したような処理が実行されるが、次の点において、第１３の実施形態とは部分的に異なる処理が実行される。【０４２３】
まず、図５９のステップＳ６００６の処理において、第１４の実施形態では、原ＴＳから、高階層ＡＶストリームと上記２つの低階層ＡＶストリームが分離されるような処理が実行される。その後、ステップＳ６００７、Ｓ６００８の処理を経て、ステップＳ６００９の処理において、第１の受信ＣＮＲ検出部６０４１、および、第２の受信ＣＮＲ検出部６０４２から出力される受信ＣＮＲのいずれか一方の値が所定の閾値未満であるか否かが判定される。このとき、それぞれの受信ＣＮＲの値をメモリ（図示せず）に一時的に記憶しておく。【０４２４】
その後、図６０のステップＳ６０１１の処理において、上記記憶した受信ＣＮＲが比較される。そして、より伝送品質が高いほうの物理チャンネルの低階層ＡＶストリームをＴＳ合成・分離部６０４３からＡＶデコーダ６０４４に出力させる処理が実行される。【０４２５】
以上のような処理が実行されることで、第１４の実施形態では、伝送品質が低下した場合に、２つの物理チャンネルのうち、より伝送品質が良好な状態の物理チャンネル側のＨＤ／ＳＤコンテンツを再生することが可能となる。そのため、第１の実施形態のように一方のチャンネルだけで階層伝送を行う場合で、当該階層伝送を行っている側の物理チャンネルの伝送品質が低下したような状況のときに、上記コンテンツ（放送番組）について、より確実な視聴の継続を確保することができる点で第２の実施形態は有利である。一方、第１の実施形態では、片側の物理チャンネルのみで階層伝送を行うため、第２の実施形態に比べて、ＳＨＤコンテンツを伝送するための帯域を圧迫しない点で有利である。【０４２６】
なお、上記第１４の実施形態は、上述したようなビット誤り率を用いての伝送品質を判定する場合にも適用可能である。【０４２７】
更に、送信装置６０６０において上記のような２つの低階層ＡＶストリームを生成するときに、それぞれ異なるエンコード方式を用いるようにしても良い。例えば、第１の低階層エンコーダ６０１２ではＭＰＥＧ２方式でエンコードを行い、第２の低階層エンコーダ６０２２では、Ｈ．２６４方式でエンコードを行うようにしてもよい。これにより、ＳＨＤコンテンツのエンコード方式に非対応の受信装置、例えば、ＭＰＥＧ２方式のデコーダしか備えていないような受信装置であっても、ＳＨＤコンテンツと同様の内容のコンテンツの視聴を可能とすることができる。具体的には、当該受信装置においてＭＰＥＧ２方式でエンコードした低階層ＡＶストリームを階層伝送している物理チャンネルを選局させ、ＨＤ／ＳＤコンテンツを再生するようにすれば、このような受信装置でも、ＳＨＤコンテンツと同様の内容のコンテンツを視聴することが可能となる。すなわち、ＳＨＤコンテンツをデコードできる受信装置がなければ放送番組を全く視聴することができない、という状況になることを防ぐ事ができる。【０４２８】
また、第１の低階層エンコーダ６０１２ではＳＤ映像のＡＶストリームを、第２の低階層エンコーダ６０２２ではＨＤ映像のＡＶストリームを階層伝送するように構成しても良い。この場合も、ＳＨＤコンテンツをデコードできる受信装置がなければ放送番組を全く視聴することができない、という状況になることを防ぐ事ができる。【０４２９】
また、送信装置において、第１３の実施形態のように低階層ＡＶストリームは一つだけ生成するが、その伝送に際しては、高階層ＡＶストリームと同様に、２つのチャンネルに振り分けて伝送するようにしても良い（図６４参照）。つまり、１つの低階層ＡＶストリームを、例えば半分ずつ２つのチャンネルに振り分けて伝送するようにしてもよい。この場合であっても、低階層ＡＶストリームは高階層ＡＶストリームで要求される伝送品質よりは低い伝送品質で視聴することが可能であるため、第１３の実施形態と同様に、伝送品質が低下したときに低階層ＡＶストリームの再生に切り替えることで、コンテンツの視聴を継続できるという効果が得られる。【０４３０】
なお、上述の各実施形態では、ＳＨＤコンテンツ等を２つの物理チャンネルを使ってバルク伝送を行い、２つのチューナを搭載した受信装置を用いて受信する場合を例としたが、３つ以上の物理チャンネルを用いたバルク伝送および３つ以上のチューナを搭載した受信装置を組み合わせたデジタル放送システムにおいても本発明は適用可能である。【０４３１】
また、上述の実施形態では、受信ＣＮＲが所定の閾値未満となったとき、あるいはビット誤り率が所定の閾値を越えたときに低階層ＡＶストリームのデコードを行っていたが、この閾値を２段階の閾値で構成してもよい。すなわち、受信ＣＮＲが上述したような閾値に近づいてくると、例えば、上記ＳＨＤコンテンツの画像は、映らないとまではいかないが、画面にノイズが発生して、見栄えの悪い画像が表示されうる。そこで、このようなノイズ等が発生して画面の映りが悪くなり始めるような受信ＣＮＲを第１の閾値とし、上記第１の実施形態等で用いた閾値（例えばステップＳ６００９等で用いた閾値）を第２の閾値として設定する（そのため、第１の閾値は、第２の閾値より少し低い、あるいは少し高いというような、第２の閾値に近い値となる）。そして、受信ＣＮＲが第１の閾値を下回ったときに、ＣＰＵ６０４５は、画面に小さいサイズのウィンドウを表示し、当該ウィンドウ内でＨＤ／ＳＤコンテンツ（すなわち、低階層ＡＶストリーム）を再生、表示する。更に、ＣＰＵ６０４５は、受信状態が悪くなっている旨のメッセージと、ウィンドウに表示されているＨＤ／ＳＤコンテンツの再生を行うか否かを問い合わせる旨のメッセージを画面に表示する。これに対して利用者が、ＨＤ／ＳＤコンテンツの表示を選択する操作を行えば、その時点で高階層ＡＶストリームのデコードは中止して、低階層ＡＶストリームのデコードを実行する（上記ウィンドウは消去する）ようにしてもよい。また、利用者が、ＨＤ／ＳＤコンテンツの表示を選択する操作を行わなかったときは、受信ＣＮＲが第２の閾値未満となったときに低階層ＡＶストリームのデコードを実行する。これにより、受信状態が悪くなり始めたときに、より早いタイミングでＨＤ／ＳＤコンテンツの再生への切替を利用者に選択させることができ、受信装置の利便性を高めることができる。【０４３２】
また、第１４の実施形態で上述したような、双方の物理チャンネルでＨＤ／ＳＤコンテンツの階層伝送を行っているときは、上記第１の閾値を下回ったときにウィンドウに表示するＨＤ／ＳＤコンテンツについては、より受信ＣＮＲが良好である方の物理チャンネルのＨＤ／ＳＤコンテンツコンテンツを表示するようにすればよい。また、利用者の選択操作、あるいは第２の閾値未満となったためにＨＤ／ＳＤコンテンツに切り替わった後も受信ＣＮＲの状態を監視し、その状態に応じて適宜、受信状態が良好な方の物理チャンネルのＳＤ／ＨＤコンテンツを再生するようにしてもよい。これにより、映像や音声が途切れたり乱れたりする状態を発生させずにコンテンツの視聴を継続させることが可能となる。
【産業上の利用可能性】
【０４３３】
本発明にかかるデジタル放送送信装置、デジタル放送受信装置は、情報量が大きな番組を送受信することができ、デジタル放送の放送設備における送信装置や、デジタル放送を受信可能なテレビやカーナビゲーション装置等に有用である。
【図１】
2009016835.tif 000003
【図２】
2009016835.tif 000004
【図３】
2009016835.tif 000005
【図４】
2009016835.tif 000006
【図５】
2009016835.tif 000007
【図６】
2009016835.tif 000008
【図７】
2009016835.tif 000009
【図８】
2009016835.tif 000010
【図９】
2009016835.tif 000011
【図１０】
2009016835.tif 000012
【図１１】
2009016835.tif 000013
【図１２】
2009016835.tif 000014
【図１３】
2009016835.tif 000015
【図１４】
2009016835.tif 000016
【図１５】
2009016835.tif 000017
【図１６】
2009016835.tif 000018
【図１７】
2009016835.tif 000019
【図１８】
2009016835.tif 000020
【図１９】
2009016835.tif 000021
【図２０】
2009016835.tif 000022
【図２１】
2009016835.tif 000023
【図２２】
2009016835.tif 000024
【図２３】
2009016835.tif 000025
【図２４】
2009016835.tif 000026
【図２５】
2009016835.tif 000027
【図２６】
2009016835.tif 000028
【図２７】
2009016835.tif 000029
【図２８】
2009016835.tif 000030
【図２９】
2009016835.tif 000031
【図３０】
2009016835.tif 000032
【図３１】
2009016835.tif 000033
【図３２】
2009016835.tif 000034
【図３３】
2009016835.tif 000035
【図３４】
2009016835.tif 000036
【図３５】
2009016835.tif 000037
【図３６】
2009016835.tif 000038
【図３７】
2009016835.tif 000039
【図３８】
2009016835.tif 000040
【図３９】
2009016835.tif 000041
【図４０】
2009016835.tif 000042
【図４１】
2009016835.tif 000043
【図４２】
2009016835.tif 000044
【図４３】
2009016835.tif 000045
【図４４】
2009016835.tif 000046
【図４５】
2009016835.tif 000047
【図４６】
2009016835.tif 000048
【図４７】
2009016835.tif 000049
【図４８】
2009016835.tif 000050
【図４９】
2009016835.tif 000051
【図５０】
2009016835.tif 000052
【図５１】
2009016835.tif 000053
【図５２】
2009016835.tif 000054
【図５３】
2009016835.tif 000055
【図５４】
2009016835.tif 000056
【図５５】
2009016835.tif 000057
【図５６】
2009016835.tif 000058
【図５７】
2009016835.tif 000059
【図５８】
2009016835.tif 000060
【図５９】
2009016835.tif 000061
【図６０】
2009016835.tif 000062
【図６１】
2009016835.tif 000063
【図６２】
2009016835.tif 000064
【図６３】
2009016835.tif 000065
【図６４】
2009016835.tif 000066
【手続補正書】
【提出日】平成22年1月29日(2010.1.29)
【手続補正１】
【補正対象書類名】明細書
【補正対象項目名】全文
【補正方法】変更
【補正の内容】
【発明の詳細な説明】
【技術分野】
【０００１】
本発明は、デジタル放送の送受信に関し、より特定的には、デジタル放送のトランスポートストリームを送信または受信する技術に関する。
【背景技術】
【０００２】
近年は、テレビジョン放送を従来のアナログ放送からデジタル放送に置き換えることが実用化されつつある。
【０００３】
デジタル放送には、従来のアナログ放送にない特徴として、映像、音声、各種データ等の区別をなくすと共に柔軟な番組編成が可能であること、限られた伝送帯域で高品質かつ多数の番組放送が可能であること、優先度に応じた階層化サービスの提供が可能であること、放送方式そのもののバージョンアップが容易であること、高い双方向性を有すること、等がある。このデジタル放送には、映像符号化方式として、いわゆるＭＰＥＧ（ＭｏｖｉｎｇＰｉｃｔｕｒｅ  Ｅｘｐｅｒｔｓ  Ｇｒｏｕｐ）２の動画像圧縮符号化技術が採用され、多重化方式としてＭＰＥＧ２システムが採用されている。
【０００４】
ＭＰＥＧ２およびＭＰＥＧ２システムを採用したデジタル放送の規格については既に既知であるため、その詳細についての説明は省略するが、各放送事業者は、概ね、以下のような流れでデジタル放送の送信を行う。まず、放送事業者は、プログラム（番組）を構成する映像や音声等の信号をデジタル化（符号化）する。次に、デジタル化された信号を、トランスポートストリーム（以下、ＴＳ）と呼ばれる、伝送に適した信号形式に多重化する。そして、このＴＳを所定の形式で変調して搬送波とし、１つの物理チャンネル（トランスポンダ）を用いて送信している。つまり、放送事業者は、プログラムをデジタル信号に符号化したうえで多重化し、１つのＴＳとして１つの物理チャンネルで送信している（図１６参照）。
【０００５】
次に、上記のように送信されたＴＳを受信するデジタル放送受信装置（例えば、特許文献１）について説明する。図１７は、従来のデジタル放送受信装置の構成の一例を示すブロック図である。図１７に示す受信装置は、受信アンテナ９０の出力が入力されるフロントエンド９１と、フロントエンド９１の出力が入力されるデマルチプレクサ９４と、デマ
ルチプレクサ９４の出力が入力されるＭＰＥＧ２ビデオデコーダ９５、ＭＰＥＧ２オーディオデコーダ９６、およびデータ処理部９７とを備えている。また、この衛星デジタル放送受信装置の全体の制御等を行うＣＰＵ９８を備えている。このＣＰＵ９８にはメモリ９９が接続されている。
【０００６】
図１７において、受信アンテナ９０にて受信されたＴＳは、フロントエンド９１において受信トランスポンダの選択、復調、エラー訂正等の処理を施された後にデマルチプレクサ９４に入力される。上記ＴＳは多重化されて送られてきたストリームであるため、このストリームはデマルチプレクサ９４において、ＰＳＩ（Ｐｒｏｇｒａｍ  Ｓｐｅｃｉｆｉｃ  Ｉｎｆｏｒｍａｔｉｏｎ：番組特定情報）、ＭＰＥＧ２ビデオＥＳ（Ｅｌｅｍｅｎｔａｒｙ  Ｓｔｒｅａｍ）、ＭＰＥＧ２オーディオＥＳ、およびＰＳ（Ｐｒｉｖａｔｅ  Ｓｅｃｔｉｏｎ）に分割される。
【０００７】
デマルチプレクサ９４での分割により得られたＰＳＩはＣＰＵ９８に送られ、ＭＰＥＧ２ビデオＥＳはＭＰＥＧ２ビデオデコーダ９５へ、ＭＰＥＧ２オーディオＥＳはＭＰＥＧ２オーディオデコーダ９６へ、ＰＳはデータ処理部９７へそれぞれ送られる。
【０００８】
ＭＰＥＧ２ビデオデコーダ９５、ＭＰＥＧ２オーディオデコーダ９６、データ処理部９７では、それぞれ供給されたＭＰＥＧ２ビデオＥＳ、ＭＰＥＧ２オーディオＥＳ、ＰＳを各々適切に処理し、これらＭＰＥＧ２ビデオデコーダ９５、ＭＰＥＧ２オーディオデコーダ９６、データ処理部９７での処理にて得られた信号が、それぞれ図示しないビデオ出力インターフェース、オーディオ出力インターフェース、データ出力インターフェースから外部へ出力される。
【０００９】
ＣＰＵ９８は、メモリ９９を利用しながらＭＰＥＧ２ビデオデコーダ９５、ＭＰＥＧ２オーディオデコーダ９６、およびデータ処理部９７の動作を制御する。また、ＣＰＵ９８は、ＰＳＩに基づいて選局動作を行う。ここで、ＰＳＩの種類としては、ＮＩＴ（Ｎｅｔｗｏｒｋ  Ｉｎｆｏｒｍａｔｉｏｎ  Ｔａｂｌｅ）、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）等がある。ＮＩＴは、あるネットワークの放送全体に関する選局情報として、物理チャンネルであるトランスポンダの周波数と各トランスポンダに属するプログラムのＩＤ、すなわちＳＩＤ（Ｓｅｒｖｉｃｅ  Ｉｄｅｎｔｉｆｉｅｒ）等が記述される。また、ＰＡＴはトランスポンダ毎に定義され、そのトランスポンダの選局情報として、そのトランスポンダで現在放送されているＳＩＤとそのＳＩＤに関する選局情報であるＰＭＴのＰＩＤ(Ｐａｃｋｅｔ  Ｉｄｅｎｔｉｆｉｅｒ) が記述される。ＰＭＴはＳＩＤ毎に定義され、そのＳＩＤの選局情報として、ＳＩＤに含まれているＥＳまたはＰＳについての情報が記述される。ＣＰＵ９８は、ＰＳＩ中のＰＭＴにより得られたＥＳあるいはＰＳのＰＩＤを、デマルチプレクサ９４に設定し、ＥＳあるいはＰＳをＭＰＥＧ２ビデオデコーダ９５、ＭＰＥＧ２オーディオデコーダ９６、データ処理部９７の各処理装置へ割り当てることにより選局を行う。
【００１０】
また、上記受信装置に関して、近年では、チューナを２つ搭載した受信装置も知られている。このような受信装置では、２つのチューナで個別に異なるチャンネルを選局し、いわゆるハイビジョン映像規格で作成された、異なる内容の番組を２画面同時表示することができる。
【００１１】
ここで、近年、いわゆるスーパーハイビジョンと呼ばれる映像規格が登場している。スーパーハイビジョンとは、最大でハイビジョン放送の１６倍の情報量を持つ高精細映像システムで、約２４Ｇｂｐｓのビットレートとなるため、Ｈ．２６４方式で圧縮符号化を行っても１００〜４００Ｍｂｐｓという膨大な情報量となる。つまり、上述のようにビデオ
信号をデジタル化し、１つのＴＳを生成すると、１つのＴＳに含まれる情報量も増えてしまう。その結果、１つのＴＳに含まれるべき情報量が、各放送事業者に割り当てられている周波数帯域（伝送容量）、つまり、１つの物理チャンネルでは伝送しきれないほどの情報量となってしまう（図１８参照）。すなわち、スーパーハイビジョン規格で作成した番組を現行の伝送方式で放送するには、伝送容量が足りないため、１つの物理チャンネルでは伝送することができない。
【００１２】
ここで、１つのコンテンツファイルを複数の分割配信用データに変換し、これらを互いに異なる複数の伝送路を介して伝送する技術が開示されている（例えば、特許文献２）。そこで、上記スーパーハイビジョン番組を２つの分割配信用データに配信し、２つの異なる物理チャンネルを使って伝送することでデジタル放送を行う場合を考える。この場合、受信装置側で当該スーパーハイビジョン映像の番組を視聴しようとするときは、上記２つのチューナを用いて当該２つの物理チャンネルをそれぞれ選局し、上記分割配信用データを受信する。更に、当該受信した分割配信用データを受信装置内において合成し、元のスーパーハイビジョン番組に復元する機能が必要となる。
【先行技術文献】
【特許文献】
【００１３】
【特許文献１】特開平１１−２７５４７６号公報
【特許文献２】国際公開第０１／０５６２４４号パンフレット
【発明の概要】
【発明が解決しようとする課題】
【００１４】
しかしながら、上述したような放送の送受信方法においては、以下に示す問題点があった。
【００１５】
例えば、単一のスーパーハイビジョン規格の番組（ＴＳ）を分割し、上記のように複数の物理チャンネルを用いて伝送して、受信機側で、当該複数のチャンネルを同時に受信して１つの番組を再生するという場合、全ての放送が上記のようなスーパーハイビジョン規格の放送になると、同時に複数のチャンネルを受信できないような既存の受信機（例えば、シングルチューナ機など）では、これらの番組が一切視聴できなくなるという問題がある。
【００１６】
それ故に、本発明の目的は、１つの物理チャンネルでは伝送しきれないほどの情報量の大きな映像・音声信号で構成される番組を伝送し、視聴することができるデジタル放送送信装置、デジタル放送受信装置、およびデジタル放送システムを提供することである。
【００１７】
また、上記チューナを２つ搭載した受信装置において、上記スーパーハイビジョン番組を受信・視聴するためには、当該２つのチューナで上記２つの物理チャンネルを選局する必要がある。そのため、上記スーパーハイビジョン番組の視聴と、その他の番組の録画（いわゆる裏録）を両立できないという問題がある。例えば、ハイビジョン番組を録画中の状態（つまり、チューナを１つだけ使用している状態）において上記スーパーハイビジョン番組を受信・視聴することを優先させると、チューナが２つともスーパーハイビジョン番組の視聴のために用いられ、録画処理が停止してしまう。逆に、録画処理を優先させると、スーパーハイビジョン番組については一切視聴できないという問題がある。
【００１８】
それ故に、本発明の別の目的は、複数の物理チャンネルでの伝送に対応した番組の視聴と所定の番組の録画とを両立できるデジタル放送受信装置を提供することである。
【００１９】
また、上記のような、２つのチューナ及び各チャンネルで受信したデータの合成・復元
機能を備えた受信装置であれば、上記２つの物理チャンネルで送信される動画像コンテンツを受信して視聴することは可能ではある。しかしながら、２つのチューナを用いて、２つの物理チャンネルを個別に選局するということは、１つの動画像コンテンツ（番組）を視聴するために２回分の選局が必要があるということでもある。つまり、（１）視聴者による選局指示操作→（２）１つ目のチャンネルの選局処理→（３）２つめのチャンネルの選局処理→（４）各チャンネルで受信したデータの合成〜再生処理の開始→動画像の出力開始、というステップを踏むことになる。そのため、従来のような、１つの動画像コンテンツが１つの物理チャンネルだけで伝送される場合に比べると、２つめのチャンネルの選局にかかる処理の分だけ、選局指示操作の後、実際に動画像が表示されるまでに時間がかかってしまうという問題がある。
【００２０】
それ故に、本発明の別の目的は、複数の物理チャンネルを用いてバルク伝送される１つの動画像コンテンツを受信するデジタル放送受信装置において、選局操作を行ってから画像が表示されるまでの時間を短縮することが可能なデジタル放送受信装置を提供することである。
【００２１】
また、上記のように、２つの物理チャンネルで伝送されるスーパーハイビジョン番組をＷチューナで受信し、合成することで当該スーパーハイビジョン番組を視聴することは可能となりうるが、その反面、番組の受信・再生処理については、Ｗチューナで選局して合成し、１つの番組を再生するという処理を前提とする。すなわち、１つの番組の再生のために２つのチューナが存在するという構成、いわば、上記のような２つのチャンネルで伝送されるスーパーハイビジョン番組専用の視聴装置となるため、上述したような、別々の番組を２画面同時表示することができないという問題がある。
【００２２】
それ故に、本発明の別の目的は、２つのチューナを備えた受信装置であって、２つのチャンネルでバルク伝送される番組の受信・再生と、１つのチャンネルで伝送される番組の受信・再生とを両立できるデジタル放送受信装置を提供することである。
【００２３】
また、上記のような、２つのチューナ及び合成・復元機能を備えた受信機であれば、上記動画像コンテンツを受信して視聴することは可能ではある。しかしながら、上述のような高画質・大容量の動画像コンテンツを受信機側で違和感なく視聴するためには、データの欠落が発生しないような高い伝送品質が求められる。つまり、伝送品質が低下すると、上記動画像コンテンツを構成するデータの欠落が発生し、受信機側において、当該動画像コンテンツが完全に復元できないことが考えられる。その結果、視聴時において当該動画像コンテンツの映像や音声が途切れてしまう、あるいは乱れてしまうことがあり、視聴者にとって快適な視聴が継続できなくなってしまうという問題がある。
【００２４】
それ故に、本発明の別の目的は、複数の伝送路を用いて情報量が大きなコンテンツを伝送するときに、伝送品質が低下しても当該コンテンツの違和感のない視聴を継続させることができるデジタル放送送受信システム、および送受信装置を提供することである。
【課題を解決するための手段】
【００２５】
本発明は、上記の課題を解決するために、以下の構成を採用した。なお、括弧内の参照符号および補足説明等は、本発明の理解を助けるために後述する実施形態との対応関係の一例を示したものであって、本発明を何ら限定するものではない。
【００２６】
第１の局面は、１つのデジタル放送の番組と当該番組の関連情報で構成されるビットストリーム（例えば、トランスポートストリーム）を複数の物理チャンネルで送信するデジタル放送送信装置であって、複数の物理チャンネルを関連づけるための情報であるチャンネル結合情報を生成するチャンネル結合情報生成手段（１４、１８）と、ビットストリー
ムを複数のビットストリームに分割して、チャンネル結合情報と共に複数の物理チャンネルでそれぞれ送信する送信手段（１５，１６，１７、１８）と、送信手段でビットストリームとして送信されるデジタル放送の番組と同一内容の番組を構成するビットストリームであり、且つ、当該送信手段で送信されるビットストリームよりも情報量の少ないビットストリームである軽量ビットストリームを生成する軽量ビットストリーム生成手段（７１，７２，７３，７４）と、送信手段がビットストリームを送信するのに用いる物理チャンネルとは異なった単一の物理チャンネルで軽量ビットストリームを、送信手段が送信するビットストリームと並行して送信する並行送信手段（７６，７７）とを備える。
【００２７】
第１の局面によれば、１つの物理チャンネルでは伝送できないような情報量の大きなテレビ番組を伝送することができる。また、従来から存在していた受信装置に対して、放送が全く視聴できなくなることを防ぐことができる。
【００２８】
第２の局面は、第１の局面において、並行送信手段は、軽量ビットストリームと並行して送信手段による複数の物理チャンネルでのビットストリームの送信が行われているか否かを示す並行放送情報を当該軽量ビットストリームと共に送信する。
【００２９】
第３の局面は、第１の局面において、番組の関連情報は、ビットストリームにどのような番組が存在しているかを記した情報であるサービスインフォメーションであり、送信手段は、チャンネル結合情報をサービスインフォメーションに含めるチャンネル結合情報付加手段を含む。
【００３０】
第２乃至第３の局面によれば、第１の局面と同様の効果を得ることができる。
【００３１】
第４の局面は、１つのデジタル放送の番組と当該番組の関連情報で構成されるビットストリームを複数の物理チャンネルで送信するデジタル放送送信装置から送信される放送波を受信して復調するフロントエンド部（３２）を複数備えるデジタル放送受信装置であって、単一の物理チャンネルで受信した放送波で構成される番組内容と同じ番組内容であって、当該単一の物理チャンネルとは異なる複数の物理チャンネルで、当該単一の物理チャンネルでの番組の送信と並行して送信されている番組の存在を判別するための判別手段（８１）と、複数の物理チャンネルを関連づけるための情報であるチャンネル結合情報に基づいて、複数のフロントエンド部を用いて複数の物理チャンネルを選局し、それぞれの物理チャンネルで受信した放送波を復調する同時選局復調手段（３２、３５）と、同時選局復調手段でそれぞれ復調されたビットストリームを結合する結合手段（３３）と、結合されたビットストリームを出力する出力手段（３３）とを備える。そして、同時選局復調手段は、判別手段が複数の物理チャンネルで並行して送信されている番組が存在すると判定したときに、当該複数の物理チャンネルを選局する。更に、結合手段は、チャンネル結合情報に基づいて、同時選局復調手段でそれぞれ復調されたビットストリームを結合する。
【００３２】
第４の局面によれば、複数の物理チャンネルで伝送されてくる情報量の大きな一つのテレビ番組を受信し、結合することができる。また、情報量の大きなビットストリームで構成される番組と情報量が小さなビットストリームで構成される番組とが並行して送信されるときに、情報量の大きなビットストリームで構成される番組を受信して再生することが可能となる。更に、チャンネルを結合するための方法として多彩な方法を利用し、使い分けることが可能となる。
【００３３】
第５の局面は、第４の局面において、チャンネル結合情報は、ビットストリームにどのような番組が存在しているかを記した情報であるサービスインフォメーションに含まれ、受信装置は、サービスインフォメーションに含まれるチャンネル結合情報に基づいて、視聴対象として選択された番組が複数の物理チャンネルで送信される番組であるか否かを判
定する判定手段を更に備える。また、同時選局復調手段は、視聴対象番組が複数の物理チャンネルで送信されていると判定手段が判定したときに、チャンネル結合情報に基づいて当該複数の物理チャンネルを選局する。
【００３４】
第５の局面によれば、第４の局面と同様の効果を得ることができる。
【００３５】
第６の局面は、複数の物理チャンネルを用いてバルク伝送される放送番組であるバルク番組と、単一の物理チャンネルを用いて伝送される放送番組である非バルク番組と、伝送される放送番組がバルク番組であるか非バルク番組であるかを識別するための情報である識別情報および該バルク番組が伝送される複数の物理チャンネル番号を示す情報であるバルクチャンネル情報を少なくとも含む制御情報とをデジタル放送信号として送信する送信装置からの該デジタル放送信号を受信するデジタル放送受信装置であって、バルク番組が伝送される物理チャンネルのうち少なくとも１つのチャンネルでは、当該バルク番組と同じ番組内容であって映像規格が異なる番組である低階層番組が階層伝送されている。そして、当該デジタル放送受信装置は、複数のチューナ（２０３２，２０３３）と、利用者の所定の操作を受け付ける操作受付手段（２０４８，２０４９）と、操作受付手段が受け付けた操作に基づいて利用者が指定した物理チャンネルをチューナに選局させる選局指示手段（２０４８）と、選局指示手段が選局させた物理チャンネルでバルク番組が伝送されるか否かを制御情報に基づいて検出するバルクチャンネル検出手段（２０４０，２０４８）と、バルク番組が伝送されることをバルクチャンネル検出手段が検出したとき、複数のチューナそれぞれの利用状態を検出するチューナ状態検出手段（２０４８）と、チューナ状態検出手段の検出結果に基づいて、バルクチャンネル検出手段で検出されたバルク番組がバルク伝送される複数の物理チャンネルを全て選局できるだけの数のチューナが利用可能か否かを判定する受信可否判定手段（２０４８）と、受信可否判定手段がバルク伝送される複数の物理チャンネルを全て選局できるだけの数のチューナが利用可能と判定したときは、バルクチャンネル検出手段で検出されたバルク番組を再生するための処理を実行し、当該バルク伝送される複数の物理チャンネルを全て選局できるだけの数のチューナが利用可能ではないと判定したときは、当該バルク番組と階層伝送されている低階層番組を再生するための処理を実行する番組再生手段（２０４１、２０４２，２０４３，２０４８）とを備える。
【００３６】
第６の局面によれば、複数の物理チャンネルでの伝送に対応した番組の視聴と所定の番組の録画とを両立できる。
【００３７】
第７の局面は、第６の局面において、受信可否判定手段は、バルク番組が伝送される物理チャンネルとは異なる物理チャンネルを録画のために選局しているチューナについては利用可能ではない状態と判定する。
【００３８】
第７の局面によれば、第６の局面と同様の効果を得ることができる。
【００３９】
第８の局面は、第６の局面において、デジタル放送受信装置は、ＯＳＤ表示を行うためのＯＳＤ表示手段（２０４４，２０４５）を更に備える。ＯＳＤ表示手段は、番組再生手段がバルク番組と階層伝送されている低階層番組を再生するための処理を実行するときに、当該低階層番組を再生することを示すＯＳＤ表示を画面に出力する。
【００４０】
第８の局面によれば、利用者に視聴状況を容易に把握させることが可能となる。
【００４１】
第９の局面は、第６の局面において、デジタル放送受信装置は、操作受付手段が受け付けた操作に基づいて、放送予定である所定の番組の放送時間帯、放送される物理チャンネル、および識別情報とを少なくとも含む録画予約情報を登録するための録画予約手段（２
０４８、２０５４）と、録画予約情報を記憶するための予約情報記憶手段（２０５０）と、録画予約手段が登録しようとする番組の放送時間帯と放送時間が重複する番組である重複番組が既に録画予約されているか否かを予約情報記憶手段に記憶されている録画予約情報に基づいて検出する重複番組検出手段（２０４８）と、録画予約手段が登録しようとする番組および重複番組の少なくともいずれか一方がバルク番組であるときは、当該バルク番組の録画予約を低階層番組の録画予約として登録するための予約内容変更手段（２０４８）とを更に備える。
【００４２】
第１０の局面は、第９の局面において、予約内容変更手段は、重複番組がバルク番組のときは、当該重複番組の録画予約を低階層番組の録画予約に変更する。
【００４３】
第１１の局面は、第９の局面において、予約内容変更手段は、録画予約手段が登録しようとする番組がバルク番組のときは、当該録画予約手段が登録しようとする番組の録画予約を低階層番組の録画予約として登録する。
【００４４】
第１２の局面は、第９の局面において、予約内容変更手段は、録画予約手段が登録しようとする番組および重複番組が共にバルク番組のときは、いずれの番組も低階層番組の録画予約として登録する。
【００４５】
第９乃至第１２の局面によれば、バルク番組が録画できない状態となることを防ぐことができる。また、既に録画予約済みのバルク番組が原因で、非バルク番組等の録画予約ができなくなることを防ぐ事ができる。これにより、デジタル放送受信装置の利便性を高めることができる。
【００４６】
第１３の局面は、複数の物理チャンネルを用いてバルク伝送される番組であるバルク番組と、単一の物理チャンネルを用いて伝送される番組である非バルク番組と、放送される番組がバルク番組であるか非バルク番組であるかを識別するための情報である識別情報および該バルク番組を構成する複数の物理チャンネル番号を示す情報であるバルクチャンネル情報を少なくとも含む制御情報とをデジタル放送信号として送信する送信装置からの該デジタル放送信号を受信するデジタル放送受信装置であって、所定の物理チャンネルを選局してデジタル放送信号を受信する第１のチューナ（３０３２）および第２のチューナ（３０３３）と、第１のチューナで受信したデジタル放送信号で伝送されている番組がバルク番組であるか非バルク番組であるかを制御情報に基づいて判定する放送種別判定手段（３０４６）と、放送中あるいは放送予定のバルク番組に関する情報を検索するためのバルク番組検索手段（３０４６）と、第１のチューナおよび第２のチューナの選局動作を制御するための選局制御手段（３０４６）と、第１のチューナおよび第２のチューナの少なくとも一方で選局された物理チャンネルで伝送されるデジタル放送信号に基づいてバルク番組または非バルク番組を再生して画面に出力するための番組再生出力手段（３０４１，３０４２、３０４３）とを備える。そして、選局制御手段は、第１のチューナで選局した物理チャンネルで伝送されている番組がバルク番組であると放送種別判定手段が判定したときは、バルクチャンネル情報に基づいて該バルク番組を構成する複数の物理チャンネルを第１のチューナおよび第２のチューナに選局させて、それぞれのチューナで受信されたデジタル放送信号を合成して番組再生出力手段に出力する。また、選局制御手段は、第１のチューナで選局した物理チャンネルで放送されている番組が非バルク番組であると放送種別判定手段が判定したときは、第１のチューナを介して得られたデジタル放送信号を番組再生出力手段に出力すると共に、バルク番組検索手段にバルク番組を放送している物理チャンネルを検索させ、該バルク番組検索手段によって検索された物理チャンネルのいずれか一つを第２のチューナに選局させる。
【００４７】
第１３の局面によれば、第１のチューナで非バルク番組が選局された際に、第２のチュ
ーナで他のバルク番組にかかる物理チャンネルを選局しておく。これにより、利用者が後にバルク番組にかかるチャンネルが選局したときに、選局操作を行ってから実際にバルク番組が画面に表示されるまでの待ち時間を短縮することができる。
【００４８】
第１４の局面は、第１３の局面において、制御情報には、全てのチャンネルについての識別情報およびバルクチャンネル情報が含まれている。そして、バルク番組検索手段は、識別情報に基づいて放送中のバルク番組を検索する。
【００４９】
第１４の局面によれば、利用者が非バルク番組を視聴中の時間帯において他のチャンネルで放送されているバルク番組のチャンネルを第２のチューナで選局することができる。これにより、利用者がザッピング操作を行ったとき等にバルク番組が選局された際、選局操作が行われてから実際にバルク番組が画面に表示されるまでの待ち時間を短縮することができる。
【００５０】
第１５の局面は、第１３の局面において、デジタル放送受信装置は、ＥＰＧを取得するためのＥＰＧ取得手段（３０６１）を更に備える。そして、バルク番組検索手段は、ＥＰＧに基づいて、放送中または放送予定のバルク番組の物理チャンネル番号を検索する。
【００５１】
第１６の局面は、第１５の局面において、バルク番組検索手段は、ＥＰＧに基づいて、所定の時間以内に放送予定のバルク番組にかかる物理チャンネル番号を検索する。
【００５２】
第１５乃至第１６の局面によれば、ＥＰＧを利用して、放送中あるいは放送予定のバルク番組にかかる物理チャンネルについて第２のチューナで先行して選局することができる。これにより、利用者が当該バルク番組にかかる物理チャンネルを選局したときに、選局操作が行われてから実際にバルク番組が画面に表示されるまでの待ち時間を短縮することができる。
【００５３】
第１７の局面は、第１３の局面において、バルク番組が伝送される各物理チャンネルでは、当該バルク番組と同じ番組内容であって映像規格が異なる番組である低階層番組が階層伝送されている。そして、選局制御手段は、第１のチューナで選局した物理チャンネルにかかる番組がバルク番組であると放送種別判定手段が判定したときは、第１のチューナで受信したデジタル放送信号に含まれている低階層番組を構成するデータを番組再生出力手段へ出力した後に、それぞれのチューナで受信したデジタル放送信号を合成して番組再生出力手段へ出力する。
【００５４】
第１７の局面によれば、バルク番組にかかるチャンネルの選局操作が行われた後、画面に映像が表示されていない状態である時間を短縮することができる。
【００５５】
第１８の局面は、第１７の局面において、デジタル放送受信装置は、番組再生出力手段からの出力に所定のＯＳＤ表示を合成して画面に出力するためのＯＳＤ合成手段（３０５１）と、ＯＳＤ表示に対する所定の操作入力を受け付けるためのＯＳＤ操作受付手段（３０４７）とを更に備える。そして、ＯＳＤ合成手段は、選局制御手段が低階層番組を構成するデータを番組再生出力手段に出力した後、バルク番組の再生に切替えるか否かの旨のメッセージをＯＳＤ表示として生成して画面に出力する。更に、選局制御手段は、ＯＳＤ合成手段が前記メッセージを表示した後、当該メッセージに対する操作入力内容をＯＳＤ操作受付手段から取得し、当該入力内容に基づいてバルク番組を構成する複数の物理チャンネルを第１のチューナおよび第２のチューナに選局させ、それぞれのチューナで受信したデジタル放送信号を合成して番組再生出力手段に出力する。
【００５６】
第１８の局面によれば、バルク番組にかかるチャンネルの選局操作が行われた後、画面
に映像が表示されない状態となっている時間を短縮することができる。また、低階層番組の表示から映像規格が異なるバルク番組への切替について利用者に問い合わせるため、表示された番組（放送されている番組）がより高画質なバルク番組であることを利用者に認識させることが可能となる。
【００５７】
第１９の局面は、第１３〜第１７のいずれかに記載の局面において、バルク番組は、スーパーハイビジョン規格で作成された番組であり、非バルク番組は、ハイビジョン規格またはＳＤ規格で作成された番組である。
【００５８】
第１９の局面によれば、利用者がスーパーハイビジョン規格で作成された番組を視聴するときに、選局操作を行ってから実際にスーパーハイビジョンの番組が画面に表示されるまでの待ち時間を短縮することができる。
【００５９】
第２０の局面は、第１７の局面において、バルク番組は、スーパーハイビジョン規格で作成された番組であり、低階層番組は、ハイビジョン規格またはＳＤ規格で作成された番組である。
【００６０】
第２０の局面によれば、利用者がスーパーハイビジョン規格で作成された番組が放送されているチャンネルを選局したときに、選局操作を行ってから画面に映像が表示されていない状態である時間を短縮することができる。
【００６１】
第２１の局面は、複数の物理チャンネルを用いてバルク伝送される放送番組であるバルク番組と、単一の物理チャンネルを用いて伝送される放送番組である非バルク番組と、伝送される放送番組がバルク番組であるか非バルク番組であるかを識別するための情報である識別情報および該バルク番組が伝送される複数の物理チャンネル番号を示す情報であるバルクチャンネル情報を少なくとも含む制御情報とをデジタル放送信号として送信する送信装置からの該デジタル放送信号を受信するデジタル放送受信装置であって、所定の物理チャンネルを選局してデジタル放送信号を受信する複数のチューナ（４０３２、４０３３）と、複数のチューナで選局される物理チャンネルのいずれかにおいてバルク番組が伝送されることを制御情報に基づいて検出するバルクチャンネル検出手段（４０４０、４０４８）と、バルク番組が伝送される複数の物理チャンネルを複数のチューナでそれぞれ選局して受信したデジタル放送信号からバルク番組を再生して出力する第１の再生処理モードと、非バルク番組が伝送される物理チャンネルを単一のチューナを用いて選局して受信したデジタル放送信号から非バルク番組を再生して出力する第２の再生処理モードとの間で再生処理モードをバルクチャンネル検出手段の検出結果に応じて切り替える番組再生手段（４０４１、４０４２、４０４３、４０４８）と、番組再生手段から出力されるバルク番組または非バルク番組を所定の画面または所定の記憶媒体に出力する少なくとも一つの出力部（４０４２、４０４３）とを備える。そして、番組再生手段は、いずれかのチューナで選局している物理チャンネルでバルク番組が伝送されることをバルクチャンネル検出手段が検出したときは再生処理モードを第１の再生処理モードに切替え、チューナで選局されているいずれの物理チャンネルにおいてもバルク番組が伝送されないことをバルクチャンネル検出手段が検出したときは再生処理モードを第２の再生処理モードに切替える。
【００６２】
第２１の局面によれば、バルク番組および非バルク番組の視聴の両立が可能となり、利便性の高い受信装置を提供することができる。
【００６３】
第２２の局面は、第２１の局面において、デジタル放送受信装置は、ＯＳＤ表示として表示する内容であるＯＳＤ表示内容を生成するＯＳＤ生成手段（４０４４，４０４５）と、ＯＳＤ生成手段が生成した表示内容をＯＳＤ表示するためのＯＳＤ表示手段（４０４４，４０４５）とを更に備える。そして、ＯＳＤ生成手段は、いずれかのチューナで選局し
ている物理チャンネルでバルク番組が伝送されることをバルクチャンネル検出手段が検出したとき、所定のメッセージをＯＳＤ表示内容として生成してＯＳＤ表示手段に出力する。
【００６４】
第２２の局面によれば、視聴する番組がバルク番組か否かを利用者に認識させることができ、デジタル放送受信装置の利便性を高めることができる。
【００６５】
第２３の局面は、第２２の局面において、デジタル放送受信装置は、いずれかのチューナで選局している物理チャンネルでバルク番組が伝送されることをバルクチャンネル検出手段が検出したときに、当該デジタル放送受信装置においてバルク番組を再生することが可能か否かを判定するための再生可否判定手段を更に備える。そして、ＯＳＤ生成手段は、再生可否判定手段がバルク番組の再生ができないと判定したときに、バルク番組が再生できないことを示すメッセージをＯＳＤ表示内容として生成する。
【００６６】
第２３の局面によれば、バルク番組が再生できないときに、利用者に故障が発生したかのような誤解を与えることを防ぐことができる。
【００６７】
第２４の局面は、第２１の局面において、バルク番組が伝送される物理チャンネルのうち少なくとも１つのチャンネルでは、当該バルク番組と同じ番組内容であって映像規格が異なる番組である低階層番組が階層伝送されている。また、デジタル放送受信装置は、複数の出力部を備えている。番組再生手段は、バルク番組が伝送される複数の物理チャンネルを複数のチューナでそれぞれ選局して受信したデジタル放送信号からバルク番組を再生して複数の出力部のいずれか一つに出力すると共に、低階層番組を再生して、バルク番組を出力している出力部とは異なる出力部に出力する第３の再生処理モードを更に有する。更に、番組再生手段は、いずれかのチューナで選局している物理チャンネルでバルク番組が伝送されることをバルクチャンネル検出手段が検出したとき、または、第１の再生処理モードでバルク番組を再生中に利用者からの所定の操作信号が送られたときに再生処理モードを第３の再生処理モードに切替える。
【００６８】
第２４の局面によれば、バルク番組と低階層番組を同時に出力することができ、利便性の高い受信装置を提供することが可能となる。
【００６９】
第２５の局面は、第２４の局面において、番組再生手段は、第３の再生処理モードで低階層番組を出力するときは、当該低階層番組を録画するための所定の記録媒体に出力する。
【００７０】
第２５の局面によれば、非バルク番組の録画に用いるための構成を流用することが可能となり、バルク番組の視聴および同内容の番組の録画が可能な受信装置を低コストで提供することが可能となる。
【００７１】
第２６の局面は、複数の物理チャンネルを用いてバルク伝送される放送番組であるバルク番組と、単一の物理チャンネルを用いて伝送される放送番組である非バルク番組と、伝送される放送番組がバルク番組であるか非バルク番組であるかを識別するための情報である識別情報および該バルク番組が伝送される複数の物理チャンネル番号を示す情報であるバルクチャンネル情報を少なくとも含む制御情報とをデジタル放送信号として送信する送信装置からの該デジタル放送信号を受信するデジタル放送受信装置であって、バルク番組が伝送される物理チャンネルのうち少なくとも１つのチャンネルでは、当該バルク番組と同じ番組内容であって映像規格が異なる番組である低階層番組が階層伝送されている。そして、デジタル放送受信装置は、物理チャンネルを選局して前記デジタル放送信号を受信する少なくとも１つのチューナと、選局された物理チャンネルでバルク番組が伝送される
ことを検出するバルクチャンネル検出手段と、バルク番組が伝送される複数の物理チャンネルのうち、低階層番組が階層伝送される物理チャンネルを選局して受信したデジタル放送信号から低階層番組を再生して出力する第１の再生処理モードと、非バルク番組が伝送される物理チャンネルを選局して受信したデジタル放送信号から非バルク番組を再生して出力する第２の再生処理モードとの間で再生処理モードをバルクチャンネル検出手段の検出結果に応じて切り替える番組再生手段と、チューナで選局されている物理チャンネル番号を記憶するためのチャンネル記憶手段と、番組再生手段から出力される低階層番組または非バルク番組を所定の画面または所定の記憶媒体に出力する出力部とを備える。番組再生手段は、再生処理モードが第２の再生処理モードのときにバルク番組が伝送されることをバルクチャンネル検出手段が検出したときは、その時点で選局されている物理チャンネルの番号をチャンネル記憶手段に記憶させてから低階層番組が階層伝送される物理チャンネルを選局して再生処理モードを第１の再生処理モードに切替え、該低階層番組の放送が終了したときに該チャンネル記憶手段に記憶されているチャンネル番号を選局して第２の再生処理モードに切り替える。
【００７２】
第２６の局面によれば、バルク伝送される番組と同内容の番組が視聴でき、かつ、よりコストを抑えることができるシングルチューナ構成のデジタル放送受信装置を提供することが可能となる。
【００７３】
第２７の局面は、１つのデジタル放送コンテンツを構成する番組データに基づいて放送データを生成して、複数の物理チャンネルに分割して送信するデジタル放送送信装置であって、１つのデジタル放送コンテンツを構成する番組データに所定の符号化処理を行って第１の放送データを生成する第１の符号化手段（６０１１）と、番組データに第１の符号化手段とは異なる符号化処理を行って、１つの物理チャンネルの伝送容量で伝送可能な第２の放送データを生成する第２の符号化手段（６０１２）と、第１の放送データを分割して複数の物理チャンネルで送信する送信部（６０１３〜６０２０）とを備える。そして、送信部は、少なくとも一つの物理チャンネルにおいて第１の放送データと第２の放送データとの階層伝送を行う。
【００７４】
第２７の局面によれば、情報量の大きな動画像コンテンツを複数の物理チャンネルを用いて伝送している際に伝送品質が低下しても、コンテンツそのもののについては映像や音声が乱れることを防ぎ、当該動画像コンテンツの違和感のない視聴を利用者に継続させることができる。
【００７５】
第２８の局面は、第２７の局面において、送信部は、複数の物理チャンネルのうち、最も周波数が低い物理チャンネルを用いて階層伝送を行う。
【００７６】
第２８の局面によれば、周波数が低い物理チャンネルは伝送路の安定度も高いため、第２の放送データをより確実に伝送することができ、その結果、動画像コンテンツの視聴の継続をより確実なものとすることができる。
【００７７】
第２９の局面は、第２７の局面において、第１の符号化手段は、映像規格がスーパーハイビジョン映像である番組データを符号化する。また、第２の符号化手段は、映像規格がハイビジョン映像またはＳＤ映像である番組データを符号化する。
【００７８】
第２９の局面によれば、スーパーハイビジョンの規格に対応していない受信装置であっても、当該スーパーハイビジョンによるコンテンツと同内容のコンテンツを視聴することが可能となる。
【００７９】
第３０の局面は、１つのデジタル放送コンテンツを構成する番組データに基づいて放送
データを生成して、複数の物理チャンネルに分割して送信するデジタル放送送信装置から送信される放送データを受信して該番組データを再生するデジタル放送受信装置であって、物理チャンネルのうち少なくとも一つは、それぞれ映像規格が異なる第１の放送データと第２の放送データが階層伝送されている。そして、デジタル放送受信装置は、複数の物理チャンネルを同時に選局して第１の放送データおよび第２の放送データを受信する受信手段（６０３２〜６０４０）と、第１の放送データが送信される複数の物理チャンネルの伝送品質を検出する伝送品質検出手段（６０４１、６０４２、６０５１、６０５２）と、第１の放送データに復号処理を行い、番組データを再生する再生出力手段とを備える。再生出力手段は、第１の放送データが送信される複数の物理チャンネルのうち、いずれかの物理チャンネルの伝送品質が所定の閾値未満になったことを伝送品質検出手段が検出したときは、階層伝送されてくる第２の放送データの復号処理を行い、該復号処理で得られた番組データを再生する。
【００８０】
第３０の局面によれば、第１の局面と同様の効果を得ることができる。
【００８１】
第３１の局面は、第２９の局面において、伝送品質検出手段は、第１の放送データが送信される複数の物理チャンネル毎に受信ＣＮＲを検出する。そして、再生出力手段は、伝送品質検出手段が検出した各物理チャンネルの受信ＣＮＲのいずれかが所定の閾値未満となったときに第２の放送データの復号処理を行い、該復号処理で得られた番組データを再生する。
【００８２】
第３２の局面は、第３１の局面において、伝送品質検出手段は、第１の放送データが送信される複数の物理チャンネル毎にビット誤り率を検出する。そして、再生出力手段は、伝送品質検出手段が検出した各物理チャンネルのビット誤り率のうちいずれかが所定の閾値以上となったときに第２の放送データの復号処理を行い、該復号処理で得られた番組データを再生する。
【００８３】
第３１乃至第３２の局面によれば、伝送品質の低下を簡便にかつ的確に検出することができ、第１の放送データの再生から第２の放送データの再生への切替をより適切なタイミングで行うことが可能となる。
【００８４】
第３３の局面は、第３０の局面において、第１の放送データと第２の放送データは、複数の物理チャンネルの全てのチャンネルで階層伝送が行われる。また、再生出力手段は、伝送品質検出手段が第１の放送データが送信される複数の物理チャンネルのうち、いずれかの物理チャンネルの伝送品質が所定の閾値未満になったことを検出したとき、伝送品質が最も高い物理チャンネルで階層伝送されてくる第２の放送データの復号処理を行い、該復号処理で得られた番組データを再生する。
【００８５】
第３３の局面によれば、第１の放送データの再生中に伝送品質が低下した場合、複数の物理チャンネルのうち、より伝送品質が良い物理チャンネルを選んで第２の放送データを再生することができる。
【発明の効果】
【００８６】
本発明によれば、１つの物理チャンネルでは伝送しきれないほど情報量の大きな映像・音声信号を有するデジタル放送の送受信が可能となる。
【００８７】
また、本発明によれば、バルク伝送に対応する番組の視聴と所定の番組の録画を両立させることができる。
【００８８】
また、本発明によれば、利用者がバルク番組が放送されている物理チャンネルを選局し
てから実際に番組の映像・音声が出力されるまでにかかる時間を短縮することが出来る。
【００８９】
また、本発明によれば、バルク番組および非バルク番組の視聴の両立が可能となり、利便性の高い受信装置を提供することができる。
【００９０】
また、本発明によれば、複数の物理チャンネルを用いて情報量の大きな動画像コンテンツを伝送している際に、伝送品質が低下しても、コンテンツそのものの映像や音声が途切れて乱れた動画像となることを防ぎ、違和感のない視聴を利用者に継続させることができる。
【図面の簡単な説明】
【００９１】
【図１】第１の実施形態にかかるデジタル放送システムのシステム構成の一例を示す図
【図２】本発明にかかる処理の概要を説明するための図
【図３】第１の実施形態に係る送信装置１０の構成の一例を示す機能ブロック図
【図４】受信装置３０の構成の一例を示す機能ブロック図
【図５】第１の実施形態で用いるＮＩＴを説明するための図
【図６】サービスリスト情報５３４のデータ構造の一例を示す図
【図７】Ｃｈ結合情報５３５のデータ構造の一例を示した図
【図８】選局テーブル６０のデータ構造の一例
【図９】送信装置１０における信号処理の詳細を示すフローチャート
【図１０】受信装置３０における選局処理の詳細を示すフローチャート
【図１１】３つめの物理チャンネルを用いる場合の伝送の概要を説明するための図
【図１２】図１１に示した伝送形態における送信装置の構成を示す機能ブロック図
【図１３】結合機能対応機８０の構成の一例を示す機能ブロック図
【図１４】結合機能対応機８０における選局処理を示すフローチャート
【図１５】結合可否情報に基づく選局処理を示すフローチャート
【図１６】トランスポートストリームの伝送の概念を示す図
【図１７】従来のデジタル放送受信装置の構成を示す図
【図１８】１つの物理チャンネルで伝送しきれないトランスポートストリームの概念を示す図
【図１９】第２の実施形態におけるスーパーハイビジョン番組の伝送の概念を説明するための模式図
【図２０】第２の実施形態における送信側の設備の一例を示す機能ブロック図
【図２１】バルク関連情報の一例を示す図
【図２２】本発明の第２の実施形態に係る受信装置２０３０の構成を示した機能ブロック図
【図２３】第１の主信号誤り訂正復号部２０３６の詳細を示すブロック図
【図２４】フラッシュメモリ２０５０に記憶される予約一覧２５００の一例
【図２５】本実施形態を説明するための放送スケジュールの一例
【図２６】第２の実施形態にかかる選局再生処理の詳細を示すフローチャート
【図２７】本実施形態を説明するための放送スケジュールの一例
【図２８】第３の実施形態にかかる録画予約処理の詳細を示すフローチャート
【図２９】第４の実施形態にかかる録画予約処理の詳細を示すフローチャート
【図３０】第５の実施形態にかかる録画予約処理の詳細を示すフローチャート
【図３１】第６の実施形態にかかる録画予約処理の詳細を示すフローチャート
【図３２】第７の実施形態におけるスーパーハイビジョン規格で構成された番組の伝送の概念を説明するための模式図
【図３３】バルク関連情報の一例を示す図
【図３４】本発明の第７の実施形態に係る受信装置３０３０の構成を示した機能ブロック図
【図３５】第１の主信号誤り訂正復号部３０３６の詳細を示すブロック図
【図３６】受信装置３０３０によって実行される選局再生処理を示すフローチャート
【図３７】本発明の第８の実施形態に係る受信装置３０５０の構成を示したブロック図
【図３８】第８の実施形態にかかる受信装置３０５０で実行される選局再生処理の詳細を示すフローチャート
【図３９】本発明の第９の実施形態に係る受信装置３０６０の構成を示したブロック図
【図４０】第９の実施形態にかかる受信装置３０６０で実行される選局再生処理の詳細を示すフローチャート
【図４１】第１０の実施形態におけるスーパーハイビジョン番組の伝送の概念を説明するための模式図
【図４２】第１０の実施形態における送信側の設備の一例を示す機能ブロック図
【図４３】バルク関連情報の一例を示す図
【図４４】本発明の第１０の実施形態に係る受信装置４０３０の構成を示した機能ブロック図
【図４５】第１の主信号誤り訂正復号部４０３６の詳細を示すブロック図
【図４６】本実施形態を説明するための放送スケジュールの一例
【図４７】受信装置４０３０によって実行される番組選局再生処理を示すフローチャート
【図４８】第１１の実施形態にかかる受信装置４０６０の構成を示すブロック図
【図４９】第１２の実施形態にかかる受信装置４０７０の構成を示す機能ブロック図
【図５０】第１２の実施形態にかかる受信再生処理の詳細を示すフローチャート
【図５１】番組スケジュールの一例
【図５２】第１３の実施形態の処理概要を説明するための図
【図５３】本発明の第１３の実施形態に係る送信装置の構成を示した機能ブロック図
【図５４】高階層パケットの振り分け方について説明するための図
【図５５】第１の主信号誤り訂正符号化部６０１５の詳細を示すブロック図
【図５６】バルク伝送関連情報の一例を示す図
【図５７】本発明の第１３の実施形態に係る受信装置６０３０の構成を示した機能ブロック図
【図５８】第１の主信号誤り訂正復号部６０３６の詳細を示すブロック図
【図５９】本発明の第１３の実施形態に係る受信再生処理を示すフローチャート
【図６０】本発明の第１３の実施形態に係る受信再生処理を示すフローチャート
【図６１】ビット誤り率に基づいて伝送品質を監視する場合の受信装置６０５０の構成を示したブロック図
【図６２】第１４の実施形態の処理概要を説明するための図
【図６３】第１４の実施形態に係る送信装置６０６０の構成を示した機能ブロック図
【図６４】１つの低階層ＡＶストリームを２つのチャンネルに振り分けて伝送する場合の模式図
【発明を実施するための形態】
【００９２】
以下、本発明の実施の形態について、図面を参照して説明する。尚、この実施例により本発明が限定されるものではない。
【００９３】
（第１の実施形態）
まず、本発明の第１の実施形態について説明する。第１の実施形態にかかるデジタル放送システムでは、ＢＳデジタル放送用の放送局から送信されてくる放送信号を１つの受信装置にて受信している放送システムを例にとって説明する。なお、ＢＳデジタル放送の代わ
りに、ＣＳデジタル放送であってもよいし、地上波デジタル放送であってもよい。
【００９４】
図１は、本実施形態にかかるデジタル放送システムのシステム構成の一例を示す図である。図１において、放送番組を放送する放送局１は、アンテナ２０および、図示しない放送衛星を介して放送電波を送信する送信装置１０を備えている。また、視聴者の各家２には、ＢＳデジタル放送を受信するアンテナ３１が設置され、受信装置３０に接続されており、視聴者の選局操作により、ＢＳデジタル放送を視聴することが可能である。ここで、受信装置３０には、複数のフロントエンドが搭載されており、同時に複数の物理チャンネルを選局・受信することが可能となっている。
【００９５】
次に、本発明にかかる処理の概要（原理）を、図２を用いて説明する。本実施形態では、１つの物理チャンネルでは伝送しきれない情報量を有するトランスポートストリーム（以下、ＴＳと呼ぶ）を、複数の物理チャンネルを用いて伝送する。図２において、まず、送信側（放送局１）において、上記１つの物理チャンネルでは伝送しきれない情報量を有するＴＳ１００（以下、原ＴＳと呼ぶ）を、複数のＴＳに分割する。本実施形態では、説明の簡略化のため、２つのＴＳ１０１ａ、１０１ｂに分割する。この分割後のＴＳを、以下、分割ＴＳと呼ぶ。そして、これら分割ＴＳ１０１ａ、１０１ｂを、それぞれ異なる物理チャンネルを用いて送信する。この際、当該分割ＴＳ１０１ａ、１０１ｂを結合して原ＴＳ１００に戻すための情報であるＣｈ（チャンネル）結合情報（例えば、上記２つの物理チャンネルの周波数情報等）を生成する。そして、当該Ｃｈ結合情報をＳＩ（Ｓｅｒｖｉｃｅ  Ｉｎｆｏｒｍａｔｉｏｎ；番組配列情報）に含めて送信する。ＳＩとは、デジタル放送ストリームの分配システム、内容、並びにスケジュール／タイミングなどを定義するものであり、ＴＳにどのようなプログラムが存在し、ＴＳに含まれる各ＥＳ（Ｅｌｅｍｅｎｔａｒｙ  Ｓｔｒｅａｍ）がどのプログラムに属しているかを記し、受信機が自動的にＴＳ内の多重を解除しＥＳをデコードする機能を実現するための情報（ＰＳＩ；Ｐｒｏｇｒａｍ  Ｓｐｅｃｉｆｉｃ  Ｉｎｆｏｒｍａｔｉｏｎ；番組特定情報）に、番組内容、スケジュール情報などを含めた情報である。つまり、上記Ｃｈ結合情報がＳＩに含まれて、分割ＴＳ１０１ａ、１０１ｂとして送信されることになる。本実施形態では、当該Ｃｈ結合情報は、ＰＳＩの１つであるＮＩＴ（Ｎｅｔｗｏｒｋ  Ｉｎｆｏｒｍａｔｉｏｎ  Ｔａｂｌｅ）に含める。
【００９６】
次に、受信側（視聴者の各家２）において、上記Ｃｈ結合情報に基づいて、上記２つの物理チャンネルを同時に受信する。そのため、受信側ではフロントエンド部（チューナーと復調）が複数必要となる。そして、当該２つの物理チャンネルで受信した分割ＴＳ１０１ａおよび１０１ｂを結合し、原ＴＳ１００を復元する。そして、当該原ＴＳ１００に対して、従来と同様の選局処理等を行うことで、映像・音声信号等を出力する。
【００９７】
このように、本実施形態では、原ＴＳを複数の分割ＴＳへと分割し、それぞれの分割ＴＳを異なる物理チャンネルを用いて送信する。このとき、当該分割ＴＳを結合するために、これら異なる物理チャンネルを関連づけた情報であるＣｈ結合情報をＳＩに含め、当該ＳＩが分割ＴＳに含まれて送信される。そして、受信側で、当該Ｃｈ結合情報に基づいて、上記異なる物理チャンネルを同時に受信し、復調することで得られた分割ＴＳを結合することで原ＴＳを復元して再生等の処理を行う（換言すれば、複数のチャンネルを結合することになる）。これにより、従来、１つの物理チャンネルでは伝送しきれなかったような番組を送受信することが可能となる。
【００９８】
次に、図３を参照して、本発明の実施形態に係る送信装置１０について説明する。図３は、本実施形態に係る送信装置１０の構成の一例を示す機能ブロック図であり、本実施形態に関わるブロックを中心に記載している。図３において、送信装置１０は、映像符号化部１１と、音声符号化部１２と、データ符号化部１３と、マルチプレクサ１４と、分割部
１５と、誤り訂正・変調部１６ａ、１６ｂと、送信部１７ａ、１７ｂと、ＣＰＵ１８と、メモリ１９とで構成される。
【００９９】
映像符号化部１１は、アナログのビデオ信号を標本化および量子化することでデジタル信号へと変換する。また、変換したデジタル信号をマルチプレクサ１４に出力する。音声符号化部１２は、アナログのオーディオ信号を標本化および量子化することでデジタル信号へと変換する。また、変換したデジタル信号をマルチプレクサ１４に出力する。データ符号化部１３は、データ放送に用いられるデータ信号の符号化を行う。また、符号化した信号をマルチプレクサ１４に出力する。
【０１００】
マルチプレクサ１４は、上記各符号化部から出力される信号を多重化することで、原ＴＳを生成する。また、マルチプレクサ１４は、セクションデータ、すなわち、ＮＩＴや、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）等のＰＳＩを生成し、これらも原ＴＳに含める。この際、上述したようなＣｈ結合情報がＮＩＴに書き込まれる。また、マルチプレクサ１４は、当該原ＴＳを分割部１５に出力する。
【０１０１】
分割部１５は、原ＴＳを複数の分割ＴＳに分割する。そして、当該分割ＴＳを、誤り訂正・変調部１６ａおよび１６ｂにそれぞれ出力する。
【０１０２】
誤り訂正・変調部１６ａおよび１６ｂは、誤り訂正のためのパリティービットの付加等の処理を分割ＴＳに対して行う。更に、所定の方式を用いてキャリア変調を行うことでデジタル放送信号を生成する。そして、当該デジタル放送信号を送信部１７ａ、１７ｂにそれぞれ出力する。
【０１０３】
送信部１７ａおよび１７ｂは、誤り訂正・変調部１６ａ、１６ｂから入力されたデジタル放送信号をアンテナ２０を介してそれぞれ出力する。
【０１０４】
ＣＰＵ１８は、当該送信装置１０全体の動作を制御する。また、メモリ１９は、当該ＣＰＵ１８の動作用の各種情報を蓄積している。
【０１０５】
次に、受信装置（典型的にはデジタル放送の受信が可能なテレビ受像機）の構成について説明する。図４は、受信装置３０の構成の一例を示す機能ブロック図である。受信装置３０は、受信アンテナ３１の出力が入力されるフロントエンド３２ａおよび３２ｂと、フロントエンド３２ａおよび３２ｂの出力が入力される結合部３３と、結合部３３からの出力が入力されるデマルチプレクサ３４と、デマルチプレクサ３４の出力が入力されるＭＰＥＧ２ビデオデコーダ３７、ＭＰＥＧ２オーディオデコーダ３８、およびデータ処理部３９とを備えている。また、この衛星ディジタル放送受信装置の全体の制御等を行うＣＰＵ３５を備えている。このＣＰＵ３５にはメモリ３６が接続されている。
【０１０６】
図４において、受信アンテナ３１にて受信された分割ＴＳは、フロントエンド３２において受信トランスポンダの選択、復調、エラー訂正等の処理を施された後に、結合部３３に入力される。
【０１０７】
結合部３３は、フロントエンド３２から入力された分割ＴＳを、上記Ｃｈ結合情報に基づいて結合することで、原ＴＳを生成する。そして、当該原ＴＳがデマルチプレクサ３４に出力される。
【０１０８】
デマルチプレクサ３４において、ＰＳＩ、ＭＰＥＧ２ビデオＥＳ、ＭＰＥＧ２オーディオＥＳ、およびＰＳ（Ｐｒｉｖａｔｅ  Ｓｅｃｔｉｏｎ）が原ＴＳから分離されて取り出
される。デマルチプレクサ３４で原ＴＳから取り出されたＰＳＩはＣＰＵ３５に送られ、ＭＰＥＧ２ビデオＥＳはＭＰＥＧ２ビデオデコーダ３７へ、ＭＰＥＧ２オーディオＥＳはＭＰＥＧ２オーディオデコーダ３８へ、ＰＳはデータ処理部３９へそれぞれ送られる。
【０１０９】
ＭＰＥＧ２ビデオデコーダ３７、ＭＰＥＧ２オーディオデコーダ３８、データ処理部３９では、それぞれ供給されたＭＰＥＧ２ビデオＥＳ、ＭＰＥＧ２オーディオＥＳ、ＰＳを各々適切に処理し、これらＭＰＥＧ２ビデオデコーダ３７、ＭＰＥＧ２オーディオデコーダ３８、データ処理部３９での処理にて得られた信号が、ビデオ出力インターフェース、オーディオ出力インターフェース、データ出力インターフェース（図示せず）から外部へ出力される。
【０１１０】
ＣＰＵ３５は、メモリ３６を利用しながら、フロントエンド３２、ＭＰＥＧ２ビデオデコーダ３７、ＭＰＥＧ２オーディオデコーダ３８、およびデータ処理部３９の動作を制御する。また、ＣＰＵ３５は、上記ＰＳＩに基づいて選局動作を行う。すなわち、ＣＰＵ３５は、ＰＳＩ中のＮＩＴにより得られた物理チャンネル周波数、変調方式等をフロントエンド３２に設定し、またＰＳＩ中のＰＭＴにより得られたＥＳあるいはＰＳのＰＩＤをデマルチプレクサ３４に設定し、ＥＳあるいはＰＳをＭＰＥＧ２ビデオデコーダ３７、ＭＰＥＧ２オーディオデコーダ３８、データ処理部３９の各処理装置へ割り当てることにより選局を行う。
【０１１１】
次に、本実施形態の処理で用いられるデータについて説明する。図５は、本実施形態で用いられるＮＩＴのデータ構造の一例である。ＮＩＴは、上述したＰＳＩの一つであり、送信するネットワークに関するテーブルである。図５において、ＮＩＴ５０は、ヘッダ情報５１とネットワーク情報５２とＴＳ情報５３等との集合から成る。
【０１１２】
ヘッダ情報５１には、当該ＮＩＴ５０自体に関する情報が含まれる。例えば、テーブル識別子やバーション情報等の情報が含まれる。
【０１１３】
ネットワーク情報５２には、ネットワークに関する情報が含まれる。例えば、ネットワーク名、ネットワークＩＤ等の情報が含まれる。ここで、ネットワークＩＤとは、当該ネットワークの種別を識別するためのＩＤである。例えば、地上波デジタル放送、ＢＳデジタル放送、１１０度ＣＳデジタル放送を識別する為のＩＤである。そのため、例えば、ＢＳデジタル放送の各物理チャンネル内で送られているネットワークＩＤは全て、同一のＩＤが割り振られることになる。
【０１１４】
ＴＳ情報５３は、当該ネットワーク全体において送信される全てのＴＳについての情報である。そのため、複数のＴＳ（一般的に、ＴＳの数は放送を行っている放送事業者の数となる）について、各ＴＳ毎（図５のＴＳ００１，ＴＳ００２，ＴＳ００３・・・）に各種情報が定義されている。各ＴＳ情報５３は、ＴＳ−ＩＤ５３１、衛星分配システム情報５３３と、サービスリスト情報５３４と、Ｃｈ結合情報５３５とで構成されている。
【０１１５】
ＴＳ−ＩＤ５３１は、各ＴＳを識別するためのＩＤである。
【０１１６】
衛星分配システム情報５３３には、物理チャンネルの周波数や、変調方式、誤り訂正方式等についての情報が含まれる。ここで、本実施形態では、上述のように１つの原ＴＳを２つの物理チャンネルに分けて送信するため、当該物理チャンネルの周波数としては、いずれか一方の物理チャンネルの周波数が含まれる。以下、衛星分配システム情報５３３に記載される物理チャンネルのことをメインチャンネルと呼び、他方の物理チャンネルのことをサブチャンネルと呼ぶ。
【０１１７】
サービスリスト情報５３４は、ＴＳに含まれる各プログラムを示す情報である。図６は、サービスリスト情報５３４のデータ構造の一例を示す図である。サービスリスト情報５３４は、ＳＩＤ（Ｓｅｒｖｉｃｅ  Ｉｄｅｎｔｉｆｉｅｒ）５３４１、サービス形式５３４２等から構成される。ＳＩＤ５３４１は、ＴＳに含まれている各プログラム（番組）を識別するための情報である。サービス形式５３４２は、当該プログラムの形式（例えば、ＴＶ、音声、データ）を示すための情報である。
【０１１８】
図５に戻り、Ｃｈ結合情報５３５は、上記分割ＴＳを結合して原ＴＳにするために用いられる情報である。図７は、Ｃｈ結合情報５３５のデータ構造の一例を示した図である。Ｃｈ結合情報５３５は、結合フラグ５３５１、サブチャンネル周波数５３５２、変調方式５３５３、誤り訂正方式５３５４、Ｃｈ結合関連情報５３５５等で構成される。
【０１１９】
結合フラグ５３５１は、当該ＴＳが、ＴＳの結合を行う必要があるか否か、換言すれば、分割ＴＳであるか否かを示すためのフラグである。オンに設定されているときは、分割ＴＳであることを示す。オフに設定されているときは、分割ＴＳでないこと、つまり、ＴＳの結合を行う必要はないことを示す。
【０１２０】
サブチャンネル周波数５３５２は、上記サブチャンネルの周波数を示す。つまり、原ＴＳが２つの物理チャンネルに分けて送信される場合、上記衛星分配システム情報５３３にメインチャンネルの周波数が設定され、当該Ｃｈ結合情報５３５にサブチャンネルの周波数が設定されることになる。
【０１２１】
変調方式５３５３は、サブチャンネルで送られてくる分割ＴＳの変調方式を示す。誤り訂正方式５３５４は、サブチャンネルで送られてくる分割ＴＳの誤り訂正方式を示す。
【０１２２】
Ｃｈ結合関連情報５３５５には、分割ＴＳを結合して原ＴＳにするために必要な情報、例えば、ＴＳの分割ルール（メインチャンネル及びサブチャンネルへ分割する順序や、メインチャンネル及びサブチャンネルへの分割パケット数、等）を示す情報が含まれる。なお、ＴＳ分割のルールが一意に決まっている場合や、ＴＳ自体に分割ルールを載せない場合には、Ｃｈ結合情報５３５にＣｈ結合関連情報５３５５を含める必要はない。
【０１２３】
次に、受信装置３０のメモリ３６に格納される選局テーブルについて説明する。選局テーブルとは、上記ＮＩＴ、ＰＡＴ、及びＰＭＴ等に基づいて生成されるテーブルであり、受信装置３０において選局処理を行うために用いられる情報である。本実施形態では、例えば、受信装置３０の初期設定時にある特定の物理チャンネルで伝送されるＴＳを受信することにより取得する上記ＮＩＴ、及び通常選局時に希望チャンネルを伝送するＴＳを受信することにより取得するＰＭＴやＰＡＴに基づいて生成され、受信装置３０のメモリ３６に記憶される。選局テーブルは、いわば、受信装置３０のリモコンのチャンネルボタンと各放送局の放送データとの対応づけを定義したテーブルである。
【０１２４】
図８は、選局テーブル６０のデータ構造の一例である。選局テーブル６０は、ＳＩＤ６１と、ＴＳ−ＩＤ６２と、Ｃｈ結合フラグ６３と、Ｃｈ結合関連情報６４と、トランスポンダ周波数６５と、ＰＭＴ−ＰＩＤ６６と、ＥＳ−ＰＩＤ６７との集合から構成されている。
【０１２５】
ＳＩＤ６１は、ＴＳに含まれている各プログラム（番組）を識別するための情報であり、上記ＮＩＴ５０のサービスリスト情報５３４に含まれるＳＩＤ５３４１がコピーされたものである。
【０１２６】
ＴＳ−ＩＤ６２は、各ＴＳを識別するためのＩＤであり、上記ＮＩＴ５０のＴＳ情報５
３に含まれるＴＳ−ＩＤ５３１がコピーされたものである。
【０１２７】
Ｃｈ結合フラグ６３は、ＴＳの結合を行う必要があるか否かを示すフラグであり、上記Ｃｈ結合情報５３５の結合フラグ５３５１がコピーされたものである。
【０１２８】
Ｃｈ結合関連情報６４は、分割ＴＳを結合して原ＴＳにするために必要な情報であり、上記Ｃｈ結合関連情報５３５５がコピーされたものである。
【０１２９】
トランスポンダ周波数６５は、ＴＳ−ＩＤ６２で示されるＴＳを受信するための周波数を示す。上記ＮＩＴ５０の衛星分配システム情報５３３に含まれるメインチャンネルの周波数の情報がコピーされたものである。また、Ｃｈ結合フラグ６３がオンに設定される場合は、更に、上記サブチャンネル周波数５３５２もコピーされることになる。
【０１３０】
ＰＭＴ−ＰＩＤ６６は、上記ＳＩＤ６１で示されるプログラムのＰＭＴを識別するためのＩＤである。通常選局時に希望チャンネルを伝送するＴＳ受信において、ＰＡＴからコピーされる。
【０１３１】
ＥＳ−ＰＩＤ６７は、上記ＳＩＤ６１で示されるプログラムのＥＳを識別するためのＩＤである。通常選局時に希望チャンネルを伝送するＴＳ受信において、ＰＭＴからコピーされる。
【０１３２】
次に、本実施形態に係るデジタル放送の送受信処理の詳細を説明する。まず、上記送信装置１０における信号処理の詳細を説明する。図９は、送信装置１０における信号処理の詳細を示すフローチャートである。まず、ステップＳ１において、符号化処理が行われる。このステップＳ１の処理をより具体的に説明すると、ＣＰＵ１８は、映像符号化部１１に、入力されてきたビデオ信号を圧縮符号化させ、ビデオＥＳを生成させる。また、音声符号化部１２に、入力されてきたオーディオ信号を圧縮符号化させ、オーディオＥＳを生成させる。また、データ符号化部１３に、入力されてきたデータ信号を圧縮符号化させ、ＰＳを生成させる。そして、ＣＰＵ１８は、各符号化部に、それぞれ符号化した信号をマルチプレクサ１４に出力させる。
【０１３３】
次に、ステップＳ２において、ＴＳ生成処理が行われる。このステップＳ２の処理をより具体的に説明すると、ＣＰＵ１８は、マルチプレクサ１４に、各符号化部から入力された信号をパケット化してＰＥＳ（Ｐａｃｋｅｔｉｚｅｄ  Ｅｌｅｍｅｎｔａｒｙ  Ｓｔｒｅａｍｓ）を生成させる。更に、マルチプレクサ１４に、当該ＰＥＳを分解してＴＳパケットを生成させる。また、このとき、ＣＰＵ１８は、図５を用いて上述したようなＮＩＴ５０を生成する。上述のようにＮＩＴ５０には、Ｃｈ結合情報５３５が含まれるため、Ｃｈ結合情報５３５もこのときに生成される。具体的には、Ｃｈ結合情報５３５の基礎となる情報、例えばサブチャンネルの周波数やＴＳの分割・結合の方式（ルール）を示す情報が放送事業者による入力操作等に基づいて設定され、メモリ１９に予め格納される。その他、ＮＩＴ５０を生成するために必要な各種情報もメモリ１９に予め格納される。そして、ＣＰＵ１８は、メモリ１９からこれらの情報を読み出すことで、Ｃｈ結合情報５３５が格納されたＮＩＴ５０を生成する。また、ＣＰＵ１８は、ＮＩＴ５０の他、上記ＰＭＴ、ＰＡＴ等の他のセクションデータを適宜生成し、マルチプレクサ１４に出力する。そして、マルチプレクサ１４に当該セクションデータをＴＳパケット化させる。更に、ＣＰＵ１８は、マルチプレクサ１４に、これらのＴＳパケットを多重化させることで、原ＴＳを生成させる。そして、ＣＰＵ１８は、マルチプレクサ１４から分割部１５へ原ＴＳを出力させる。
【０１３４】
次に、ステップＳ３において、ＣＰＵ１８は、原ＴＳに含まれるＮＩＴ５０を参照し、
結合フラグ５３５１がオンであるか否かを判定する。その結果、結合フラグ５３５１がオフと判定したときは（ステップＳ３でＮＯ）、ＣＰＵ１８は、分割部１５に原ＴＳをそのまま誤り訂正・変調部１６へ出力させて、処理を後述のステップＳ５へ進める。
【０１３５】
一方、ステップＳ３の判定の結果、結合フラグ５３５１がオンである判定したときは（ステップＳ３でＹＥＳ）、ステップＳ４において、ＴＳ分割処理が実行される。すなわち、ＣＰＵ１８は、分割部１５に、原ＴＳを２つの分割ＴＳに分割させる。また、この際、ＣＰＵ１８は、分割部１５に、分割ルールを示す情報等、受信装置３０において分割ＴＳの結合を行う際に必要な情報であるＣｈ結合関連情報５３５５を適宜生成させて、Ｃｈ結合情報５３５に書き込ませる。そして、ＣＰＵ１８は、一方の分割ＴＳを誤り訂正・変調部１６ａに出力させ、他方の分割ＴＳを誤り訂正・変調部１６ｂに出力させる。なお、分割ＴＳへの分割の方法については、上記原ＴＳの分割および受信装置側での結合ができれば、どのような処理方法を用いても良い。また、ＴＳ分割のルールが一意に決まっている場合や、ＴＳ自体に分割ルールを載せない場合では、Ｃｈ結合関連情報５３５５を生成は不要となる。
【０１３６】
次に、ステップＳ５において、変調処理が実行される。すなわち、ＣＰＵ１８は、受信装置３０において行われる誤り訂正処理のために、誤り訂正・変調部１６に、入力されたそれぞれの分割ＴＳ（ステップＳ３の判定で分割が行われない場合は、原ＴＳ）の各パケットに対して所定の誤り訂正符号を付加させる。そして、ＣＰＵ１８は、誤り訂正・変調部１６に、誤り訂正符号が付加されたＴＳを所定の方式で変調させる。
【０１３７】
次に、ステップＳ６において、送信処理が実行される。すなわち、ＣＰＵ１８は、各送信部１７に、誤り訂正・変調部１６で変調された分割ＴＳを放送波として出力させる。その結果、別々の物理チャンネルで分割ＴＳが送信されることになる。以上で、送信装置１０における信号処理が終了する。
【０１３８】
次に、受信装置３０の選局処理の詳細について説明する。まず、受信装置３０では、図８で示したような選局テーブル６０が生成される。例えば、ユーザが受信装置３０を購入した後、受信装置の設置時の初期設定処理においてある特定の物理チャンネルで伝送されるＴＳを受信することと、通常選局により、上述した選局テーブル６０が生成される。具体的には、初期設定処理において、ＣＰＵ３５は、ある特定の物理チャンネルで伝送されるＴＳを受信することにより、ＮＩＴ５０を取得する。次に、ＮＩＴ５０の衛星分配システム情報５３３、サービスリスト情報５３４、及びＣＨ結合情報５３５により、各プログラム毎（つまり各ＳＩＤ毎）の、ＴＳ−ＩＤ、ＣＨ結合フラグ、ＣＨ結合関連情報、トランスポンダー周波数の情報を取得し、当該選局テーブル６０のうち、ＳＩＤ６１、ＴＳ−ＩＤ６２、ＣＨ結合フラグ６３、ＣＨ結合関連情報６４、トランスポンダー周波数６５のテーブルが生成される。以下に説明する処理は、当該選局テーブル６０のうち、ＳＩＤ６１からトランスポンダー周波数６５までのテーブルが生成されていること（つまり、受信装置３０の初期設定が終わっていること）を前提とする処理となる。
【０１３９】
図１０は、受信装置３０における選局処理の詳細を示すフローチャートである。まず、ステップＳ１１において、ＣＰＵ３５は、ユーザの操作等に基づいて、ＳＩＤの決定を行う。続いて、ステップＳ１２において、ＣＰＵ３５は、上記初期設定で生成された選局テーブル６０にアクセスする。
【０１４０】
次に、ステップＳ１３において、ＣＰＵ３５は、選局テーブル６０のＳＩＤ６１の中に、ステップＳ１１で決定されたＳＩＤが存在するか否かを判定する。当該判定の結果、当該ＳＩＤがないと判定したときは（ステップＳ１３でＮＯ）、選局不可能であることを示すため、ステップＳ２６において、ＣＰＵ３５は、選局できない旨のメッセージを画面に
表示させて、選局処理を終了する。
【０１４１】
一方、ステップＳ１３の判定の結果、ＳＩＤがあると判定したときは（ステップＳ１３でＹＥＳ）、ステップＳ１４において、ＣＰＵ３５は、Ｃｈ結合フラグ６３がオンか否かを判定する。その結果、オンであれば（ステップＳ１４でＹＥＳ）、ＣＰＵ３５は、２つの物理チャンネルを選局し、それぞれの放送波を復調するための処理を行う。すなわち、ＣＰＵ３５は、上記選局テーブル６０のトランスポンダ周波数６５を参照し、受信すべき複数の周波数、本実施形態では２つの周波数の情報を取得する。図８の例を用いると、例えば上記ステップＳ１１で決定されたＳＩＤが”１００”であるとすると、”１１．７２７４８ＧＨｚ”と”１１．８０４２０ＧＨｚ”という２つの周波数の情報を取得する。そして、ＣＰＵ３５は、一方の周波数（”１１．７２７４８ＧＨｚ”）をフロントエンド３２ａにチューニングさせ、放送波を受信させる。また、他方の周波数（”１１．８０４２０ＧＨｚ”）をフロントエンド３２ｂにチューニングさせ、放送波を受信させる。そして、各フロントエンド３２に、それぞれ受信した放送波を復調させる。
【０１４２】
次に、ステップＳ１６において、ＣＰＵ３５は、各フロントエンド３２において放送波の復調ができたか否か判定する。これは、例えば降雨減衰などで受信状況が良くない場合に、復調に時間がかかるような場合を想定したものである。そのため、ステップＳ１６の判定の結果、復調できないと判定されたときは（ステップＳ１６でＮＯ）、復調できるまでステップＳ１６の判定を繰り返す。なお、ここで、所定の回数だけ判定を繰り返しても、復調ができないと判定されるときは、上記ステップＳ２６と同様に選局不可能のメッセージを表示するようにしても良い。
【０１４３】
一方、ステップＳ１６の判定の結果、復調ができたと判定されたときは（ステップＳ１６でＹＥＳ）、ステップＳ１７において、ＣＰＵ３５は、分割ＴＳを結合するための処理を実行する。すなわち、ＣＰＵ３５は、上記選局テーブル６０からＣｈ結合関連情報６４を取得する。そして、結合部３３に各フロントエンド３２から出力された分割ＴＳを、当該Ｃｈ結合関連情報６４に基づいて結合させる。そして、ＣＰＵ３５は、結合部３３からデマルチプレクサ３４へ、当該結合した原ＴＳを出力させる。なお、ＴＳ分割のルールが一意に決まっている場合は、Ｃｈ結合関連情報６４の取得は不要となる。
【０１４４】
一方、上記ステップＳ１４の判定の結果、Ｃｈ結合フラグ６３がオンではないと判定したときは、ステップＳ１８において、ＣＰＵ３５は、従来と同様の選局処理、すなわち、１つの物理チャンネルを選局して、受信した放送波を復調するための処理を行う。具体的には、ＣＰＵ３５は、上記選局テーブル６０のトランスポンダ周波数６５を参照し、受信すべき周波数を取得する。図８の例を用いると、例えば上記ステップＳ１１で決定されたＳＩＤが”１０１”であるとすると、”１１．７６５８４ＧＨｚ”という１つの周波数の情報を取得する。そして、ＣＰＵ３５は、当該周波数（”１１．７６５８４ＧＨｚ”）をフロントエンド３２ａにチューニングさせ、放送波を受信させる。そして、フロントエンド３２ａに、受信した放送波を復調させる。
【０１４５】
続くステップＳ１９において、上記ステップＳ１６と同様に、ＣＰＵ３５は、復調できたか否かの判定を行い、復調できないと判定したときは（ステップＳ１９でＮＯ）、復調できるまで当該判定処理を繰り返す。復調できたと判定したときは（ステップＳ１９でＹＥＳ）、処理をステップＳ２０へと進める。なお、ここで、所定の回数だけ判定を繰り返しても、復調ができないと判定されるときは、上記ステップＳ２６と同様に選局不可能のメッセージを表示するようにしても良い。
【０１４６】
次に、ステップＳ２０において、結合部３３から出力されるＴＳを取得するための処理が実行される。すなわち、ＣＰＵ３５は、デマルチプレクサ３４に、結合部３３からの原
ＴＳを取得させる。
【０１４７】
次に、ステップＳ２１において、ＣＰＵ３５は、デマルチプレクサ３４に原ＴＳからＰＡＴを取得させる。続くステップＳ２２において、ＣＰＵ３５は、上記ステップＳ１１で決定されたＳＩＤが放送中であるか否かを判定し、放送中ではないと判定したときは（ステップＳ２２でＮＯ）、上記ステップＳ２６の処理を行う。一方、放送中であると判定したときは（ステップＳ２２でＹＥＳ）、ステップＳ２３において、ＣＰＵ３５は、ＰＡＴに記述されている当該ＳＩＤに対応するＰＭＴ ＰＩＤに基づいて、デマルチプレクサ３４に上記ＴＳからＰＭＴを取得させる。そして、続くステップＳ２４において、ＣＰＵ３５は、当該ＰＭＴに記述されているＰＩＤを用いてデマルチプレクサ３４にＥＳ、またはＰＳを分離させ、それらをＭＰＥＧ２ビデオデコーダ３７、ＭＰＥＧ２オーディオデコーダ３８、データ処理部３９の各処理部へ割り当てることにより選局を行う。これにより、ステップＳ２５において、選局が完了する。以上で、受信装置３０にかかる選局処理が終了する。
【０１４８】
このように、本実施形態では、１つの物理チャンネルでは伝送できないような情報量の大きな映像・音声・データ信号（１つのテレビ番組）を、２つの物理チャンネル（２つのＴＳ）に分けて伝送している。そして、受信装置において、２つのチューナー（フロントエンド）を使って当該２つの物理チャンネルで受信し、２つに分けられたＴＳを結合している。これにより、上記のような情報量が大きな映像・音声・データ信号を含むテレビ番組を受信して視聴することが可能となる。
【０１４９】
なお、本説明では説明の簡略化のため、物理チャンネルが２つの場合を例として説明したが、受信装置側において、対応する数のチューナーを搭載しさえすれば、３つ以上の物理チャンネルを用いてもよい。
【０１５０】
また、上述した第１の実施形態では、１つの物理チャンネルでは伝送できないような情報量の大きな番組を２つの物理チャンネルを用いて伝送していた。これに限らず、更に、当該番組とその番組内容は同じであって、映像の低画質化等を図ることで情報量を減らした番組（ＴＳ）を３つめの物理チャンネルを用いて並行して伝送するようにしてもよい。図１１は、３つめの物理チャンネルを用いる場合の伝送の概要を説明するための図である。図１１では、上記図２で示したような２つの物理チャンネルで１つのＴＳを伝送する伝送路に加えて、３つめの物理チャンネルで１つのＴＳ２００を伝送している。当該ＴＳ２００は、上記ＴＳ１００と番組内容としては同じ内容ではあるが、その映像や音声の質、例えばビットレート等を低下させることで、１つの物理チャンネルで伝送できる程度の情報量となるように調整（符号化）したものである。
【０１５１】
このように、番組内容は同じであって、情報量を軽減させたＴＳを別の物理チャンネルで伝送するのは、次のような場合を想定したものである。すなわち、放送される番組が全て、２つの物理チャンネルを用いるような情報量のものとなったような場合を想定する。この場合、上述したようなＴＳの結合機能を有していない受信装置（例えば、シングルチューナの受信装置等。以下、結合機能非対応機と呼ぶ）では、放送される番組を一切視聴する事ができなくなる。そこで、図１１に示したように、１つの物理チャンネルで伝送可能な情報量にまで映像や音声の質を軽減させたＴＳを並行して放送するようにする。これにより、映像や音声の品質は劣ることになるが、結合機能非対応機でも番組内容自体は視聴可能とし、全く番組が視聴できないということを防ぐことを図ったものである。
【０１５２】
図１１に示した伝送の形態においては、受信装置側では、所定の放送局を選局した場合、デフォルトではＴＳ２００が送信される物理チャンネルが選局されるような構成にする。例えば、ＮＩＴ等に、所定の放送局の（デフォルトの）チャンネルは物理チャンネル３
である旨を定義しておく。更に、当該ＮＩＴには、同一の番組内容が、別の物理チャンネル（図１１の例では物理チャンネル１と２）で分割されて伝送されていることを示す旨の情報（以下、並行放送情報と呼ぶ）を含めておく。例えば、上記図７に示したＣｈ結合情報５３５に、メインチャンネルの周波数を示す情報を加えたものを並行放送情報として当該ＮＩＴに含めて伝送するようにする。
【０１５３】
このような構成で伝送を行うことで、結合機能非対応機では、所定の選局操作を行うことで、図１１の例で言うと物理チャンネル３が選局され、ＴＳ２００が取得されて番組が再生される（換言すると、結合機能非対応機では、上記ＮＩＴに含まれる並行放送情報を読み取る機能がないため、物理チャンネル３を選局することしかできない）。一方、ＴＳ結合機能を有する受信装置（以下、結合機能対応機と呼ぶ）では、所定の選局操作で、一旦、物理チャンネル３が選局されるが、その後、ＮＩＴを参照して、上記のような並行放送情報の有無を判定する。そして分割ＴＳが伝送されている場合は、上述したような処理で分割ＴＳの伝送にかかる物理チャンネル（図１１の例では物理チャンネル１および２）を選局し、上述したような処理でＴＳの結合等を行ってから番組の再生を行う。これにより、結合機能非対応機であっても結合機能対応機であっても、番組そのものは視聴できる。すなわち、結合機能非対応機において、全く番組が視聴できなくことを防ぐ事が出き、また、結合機能対応機では、同一内容の番組であって、より高画質、高音質の番組の視聴が可能となる。
【０１５４】
次に、図１１に示したような伝送形態における送信装置の構成について、図１２を用いて説明する。図１２に示す送信装置７０は、上述した図３を用いて説明した送信装置１０の機能構成に、映像符号化部７１と、音声符号化部７２と、データ符号化部７３と、マルチプレクサ７４と、誤り訂正・変調部７６と、送信部７７を加えたものに相当し、他の構成部は、図３に示したものと同様である。これらの新たに加えられた構成部の基本的な機能は、上述した映像符号化部１１、音声符号化部１２、データ符号化部１３、マルチプレクサ１４、誤り訂正・変調部１６ａ、送信部１７ａと同様である。つまり、ＴＳを分割して複数の物理チャンネルに振りわけるという機能が省かれた構成となっている。そのため、図１２において、映像符号化部７１、音声符号化部１２は、アナログのビデオ信号、オーディオ信号をデジタル信号に変換するが、上記のように、ＴＳの情報量を１つの物理チャンネルで伝送できる程度の情報量に抑えるために、映像符号化部１１や音声符号化部１２よりも画質や音質を低下等させて、デジタル信号への変換を行う。
【０１５５】
また、図１２において、マルチプレクサ７４は、映像符号化部７１と、音声符号化部７２と、データ符号化部７３から出力される信号を多重化することで、ＴＳ２００を生成する。このとき、マルチプレクサ７４は、上記マルチプレクサ１４と同様に適宜ＮＩＴ等のＰＳＩを生成してＴＳ２００に含めるが、この際、上述したような並行放送情報をＮＩＴに付加する。
【０１５６】
このように、送信装置７０では、高画質、高音質であり情報量が多いＴＳを分割し、複数の物理チャンネルに振り分けて伝送するのと並行して、同内容の番組であって、画質や音質等を劣化させることで情報量を軽減させたＴＳを１つの物理チャンネルで伝送する。
【０１５７】
次に、図１１に示したような伝送形態における受信装置の構成について説明する。ここでの受信装置は、上述したような結合機能非対応機と結合機能対応機の２種類が存在するが、このうち、結合機能非対応機については、従来から存在するデジタル放送受信装置を想定するものであり、その主要なハードウェア構成や制御手法等については当業者には既知であるため、詳しい説明は省略する。
【０１５８】
図１３は、結合機能対応機８０の構成の一例を示す機能ブロック図である。図１３に示
す結合機能対応機８０は、上述した図４を用いて説明した受信装置３０の機能構成に判別部８１を加えたものに相当し、他の構成部は、当該受信装置３０と同様である。従って、判別部８１以外の構成部については同一の参照符号を付して詳細な説明を省略する。
【０１５９】
判別部８１は、受信アンテナ３１にて受信された放送波に復調、エラー訂正等の処理を行い、ＮＩＴを抽出する。そして、上記並行放送情報の有無を判別し、その結果を示す信号をＣＰＵ３５に出力する。ＣＰＵ３５は、この信号に応じて、分割ＴＳが伝送されている物理チャンネルを選局する処理を実行する。
【０１６０】
次に、図１３で示した結合機能対応機８０の選局処理について説明する。図１４は、結合機能対応機８０における選局処理を示すフローチャートである。ここでは、上記図１１で示したように、１つの番組を構成するＴＳが物理チャンネル１と２に分割して伝送されており、番組内容としては同内容であるが、画質等が低下しているＴＳが物理チャンネル３で伝送されている場合を例にして説明する。まず、ユーザによる所定の選局操作等に基づいて、物理チャンネル３が選局されると、ステップＳ４１において、放送波からＮＩＴが取得され、上記並行放送情報が参照される。そして、物理チャンネル３とは別の物理チャンネルを用いた同一内容番組の伝送が並行して行われているか否かが判別部８１によって判別される。その結果、複数の物理チャンネルでの分割ＴＳの伝送が並行して行われているときは（ステップＳ４１でＹＥＳ）、ステップＳ４２において、分割ＴＳが伝送されている物理チャンネル（ここでは物理チャンネル１および２）を選局し、上述したような分割ＴＳを結合するための、結合Ｃｈ選局処理が実行される。この処理では、例えば、上記図１０を用いて説明したような処理が実行される。一方、複数の物理チャンネルでの分割ＴＳの伝送が並行して行われていないとき（ステップＳ４１でＮＯ）、ステップＳ４３において、物理チャンネル３で伝送されるＴＳに基づいて番組を再生するための単一Ｃｈ選局処理が実行される。当該処理は、従来から存在する一般的なデジタル放送受信装置で行われる処理（典型的には、いわゆるハイビジョン放送を選局、再生する処理）であり、その基本的な制御手法等については当業者には既知であるため、詳しい説明は省略する。以上で、結合機能対応機８０の選局処理は終了する。
【０１６１】
このように、同一内容の番組を、高画質・高音質等の情報量の多いＴＳにして複数の物理チャンネルで伝送するのと並行して、情報量を軽減させて単一の物理チャンネルでも伝送するようにすることで、分割ＴＳの結合機能を有していない従来の受信装置であっても、番組が一切視聴できなくなることを防ぐ事が可能となる。
【０１６２】
また、結合機能対応機８０の不揮発性メモリ（図示せず）に、自身が上記のような分割ＴＳの結合機能を有することを示す情報（以下、結合可否情報と呼ぶ）を記憶しておくように構成してもよい。そして、ＣＰＵ３５が当該結合可否情報を参照し、当該情報に基づいて選局処理を切替えるようにしてもよい。図１５は、当該結合可否情報に基づく選局処理を示すフローチャートである。図１５において、まず、ステップＳ５１において、上記不揮発性メモリに格納されている結合可否情報が参照される。そして、自身が分割ＴＳを結合する機能を有するか否かが判定される（あるいは、当該結合可否情報自体が存在するか否かが判定されるようにしても良い）。結合可否情報は、例えば１ビットのデータであり、“０”であれば、分割ＴＳを結合する機能を有していないことを示し、“１”であれば分割ＴＳを結合する機能を有していることを示すと定義しておく。そして、自身がチャンネルの結合機能を有すると判定されたときは（ステップＳ５１でＹＥＳ）、上記ステップＳ４２と同様の結合Ｃｈ選局処理が実行され、自身が分割ＴＳの結合機能を有しないと判定したときは（ステップＳ５１でＮＯ）、上記ステップＳ４３と同様の単一Ｃｈ選局処理が実行される。
【０１６３】
また、結合機能非対応機については、図１５に示したような処理を実行するプログラム
や、結合可否情報を、例えばファームウエアのバージョンアップ等の手段で提供するようにすればよい（あるいは、新規出荷分の結合機能非対応機に関しては、当初から実装するようにしてもよい）。そして、結合機能非対応機で図１５に示したような処理が実行されるよう構成し、結果的に結合機能非対応機では単一Ｃｈ選局処理が実行されるようにすればよい。これにより、図１１を例にすると、結合機能非対応機では物理チャンネル３が選局されてＴＳ２００に基づく番組が再生され、結合機能対応機では物理チャンネル１および２が選局され、分割ＴＳの結合等が行われて、より高画質、高音質の番組であるＴＳ１００に基づく番組が再生される。
【０１６４】
(第２の実施形態)
次に、本発明の第２の実施形態について説明する。まず、第２の実施形態の詳細を説明するに先立ち、第２の実施形態、および、その後に説明する第３〜第６の実施形態で共通して想定しているデジタル放送システムにおける伝送の概要について説明する。第２の実施形態では、いわゆるハイビジョン規格の動画像コンテンツと、いわゆるスーパーハイビジョン規格の動画像コンテンツとを混在して放送するデジタル放送システムを想定している。例えば、あるチャンネルにおいて、午後８：００〜午後９：００まではハイビジョン規格の動画像コンテンツを放送し、午後９：００〜午後１１：００まではスーパーハイビジョン規格の動画像コンテンツを放送するような場合を想定している。ここで、ハイビジョン規格で構成された番組については、その情報量は１つの物理チャンネルで伝送可能な情報量であるものとする。一方、スーパーハイビジョン規格で構成された番組については、１つの物理チャンネルだけでは伝送できない情報量を有するものとする。そのため、ハイビジョン規格で構成されている番組を放送する場合は、１つの物理チャンネルで１つの番組を伝送するが、スーパーハイビジョン規格で構成された番組については、図１９に示すように、その放送データ（トランスポートストリーム）２１０１を２つに分割し、２つの物理チャンネル２１１１および２１１２で伝送する。以下、このような１つの番組を２つの物理チャンネルを用いて伝送する（つまり、２つの物理チャンネルを束ねて１本の伝送路として使う）ことをバルク伝送と呼ぶ。また、当該バルク伝送によって伝送される、上記スーパーハイビジョン規格で構成された番組をバルク番組と呼び、１つの物理チャンネルで伝送可能なハイビジョン規格で構成されている番組を非バルク番組と呼ぶ。そのため、上記の時間帯を例に取ると、例えば、午後８：００〜午後９：００までは、物理チャンネル１と物理チャンネル２（以下、単にＣｈ１、Ｃｈ２・・のように呼ぶ）とではそれぞれ異なる内容の非バルク番組が表示されることになり、午後９：００〜午後１１：００までは、両チャンネルとも同じ内容のバルク番組が表示されていることになる。つまり、いずれのチャンネルを選局しても、同じ番組が画面に表示される。
【０１６５】
ここで、本実施形態では、上記バルク番組をバルク伝送する際に、伝送に用いられる２つの物理チャンネルのうち、一方のチャンネルについて階層伝送を行うようにしている。具体的には、送信側で、上記バルク番組と同内容のコンテンツをハイビジョン規格で生成する（以下、当該ハイビジョン規格のコンテンツを低階層番組と呼ぶ）。つまり、バルク番組と低階層番組とは、ハイビジョン規格で作成されたかスーパーハイビジョン規格で作成されたかの違いがあるだけで、その番組内容（放送される内容）は同じものである。そして、本実施形態では、変調方式として、バルク番組に関しては、３２ＡＰＳＫ（Amplitude Phase Shift Keying）を用い、当該低階層番組についてはＱＰＳＫ（quadrature phase shift keying））を用いて変調する。低階層番組（ハイビジョン規格）は、バルク番組のものよりは情報量が少ないため、伝送するためのネットワーク帯域も少なくて済む。そして、本実施形態では、図１９に示すように、バルク伝送を行うチャンネルのうち一方のチャンネルについてはバルク番組２１０１ａと低階層番組２１０２との階層伝送を行っている。なお、上記非バルク番組や低階層番組の映像規格については、ハイビジョン映像に限らずＳＤ（Standard Definition）映像であってもよい。
【０１６６】
図２０は、上記のような放送を行うための送信側の設備（送信装置）の一例を示す機能ブロック図である。図２０に示す送信装置は、ＳＨＶ符号化部２０１１と低階層符号化部２０１２と合成部２０１３と、分配部２０１４と、ＨＶ符号化部２０１５ａおよび２０１５ｂと、切替スイッチ部２０１６ａおよび２０１６ｂと、変調部２０１７ａおよび２０１７ｂと、送信アンテナ２０１８とで構成されている。
【０１６７】
図２０において、まず、スーパーハイビジョン映像の番組が送信される場合について説明する。この場合、切替スイッチ部２０１６ａおよび２０１６ｂのスイッチは、変調部２０１７ａおよび２０１７ｂが分配部２０１４と接続されるように設定される。このようにスイッチが設定された状態で、スーパーハイビジョン映像の番組がＳＨＶ符号化部２０１１に出力され、所定の符号化形式で符号化（エンコード）されて上記バルク番組２１０１として合成部２０１３に出力される。また、当該スーパーハイビジョン映像の番組は、低階層符号化部２０１２にも出力され、所定の符号化形式で符号化され（ここでは、ハイビジョン規格相当の画質になるよう符号化されるものとする）、上記低階層番組２１０２として合成部２０１３に出力される。合成部２０１３では、バルク番組２１０１と低階層番組２１０２を多重化したトランスポートストリームを生成し、分配部２０１４に出力する。分配部２０１４では、当該トランスポートストリームを所定の規則に基づいて切替スイッチ部２０１６ａおよび２０１６ｂという２つの出力先に分配する（このとき、低階層番組２１０２にかかるデータは切替スイッチ部２０１６ａおよび２０１６ｂのいずれか一方の経路にのみ出力される）。出力されたデータは、それぞれ変調部２０１７ａおよび２０１７ｂに入力され、所定の方式で放送信号に変調される。そして、それぞれ異なる物理チャンネルを用いて、送信アンテナ２０１８から出力される。その結果、図１９を例に取ると、一方の物理チャンネルでは上記低階層番組２１０２と上記分割されたスーパーハイビジョン番組（バルク番組）２１０１ａが階層伝送され、他方の物理チャンネルでは、上記分割された残りの分のスーパーハイビジョン番組２１０１ｂのみが伝送されることになる。
【０１６８】
次に、上記非バルク番組を送信する場合を説明する。この場合は、それそれ異なる内容の２つの非バルク番組が異なるチャンネルでそれぞれ送信される。切替スイッチ部２０１６ａおよび２０１６ｂについては、変調部２０１７ａがＨＶ符号化部２０１５ａと接続され、変調部２０１７ｂがＨＶ符号化部２０１５ｂと接続されるように切替えられる。そして、ハイビジョン映像の番組であるハイビジョン番組ＡがＨＶ符号化部２０１５ａに入力され、所定の符号化形式で符号化される。また、ハイビジョン番組Ａとは異なる内容であるハイビジョン番組ＢがＨＶ符号化部２０１５ｂに入力され、所定の符号化形式で符号化される。そして、符号化されたハイビジョン番組ＡがＨＶ符号化部２０１５ａから変調部２０１７ａへと出力され、放送信号に変調される。同様に、符号化されたハイビジョン番組ＢがＨＶ符号化部２０１５ｂから変調部２０１７ｂへと出力され、放送信号に変調される。そして、それぞれ異なるチャンネルを使って送信アンテナ２０１８から送信される。このように、本実施形態では、バルク番組と非バルク番組の出力を適宜切替ながらデジタル放送を行っている。
【０１６９】
ここで、上記バルク伝送に関して、受信装置側（２つの物理チャンネルを同時に受信する必要があるため、少なくとも２つのチューナを備えている）においては、バルク番組を再生するための情報、例えば、どの物理チャンネルとどの物理チャンネルの組み合わせでバルク番組が構成されるか等の情報（以下、バルク関連情報と呼ぶ）が必要となる。本実施形態では、当該バルク関連情報を、いわゆるＴＭＣＣ（Transmission and Multiplexing Configuration Control）信号（伝送パラメータ等を含む信号）に載せて送信するものとする。受信装置側では、いずれか１つのチューナで選局・受信した放送信号からＴＭＣＣ信号を分離し、上記バルク関連情報を得る。そして、当該バルク関連情報に基づいて、これから送信されてくる番組がバルク番組であるか否かや、バルク番組の場合はどのチャ
ンネルとの組み合わせで構成されているか等を判定し、選局・合成等を行う処理が実行されることになる。
【０１７０】
図２１は、本実施形態で用いられる上記バルク関連情報の一例を示す図である。バルク関連情報は、物理Ｃｈ番号２１３１と接続フラグ２１３２と接続対象Ｃｈ２１３３と階層伝送Ｃｈ２１３４の集合から構成されている。バルク関連情報には、全ての物理チャンネルについての情報が含まれており、物理Ｃｈ番号２１３１は、物理チャンネルの番号を示す。接続フラグ２１３２は、放送される番組がバルク番組か非バルク番組かを識別するためのフラグである。接続フラグ２１３２がオンに設定されているときは、その物理チャンネルで伝送される番組がバルク番組であることを示す。また、オフに設定されているときは、その物理チャンネルのみを使用して非バルク番組が放送されることを示す。
【０１７１】
接続対象Ｃｈ２１３３は、その物理チャンネルで放送される番組がバルク番組である場合に、その物理チャンネルと共に当該バルク番組を構成している物理チャンネル番号を示すためのデータである。図２１の例では、例えばＷチューナ構成の受信装置において、一方のチューナでＣｈ１を選局して図２１のようなバルク関連情報を取得した場合、Ｃｈ１で放送される番組がバルク番組であること、および、当該バルク番組はＣｈ１とＣｈ２とで構成されることがわかる。そのため、バルク番組を再生するためには、他方のチューナでＣｈ２を選局する必要があることがわかる。
【０１７２】
階層伝送Ｃｈ２１３４は、バルク伝送が行われている２つのチャンネルのうち、上記低階層番組が階層伝送されている物理チャンネルを示すためのフラグである。階層伝送Ｃｈ２１３４がオンに設定されている物理チャンネルは、上記低階層番組が階層伝送されている物理チャンネルであることを示す。
【０１７３】
このように、本実施形態が想定するデジタル放送システムでは、バルク番組と非バルク番組とを混在して放送し、バルク番組については２つの物理チャンネルを使ってバルク伝送を行っている。以下に説明する各実施形態における受信装置は、上記の様に送信されるデジタル放送を受信するためのものである。
【０１７４】
次に、本発明の第２の実施形態にかかる受信装置について説明する。図２２は、第２の実施形態にかかる受信装置２０３０の一例を示す機能ブロック図である。図２２において、受信装置２０３０は、アンテナ２０３１と、第１のチューナ２０３２と、第２のチューナ２０３３と、第１の復調部２０３４と、第２の復調部２０３５と、第１の主信号誤り訂正復号部２０３６と、第２の主信号誤り訂正復号部２０３７と、第１のＴＭＣＣ復号部２０３８と、第２のＴＭＣＣ復号部２０３９と、ＴＭＣＣ制御部２０４０と、ＴＳ合成・分離部２０４１と、第１のＡＶデコーダ２０４２と、第２のＡＶデコーダ２０４３と、第１のＯＳＤ作成・合成部２０４４と、第２のＯＳＤ作成・合成部２０４５と、第１の表示部２０４６と第２の表示部２０４７と、ＣＰＵ２０４８と、リモコン処理部２０４９と、フラッシュメモリ２０５０と、リモコン２０５１とで構成される。
【０１７５】
第１のチューナ２０３２および第２のチューナ２０３３は、ＣＰＵ２０４８からの制御信号に基づいて所定の物理チャンネルを選局し、デジタル放送信号をアンテナ２０３１を介して受信する。
【０１７６】
第１の復調部２０３４は、第１のチューナ２０３２から出力される送信信号をデジタル信号に復調し、第１の主信号誤り訂正復号部２０３６および第１のＴＭＣＣ復号部２０３８に出力する。
【０１７７】
第１の主信号誤り訂正復号部２０３６は、第１の復調部２０３４から出力されたデジタ
ル信号に対して誤り訂正復号処理を実行し、トランスポートストリームを得る。そして、当該トランスポートストリームをＴＳ合成・分離部２０４１に出力する。図２３は、第１の主信号誤り訂正復号部２０３６の詳細を示すブロック図である。図２３において、第１の主信号誤り訂正復号部２０３６では、第１の復調部２０３４から出力されたデジタル信号について、デインターリーブ部２３６１でデインタリーブが行われ、内符号誤り復号部２３６２における内符号の復号、エネルギー逆拡散部２３６３におけるエネルギー逆拡散を経て外符号誤り復号部２３６４による外符号の復号が行われ、トランスポートストリームとして出力される。
【０１７８】
第１のＴＭＣＣ復号部２０３８は、第１の復調部２０３４から出力されたデジタル信号（ＴＭＣＣ信号）からＴＭＣＣ情報を復号して取得する。そして、当該ＴＭＣＣ情報をＴＭＣＣ制御部２０４０に出力する。
【０１７９】
第２の復調部２０３５、第２の主信号誤り訂正復号部２０３７、および、第２のＴＭＣＣ復号部２０３９は、第２のチューナ２０３３から出力される送信信号に対して、上記第１の復調部２０３４、第１の主信号誤り訂正復号部２０３６、第１のＴＭＣＣ復号部２０３８と同様の処理を行う。
【０１８０】
ＴＭＣＣ制御部２０４０は、第１のＴＭＣＣ復号部２０３８から出力されるＴＭＣＣ情報（より正確には、ＴＭＣＣ情報から得られる各種伝送パラメータの情報等）に基づいて、第１の復調部２０３４および第１の主信号誤り訂正復号部２０３６を制御する。また、第２のＴＭＣＣ復号部２０３９から出力されるＴＭＣＣ情報に基づいて、第２の復調部２０３５および第２の主信号誤り訂正復号部２０３７を制御する。また、ＴＭＣＣ制御部２０４０は、取得したＴＭＣＣ情報をＣＰＵ２０４８に出力する。
【０１８１】
ＴＳ合成・分離部２０４１は、ＣＰＵ２０４８からの制御信号に基づいて、以下のような３種類の処理モードを切り替えて実行する処理モードである。まず、１つめの処理モードとして、バルク番組を再生するための処理を実行する。この場合は、ＴＳ合成・分離部２０４１は、第１の主信号誤り訂正復号部２０３６および第２の主信号誤り訂正復号部２０３７から出力されてくる両トランスポートストリームを合成することによって、送信側で２つに分割される前のトランスポートストリームを復元する。更に、ＴＳ合成・分離部２０４１は、当該合成後のトランスポートストリームから、上記バルク番組にかかるＡＶストリーム、および、低階層番組にかかるＡＶストリームを分離して取得する。そして、ＴＳ合成・分離部２０４１は、ＣＰＵ２０４８からの制御信号に基づいて、バルク番組にかかるＡＶストリームおよび低階層番組にかかるＡＶストリームの少なくとも一方を、第１のＡＶデコーダ２０４２または第２のＡＶデコーダ２０４３の少なくとも一方に出力する。
【０１８２】
次に、ＴＳ合成・分離部２０４１が行う２つめの処理モードとして、非バルク番組を再生するための処理を実行する処理モードがある。この場合は、ＴＳ合成・分離部２０４１は、第１の主信号誤り訂正復号部２０３６および第２の主信号誤り訂正復号部２０３７から出力されてくる両トランスポートストリームの合成は行わない。すなわち、第１の主信号誤り訂正復号部２０３６から出力されるトランスポートストリームからＡＶストリームを分離し、第１のＡＶデコーダ２０４２に出力する。また、第２の主信号誤り訂正復号部２０３７から出力されるトランスポートストリームからＡＶストリームを分離し、第２のＡＶデコーダ２０４３に出力する。
【０１８３】
次に、ＴＳ合成・分離部２０４１が行う３つめの処理モードとして、低階層番組を再生するための処理を実行する処理モードがある。この場合は、ＴＳ合成・分離部２０４１は、第１の主信号誤り訂正復号部２０３６または第２の主信号誤り訂正復号部２０３７から
出力されるトランスポートストリーム（階層伝送されている物理チャンネルで取得されたトランスポートストリーム）から低階層番組にかかるＡＶストリームを分離し、第１のＡＶデコーダ２０４２または第２のＡＶデコーダ２０４３に出力する。以下、上記バルク番組の再生のための処理モードについてはバルク再生モードと呼び、非バルク番組の再生のための処理モードについては非バルク再生モードと呼ぶ。また、低階層番組の再生のための処理モードについては、低階層再生モードと呼ぶ。なお、ＴＳ合成・分離部２０４１において、上記非バルク再生モードと低階層再生モードについては並列で処理することが可能である。また、ＴＳ合成・分離部２０４１は、ＣＰＵ２０４８からの制御信号に基づいて、上記各ＡＶストリームを適宜録画処理部２０５２へ出力する。
【０１８４】
また、ＴＳ合成・分離部２０４１はＥＰＧ情報取得部２０５４を含んでいる。ＥＰＧ情報取得部２０５４は、第１の主信号誤り訂正復号部２０３６または第２の主信号誤り訂正復号部２０３７から出力されるトランスポートストリームからＥＰＧ（Electronic Program Guide）にかかるデータを分離して取得する。また、ＣＰＵ２０４８からの制御信号に基づいて、利用者の録画予約操作に用いるために適宜ＥＰＧを画面に出力する。ここで、当該ＥＰＧには、各番組の放送時間や放送内容に関するデータの他に、各番組が上記バルク番組であるか否かを示す情報およびバルク番組を構成する物理チャンネルを示す情報が含まれている。また、バルク番組については、更に、上記低階層番組が階層伝送される物理チャンネルについての情報も含まれている。なお、ＥＰＧ情報取得部２０５４は、例えばインターネットからＥＰＧを取得するよう構成されていても良い。
【０１８５】
第１のＡＶデコーダ２０４２および第２のＡＶデコーダ２０４３は、ＣＰＵ２０４８からの制御信号に基づいて、それぞれＴＳ合成・分離部２０４１から出力されたＡＶストリームをデコードして映像・音声信号を取得する。そして、第１のＡＶデコーダ２０４２は、デコードの結果得られた映像・音声信号を第１の表示部２０４６に出力する。また、第２のＡＶデコーダ２０４３は、デコードの結果得られた映像・音声信号を第２の表示部２０４７に出力する。ここで、第１のＡＶデコーダ２０４２および第２のＡＶデコーダ２０４３は、少なくとも、バルク番組のＡＶストリームと非バルク番組のＡＶストリームの双方の符号化形式に対応するデコード形式でデコード処理が可能である。そして、第１のＡＶデコーダ２０４２および第２のＡＶデコーダ２０４３は、ＣＰＵ２０４８からの制御信号に基づき、これらのデコード方式を適宜切り替えてデコード処理を実行する。
【０１８６】
第１のＯＳＤ作成・合成部２０４４は、第１のＡＶデコーダ２０４２が第１の表示部２０４６に出力した画面の上に重ねて表示するためのＯＳＤ表示を生成する。そして、第１のＯＳＤ作成・合成部２０４４は、第１のＡＶデコーダ２０４２からの出力と当該ＯＳＤ表示を合成して第１の表示部２０４６に出力する。また、第２のＯＳＤ作成・合成部２０４５は、第２のＡＶデコーダ２０４３が第２の表示部２０４７に出力した画面の上に重ねて表示するためのＯＳＤ表示を生成し、第２のＡＶデコーダ２０４３からの出力と合成して第２の表示部２０４７に出力する。
【０１８７】
第１の表示部２０４６および第２の表示部２０４７は、いわゆる２画面表示における各画面に相当するものである。第１の表示部２０４６は、第１のＡＶデコーダ２０４２から出力された映像・音声信号に基づいて映像・音声を利用者に提示する。第２の表示部２０４７は、第２のＡＶデコーダ２０４３から出力された映像・音声信号に基づいて映像・音声を利用者に提示する。
【０１８８】
ＣＰＵ２０４８は、上述したようなバルク再生モード、非バルク再生モード、低階層再生モードを切り替えながら、上記第１のチューナ２０３２、第２のチューナ２０３３、ＴＳ合成・分離部２０４１、第１のＡＶデコーダ２０４２、第２のＡＶデコーダ２０４３等を制御して、バルク番組、低階層番組、または非バルク番組を利用者が視聴できるように
するための処理を実行する。
【０１８９】
リモコン処理部２０４９は、リモコン２０５１からの操作信号を受信し、操作指示内容を示す信号をＣＰＵ２０４８に出力する。
【０１９０】
フラッシュメモリ２０５０は、不揮発性のメモリであり、録画予約に関するデータ（以下、予約一覧と呼ぶ）が記憶される。図２４は、当該予約一覧のデータ構造の一例を示した図である。図２４において、予約一覧２５００は、放送時間帯２５０１、放送チャンネル２５０２、番組識別情報２５０３、番組情報２５０４等の集合から成る。放送時間帯２５０１は、予約されている番組の放送日時および放送時間帯を示し、放送チャンネル２５０２は、当該番組の放送される物理チャンネルを示す。バルク番組の場合は２つの物理チャンネルが記憶され、非バルク番組または低階層番組の場合は１つの物理チャンネルのみが記憶される。番組識別情報２５０３は、予約されている番組の種別、すなわち、バルク番組であるか非バルク番組であるか、低階層番組であるかを示すための情報である。また、番組情報２５０４は、その番組に関する書誌的事項（番組タイトルや出演者名等）のデータである。また、フラッシュメモリ２０５０には、その他、ＣＰＵ２０４８が各種制御に用いるためのデータ等も記憶される。
【０１９１】
録画処理部２０５２は、ＣＰＵ２０４８からの制御信号に基づいて、上記各番組（すなわち、ＴＳ合成・分離部２０４１から出力されるＡＶストリーム）を記録部２０５３に録画するための処理（符号化処理や録画データの管理処理等）を実行する。記録部２０５３は、上記のような各番組を録画するための記録媒体である。例えば、ハードディスクドライブやＳＳＤ（Solid State Drive）によって実現される。
【０１９２】
次に、以上のような受信装置２０３０で実行される選局再生処理の処理概要を説明する。以下の説明の前提として、本実施形態では、次のような状況を想定する。まず、視聴対象とするチャンネルはＣｈ１〜Ｃｈ４とする。そして、これらのチャンネルの放送スケジュールとして、図２５に示すようなスケジュールが組まれているとする。すなわち、Ｃｈ１およびＣｈ２では、午後６：００：００〜７：５９：５９はバルク番組である「番組Ａ」が放送される。また、Ｃｈ３では、それぞれ午後６：００：００〜６：５９：５９までは非バルク番組である「番組Ｂ」が放送され、午後７：００：００〜７：５９：５９は、非バルク番組である「番組Ｃ」が放送される。更に、Ｃｈ４では、それぞれ午後６：００：００〜６：５９：５９までは非バルク番組である「番組Ｄ」が放送され、午後７：００：００〜７：５９：５９は、非バルク番組である「番組Ｅ」が放送される場合を想定する。
【０１９３】
このような放送スケジュールにおいて、「番組Ｂ」を録画中の状態で、利用者がＣｈ１を選局した場合を考える。例えば、図２５において、午後６：３０：００のタイミングで、利用者がＣｈ１を選局した場合である。この場合は、「番組Ｂ」を録画中の状態、すなわち、いずれか一方のチューナが使用中（Ｃｈ３を選局中）の状態であることになる。一方、Ｃｈ１で放送されている「番組Ａ」は、Ｃｈ１とＣｈ２を用いてバルク伝送されているバルク番組であるため、２つの物理チャンネルを選局する必要がある。しかし、上記のように、「番組Ｂ」の録画のために一方のチューナが使用中の状態であるため、Ｃｈ２の選局ができず、バルク番組の視聴ができない。そこで、本実施形態では、当該バルク番組と階層伝送されている上記低階層番組を再生・表示する処理を行う。つまり、低階層番組については階層伝送されている物理チャンネルさえ選局できれば再生可能であり、かつ、上述のように番組内容そのものは同じものである。そこで、当該低階層番組をもって「番組Ａ」の再生とする処理を行う。これにより、「番組Ｂ」が録画中の状態であっても、バルク伝送に対応した番組そのものの視聴は可能となる。
【０１９４】
次に、第２の実施形態における選局再生処理の詳細を説明する。図２６は、当該選局再生処理の詳細を示すフローチャートである。ここで、図２６のフローチャートの処理は、バルク番組が放送されている物理チャンネルを選局する操作（リモコン２０５１の数字キー「１」を押下）する等）が利用者によって行われることによって実行される。また、ここでは、利用者の操作に基づいて選局するために、第１のチューナ２０３２が用いられるものとする。
【０１９５】
図２６において、利用者がリモコン２０５１でバルク番組にかかるチャンネル（ここではＣｈ１）を選局する操作を行うと、ステップＳ２００１において、受信装置２０３０で録画処理が実行中であるか否かが判定される。つまり、バルク番組にかかるチャンネルが選局された時点で、何らかの番組が録画中の状態であるか否かが判定されることになる。
【０１９６】
当該判定の結果、録画処理が実行されていなければ（ステップＳ２００１でＮＯ）、チューナは２つとも使用可能な状態であるため、ステップＳ２００７において、上記選局されたチャンネルで放送されるバルク番組を再生するための処理が開始される。具体的には、まず、ＣＰＵ２０４８は、上記バルク関連情報を参照して、Ｃｈ１の接続対象Ｃｈ２１３３に示されている物理チャンネルを第２のチューナ２０３３に選局させる処理を行う。すなわち、バルク番組が伝送される２つの物理チャンネルが第１のチューナ２０３２および第２のチューナ２０３３で選局された状態するための処理を実行する。そして、各チューナで受信された放送信号が復調等され、トランスポートストリームが得られる。続いて、ＣＰＵ２０４８は、ＴＳ合成・分離部２０４１に、上記処理モードをバルク再生モードに切り替えるための制御信号を出力する。その結果、ＴＳ合成・分離部２０４１は、第１のチューナ２０３２経由で得られたトランスポートストリームと第２のチューナ２０３３経由で得られたトランスポートストリームを合成する処理を開始する。そして、ＴＳ合成・分離部２０４１は、合成されたトランスポートストリームからバルク番組にかかるＡＶストリームを分離し、バルク番組にかかるＡＶストリームを第１のＡＶデコーダ２０４２に出力する。第１のＡＶデコーダ２０４２は、当該バルク番組にかかるＡＶストリームをデコードし、第１のＯＳＤ作成・合成部２０４４を経由して第１の表示部２０４６に映像・音声信号を出力する処理を開始する。これにより、バルク番組が画面に表示される、つまり、バルク番組の再生処理が開始されることになる。その後、選局再生処理は終了する。
【０１９７】
一方、ステップＳ１の判定の結果、録画処理が実行されているときは（ステップＳ２００１でＹＥＳ）、次にステップＳ２００２において、録画中の番組の数が１以下であるか否かが判定される。当該判定の結果、録画中の番組の数が１以下でない、つまり、２つのチューナ共に録画に用いられているような場合、例えば、図２５の「番組Ｂ」および「番組Ｄ」の双方を録画しているような場合は（ステップＳ２００２でＮＯ）、ステップＳ２００６において、選局されたチャンネルは選局できない、あるいは視聴できない旨をＯＳＤ表示する処理が実行される。より具体的には、ＣＰＵ２０４８は、上記の旨のメッセージを生成させるための制御信号を第１のＯＳＤ作成・合成部２０４４に出力する。これに応じて、第１のＯＳＤ作成・合成部２０４４は上記の旨のＯＳＤ表示を生成する。そして、第１のＯＳＤ作成・合成部２０４４は、当該ＯＳＤ表示を第１の表示部２０４６に出力する。この結果、選局したチャンネルは視聴できない旨が画面上に表示されることになる。
【０１９８】
一方、上記ステップＳ２００２の判定の結果、録画中の番組数が１以下の場合（ステップＳ２００２でＹＥＳ）、例えば、図２５の「番組Ｂ」のみが録画中であるような場合は、次にステップＳ２００３において、選局された物理チャンネルの番組については低階層番組であれば表示可能である旨、および、低階層番組として視聴するか否かを問い合わせるためのＯＳＤ表示する処理が実行される。例えば、「放送される番組はスーパーハイビ
ジョン番組ですが、ハイビジョン画質であれば視聴可能です。ハイビジョン画質で視聴しますか？」等のメッセージをＯＳＤ表示する処理が実行される。そして、ＣＰＵ２０４８は、利用者からの返答操作を受け付ける。
【０１９９】
次に、ステップＳ２００４において、上記ステップＳ２００３での問い合わせの結果、利用者が低階層番組を視聴することを選択したか否かが判定される。当該判定の結果、利用者が低階層番組の視聴を選択しなかったときは（ステップＳ２００４でＮＯ）、上記ステップＳ２００６の処理へ進む。一方、利用者が低階層番組を視聴することを選択したときは（ステップＳ２００４でＹＥＳ）、続くステップＳ２００５において、低階層番組を再生するための処理が実行される。すなわち、ＣＰＵ２０４８は、上記バルク関連情報の階層伝送Ｃｈ２１３４を参照して階層伝送が行われている物理チャンネル番号を検出する。そして、その時点で階層伝送が行われている物理チャンネルが選局されていないときは、ＣＰＵ２０４８は、第１のチューナ２０３２に当該階層伝送が行われている物理チャンネルを選局させるための制御信号を出力する。さらに、ＣＰＵ２０４８は、処理モードを上記低階層再生モードに切り替えるための制御信号をＴＳ合成・分離部２０４１に出力する。また、ＣＰＵ２０４８は、第１のＡＶデコーダ２０４２に対しても、低階層番組用のデコード処理に切り替えるための制御信号を出力する。その結果、第１のチューナ２０３２から得られたトランスポートストリームがＴＳ合成・分離部２０４１に入力されると、ＴＳ合成・分離部２０４１において低階層番組にかかるＡＶストリームが分離され、第１のＡＶデコーダ２０４２に出力される。そして、デコードされた映像音声信号が第１のＡＶデコーダ２０４２から第１のＯＳＤ作成・合成部２０４４を経由して第１の表示部２０４６に出力される。これにより、低階層番組の再生が開始されることになる。以上で、第２の実施形態にかかる選局再生処理が終了する。
【０２００】
以上のように、第２の実施形態では、非バルク番組の録画処理が実行中のタイミングでバルク番組にかかる物理チャンネルが選局されたときは、バルク番組と共に階層伝送されている低階層番組を再生している。これにより、所定の非バルク番組が録画中の状態においても、バルク番組にかかる番組内容を視聴することが可能となる。つまり、バルク伝送に対応している番組の視聴と非バルク番組の録画（いわゆる裏録）の両立が可能となる。また、上記のように低階層番組での再生を行う旨や視聴できない旨をＯＳＤ表示するため、利用者は視聴状況を容易に把握することが可能となる。
【０２０１】
（第３の実施形態）
次に、図２７から図２８を参照して、本発明の第３の実施形態について説明する。上述の第２の実施形態では、録画中の状態でバルク番組にかかる物理チャンネルが選局された場合を想定していた。これに対して、第３の実施形態では、録画予約を行う場面を想定する。なお、当該実施形態に係る受信装置は、上述した第２の実施形態と同様であるため、同一の参照符号を付して詳細な説明を省略する。
【０２０２】
以下、第３の実施形態における処理の概要を説明する。第３の実施形態では、図２７に示すような放送スケジュールを想定する。図２７においては、午後８：００：００〜９：５９：５９までの２時間枠で、Ｃｈ１およびＣｈ２ではバルク番組である「番組Ｆ」が、Ｃｈ３およびＣｈ４では同じくバルク番組である「番組Ｇ」が放送される。更に、Ｃｈ５では、同じく２時間枠で非バルク番組である「番組Ｈ」が放送される。またＣｈ６およびＣｈ７ついては、それぞれ午後８：００：００〜８：５９：５９までは非バルク番組である「番組Ｉ」「番組Ｊ」が放送されるが、午後９：００：００〜９：５９：５９は、両チャンネルを使ってバルク番組である「番組Ｋ」が放送される。
【０２０３】
上記のような放送スケジュールにおいて、第３の実施形態では、次のような処理が実行される。例えば、利用者が非バルク番組である「番組Ｈ」を録画予約しようとした際に、
受信装置２０３０において「番組Ｈ」の放送時間帯に重複して既に録画予約されている番組が存在するか否かが判定される。そして、既にバルク番組の録画予約、例えば「番組Ｆ」の録画予約が登録されていた場合は、「番組Ｈ」の録画はできない旨がＯＳＤ表示される。
【０２０４】
以下、第３の実施形態における録画予約処理の詳細を説明する。図２８は、当該録画予約処理の詳細を示すフローチャートである。当該フローチャートの処理は、利用者が非バルク番組の録画予約を登録するための操作を行ったときに実行される。
【０２０５】
図２８において、まず、ステップＳ２０２１において、フラッシュメモリ２０５０から、上記予約一覧２５００（図２４参照）が取得される。次に、ステップＳ２０２２において、利用者が予約しようとする番組（以下、予約希望番組と呼ぶ）の放送時間帯と重複している録画予約が存在するか否かが判定される。当該判定の結果、重複する録画予約がなければ（ステップＳ２０２１でＮＯ）、ステップＳ２０２６において、予約希望番組の録画予約をフラッシュメモリ２０５０に登録する処理が実行される。
【０２０６】
一方、ステップＳ２０２２の判定の結果、重複する録画予約が存在したときは（ステップＳ２０２２でＹＥＳ）、次のステップＳ２０２３において、番組識別情報２５０３に基づいて、重複する録画予約の番組はバルク番組か否かが判定される。当該判定の結果、録画予約が重複している番組がバルク番組であるときは（ステップＳ２０２３でＹＥＳ）、ステップＳ２０２４において、予約希望番組の録画予約ができない旨のＯＳＤ表示を行う処理が実行される。これは、バルク番組の録画のためには２つのチューナが必要となるため、それ以上の録画予約ができないためである。
【０２０７】
一方、ステップＳ２０２３の判定の結果、録画予約が重複している番組がバルク番組ではない、つまり、非バルク番組であるときは（ステップＳ２０２３でＮＯ）、次のステップＳ２０２５において、重複している録画予約の数が１以下であるか否かが判定される。当該判定の結果、重複している録画予約の数が１以下であるときは（ステップＳ２０２５でＹＥＳ）、当該時間帯においては録画のために用いられるチューナは１つだけという状態であるため、他方のチューナを用いた予約希望番組の録画は可能である。そのため、上記ステップＳ２０２６の処理へ進み、上記予約希望番組を録画予約する処理が実行される。一方、重複している録画予約の数が１以下ではないときは（ステップＳ２０２５でＮＯ）、既に２つの非バルク番組の録画予約が登録されており、チューナに空きがない状態であると考えられる。そのため、この場合は、上記ステップＳ２０２４の処理に進み、予約希望番組の録画予約ができない旨をＯＳＤ表示する処理が実行される。以上で、第３の実施形態における録画予約処理は終了する。
【０２０８】
以上のように、第３の実施形態では、非バルク番組の録画予約を行うときに、バルク番組の録画予約と重複しないか否かを判定し、重複する際にＯＳＤ表示による警告を行うようにしている。これにより、利用者が録画予約操作を行う際の受信装置の利便性を高めることができる。
【０２０９】
（第４の実施形態）
次に、本発明の第４の実施形態について説明する。第４の実施形態は、上述の第３の実施形態と同様に非バルク番組の録画予約を行う場面を想定している。そして、第３の実施形態では、非バルク番組の録画予約希望時間帯にバルク番組の予約が重複していた場合、予約できない旨のＯＳＤ表示を行うだけであったが、第４の実施形態では、この場合、上記低階層番組を利用する。すなわち、第４の実施形態では、先約分のバルク番組の録画予約を低階層番組の録画予約に変更することで、録画のために使用されるチューナ数を１つにし、予約希望番組の予約登録を可能とする。上記図２７に示したような放送スケジュー
ルを例として説明すると、例えば、利用者が非バルク番組である「番組Ｈ」を録画予約する操作を行った場合を想定する。このときに、バルク番組である「番組Ｆ」が既に録画予約されていたときは、本実施形態では、「番組Ｆ」のバルク番組としての録画を上記低階層番組としての録画に変更することで、「番組Ｆ」と「番組Ｈ」の録画を両立させる。なお、当該実施形態に係る受信装置は、上述した第２の実施形態と同様であるため、同一の参照符号を付して詳細な説明を省略する。
【０２１０】
以下、第４の実施形態における録画予約処理の詳細を説明する。図２９は、当該録画予約処理の詳細を示すフローチャートである。当該フローチャートの処理は、利用者が非バルク番組の録画予約を登録するための操作を行ったときに実行される。なお、図２９において、ステップＳ２０２１からステップＳ２０２６までの処理は、上述の第３の実施形態で図２８を用いて説明したステップＳ２０２１からステップＳ２０２６の処理と同様であるため、ここでは詳細な説明を省略する。
【０２１１】
図２９のステップＳ２０２３において、重複している番組がバルク番組か否かが判定される。当該判定の結果、録画予約が重複している番組がバルク番組であるときは（ステップＳ２０２３でＹＥＳ）、次のステップＳ２０３１において、次の旨の内容をＯＳＤ表示する処理が実行される。すなわち、既に予約されているバルク番組の録画を低階層番組の録画に変更すれば、上記予約希望番組の録画が可能になる旨をＯＳＤ表示する。つまり、現在、スーパーハイビジョン映像での録画予約がなされているが、これをハイビジョン映像での録画に変更すれば、録画予約を希望している非バルク番組の録画が可能となる旨をＯＳＤ表示する処理が実行される。更に、既に予約済みであるバルク番組の録画を低階層番組の録画に変更するか否かの問い合わせをＯＳＤ表示する処理が実行される。その後、利用者からの返答操作が受け付けられる。
【０２１２】
次に、ステップＳ２０３２において、上記問い合わせに対する利用者の返答内容が、低階層番組の録画への変更を指示する内容であるか否かが判定される。当該判定の結果、低階層番組の録画への変更が指示されていないときは（ステップＳ２０３２でＮＯ）、上記ステップＳ２０２４の処理に進み、録画予約ができない旨をＯＳＤ表示する。
【０２１３】
一方、ステップＳ２０３２の判定の結果、低階層番組の録画への変更を指示する内容のときは（ステップＳ２０３２でＹＥＳ）、次のステップＳ２０３３において、上記重複しているバルク番組の録画予約がキャンセルされる。そして、当該バルク番組と共に階層伝送される低階層番組を録画するための録画予約が予約一覧２５００に登録される。具体的には、予約一覧２５００の放送チャンネル２５０２に、階層伝送が行われる物理チャンネル（当該階層伝送が行われる物理チャンネルの情報は、ＥＰＧに含まれているものとする）が格納され、番組識別情報２５０３には、低階層番組であることを示す情報が格納される。放送時間帯２５０１および番組情報２５０４には、キャンセルしたバルク番組のものと同じ情報が格納される。そして、続くステップＳ２０３４において、上記予約希望番組の録画予約が予約一覧２５００に登録される。以上で、第４の実施形態にかかる録画予約処理は終了する。
【０２１４】
以上のように、第４の実施形態では、非バルク番組を録画予約するときに、バルク番組の録画予約と重複しているときは、バルク番組の録画予約を低階層番組の録画予約へと変更することで、当該非バルク番組の録画予約を可能としている。これにより、バルク番組の録画予約がなされている時間帯にそれ以上の番組録画ができない状態となることを防ぐ事ができる。つまり、バルク伝送に対応する番組（スーパーハイビジョン放送に対応している番組）と非バルク番組（ハイビジョン放送の番組）の録画を両立させることが可能となる。
【０２１５】
（第５の実施形態）
次に、本発明の第５の実施形態について説明する。上記第３および第４の実施形態は、非バルク番組の録画予約を行う場面を想定していた。これに対して、第５の実施形態では、バルク番組の録画予約を行う場面を想定する。すなわち、バルク番組の録画予約を行う際に、他の録画予約を重複する際の処理となる。なお、当該実施形態に係る受信装置は、上述した第２の実施形態と同様であるため、同一の参照符号を付して詳細な説明を省略する。また、第５の実施形態でも、上記図２７に示したような放送スケジュールを想定する。
【０２１６】
以下、第５の実施形態における録画予約処理の詳細を説明する。図３０は、当該録画予約処理の詳細を示すフローチャートである。当該フローチャートの処理は、利用者がバルク番組の録画予約を登録するための操作を行ったときに実行される。なお、ステップＳ２０４１およびＳ２０４２の動作は、上述の第３の実施形態で図２８を用いて説明したステップＳ２０２１およびＳ２０２２と同様であるため、詳細な説明を省略する。
【０２１７】
図３０において、まず、ステップＳ２０４１において、フラッシュメモリ２０５０から予約一覧２５００が取得され、ステップＳ２０４２において、予約希望番組の放送時間帯と重複している録画予約が存在するか否かが判定される。当該判定の結果、重複する録画予約がなければ（ステップＳ２０４２でＮＯ）、ステップＳ２０４４において、予約希望番組の録画予約をフラッシュメモリ２０５０に登録する処理が実行される。
【０２１８】
一方、ステップＳ２０４２の判定の結果、重複する録画予約が存在したときは（ステップＳ２０４２でＹＥＳ）、次のステップＳ２０４３において、予約希望番組の録画予約ができない旨のＯＳＤ表示を行う処理が実行される。つまり、バルク番組の録画のためには２つのチューナが必要となるところ、バルク番組／非バルク番組を問わず、何らかの録画予約を重複していれば、バルク番組の録画予約ができない。そのため、重複する録画予約が存在する場合は、バルク番組の録画ができないとするものである以上で、第５の実施形態における録画予約処理は終了する。
【０２１９】
以上のように、第５の実施形態では、バルク番組の録画予約を行うときに、何らかの録画予約と重複しないか否かを判定し、重複する際にＯＳＤ表示により録画予約が出来ない旨を警告している。これにより、利用者が録画予約操作を行う際の受信装置の利便性を高めることができる。
【０２２０】
（第６の実施形態）
次に、本発明の第６の実施形態について説明する。第６の実施形態は、上述の第５の実施形態と同様にバルク番組の録画予約を行う場面を想定している。そして、第５の実施形態では、バルク番組の録画予約希望時間帯に何らかの番組の録画予約が重複していた場合、予約できない旨のＯＳＤ表示を行うだけであったが、第６の実施形態では、この場合、上記低階層番組を利用する。すなわち、第６の実施形態では、バルク番組の予約を、適宜低階層番組の録画予約に変更することで、録画のために使用されるチューナ数を１つにし、予約希望番組の予約登録を可能とする。上記図２７の放送スケジュールを例として説明すると、例えば、利用者が「番組Ｇ」を録画予約する操作を行った場合を想定する。このときに、バルク番組である「番組Ｆ」が既に録画予約されていたときは、本実施形態では、「番組Ｆ」「番組Ｇ」を共に上記低階層番組の録画として予約することで、両番組の録画を両立させる。また、利用者が「番組Ｇ」を録画予約する操作を行った際に、非バルク番組である「番組Ｈ」が既に録画予約されていたときは、「番組Ｇ」を低階層番組の録画として予約することで、「番組Ｇ」「番組Ｈ」の録画を両立させる。
【０２２１】
なお、当該実施形態に係る受信装置は、上述した第２の実施形態と同様であるため、同
一の参照符号を付して詳細な説明を省略する。
【０２２２】
以下、第６の実施形態における録画予約処理の詳細を説明する。図３１は、当該録画予約処理の詳細を示すフローチャートである。当該フローチャートの処理は、利用者が非バルク番組の録画予約を登録するための操作を行ったときに実行される。なお、図３１において、ステップＳ２０４１からステップＳ２０４４までの処理は、上述の第５の実施形態で図３０を用いて説明したステップＳ２０４１からステップＳ２０４４の処理と同様であるため、ここでは詳細な説明を省略する。
【０２２３】
図３１において、ステップＳ２０４２で上記のように予約希望番組の放送時間帯と重複している録画予約が存在するか否かが判定された結果、重複している予約がないときは（ステップＳ２０４２でＮＯ）、上記ステップＳ２０４４の処理において、予約希望番組を録画予約する処理が実行される。
【０２２４】
一方、重複している予約があるときは（ステップＳ２０４２でＹＥＳ）、続くステップＳ２０５１において、重複している番組がバルク番組か否かが判定される。当該判定の結果、録画予約が重複している番組がバルク番組であるときは（ステップＳ２０５１でＹＥＳ）、次のステップＳ２０５２において、ＯＳＤ表示のための処理が実行される。当該ＯＳＤ表示の内容は、次のような内容である。すなわち、既に予約されているバルク番組の録画を上記低階層番組での録画に変更し、且つ、予約希望番組であるバルク番組についても上記低階層番組での録画とすれば、上記予約希望番組の録画が可能になる旨の内容である。更に、上記両バルク番組の録画を共に低階層番組の録画に変更するか否かの問い合わせをＯＳＤ表示する処理が実行される。その後、利用者からの返答操作が受け付けられる。
【０２２５】
次に、ステップＳ２０５３において、上記問い合わせに対する利用者の返答内容が、両バルク番組の録画を共に低階層番組の録画へ変更する内容であるか否かが判定される。当該判定の結果、低階層番組の録画への変更を指示していないときは（ステップＳ２０５３でＮＯ）、そのまま録画予約処理は終了する。
【０２２６】
一方、ステップＳ２０５３の判定の結果、低階層番組の録画への変更を指示する内容のときは（ステップＳ２０５３でＹＥＳ）、次のステップＳ２０５４において、上記重複しているバルク番組の録画予約がキャンセルされる。そして、当該バルク番組と階層伝送される低階層番組を録画するための録画予約がフラッシュメモリ２０５０に登録される。そして、上記予約希望番組と階層伝送される低階層番組を録画するための録画予約がフラッシュメモリ２０５０に登録される。その結果、上記２つのバルク番組は共に低階層番組の録画予約として登録されることになる。
【０２２７】
一方、上記ステップＳ２０５１の判定の結果、録画予約が重複している番組がバルク番組ではない、つまり、非バルク番組であるときは（ステップＳ２０５１でＮＯ）、次のステップＳ２０５５において、重複している録画予約の数が１以下であるか否かが判定される。当該判定の結果、１以下であるときは（ステップＳ２０５５でＹＥＳ）、当該時間帯においては録画のために用いられるチューナは１つだけという状態である。そのため、ステップＳ２０５６において、予約希望番組を低階層番組の録画にすれば、当該予約希望番組の録画が可能になる旨をＯＳＤ表示する処理が実行される。更に、予約希望番組を低階層番組の録画として録画予約するか否かの問い合わせをＯＳＤ表示する処理が実行される。その後、利用者からの返答操作を受け付ける。
【０２２８】
次に、ステップＳ２０５７において、上記問い合わせに対する利用者の返答内容が、低階層番組での録画予約を指示する内容であるか否かが判定される。当該判定の結果、低階
層番組での録画を指示していないときは（ステップＳ２０５７でＮＯ）、そのまま録画予約処理は終了する。
【０２２９】
一方、ステップＳ２０５７の判定の結果、低階層番組の録画への変更を指示する内容のときは（ステップＳ２０５７でＹＥＳ）、次のステップＳ２０５８において、予約希望番組を低階層番組で録画するための録画予約がフラッシュメモリ２０５０に登録される。
【０２３０】
一方、ステップＳ２０５５の判定の結果、重複する予約数が１以下ではないときは（ステップＳ２０５５でＮＯ）、既に２つの非バルク番組の録画予約が登録されており、チューナに空きがない状態であると考えられる。そのため、この場合は、上記ステップＳ２０４３の処理に進み、予約希望番組の録画予約ができない旨をＯＳＤ表示する処理が実行される。以上で、第６の実施形態にかかる録画予約処理は終了する。
【０２３１】
以上のように、第６の実施形態では、バルク番組を録画予約するときに、他のバルク番組の録画予約と重複しているときは、双方のバルク番組を低階層番組の録画予約することで、当該両バルク番組と同内容の番組の録画予約を可能としている。これにより、録画が一切できないという状態が発生することを防ぎ、利用者の利便性を高めることが可能となる。
【０２３２】
なお、上述したデジタル放送システムでは、低階層番組はバルク伝送にかかる２つの物理チャンネルのうち一方だけで階層伝送を行っていたが、これに限らず、双方のチャンネルで低階層番組を階層伝送（つまり、低階層番組の２重化）するようにしてもよい。この場合は、階層伝送されている物理チャンネルを検索する処理を省くことができる。
【０２３３】
（第７の実施形態）
次に、本発明の第７の実施形態について説明する。まず、第７の実施形態の詳細を説明するに先立ち、第７実施形態、および、その後に説明する第８〜第９の実施形態で共通して想定しているデジタル放送システムにおける伝送の概要について説明する。本実施形態では、いわゆるハイビジョン規格の動画像コンテンツと、いわゆるスーパーハイビジョン規格の動画像コンテンツとを混在して放送するデジタル放送システムを想定している。例えば、あるチャンネルにおいて、午後８：００〜午後９：００まではハイビジョン規格の動画像コンテンツを放送し、午後９：００〜午後１１：００まではスーパーハイビジョン規格の動画像コンテンツを放送するような場合である。ここで、ハイビジョン規格で構成された番組については、その情報量は１つの物理チャンネルで伝送可能な情報量であるものとする。一方、スーパーハイビジョン規格で構成された番組については、１つの物理チャンネルだけでは伝送できない情報量を有するものとする。そのため、ハイビジョン規格で構成されている番組を放送する場合は、１つの物理チャンネルで１つの番組を伝送するが、スーパーハイビジョン規格で構成された番組については、その放送データ（トランスポートストリーム）を２つに分割し、２つの物理チャンネルを用いて伝送する。図３２は、本実施形態におけるスーパーハイビジョン規格で構成された番組の伝送の概念を示す模式図である。図３２に示すように、本実施形態ではスーパーハイビジョン規格の番組の放送データ（トランスポートストリーム）３１０１を２つに分割し、２つの物理チャンネル３１１１および３１１２で伝送する。つまり、２つの物理チャンネルを束ねてスーパーハイビジョン規格の番組を伝送する。以下、このような１つの番組を２つの物理チャンネルを用いて伝送することをバルク伝送と呼ぶ。また、当該バルク伝送によって伝送される、上記スーパーハイビジョン規格で構成された番組をバルク番組と呼び、１つの物理チャンネルで伝送可能なハイビジョン規格で構成されている番組を非バルク番組と呼ぶ。そのため、上記のような時間帯を例に取ると、例えば、午後８：００〜午後９：００までは、例えば、１チャンネルと２チャンネルとではそれぞれ異なる内容の非バルク番組が表示されることになり、午後９：００〜午後１１：００までは、両チャンネルとも同じ内容のバル
ク番組が表示されていることになる。つまり、いずれのチャンネルを選局しても、同じ番組が画面に表示される。
【０２３４】
ここで、本実施形態では、上記バルク番組をバルク伝送する際に、伝送に用いられる２つの物理チャンネルのそれぞれについて階層伝送を行うようにしている。具体的には、送信側で、上記バルク番組と同内容のコンテンツをハイビジョン規格で生成する（以下、当該ハイビジョン規格のコンテンツを低階層番組と呼ぶ）。つまり、バルク番組と低階層番組とは、ハイビジョン規格で作成されたかスーパーハイビジョン規格で作成されたかの違いがあるだけで、その番組内容（放送される内容）は同じものである。そして、本実施形態では、変調方式として、バルク番組に関しては、３２ＡＰＳＫ（Amplitude Phase Shift Keying）を用い、当該低階層番組についてはＱＰＳＫ（quadrature phase shift keying））を用いて変調する。低階層番組（ハイビジョン規格）は、バルク番組のものよりは情報量が少ないため、伝送するためのネットワーク帯域も少なくて済む。そして、本実施形態では、バルク伝送を行う各チャンネルについて、図３２に示すように、バルク番組３１０１ａと低階層番組３１０２ａ、および、バルク番組３１０１ｂと低階層番組３１０２ｂとの階層伝送を行っている（図３２では、同じ内容の低階層番組を２つ作成して、それぞれ各チャンネルに含めるようにしている）。
【０２３５】
また、上記バルク伝送に関しては、受信装置側（２つの物理チャンネルを同時に受信する必要があるため、少なくとも２つのチューナを備えていることが前提となる）においてバルク番組を再生するための情報、例えば、どの物理チャンネルとどの物理チャンネルの組み合わせでバルク番組が構成されるか等の情報（以下、バルク関連情報と呼ぶ）が必要となる。本実施形態では、当該バルク関連情報を、いわゆるＴＭＣＣ信号（伝送パラメータ等を含む信号）に載せて送信するものとする。受信装置側では、いずれか１つのチューナで選局・受信した放送信号からＴＭＣＣ信号を分離し、上記バルク関連情報を得る。そして、当該バルク関連情報に基づいて、これから送信されてくる番組がバルク番組であるか否かや、バルク番組の場合はどのチャンネルとの組み合わせで構成されているか等を判定し、選局・合成等を行う処理が実行されることになる（詳細は後述）。
【０２３６】
図３３は、本実施形態で用いられる上記バルク関連情報の一例を示す図である。バルク関連情報は、物理Ｃｈ番号３１３１と接続フラグ３１３２と接続対象Ｃｈ３１３３の集合から構成されている。バルク関連情報には、全ての物理チャンネルについての情報が含まれており、物理Ｃｈ番号３１３１は、各物理チャンネルの番号を示す。接続フラグ３１３２は、放送される番組がバルク番組か非バルク番組かを識別するためのフラグである。接続フラグ３１３２がオンに設定されているときは、その物理チャンネルで伝送される番組がバルク番組であることを示す。また、オフに設定されているときは、その物理チャンネルのみを使用して非バルク番組が放送されることを示す。
【０２３７】
接続対象Ｃｈ３１３３は、その物理チャンネルで放送される番組がバルク番組である場合に、その物理チャンネルと共に当該バルク番組を構成している物理チャンネル番号を示すためのデータである。例えば、Ｗチューナを備える受信装置において、一方のチューナで物理チャンネル１（以下、単にＣｈ1と表す。他の物理チャンネルについても同様とする）を選局して図３３のようなバルク関連情報を取得した場合、Ｃｈ１で放送される番組がバルク番組であること、および、当該バルク番組はＣｈ１とＣｈ２とで構成されることがわかる。そのため、バルク番組を再生するためには、他方のチューナでＣｈ２を選局する必要があることがわかる。
【０２３８】
このように、本実施形態が想定するデジタル放送システムでは、バルク番組と非バルク番組とを混在して放送し、バルク番組については２つの物理チャンネルを使ってバルク伝送を行っている。また、受信装置はＷチューナーを備えており、ＴＭＣＣ信号に含まれる
バルク関連情報に基づいてバルク番組／非バルク番組の判別や再生処理を行う。
【０２３９】
次に、以上のようなデジタル放送システムにおいて、第７の実施形態で用いられる受信装置の構成について説明する。図３４は、本発明の第７の実施形態に係る受信装置３０３０の構成を示した機能ブロック図である。図３４において、受信装置３０３０は、アンテナ３０３１と、第１のチューナ３０３２と、第２のチューナ３０３３と、第１の復調部３０３４と、第２の復調部３０３５と、第１の主信号誤り訂正復号部３０３６と、第２の主信号誤り訂正復号部３０３７と、第１のＴＭＣＣ復号部３０３８と、第２のＴＭＣＣ復号部３０３９と、ＴＭＣＣ制御部３０４０と、ＴＳ合成・分離部３０４１と、第１のＡＶデコーダ３０４２と、第２のＡＶデコーダ３０４３と、第１の表示部３０４４と第２の表示部３０４５と、ＣＰＵ３０４６と、リモコン処理部３０４７と、フラッシュメモリ３０４８と、リモコン３０４９とで構成される。
【０２４０】
第１のチューナ３０３２および第２のチューナ３０３３は、ＣＰＵ３０４６からの制御信号に基づいて所定の物理チャンネルを選局し、図示しない送信装置からの送信信号をアンテナ３０３１を介して受信する。
【０２４１】
第１の復調部３０３４は、第１のチューナ３０３２から出力される送信信号をデジタル信号に復調し、第１の主信号誤り訂正復号部３０３６および第１のＴＭＣＣ復号部３０３８に出力する。
【０２４２】
第１の主信号誤り訂正復号部３０３６は、第１の復調部３０３４から出力されたデジタル信号に対して、誤り訂正の復号処理を実行し、トランスポートストリームを得る。そして、当該トランスポートストリームをＴＳ合成・分離部３０４１に出力する。図３５は、第１の主信号誤り訂正復号部３０３６の詳細を示すブロック図である。図３５において、第１の主信号誤り訂正復号部３０３６では、第１の復調部３０３４から出力されたデジタル信号について、デインターリーブ部３３６１でデインタリーブが行われ、内符号誤り復号部３３６２における内符号の復号、エネルギー逆拡散部３３６３におけるエネルギー逆拡散を経て外符号誤り復号部３３６４による外符号の復号が行われ、トランスポートストリームとして出力される。
【０２４３】
第１のＴＭＣＣ復号部３０３８は、第１の復調部３０３４から出力されたデジタル信号（ＴＭＣＣ信号）からＴＭＣＣ情報を復号して取得する。そして、当該ＴＭＣＣ情報をＴＭＣＣ制御部３０４０に出力する。
【０２４４】
第２の復調部３０３５、第２の主信号誤り訂正復号部３０３７、および、第２のＴＭＣＣ復号部３０３９は、第２のチューナ３０３３から出力される送信信号に対して、上記第１の復調部３０３４、第１の主信号誤り訂正復号部３０３６、第１のＴＭＣＣ復号部３０３８と同様の処理を行う。
【０２４５】
ＴＭＣＣ制御部３０４０は、第１のＴＭＣＣ復号部３０３８から出力されるＴＭＣＣ情報（より正確には、ＴＭＣＣ情報から得られる各種伝送パラメータの情報等）に基づいて、第１の復調部３０３４および第１の主信号誤り訂正復号部３０３６を制御する。また、第２のＴＭＣＣ復号部３０３９から出力されるＴＭＣＣ情報に基づいて、第２の復調部３０３５および第２の主信号誤り訂正復号部３０３７を制御する。また、ＴＭＣＣ制御部３０４０は、取得したＴＭＣＣ情報をＣＰＵ３０４６に出力する。
【０２４６】
ＴＳ合成・分離部３０４１は、ＣＰＵ３０４６からの制御信号に基づいて、以下のような処理を実行する。まず、ＴＳ合成・分離部３０４１は、上記バルク番組を再生する場合
は、第１の主信号誤り訂正復号部３０３６および第２の主信号誤り訂正復号部３０３７から出力されてくる両トランスポートストリームを合成することによって、送信側で２つに分割される前のトランスポートストリームを復元する。更に、ＴＳ合成・分離部３０４１は、当該合成後のトランスポートストリームから、上記バルク番組にかかるＡＶストリームを分離して取得する。そして、ＴＳ合成・分離部３０４１は、ＣＰＵ３０４６からの制御信号に基づいて、バルク番組にかかるＡＶストリームを第１のＡＶデコーダ４２または第２のＡＶデコーダ３０４３の少なくとも一方に出力する。また、上記低階層番組を再生する場合は、上述のようなＴＳの合成は行わずに、第１の主信号誤り訂正復号部３０３６および第２の主信号誤り訂正復号部３０３７のいずれかから出力されてくるトランスポートストリームから、低階層番組にかかるＡＶストリームを分離する。そして、ＴＳ合成・分離部３０４１は、ＣＰＵ３０４６からの制御信号に基づいて、低階層番組にかかるＡＶストリームを第１のＡＶデコーダ３０４２または第２のＡＶデコーダ３０４３の少なくとも一方に出力する。
【０２４７】
第１のＡＶデコーダ３０４２および第２のＡＶデコーダ３０４３は、ＣＰＵ３０４６からの制御信号に基づいて、それぞれＴＳ合成・分離部３０４１から出力されたＡＶストリームをデコードして映像・音声信号を取得する。そして、第１のＡＶデコーダ３０４２は、デコードの結果得られた映像・音声信号（典型的にはバルク番組、または第１のチューナ３０３２から得られた非バルク番組）を第１の表示部３０４４に出力する。また、第２のＡＶデコーダ３０４３は、デコードの結果得られた映像・音声信号（典型的には第２のチューナ３０３３から得られた非バルク番組）を第２の表示部３０４４に出力する。ここで、第１のＡＶデコーダ３０４２および第２のＡＶデコーダ３０４３は、少なくとも、上記バルク番組の高階層ＡＶストリーム、低階層番組の低階層ＡＶストリームのエンコード形式に対応するデコード形式でデコード処理が可能である。例えば、高階層ＡＶストリームのときはＨ．２６４方式でのデコード、低階層ＡＶストリームのときは、ＭＰＥＧ２方式でのデコードが可能である。そして、第１のＡＶデコーダ３０４２および第２のＡＶデコーダ３０４３は、ＣＰＵ３０４６からの制御信号に基づき、これらのデコード方式を切り替えてデコード処理を実行する。
【０２４８】
第１の表示部３０４４および第２の表示部３０４５は、いわゆる２画面表示における各画面に相当するものである。第１の表示部３０４４は、第１のＡＶデコーダ３０４２から出力された映像・音声信号に基づいて映像・音声を利用者に提示する。第２の表示部３０４５は、第２のＡＶデコーダ３０４３から出力された映像・音声信号に基づいて映像・音声を利用者に提示する。
【０２４９】
ＣＰＵ３０４６は、図３６を用いて後述するフローチャートに示すような処理を行い、上記第１のチューナ３０３２、第２のチューナ３０３３、ＴＳ合成・分離部３０４１、第１のＡＶデコーダ３０４２、第２のＡＶデコーダ３０４３等を制御して、上記動画像コンテンツを利用者が視聴できるようにするための処理を実行する。
【０２５０】
リモコン処理部３０４７は、リモコン３０４９からの操作信号を受信し、操作指示内容を示す信号をＣＰＵ３０４６に出力する。
【０２５１】
フラッシュメモリ３０４８には、ＣＰＵ３０４６が各種制御に用いるためのデータ等が記憶される。
【０２５２】
次に、以上のような受信装置３０３０で実行される選局再生処理の処理概要を説明する。本実施形態の受信装置では、例えば利用者によって、リモコン３０４９のチャンネルアップダウンボタンが押されたとき等の選局操作が行われたときに、以下のような処理が実行される。まず、第１のチューナ３０３２で、利用者の指示した物理チャンネルが選局さ
れる。次に、受信した放送信号からＴＭＣＣ信号と分離し、上述したようなバルク関連情報を取得する。次に、当該バルク関連情報（図３３参照）を参照し、第１のチューナで選局したチャンネルで放送される番組がバルク番組か非バルク番組かを判定する。そして、非バルク番組のときは、上記バルク関連情報を参照し、他のチャンネルでバルク番組が放送されていないかどうかを調べる。その結果、他のチャンネルでバルク番組が放送されていれば、その物理チャンネルを第２のチューナで選局しておくという処理を行う。つまり、非バルク番組を視聴する場合はチューナは１つしか使わないため、使わないほうのチューナで他のバルク番組のチャンネルを先に選局しておくという処理を行うものである。このような処理を行っておくことで、例えば、後に第１のチューナ３０３２で当該バルク番組のチャンネルが選局された際に、第２のチューナ３０３３は既に選局済みの状態であるため、速やかにバルク番組の再生にかかる処理（トランスポートストリームの合成やデコード処理等）を進めることができる。その結果、利用者による選局操作が行われてから実際に画面に番組の映像が表示されるまでの時間を短縮することが可能となる。
【０２５３】
以下、図３６を用いて、受信装置３０３０で実行される選局再生処理の詳細動作を説明する。なお、図３６は、利用者がリモコン３０４９等で選局操作を行ったときに受信装置３０３０によって実行される選局再生処理を示すフローチャートである。
【０２５４】
図３６において、まず、ステップＳ３００１において、リモコン３０４９からの選局情報が取得される。すなわち、ＣＰＵ３０４６は、リモコン処理部３０４７を介して、利用者の選局操作内容を示す情報を取得する。次に、ステップＳ３００２において、当該選局情報に基づき、第１のチューナ３０３２で選局処理が実行される。より具体的には、ＣＰＵ３０４６は、利用者の選局した物理チャンネルを選局させるための制御信号を第１のチューナ３０３２に出力する。これに応じて、第１のチューナ３０３２は、利用者が指示した物理チャンネルを選局する。
【０２５５】
次に、ステップＳ３００３において、ＴＭＣＣ情報の取得、および、全物理チャンネルについての接続フラグ３１３２を調べる処理が実行される。より具体的には、第１のチューナ３０３２で選局した物理チャンネルの受信信号からＴＭＣＣ信号が分離され、第１のＴＭＣＣ復号部３０３８に入力される。第１のＴＭＣＣ復号部３０３８においてＴＭＣＣ情報が復号され、ＴＭＣＣ制御部３０４０に出力される。ＴＭＣＣ制御部３０４０は、ＴＭＣＣ情報からバルク関連情報（図３３参照）を抽出し、ＣＰＵ３０４６に出力する。ＣＰＵ３０４６は、当該バルク関連情報に含まれている全物理チャンネルの接続フラグ３１３２を参照し、接続フラグがオンに設定されている物理Ｃｈ番号３１３１を取得する。
【０２５６】
次に、ステップＳ３００４において、上記ステップＳ３００２で選局された物理チャンネルがバルク番組が放送されるチャンネルであるか否かが判定される。すなわち、ＣＰＵ３０４６は、上記ステップＳ３００３で取得した物理Ｃｈ番号３１３１にステップＳ３００２で選局された物理チャンネル番号が含まれているか否かを判定する。当該判定の結果、上記ステップＳ３００２で選局された物理チャンネルでは、バルク番組が放送されない、すなわち、非バルク番組が放送されるときは（ステップＳ３００４でＮＯ）、続くステップＳ３００５において、ステップＳ３００３で取得した物理Ｃｈ番号３１３１が参照され、他の物理チャンネルでバルク番組が放送されているか否かが判定される。当該判定の結果、他の物理チャンネルでもバルク番組は放送されていない、すなわち、上記選局操作を行った時間帯にはバルク番組が放送されていないような場合は（ステップＳ３００５でＮＯ）、後述するステップＳ３００７の処理に進む。
【０２５７】
一方、他の物理チャンネルでバルク番組が放送されているときは（ステップＳ３００５でＹＥＳ）、続くステップＳ３００６において、第２のチューナ３０３３が開放されているか否かが判定される。ここで、「開放されていない」状態とは、例えば２画面表示や裏
番組の録画等が行われており、第２のチューナが現在使用中であるような状態のことを言い、「開放されている」状態は、第２のチューナ３０３３が現在使用されていない状態のことを言う。当該判定の結果、第２のチューナ３０３３が開放されていないときは（ステップＳ３００６でＮＯ）、ステップＳ３００８において、第２のチューナ３０３３の現在の選局状態を維持する。その後、処理が後述のステップＳ３００９に進められる。
【０２５８】
一方、第２のチューナ３０３３が開放されているときは（ステップＳ３００６でＹＥＳ）、ステップＳ３００７において、バルク番組が放送されている他の物理チャンネルを第２のチューナ３０３３で選局する。このとき、複数のバルク番組が放送されているときは、第１のチューナ３０３２で選局している物理チャンネルに最も近いバルク番組の物理チャンネルを第２のチューナ３０３３で選局する（差が付けられない場合は、ランダムに一方を選択する）。ここで、当該バルク番組の伝送には２つの物理チャンネルが利用されているが、本実施形態では、この２つの物理チャンネルのうち、第１のチューナ３０３２で選局している物理チャンネルから遠い方の周波数のチャンネルを選局する（ここでは、周波数は、１ｃｈ＜２ｃｈ・・・＜４ｃｈ・・・＜９ｃｈ・・・の関係であるとする）。例えば、第１のチューナ３０３２で４ｃｈを選局し、同時間帯に１ｃｈおよび２ｃｈを利用してバルク番組が放送されているとする。このような場合は、１ｃｈを第２のチューナ３０３３で選局する。また、同様に第１のチューナ３０３２で４ｃｈを選局し、同時間帯に８ｃｈおよび９ｃｈを利用してバルク番組が放送されている場合は、９ｃｈを第２のチューナ３０３３で選局する。これは、リモコンのチャンネルアップダウンボタンでの操作（つまり、チャンネル番号が順次／逆次で指定される操作）を想定したものである。すなわち、４ｃｈからチャンネルアップの操作が行われた場合、４ｃｈ→５ｃｈ→６ｃｈ・・・と切り替わり、８ｃｈが先に選局されることになる。このような場合に、８ｃｈが選局された時点で、既に９ｃｈは選局済みであるという状態にするために、上記のように、２つの物理チャンネルのうち、第１のチューナ３０３２で選局している物理チャンネルから遠い方の物理チャンネルを選局するようにしている。
【０２５９】
なお、当該ステップＳ３００７による第２のチューナ３０３３による選局の結果、その後に上記ステップＳ３００６の判定が行われたときは、第２のチューナ３０３３は「開放されていない」と判定されることになる。その結果、上記４ｃｈ→５ｃｈ〜８ｃｈが選局されるまでの各操作においては、第２のチューナ３０３３による９ｃｈの選局が維持されている状態となる。
【０２６０】
ステップＳ３００７の処理の次に、ステップＳ３００９において、第１のチューナ３０３２で選局した物理チャンネルで放送されている非バルク番組の再生のための処理が開始される。より具体的には、ＴＭＣＣ制御部３０４０は、上記ＴＭＣＣ情報から伝送パラメータ等を取得する。そして、ＴＭＣＣ制御部３０４０は、当該伝送パラメータに基づいた復調処理を実行させるための制御信号を第１の復調部３０３４に出力する。これに応じて、第１の復調部３０３４は、主信号（番組のデータが含まれている信号）の復調を開始する。復調された主信号は、第１の主信号誤り訂正復号部３０３６に出力される。そして、第１の主信号誤り訂正復号部３０３６において誤り訂正処理が行われることによって得られたトランスポートストリームがＴＳ合成・分離部３０４１に出力される。ＴＳ合成・分離部３０４１では、ＣＰＵ３０４６からの制御信号に基づいて、当該トランスポートストリームからＡＶストリームを分離し、第１のＡＶデコーダ３０４２へ出力する処理が開始される。更に、第１のＡＶデコーダ３０４２は、ＣＰＵ３０４６からの制御信号に基づいて、当該ＡＶストリームのデコード処理を開始し、デコード結果である映像・音声信号を第１の表示部３０４４に出力する処理を開始する。以上のような処理が実行されることで、非バルク番組が画面に表示される。
【０２６１】
一方、上記ステップＳ３００４の判定の結果、バルク番組が放送される物理チャンネル
が選局されたときは（ステップＳ３００４でＹＥＳ）、ステップＳ３０１０において、上記バルク関連情報を参照して、接続対象Ｃｈ３１３３で示される物理チャンネルを第２のチューナ３０３３で選局する。但し、上記のように、事前に非バルク番組の物理チャンネルが選局されたことにより、先行して接続対象ｃｈが選局されていた場合は、このステップＳ３０１０の処理はスキップされる。これにより、第２のチューナ３０３３での選局にかかる処理を省略することが可能となる。換言すれば、最初に行われた選局操作でバルク番組の物理チャンネルが選局された場合は、本ステップが実行されることになる。
【０２６２】
次に、ステップＳ３０１１において、バルク番組を再生するための処理が実行される。具体的には、第１のチューナ３０３２経由で得られたトランスポートストリームと第２のチューナ３０３３経由で得られたトランスポートストリームがそれぞれＴＳ合成・分離部３０４１に出力され、両トランスポートストリームを合成する処理が開始される。そして、合成されたトランスポートストリームからバルク番組にかかるＡＶストリームと低階層番組にかかるＡＶストリームが分離され、バルク番組にかかるＡＶストリームが第１のＡＶデコーダ３０４２に出力される。第１のＡＶデコーダ３０４２は、当該バルク番組にかかるＡＶストリームをデコードし、映像・音声信号を第１の表示部３０４４に出力する処理を開始する。これにより、バルク番組が画面に表示されることになる。
【０２６３】
以上のように、本実施形態では、第１のチューナ３０３２で非バルク番組を選局した際に、第２のチューナ３０３３を用いて、他の物理チャンネルで放送されているバルク番組にかかる物理チャンネルを選局しておく。このようにあらかじめバルク番組にかかる物理チャンネルを選局しておくことにより、その後、当該バルク番組の物理チャンネルが第１のチューナ３０３２で選局されたとき、第２のチューナ３０３３での選局処理を省略することができる。その結果、視聴者がバルク番組の物理チャンネルを選局してから実際にバルク番組が画面に表示されるまでにかかる時間を短縮することができ、視聴者にとって利便性の高いデジタル放送受信装置を提供することができる。
【０２６４】
なお、上記実施形態では、非バルク番組の例としてハイビジョン規格の動画像コンテンツを例としたが、非バルク番組は、ＳＤ（Standard Definition）規格の動画像コンテンツであっても良い。また、上記低階層番組についても同様に、ＳＤ規格の動画像コンテンツとしてもよい。
【０２６５】
また、上記ステップＳ３００７の処理に関して、上記の実施形態では、リモコン３０４９のチャンネルアップダウンボタンでの操作を想定し、第１のチューナ３０３２で選局している物理チャンネルに最も近いバルク番組のチャンネルを第２のチューナ３０３３で選局するようにしていた。これに限らず、第２のチューナ３０３３で選局する物理チャンネルを次のようにして決定するようにしてもよい。まず、受信装置３０３０において、各チャンネルの視聴履歴をフラッシュメモリ３０４８に記録しておくようにする。また、利用者の選局操作についての操作履歴もフラッシュメモリ３０４８に記録しておくようにする。具体的には、リモコン３０４９のチャンネルアップダウンによる選局操作の回数と、数字キーの押下による選局操作の回数を示す情報をフラッシュメモリに記録しておくようにする。
【０２６６】
そして、上記ステップＳ３００７の処理において、フラッシュメモリ３０４８の操作履歴を参照し、選局操作として、チャンネルアップダウンボタンによる選局操作の回数が多いか、数字キーの押下による選局、いわゆるダイレクト選局による操作の回数が多いかを判定する。その結果、チャンネルアップダウンによる選局操作の回数のほうが多い場合は、上述したような処理が実行されるように構成する。一方、ダイレクト選局による選局操作の回数が多い場合は、次に、フラッシュメモリ３０４８の視聴履歴を参照する。そして、上記ステップＳ３００３の処理の結果検出された、バルク番組を放送している物理チャ
ンネルの中で、利用者が最も良く視聴していた物理チャンネルを検索し、選局するようにしてもよい。
【０２６７】
（第８の実施形態）
次に、図３７から図３８を参照して、本発明の第８の実施形態について説明する。上述の第７の実施形態では、非バルク番組の選局時に、第２のチューナ３０３３による先行選局を行うことで、バルク番組のチャンネル選局時の画面表示までの時間を短縮していた。これに対して、第８の実施形態では、バルク番組選局操作時に、バルク番組に階層伝送されてくる上記低階層番組を先に画面に出力する処理を行う。これは、低階層番組については片方のチャンネルが受信できていれば再生可能であること、および、情報量が少ない分、処理速度も速く、上記のように番組内容については同じものであることから、先に低階層番組を画面に出すことで、選局操作から画面出力までの時間を短縮するためである。
【０２６８】
図３７は、本発明の第８の実施形態に係る受信装置３０５０の構成を示したブロック図である。当該実施形態に係る受信装置３０５０は、上述した第７の実施形態で図３４を用いて説明した受信装置３０３０の機能構成に第１のＯＳＤ作成・合成部３０５１および第２のＯＳＤ作成・合成部３０５２を加えたものに相当し、他の構成部は、第７の実施形態と同様である。従って、第１のＯＳＤ作成・合成部３０５１および第２のＯＳＤ作成・合成部３０５２以外の構成部については同一の参照符号を付して詳細な説明を省略する。
【０２６９】
図３７において、第１のＯＳＤ作成・合成部３０５１は、第１のＡＶデコーダ３０４２が第１の表示部３０４４に出力した画面の上に重ねて表示するための画面（以下、ＯＳＤ表示と呼ぶ）を生成する。そして、第１のＯＳＤ作成・合成部３０５１は、第１のＡＶデコーダ３０４２からの出力と当該ＯＳＤ表示を合成して第１の表示部３０４４に出力する。また、第２のＯＳＤ作成・合成部３０５２は、第２のＡＶデコーダ３０４３が第２の表示部３０４５に出力した画面の上に重ねて表示するためのＯＳＤ表示を生成し、第２のＡＶデコーダ３０４３からの出力と合成して第２の表示部３０４５に出力する。
【０２７０】
次に、第８の実施形態における受信装置３０５０の処理について説明する。図３８は、第８の実施形態にかかる受信装置３０５０で実行される選局再生処理の詳細を示すフローチャートである。図３８において、まず、ステップＳ３０２１において、リモコン３０４９からの選局情報が取得される。すなわち、ＣＰＵ３０４６は、リモコン処理部３０４７を介して、利用者の選局操作内容を示す情報を取得する。
【０２７１】
次に、ステップＳ３０２２において、当該選局情報に基づき、第１のチューナ３０３２で選局処理が実行される。より具体的には、ＣＰＵ３０４６は、利用者の選局したチャンネルを選局させるための制御信号を第１のチューナ３０３２に出力する。これに応じて、第１のチューナ３０３２は、利用者が指示したチャンネルを選局する。
【０２７２】
次に、ステップＳ３０２３において、ＴＭＣＣ信号からバルク関連情報が取得される。そして、当該バルク関連情報に含まれている全物理チャンネルの接続フラグ３１３２が参照され、接続フラグがオンに設定されている物理Ｃｈ番号３１３１が取得される。
【０２７３】
次に、ステップＳ３０２４において、上記ステップＳ３０２２で選局された物理チャンネルがバルク番組の放送される物理チャンネルであるか否かが判定される。当該判定の結果、非バルク番組が放送される物理チャンネルであるときは（ステップＳ３０２４でＮＯ）、上記第７の実施形態で説明したステップＳ３００９と同様の処理が実行されることで非バルク番組の再生処理が開始される。
【０２７４】
一方、バルク番組が放送される物理チャンネルであるときは（ステップＳ３０２４でＹ
ＥＳ）、続くステップＳ３０２５において、上記低階層番組を再生するための処理が開始される。すなわち、第１のチューナ３０３２経由で得られたトランスポートストリームがＴＳ合成・分離部３０４１に出力され、低階層番組にかかるＡＶストリームが分離されて、第１のＡＶデコーダ３０４２に出力される。第１のＡＶデコーダ３０４２は、低階層番組にかかるＡＶストリームをデコードし、低階層番組の映像・音声信号を第１の表示部３０４４に出力する処理を開始する。その結果、低階層番組が画面に表示されることになる。
【０２７５】
次に、ステップＳ３０２６において、ＯＳＤ表示を生成し、第１の表示部３０４４に出力する処理が実行される。ここで、当該ＯＳＤ表示の内容は、利用者に対して、画面表示をスーパーハイビジョン映像（ＳＨＶ）に切り替えるか否かを問い合わせるための表示である。例えば、「スーパーハイビジョン映像に切り替えますか？」のようなメッセージである。ＣＰＵ３０４６は、このようなＯＳＤ表示を生成させ、第１の表示部３０４４の画面に合成して表示させるための制御信号を第１のＯＳＤ作成・合成部３０５１に出力する。そして、ＣＰＵ３０４６は、利用者からの返答操作の受付を行う。
【０２７６】
次に、ステップＳ３０２７において、ステップＳ３０２６で表示した問い合わせに対する利用者の返答内容の判定が行われる。当該判定の結果、スーパーハイビジョン映像への切替を希望しない旨の返答内容のときは（ステップＳ３０２７でＮＯ）、そのまま処理は終了する。その結果、第１の表示部３０４４には、低階層番組が出力され続けることになる。
【０２７７】
一方、スーパーハイビジョン映像への切替を希望する旨の返答内容であれば（ステップＳ３０２７でＹＥＳ）、続くステップＳ３０２８において、第２のチューナ３０３３で接続対象チャンネルを選局するための処理が実行される。続くステップＳ３０２９において、第７の実施形態で説明したステップＳ３０１１と同様の処理が実行され、バルク番組を再生するための処理が開始される。その結果、第１の表示部３０４４には、バルク番組が表示されることになる。以上で、第８の実施形態にかかる受信再生処理は終了する。
【０２７８】
以上のように、第８の実施形態では、バルク番組を放送している物理チャンネルが選局されたとき、バルク番組の表示を行う前に、低階層番組を先行して表示するようにしている。これにより、利用者が選局操作を行ってから、実際に画面に番組が表示されるまでにかかる時間を短縮することができる。
【０２７９】
なお、上記第８の実施形態では、図３８のステップＳ３０２８における第２のチューナ３０３３での選局処理を上記ＯＳＤ表示によるメッセージに対する返答を受けてから行うようにしていたが、これに限らず、ＯＳＤ表示を行う前（図３８のステップＳ３０２５の次のタイミング）あるいはＯＳＤ表示のメッセージに対する返答操作を受け付ける前（図３８のステップＳ２６の次のタイミング）に第２のチューナ３０３３での選局処理を行っておくようにしてもよい。これにより、利用者がスーパーハイビジョン映像への切替を指示した後に実際にバルク番組が表示されるまでの時間を短縮することができる。
【０２８０】
（第９の実施形態）
次に、図３９から図４０を参照して、本発明の第９の実施形態について説明する。上述の第７の実施形態では、非バルク番組の選局時に、第２のチューナ３０３３による先行選局を行うことで、バルク番組の物理チャンネル選局時の画面表示までの時間を短縮していた。これに対して、第９の実施形態では、非バルク番組の選局時に、ＥＰＧを参照し、今後放送予定の番組にバルク番組があるか否かを判定する。そして、バルク番組が放送予定であれば、そのバルク番組の物理チャンネルを選局しておくという処理を行う。そのため、何らかの形でＥＰＧが受信装置に送信されている必要があるが、本実施形態では、送信
装置から送信される放送信号にＥＰＧが含まれているものとする。これにより、後にバルク番組が選局されたときに、第７の実施形態と同様に、第２のチューナ３０３３にかかる選局動作を省略することができ、利用者の選局指示から実際に映像が表示されるまでの時間をより短縮することが可能となる。
【０２８１】
図３９は、本発明の第９の実施形態に係る受信装置３０６０の構成を示したブロック図である。当該実施形態に係る受信装置３０６０は、上述した第７の実施形態で図３４を用いて説明した受信装置３０３０の機能構成にＥＰＧ情報取得部３０６１を加えたものに相当し、他の構成部は、第７の実施形態と同様である。従って、ＥＰＧ情報取得部３０６１以外の構成部については同一の参照符号を付して詳細な説明を省略する。
【０２８２】
図３９において、ＴＳ合成・分離部３０４１はＥＰＧ情報取得部３０６１を含んでいる。ＥＰＧ情報取得部３０６１は、第１の主信号誤り訂正復号部３０３６から出力されるトランスポートストリームからＥＰＧにかかるデータを分離して取得する。また、ＣＰＵ３０４６からの制御信号に基づいて、当該ＥＰＧから所定の条件に合致する番組を検索し、検索結果をＣＰＵ３０４６に出力する。ここで、当該ＥＰＧには、各番組の放送時間や放送内容に関するデータの他に、各番組が上記バルク番組であるか否かを示す情報およびバルク番組を構成する物理チャンネルを示す情報が含まれている。そのため、ＥＰＧ情報取得部３０６１は、ＣＰＵ３０４６からの制御信号に応じて、所定時間以内に放送予定のバルク番組およびその構成チャンネルをＥＰＧから検索することが可能に構成されている。なお、ＥＰＧ情報取得部３０６１は、例えばインターネットからＥＰＧを取得するよう構成されていても良い。
【０２８３】
次に、第９の実施形態における受信装置３０６０の処理について説明する。図４０は、第９の実施形態にかかる受信装置３０６０で実行される選局再生処理の詳細を示すフローチャートである。ここで、当該フローチャートの処理は、利用者の選局操作の結果、非バルク番組のチャンネルが選局された場合を前提として説明する。
【０２８４】
図４０において、まず、ステップＳ３０４１において、リモコン３０４９からの選局情報が取得される。すなわち、ＣＰＵ３０４６は、リモコン処理部３０４７を介して、利用者の選局操作内容を示す情報を取得する。
【０２８５】
次に、ステップＳ３０４２において、当該選局情報に基づき、第１のチューナ３０３２で選局処理が実行される。より具体的には、ＣＰＵ３０４６は、利用者の選局したチャンネルを選局させるための制御信号を第１のチューナ３０３２に出力する。これに応じて、第１のチューナ３０３２は、利用者が指示した物理チャンネルを選局する。ここでは、上記のように非バルク番組が放送されている物理チャンネルが選局されるものとする。
【０２８６】
その後、上記第７の実施形態で説明したような、非バルク番組を再生するための各種処理が実行され、選局された物理チャンネルの非バルク番組の再生が開始される。
【０２８７】
次に、ステップＳ３０４３において、ＥＰＧが取得される。すなわち、ＣＰＵ３０４６は、ＥＰＧ情報取得部３０６１にＥＰＧを取得させるための制御信号を出力する。これに応じて、ＥＰＧ情報取得部３０６１は、第１の主信号誤り訂正復号部３０３６から出力されるトランスポートストリームから当該ＥＰＧを取得する。
【０２８８】
次に、ステップＳ３０４４において、現在時刻から所定の時間以内に放送予定のバルク番組が存在するか否かが判定される。具体的には、ＣＰＵ３０４６は、検索条件として、「現在時刻から１時間以内」、「バルク番組」という検索条件を指定した検索指示の制御信号をＥＰＧ情報取得部３０６１に出力する。これに応じて、ＥＰＧ情報取得部３０６１
は上記取得したＥＰＧから当該条件に合致する番組を全ての物理チャンネルを対象として検索する。検索の結果、当該条件に合致するバルク番組が存在しないときは（ステップＳ３０４４でＮＯ）、上記ステップＳ３０４３に戻り処理を繰り返す。
【０２８９】
なお、上記検索対象とする時間はあくまで一例であり、「現在時刻から２時間以内」等のようにしてもよいことは言うまでもない。
【０２９０】
一方、当該条件に合致するバルク番組が存在すれば（ステップＳ３０４４でＹＥＳ）、当該バルク番組を構成する物理チャンネル番号を取得し、ＣＰＵ３０４６に出力する。続くステップＳ３０４５において、上記放送予定のバルク番組を構成する２つの物理チャンネルのうち、いずれか一方のチャンネルを第２のチューナ３０３３で選局させる処理が実行される。バルク番組を構成する２つの物理チャンネルのうち、いずれのチャンネルを選択するかについては、上記第１の実施形態で説明したような手法で決定すればよい。
【０２９１】
次に、ステップＳ３０４６において、上記放送予定のバルク番組の放送時間帯において、上記ステップＳ３０４５において第２のチューナ３０３３で選局されなかったほうの物理チャンネルが第１のチューナ３０３２で選局されたか否かが判定される。当該判定の結果、選局されていないときは、第２のチューナ３０３３で選局されなかったほうの物理チャンネルが第１のチューナ３０３２で選局されるまで、当該ステップＳ３０４６の処理を繰り返す。
【０２９２】
一方、第２のチューナ３０３３で選局されなかったほうの物理チャンネルが第１のチューナ３０３２で選局されたときは（ステップＳ３０４６でＹＥＳ）、続くステップＳ３０４７において、選局された物理チャンネルのバルク番組を再生するための処理が開始される。２つの物理チャンネル選局後におけるバルク番組再生のための処理は、第７の実施形態を同様であるため、説明は省略する。以上で、第９の実施形態にかかる選局再生処理は終了する。
【０２９３】
以上のように、第９の実施形態では、ＥＰＧを利用して放送予定のバルク番組を検索しておき、放送予定のバルク番組のチャンネルの一方を第２のチューナ３０３３で先行して選局する。これにより、利用者の選局操作に基づいて第１のチューナ３０３２でバルク番組にかかる物理チャンネルが選局された際に、第２のチューナ３０３３による選局処理を省略することができる。その結果、利用者の選局操作が行われてからバルク番組にかかる映像・音声が実際に出力されるまでの待ち時間を短縮することが可能となる。
【０２９４】
なお、上記ステップＳ３０４４におけるＥＰＧからのバルク番組の検索条件については、全てのチャンネルを検索対象とすることに限らず、上記ステップＳ３０４２において第１のチューナ３０３２で選局された物理チャンネルのみを検索対象とするようにしてもよい。これにより、検索速度を速めることができる。
【０２９５】
（第１０の実施形態）
次に、本発明の第１０の実施形態について説明する。まず、第１０の実施形態の詳細を説明するに先立ち、第１０の実施形態、及び、その後に説明する第１１、第１２の実施形態で共通して想定しているデジタル放送システムにおける伝送の概要について説明する。本実施形態では、いわゆるハイビジョン規格の動画像コンテンツと、いわゆるスーパーハイビジョン規格の動画像コンテンツとを混在して放送するデジタル放送システムを想定している。例えば、あるチャンネルにおいて、午後７：００〜午後８：００まではハイビジョン規格の動画像コンテンツを放送し、午後８：００〜午後１０：００まではスーパーハイビジョン規格の動画像コンテンツを放送するような場合を想定している。ここで、ハイビジョン規格で構成された番組については、その情報量は１つの物理チャンネルで伝送可
能な情報量であるものとする。一方、スーパーハイビジョン規格で構成された番組については、１つの物理チャンネルだけでは伝送できない情報量を有するものとする。そのため、ハイビジョン規格で構成されている番組を放送する場合は、１つの物理チャンネルで１つの番組を伝送するが、スーパーハイビジョン規格で構成された番組については、図４１に示すように、その放送データ（トランスポートストリーム）４１０１を２つに分割し、２つの物理チャンネル４１１１および４１１２で伝送する。以下、このような１つの番組を２つの物理チャンネルを用いて伝送する（つまり、２つの物理チャンネルを束ねて１本の伝送路として使う）ことをバルク伝送と呼ぶ。また、当該バルク伝送によって伝送される、上記スーパーハイビジョン規格で構成された番組をバルク番組と呼び、１つの物理チャンネルで伝送可能なハイビジョン規格で構成されている番組を非バルク番組と呼ぶ。そのため、上記の時間帯を例に取ると、例えば、午後７：００〜午後８：００までは、物理チャンネル１と物理チャンネル２（以下、単にＣｈ１、Ｃｈ２・・のように呼ぶ）とではそれぞれ異なる内容の非バルク番組が表示されることになり、午後８：００〜午後１０：００までは、両チャンネルとも同じ内容のバルク番組が表示されていることになる。つまり、いずれのチャンネルを選局しても、同じ番組が画面に表示される。
【０２９６】
ここで、本実施形態では、上記バルク番組をバルク伝送する際に、伝送に用いられる２つの物理チャンネルのうち、一方のチャンネルについて階層伝送を行うようにしている。具体的には、送信側で、上記バルク番組と同内容のコンテンツをハイビジョン規格で生成する（以下、当該ハイビジョン規格のコンテンツを低階層番組と呼ぶ）。つまり、バルク番組と低階層番組とは、ハイビジョン規格で作成されたかスーパーハイビジョン規格で作成されたかの違いがあるだけで、その番組内容（放送される内容）は同じものである。そして、本実施形態では、変調方式として、バルク番組に関しては、３２ＡＰＳＫ（Amplitude Phase Shift Keying）を用い、当該低階層番組についてはＱＰＳＫ（quadrature phase shift keying）を用いて変調する。低階層番組（ハイビジョン規格）は、バルク番組のものよりは情報量が少ないため、伝送するためのネットワーク帯域も少なくて済む。そして、本実施形態では、図４１に示すように、バルク伝送を行うチャンネルのうち一方のチャンネルについてはバルク番組４１０１ａと低階層番組４１０２との階層伝送を行っている。なお、上記非バルク番組や低階層番組の映像規格については、ハイビジョン映像に限らずＳＤ（Standard Definition）映像であってもよい。
【０２９７】
図４２は、上記のような放送を行うための送信側の設備（送信装置）の一例を示す機能ブロック図である。図４２に示す送信装置は、ＳＨＶ符号化部４０１１と低階層符号化部４０１２と合成部４０１３と、分配部４０１４と、ＨＶ符号化部４０１５ａおよび４０１５ｂと、切替スイッチ部４０１６ａおよび４０１６ｂと、変調部４０１７ａおよび４０１７ｂと、送信アンテナ４０１８とで構成されている。
【０２９８】
図４２において、まず、スーパーハイビジョン映像の番組が送信される場合について説明する。この場合、切替スイッチ部４０１６ａおよび４０１６ｂのスイッチは、変調部４０１７ａおよび４０１７ｂが分配部４０１４と接続されるように設定される。このようにスイッチが設定された状態で、スーパーハイビジョン映像の番組がＳＨＶ符号化部４０１１に出力され、所定の符号化形式で符号化（エンコード）されて上記バルク番組４１０１として合成部４０１３に出力される。また、当該スーパーハイビジョン映像の番組は、低階層符号化部４０１２にも出力され、所定の符号化形式で符号化され（ここでは、ハイビジョン規格相当の画質になるよう符号化されるものとする）、上記低階層番組４１０２として合成部４０１３に出力される。合成部４０１３では、バルク番組４１０１と低階層番組４１０２を多重化したトランスポートストリームを生成し、分配部４０１４に出力する。分配部４０１４では、当該トランスポートストリームを所定の規則に基づいて切替スイッチ部４０１６ａおよび４０１６ｂという２つの出力先に分配する（このとき、低階層番組４１０２にかかるデータは切替スイッチ部４０１６ａおよび４０１６ｂのいずれか一方
の経路にのみ出力される）。出力されたデータは、それぞれ変調部４０１７ａおよび４０１７ｂに入力され、所定の方式で放送信号に変調される。そして、それぞれ異なる物理チャンネルを用いて、送信アンテナ４０１８から出力される。その結果、図４１を例に取ると、一方の物理チャンネルでは上記低階層番組４１０２と上記分割されたバルク番組４１０１ａが階層伝送され、他方の物理チャンネルでは、上記分割された残りの分のバルク番組４１０１ｂのみが伝送されることになる。
【０２９９】
次に、上記非バルク番組を送信する場合を説明する。この場合は、それぞれ異なる内容の２つの非バルク番組が異なるチャンネルでそれぞれ送信される。切替スイッチ部４０１６ａおよび４０１６ｂについては、変調部４０１７ａがＨＶ符号化部４０１５ａと接続され、変調部４０１７ｂがＨＶ符号化部４０１５ｂと接続されるように切替えられる。そして、ハイビジョン映像の番組であるハイビジョン番組ＡがＨＶ符号化部４０１５ａに入力され、所定の符号化形式で符号化される。また、ハイビジョン番組Ａとは異なる内容であるハイビジョン番組ＢがＨＶ符号化部４０１５ｂに入力され、所定の符号化形式で符号化される。そして、符号化されたハイビジョン番組ＡがＨＶ符号化部４０１５ａから変調部４０１７ａへと出力され、放送信号に変調される。同様に、符号化されたハイビジョン番組ＢがＨＶ符号化部４０１５ｂから変調部４０１７ｂへと出力され、放送信号に変調される。そして、それぞれ異なるチャンネルを使って送信アンテナ４０１８から送信される。このように、本実施形態では、バルク番組と非バルク番組の出力を適宜切替ながらデジタル放送を行っている。
【０３００】
ここで、上記バルク伝送に関して、受信装置側（２つの物理チャンネルを同時に受信する必要があるため、少なくとも２つのチューナを備えている）においては、バルク番組を再生するための情報、例えば、どの物理チャンネルとどの物理チャンネルの組み合わせでバルク番組が構成されるか等の情報（以下、バルク関連情報と呼ぶ）が必要となる。本実施形態では、当該バルク関連情報を、いわゆるＴＭＣＣ（Transmission and Multiplexing Configuration Control）信号（伝送パラメータ等を含む信号）に載せて送信するものとする。受信装置側では、いずれか１つのチューナで選局・受信した放送信号からＴＭＣＣ信号を分離し、上記バルク関連情報を得る。そして、当該バルク関連情報に基づいて、これから送信されてくる番組がバルク番組であるか否かや、バルク番組の場合はどのチャンネルとの組み合わせで構成されているか等を判定し、選局・合成等を行う処理が実行されることになる。
【０３０１】
図４３は、本実施形態で用いられる上記バルク関連情報の一例を示す図である。バルク関連情報は、物理Ｃｈ番号４１３１と接続フラグ４１３２と接続対象Ｃｈ４１３３の集合から構成されている。バルク関連情報には、全ての物理チャンネルについての情報が含まれており、物理Ｃｈ番号４１３１は、物理チャンネルの番号を示す。接続フラグ４１３２は、放送される番組がバルク番組か非バルク番組かを識別するためのフラグである。接続フラグ４１３２がオンに設定されているときは、その物理チャンネルで伝送される番組がバルク番組であることを示す。また、オフに設定されているときは、その物理チャンネルのみを使用して非バルク番組が放送されることを示す。
【０３０２】
接続対象Ｃｈ４１３３は、その物理チャンネルで放送される番組がバルク番組である場合に、その物理チャンネルと共に当該バルク番組を構成している物理チャンネル番号を示すためのデータである。図４３の例では、例えばＷチューナ構成の受信装置において、一方のチューナでＣｈ１を選局して図４３のようなバルク関連情報を取得した場合、Ｃｈ１で放送される番組がバルク番組であること、および、当該バルク番組はＣｈ１とＣｈ２とで構成されることがわかる。そのため、バルク番組を再生するためには、他方のチューナでＣｈ２を選局する必要があることがわかる。
【０３０３】
このように、本実施形態が想定するデジタル放送システムでは、バルク番組と非バルク番組とを混在して放送し、バルク番組については２つの物理チャンネルを使ってバルク伝送を行っている。以下に説明する各実施形態における受信装置は、上記の様に送信されるデジタル放送を受信するためのものである。
【０３０４】
次に、本発明の第１０の実施形態にかかる受信装置について説明する。図４４は、第１０の実施形態にかかる受信装置４０３０の一例を示す機能ブロック図である。図４４において、受信装置４０３０は、アンテナ４０３１と、第１のチューナ４０３２と、第２のチューナ４０３３と、第１の復調部４０３４と、第２の復調部４０３５と、第１の主信号誤り訂正復号部４０３６と、第２の主信号誤り訂正復号部４０３７と、第１のＴＭＣＣ復号部４０３８と、第２のＴＭＣＣ復号部４０３９と、ＴＭＣＣ制御部４０４０と、ＴＳ合成・分離部４０４１と、第１のＡＶデコーダ４０４２と、第２のＡＶデコーダ４０４３と、第１のＯＳＤ作成・合成部４０４４と、第２のＯＳＤ作成・合成部４０４５と、第１の表示部４０４６と第２の表示部４０４７と、ＣＰＵ４０４８と、リモコン処理部４０４９と、フラッシュメモリ４０５０と、リモコン４０５１とで構成される。
【０３０５】
第１のチューナ４０３２および第２のチューナ４０３３は、ＣＰＵ４０４８からの制御信号に基づいて所定の物理チャンネルを選局し、デジタル放送信号をアンテナ４０３１を介して受信する。
【０３０６】
第１の復調部４０３４は、第１のチューナ４０３２から出力される送信信号をデジタル信号に復調し、第１の主信号誤り訂正復号部４０３６および第１のＴＭＣＣ復号部４０３８に出力する。
【０３０７】
第１の主信号誤り訂正復号部４０３６は、第１の復調部４０３４から出力されたデジタル信号に対して誤り訂正復号処理を実行し、トランスポートストリームを得る。そして、当該トランスポートストリームをＴＳ合成・分離部４０４１に出力する。図４５は、第１の主信号誤り訂正復号部４０３６の詳細を示すブロック図である。図４５において、第１の主信号誤り訂正復号部４０３６では、第１の復調部４０３４から出力されたデジタル信号について、デインターリーブ部４３６１でデインターリーブが行われ、内符号誤り復号部４３６２における内符号の復号、エネルギー逆拡散部４３６３におけるエネルギー逆拡散を経て外符号誤り復号部４３６４による外符号の復号が行われ、トランスポートストリームとして出力される。
【０３０８】
第１のＴＭＣＣ復号部４０３８は、第１の復調部４０３４から出力されたデジタル信号（ＴＭＣＣ信号）からＴＭＣＣ情報を復号して取得する。そして、当該ＴＭＣＣ情報をＴＭＣＣ制御部４０４０に出力する。
【０３０９】
第２の復調部４０３５、第２の主信号誤り訂正復号部４０３７、および、第２のＴＭＣＣ復号部４０３９は、第２のチューナ４０３３から出力される送信信号に対して、上記第１の復調部４０３４、第１の主信号誤り訂正復号部４０３６、第１のＴＭＣＣ復号部４０３８と同様の処理を行う。
【０３１０】
ＴＭＣＣ制御部４０４０は、第１のＴＭＣＣ復号部４０３８から出力されるＴＭＣＣ情報（より正確には、ＴＭＣＣ情報から得られる各種伝送パラメータの情報等）に基づいて、第１の復調部４０３４および第１の主信号誤り訂正復号部４０３６を制御する。また、第２のＴＭＣＣ復号部４０３９から出力されるＴＭＣＣ情報に基づいて、第２の復調部４０３５および第２の主信号誤り訂正復号部４０３７を制御する。また、ＴＭＣＣ制御部４０４０は、取得したＴＭＣＣ情報をＣＰＵ４０４８に出力する。
【０３１１】
ＴＳ合成・分離部４０４１は、ＣＰＵ４０４８からの制御信号に基づいて、以下のような２種類の処理モードを切り替えて実行する。まず、１つめの処理モードとして、バルク番組を再生するための処理を実行する。この場合は、ＴＳ合成・分離部４０４１は、第１の主信号誤り訂正復号部４０３６および第２の主信号誤り訂正復号部４０３７から出力されてくる両トランスポートストリームを合成することによって、送信側で２つに分割される前のトランスポートストリームを復元する。更に、ＴＳ合成・分離部４０４１は、当該合成後のトランスポートストリームから、上記バルク番組にかかるＡＶストリームと上記低階層番組にかかるＡＶストリームとを分離して取得する。そして、ＴＳ合成・分離部４０４１は、ＣＰＵ４０４８からの制御信号に基づいて、バルク番組にかかるＡＶストリーム、または、低階層番組にかかるＡＶストリームを第１のＡＶデコーダ４０４２に出力する。次に、２つめの処理モードとして、非バルク番組を再生するための処理を実行する。この場合は、ＴＳ合成・分離部４０４１は、第１の主信号誤り訂正復号部４０３６および第２の主信号誤り訂正復号部４０３７から出力されてくる両トランスポートストリームの合成は行わない。すなわち、第１の主信号誤り訂正復号部４０３６から出力されるトランスポートストリームからＡＶストリームを分離し、第１のＡＶデコーダ４０４２に出力する。また、第２の主信号誤り訂正復号部４０３７から出力されるトランスポートストリームからＡＶストリームを分離し、第２のＡＶデコーダ４０４３に出力する。以下、上記バルク番組の再生のための処理モードについてはバルク再生モードと呼び、非バルク番組の再生のための処理モードについては非バルク再生モードと呼ぶ。
【０３１２】
第１のＡＶデコーダ４０４２および第２のＡＶデコーダ４０４３は、ＣＰＵ４０４８からの制御信号に基づいて、それぞれＴＳ合成・分離部４０４１から出力されたＡＶストリームをデコードして映像・音声信号を取得する。そして、第１のＡＶデコーダ４０４２は、デコードの結果得られた映像・音声信号を第１の表示部４０４６に出力する。また、第２のＡＶデコーダ４０４３は、デコードの結果得られた映像・音声信号を第２の表示部４０４７に出力する。ここで、第１のＡＶデコーダ４０４２および第２のＡＶデコーダ４０４３は、少なくとも、バルク番組のＡＶストリームと非バルク番組のＡＶストリームの双方の符号化形式に対応するデコード形式でデコード処理が可能である。そして、第１のＡＶデコーダ４０４２および第２のＡＶデコーダ４０４３は、ＣＰＵ４０４８からの制御信号に基づき、これらのデコード方式を適宜切り替えてデコード処理を実行する。
【０３１３】
第１のＯＳＤ作成・合成部４０４４は、第１のＡＶデコーダ４０４２が第１の表示部４０４６に出力した画面の上に重ねて表示するためのＯＳＤ表示を生成する。そして、第１のＯＳＤ作成・合成部４０４４は、第１のＡＶデコーダ４０４２からの出力と当該ＯＳＤ表示を合成して第１の表示部４０４６に出力する。また、第２のＯＳＤ作成・合成部４０４５は、第２のＡＶデコーダ４０４３が第２の表示部４０４７に出力した画面の上に重ねて表示するためのＯＳＤ表示を生成し、第２のＡＶデコーダ４０４３からの出力と合成して第２の表示部４０４７に出力する。
【０３１４】
第１の表示部４０４６および第２の表示部４０４７は、いわゆる２画面表示における各画面に相当するものである。第１の表示部４０４６は、第１のＡＶデコーダ４０４２から出力された映像・音声信号に基づいて映像・音声を利用者に提示する。第２の表示部４０４７は、第２のＡＶデコーダ４０４３から出力された映像・音声信号に基づいて映像・音声を利用者に提示する。
【０３１５】
ＣＰＵ４０４８は、上述したようなバルク再生モード、非バルク再生モードを切り替えながら、上記第１のチューナ４０３２、第２のチューナ４０３３、ＴＳ合成・分離部４０４１、第１のＡＶデコーダ４０４２、第２のＡＶデコーダ４０４３等を制御して、バルク番組あるいは非バルク番組を利用者が視聴できるようにするための処理を実行する。
【０３１６】
リモコン処理部４０４９は、リモコン４０５１からの操作信号を受信し、操作指示内容を示す信号をＣＰＵ４０４８に出力する。
【０３１７】
フラッシュメモリ４０５０は、不揮発性のメモリであり、ＣＰＵ４０４８が各種制御に用いるためのデータ等が記憶される。
【０３１８】
次に、以上のような受信装置４０３０で実行される選局再生処理の処理概要を説明する。以下の説明の前提として、本実施形態では、次のような状況を想定する。まず、視聴対象とするチャンネルはＣｈ１およびＣｈ２とする。そして、これらのチャンネルの放送スケジュールとして、図４６に示すようなスケジュールが組まれているとする。すなわち、午後７：００：００〜７：５９：５９は非バルク番組が放送され、午後８：００：００〜９：５９：５９まではバルク番組が放送され、午後１０：００：００〜１０：５９：５９は、また非バルク番組が放送される場合を想定する。一例として、午後７：００：００〜７：５９：５９までは、Ｃｈ１では非バルク番組としてのアニメ番組が放送され、Ｃｈ２では、非バルク番組としてのニュース番組が放送されるものとする。そして、午後８：００：００〜９：５９：５９は、Ｃｈ１およびＣｈ２でバルク番組としての映画番組が放送されるものとする。また、午後１０：００：００〜１０：５９：５９は、Ｃｈ１では非バルク番組としてのバラエティ番組が放送され、Ｃｈ２では、非バルク番組としてのドラマ番組が放送されるものとする。
【０３１９】
以上のような放送スケジュールにおいて、午後７：３０：００の時点で、利用者が第１のチューナ４０３２でＣｈ１を選局したとする。この場合、午後７：５９：５９までは非バルク番組であるアニメ番組が放送され、午後８：００：００になると、バルク番組である映画番組の放送が開始されることになる。上述のように、放送される番組がバルク番組であるか非バルク番組であるかはＴＭＣＣ信号に含まれる上記バルク関連情報（図４３参照）に基づいて判別することができる。そこで、本実施形態では、当該バルク関連情報に基づいてこれから放送される番組がバルク番組であるか非バルク番組かを判定する。そして、放送内容が非バルク番組からバルク番組に切り替わる場合、上記の例では、午後８：００：００のタイミングで第２のチューナ４０３３で２ｃｈを選局し、それまで行っていた非バルク番組の再生のための処理からバルク番組の再生のための処理へと切り替える。また、このとき、本実施形態は、放送内容がバルク番組へ切り替わる旨をＯＳＤ表示を利用して表示する。その後、午後１０：００：００になり、バルク番組から非バルク番組へと切り替わるときは、それまで行っていたバルク番組の再生のための処理から非バルク番組の再生のための処理（第２のチューナを開放する等の処理）へと切り替える。また、このときもＯＳＤ表示により、バルク番組から非バルク番組へ切り替わる旨を表示する。
【０３２０】
このように、第１０の実施形態では、ＴＭＣＣ信号に含まれるバルク関連情報に基づいて、放送される内容がバルク番組であるか非バルク番組であるかを判定し、その判定結果に応じて、バルク番組再生のための処理と非バルク番組再生のための処理を自動的に切り替える。これにより、２つのチューナを備えた受信装置で、バルク番組および非バルク番組の視聴の両立が可能となり、利便性の高い受信装置を提供することができる。さらに、番組内容が切り替わる旨をＯＳＤ表示するため、視聴する番組がバルク番組か否かを利用者に認識させることができ、利便性を高めることができる。
【０３２１】
以下、第１０の実施形態における受信装置４０３０が行う受信再生処理の詳細を説明する。図４７は、当該受信再生処理の詳細を示すフローチャートである。ここで、図４７のフローチャートの処理は、上記図４６に示したような番組スケジュールにおいて第１のチューナ４０３２でＣｈ２を視聴している状態（上記処理モードが非バルク再生モードの状態）において実行される場合を例として説明する。
【０３２２】
図４７において、まず、ステップＳ４００１において、第１のチューナ４０３２で受信した放送信号からＴＭＣＣ信号が分離され、上記バルク関連情報が取得される。
【０３２３】
次に、ステップＳ４００２において、当該バルク関連情報が参照されて、Ｃｈ２で伝送されてくる番組がバルク番組であるか否かの判定が実行される。より具体的には、第１のチューナ４０３２で選局されている物理チャンネルであるＣｈ２の接続フラグ４１３２が参照されて、Ｃｈ２で伝送されてくる番組がバルク番組であるか否かの判定が実行される。上記番組スケジュールを例にとると、例えば、ニュース番組が伝送されている間は（７：００：００〜７：５９：５９）、Ｃｈ２で伝送されるＴＭＣＣ信号のバルク関連情報では、Ｃｈ２の接続対象Ｃｈ４１３３には値は設定されていない状態であり、映画番組のバルク伝送がなされる間（８：００：００〜９：５９：５９）は、Ｃｈ２の接続対象Ｃｈ４１３３には”Ｃｈ１”が設定されている。
【０３２４】
上記ステップＳ４００２の判定の結果、これから伝送されてくる番組がバルク番組のときは（ステップＳ２でＹＥＳ；例えば８：００：００のタイミングの場合）、続くステップＳ４００３において、現在視聴している番組がバルク放送か否かが判定される。これは、例えば、上述したようなＴＳ合成・分離部４０４１の処理モードがその時点でバルク再生モードであるか非バルク再生モードであるか等によって判定する。
【０３２５】
ステップＳ４００３の判定の結果、現在視聴している番組が非バルク番組のときは（ステップＳ４００３でＮＯ）、現在視聴されている番組は非バルク番組であるが、これから伝送されてくる番組はバルク番組に切り替わるということになる。そのため、上記処理モードを切り替える必要が発生する。この場合、次のステップＳ４００４において、放送される番組が非バルク番組からバルク番組に切り替わる旨をＯＳＤ表示するための処理が実行される。すなわち、ＣＰＵ４０４８は、放送内容が切り替わる旨の告知メッセージ（例えば、「バルク番組放送開始」等のメッセージ）を生成させるための制御信号を第１のＯＳＤ作成・合成部４０４４に出力する。これに応じて、第１のＯＳＤ作成・合成部４０４４は当該告知メッセージを生成する。（当該告知メッセージの生成については、予め決められた文字列を所定のメモリに記憶しておいて、上記制御信号に応じて読み出すようにしても良いし、ＣＰＵ４０４８が文字列を生成して、上記制御信号に告知メッセージとなる文字列を示すデータを含めるようにしてもよい）。そして、第１のＯＳＤ作成・合成部４０４４は、当該告知メッセージを第１のＡＶデコーダ４０４２からの映像信号に合成して第１の表示部４０４６に出力する。この結果、これからバルク番組が開始される旨が画面上に表示されることになる。
【０３２６】
次に、ステップＳ４００５において、バルク番組を再生するための処理が開始される。具体的には、まず、ＣＰＵ４０４８は、上記バルク関連情報を参照して、Ｃｈ２の接続対象Ｃｈ４１３３で示される物理チャンネル（本実施形態ではＣｈ１）を第２のチューナ４０３３で選局する。この結果、第１のチューナ４０３２ではＣｈ２が、第２のチューナ４０３３ではＣｈ１が選局された状態となる。そして、各チューナで受信された放送信号が復調等され、トランスポートストリームが得られる。続いて、ＣＰＵ４０４８は、ＴＳ合成・分離部４０４１に、上記処理モードをバルク再生モードに切り替えるための制御信号を出力する。その結果、ＴＳ合成・分離部４０４１は、第１のチューナ４０３２経由で得られたトランスポートストリームと第２のチューナ４０３３経由で得られたトランスポートストリームを合成する処理を開始する。そして、ＴＳ合成・分離部４０４１は、合成されたトランスポートストリームからバルク番組にかかるＡＶストリームと低階層番組にかかるＡＶストリームを分離し、バルク番組にかかるＡＶストリームを第１のＡＶデコーダ４０４２に出力する。第１のＡＶデコーダ４０４２は、当該バルク番組にかかるＡＶストリームをデコードし、映像・音声信号を第１の表示部４０４６に出力する処理を開始する。これにより、バルク番組が画面に表示される、つまり、バルク番組の再生処理が開始さ
れることになる。その後、処理は上記ステップＳ４００１に戻る。
【０３２７】
一方、上記ステップＳ４００３の判定の結果、現在視聴している番組がバルク番組のときは（ステップＳ４００３でＹＥＳ）、そのまま上記ステップＳ４００１の処理に戻る。つまり、現在視聴されている番組はバルク番組であり、これから伝送されてくる番組もバルク番組であるため（つまり、バルク番組視聴中の状態；例えば図４６の午後９：００：００のタイミングの場合）、上記処理モードを切り替える必要はないことになる。
【０３２８】
一方、上記ステップＳ４００２の判定の結果、これから伝送されてくる番組がバルク番組ではない場合は（ステップＳ４００２でＮＯ；例えば７：３０：００のタイミングの場合）、ステップＳ４００６において、現在視聴している番組がバルク番組か否かが判定される。これは、例えば、上述したような処理モードがその時点でバルク再生モードであるか非バルク再生モードであるか等によって判定する。
【０３２９】
ステップＳ４００６の判定の結果、現在視聴している番組が非バルク番組のときは（ステップＳ４００６でＮＯ）、そのまま上記ステップＳ４００１の処理に戻る。つまり、現在視聴されている番組は非バルク番組であり、これから伝送されてくる番組も非バルク番組であるため、上記処理モードを切り替える必要はないことになる。
【０３３０】
一方、ステップＳ４００６の判定の結果、現在視聴している番組がバルク番組のときは（ステップＳ４００６でＹＥＳ）、現在視聴されている番組はバルク番組であるが、これから伝送されてくる番組は非バルク番組に切り替わるということになる（例えば、図４５の午後１０：００：００のタイミングの場合）。そのため、上記処理モードをバルク再生モードから非バルク再生モードに切り替える必要が発生する。この場合、続くステップＳ４００７において、放送される番組がバルク番組から非バルク番組に切り替わる旨をＯＳＤ表示するための処理が実行される。すなわち、ＣＰＵ４０４８は、上記の旨を告知するメッセージ（例えば、「バルク番組放送終了」等のメッセージ）を生成させるための制御信号を第１のＯＳＤ作成・合成部４０４４に出力する。これに応じて、第１のＯＳＤ作成・合成部４０４４は当該告知メッセージを生成する。そして、第１のＯＳＤ作成・合成部４０４４は、当該告知メッセージを第１のＡＶデコーダ４０４２からの映像信号に合成して第１の表示部４０４６に出力する。この結果、これから非バルク番組が開始される旨が画面上に表示されることになる。
【０３３１】
次に、ステップＳ４００８において、非バルク番組を再生するための処理が開始される。具体的には、まず、ＣＰＵ４０４８は、第２のチューナ４０３３を開放するための制御信号を第２のチューナ４０３３に出力する。この結果、第２のチューナ４０３３でのＣｈ１の選局状態が一旦解除される。更に、ＣＰＵ４０４８は、上記処理モードを非バルク再生モードに切り替えるための制御信号をＴＳ合成・分離部４０４１に出力する。その結果、ＴＳ合成・分離部４０４１は、上述したようなトランスポートストリームの合成処理は行わずに、第１のチューナ４０３２経由で得られたトランスポートストリームから非バルク番組にかかるＡＶストリームを分離して第１のＡＶデコーダ４０４２へ出力する処理を開始する。第１のＡＶデコーダ４０４２は、当該非バルク番組にかかるＡＶストリームをデコードし、映像・音声信号を第１の表示部４０４６に出力する処理を開始する。これにより、非バルク番組の再生処理が開始されることになる。その後、処理は上記ステップＳ４００１に戻る。以上で、第１０の実施形態にかかる受信再生処理の説明を終了する。
【０３３２】
以上のように、本実施形態では、ＴＭＣＣ信号に含まれるバルク関連情報に基づいて、バルク番組を再生するための処理と非バルク番組を再生するための処理を自動的に切り替える。これにより、１台の受信装置でバルク番組と非バルク番組の視聴を両立することが可能となる。また、切り替わる際にＯＳＤ表示を用いて、バルク番組−非バルク番組間の
切り替わる旨の表示を行うため、放送される番組がバルク番組か非バルク番組かを利用者に認識させやすくすることができる。
【０３３３】
なお、上記ＯＳＤ表示に関しては、上記のような表示処理の他に、以下のような処理を行ってもよい。例えば、第１のチューナ４０３２で選局している物理チャンネルでバルク番組が開始したタイミングにおいて２画面同時表示を行っている等で、第２のチューナ４０３３が使用中の状態のときは、バルク伝送にかかる２つの物理チャンネルが選局できず、バルク番組の再生ができない。このようなときに、画面に何も表示せず、真っ暗な画面を表示してしまうと、あたかも故障が発生したかのような誤解を視聴者に与えてしまう。そこで、このような場合は、受信ができない旨をＯＳＤ表示することで、故障ではないことを視聴者に認識させるようにしてもよい。すなわち、ＣＰＵ４０４８は、バルク番組が開始するタイミング（上記ステップＳ４００２でＹＥＳの場合）において、２つのチューナを用いた選局が可能であるか否か、すなわち、バルク番組の再生・表示が可能か否かを判定する。その結果、バルク番組の表示ができないと判定したときは、上記の旨のＯＳＤ表示を行うための制御信号を第１のＯＳＤ作成・合成部４０４４に出力するようにすればよい。
【０３３４】
また、上記受信装置に関しては、例えば、図４４の構成から第１、および第２の表示部を除いたような構成、いわゆる、デジタルチューナ単体という構成であってもよい。すなわち、表示部、例えばディスプレイについては利用者が別途準備し、単体のデジタルチューナと接続するという構成を採るようにしてもよい。この場合に、ディスプレイがバルク番組に非対応のディスプレイであったような場合、例えば、ディスプレイの解像度がバルク番組を表示するために十分な解像度を有していないような場合に、単にディスプレイに何も表示しないのではなく、ＯＳＤ表示を利用してディスプレイが非対応である旨を表示するようにしても良い。すなわち、ＣＰＵ４０４８に、上記接続されたディスプレイに関する情報（ディスプレイの解像度等の情報）を取得させる。そして、接続されているディスプレイでバルク番組を表示することが可能か否かを判定させ、表示できないと判定されたときに上記のようなディスプレイが非対応である旨をＯＳＤ表示する処理を実行させればよい。
【０３３５】
更に、受信装置がバルク伝送の受信に非対応であるような場合、すなわち、Ｗチューナを備えてはいるが、２つの物理チャンネルで受信したトランスポートストリームを合成する機能を備えていないような場合、上記バルク番組が再生できない旨をＯＳＤ表示するようにしてもよい。すなわち、デジタル放送信号には上記バルク関連情報を含むＴＭＣＣ信号が含まれている。そこで、トランスポートストリームの合成機能を備えていない受信装置であっても、当該バルク関連情報に基づいてバルク番組が伝送されてくるか否かの判定を行うことが可能なように構成しておく（例えば、既に市場に出回っているＷチューナ構成の受信装置に対して、ファームウェアのアップデート等を行うことが考えられる）。そして、上記バルク関連情報に基づいて上記ステップＳ４００２と同様の判定を行い、バルク番組が伝送されるような場合は、受信装置がバルク番組の再生に非対応である旨をＯＳＤ表示するための処理を実行するようにすればよい。
【０３３６】
（第１１の実施形態）
次に、図４８を参照して、本発明の第１１の実施形態について説明する。上述の第１０の実施形態では、バルク番組再生中は、第１のＡＶデコーダ側の出力系統（第１のＡＶデコーダ４０４２〜第１の表示部４０４６）のみが使用されており、第２のＡＶデコーダ側の出力系統は使用されていなかった。これに対して、第１１の実施形態では、バルク番組を再生する際、当該バルク番組と共に階層伝送されている上記低階層番組を第２のＡＶデコーダ４０４３に出力し、録画のために用いる。
【０３３７】
ここで、上記バルク番組は、スーパーハイビジョン映像であるが故に、その情報量も膨大なものとなっている。そのため、スーパーハイビジョン映像をそのまま録画するためには、数十〜数百テラバイト程度の記憶容量では実用的なレベルではないと考えられる。また、録画に際して、リアルタイムに圧縮処理（符号化処理）を施して記録することも考えられるが、上記のように、その情報量が膨大であるため、このような符号化処理に必要な演算能力も相当高いものが要求される。仮に、実用に耐えうるレベルの大容量の記憶媒体や高性能な演算能力を備えたＣＰＵ等を家庭用のデジタル放送受信装置に搭載することを考えても、コスト面からすると、現実的・実用的なものとは言えない。
【０３３８】
そこで、本実施形態では、スーパーハイビジョン映像よりは情報量が少なく、録画処理にかかる負荷を抑えることができる低階層映像（換言すれば、従来の録画機器で録画処理が十分可能な映像）を第２のＡＶデコーダ経由で記録部に出力させ、録画可能とする。つまり、バルク番組の再生が行われているときに、その番組と同内容の低階層番組を録画用に用いることで、画質は低下するものの、その番組内容自体は録画可能とする。これにより、バルク番組についてはリアルタイムの視聴のみが可能でその内容の録画は一切できない、という状況が発生することを防ぎ、バルク番組を視聴しながら同時に録画することが可能となる。その結果、例えば、利用者がバルク番組を視聴中に、利用者にとって有益な情報が放送されていることに気づき、その番組をすぐに録画しておきたいと所望したような場合に、当該番組を録画して保存することが可能となる。
【０３３９】
図４８は、第１１の実施形態にかかる受信装置４０６０の構成を示すブロック図である。本実施形態に係る受信装置４０６０は、上述した第１０の実施形態で図４４を用いて説明した受信装置４０３０の機能構成に録画処理部４０６１および記録部４０６２を加えたものに相当し、他の構成部は、第１０の実施形態と同様である。従って、録画処理部４０６１および記録部４０６２以外の構成部については同一の参照符号を付して詳細な説明を省略する。
【０３４０】
図４８において、録画処理部４０６１は、ＣＰＵ４０４８からの制御信号に基づいて、録画のための各種処理（符号化処理や録画データの管理処理等）を実行することで低階層番組あるいは非バルク番組の録画データを記録部４０６２に出力する。記録部４０６２は、上記のような低階層番組や非バルク番組の録画データを記憶するための媒体である。例えば、ハードディスクドライブやＳＳＤ（Solid State Drive）によって実現される。
【０３４１】
図４８のような構成において、ＣＰＵ４０４８は、以下のような処理を行うことで上記低階層番組の録画を実現する。まず、バルク番組が放送中の状態において、利用者がリモコン４０５１を介して録画指示を入力すると、当該録画指示を示す信号がＣＰＵ４０４８に入力される。当該信号を受けたＣＰＵ４０４８は、ＴＳ合成・分離部４０４１において合成されたトランスポートストリームから、上記バルク番組にかかるＡＶストリームを分離させる処理に加えて、上記低階層番組にかかるＡＶストリームを分離させ、第２のＡＶデコーダ４０４３に出力させるための制御信号をＴＳ合成・分離部４０４１に出力する。更に、第２のＡＶデコーダ４０４３に、当該低階層番組のＡＶストリームをデコードさせ、録画処理部４０６１に出力させるための制御信号を第２のＡＶデコーダ４０４３に出力する。併せて、ＣＰＵ４０４８は、録画処理部４０６１に、第２のＡＶデコーダ４０４３から入力されてくる映像・音声信号を録画させるための制御信号を出力する。このような処理が実行された結果、低階層番組が記録部４０６２に録画されることになる。
【０３４２】
以上のように、第１１の実施形態では、バルク番組の再生中に、同時に低階層番組を録画可能としている。これにより、利便性の高い受信装置を提供することが可能となる。また、録画処理を実行する機器構成についても、非バルク番組の録画に用いるような従来の構成を流用することが可能となり、バルク番組の視聴および同内容の番組の録画が可能な
受信装置を低コストで提供することが可能となる。
【０３４３】
なお、上述の第１１の実施形態では、バルク番組が放送中の状態において、利用者がリモコン４０５１を介して録画指示を入力した場合を例にしたが、これに限らず、例えば録画予約等の設定に基づいて、バルク番組の開始と同時に低階層番組の出力も行うようにしてもよい。
【０３４４】
（第１２の実施形態）
次に、図４９から図５０を参照して、本発明の第１２の実施形態について説明する。上述の第１０の実施形態では、２つのチューナを備えてバルク番組を視聴できる受信装置を例としていた。これに対して、第１２の実施形態では、第１０の実施形態における受信装置の廉価版としての位置づけの、シングルチューナ構成の受信装置を想定する。すなわち、再生処理系統を１つだけとすることで、受信装置にかかるコストダウンを図ったものである。
【０３４５】
第１２の実施形態にかかる受信装置は、上記のようにシングルチューナ構成であるため、２つのチューナが必要な、バルク伝送にかかるバルク番組の視聴はできない。そのため、バルク番組の代わりに、番組内容は同じものである低階層番組を再生することで、番組内容そのものは視聴できるようにしている。そのため、第１２の実施形態にかかる受信装置では、バルク番組が放送される時間帯では、階層伝送されているチャンネルを検索して自動的に選局し、低階層番組にかかるＡＶストリームを取得して再生するという処理が行われる。
【０３４６】
上記図４６で示したような番組スケジュールにおいてＣｈ２を視聴している場合を例として、第１２の実施形態で実行される処理概要を説明する。まず、Ｃｈ２で午後７時台のニュース番組が視聴されているとする。その後、午後８：００をまわると、バルク伝送される映画番組が開始される。しかし、第１２の実施形態にかかる受信装置はシングルチューナ構成であるため、バルク番組としての映画番組の再生はできない。そのため、第１２の実施形態では、上記低階層番組の再生を行う。ここで、本実施形態では、Ｃｈ２では階層伝送が行われていないため（図４１参照）、階層伝送が行われているＣｈ１を選局する。そして、Ｃｈ１で階層伝送されている低階層番組としての映画番組を再生する。更に、午後１０：００をまわり、映画番組が終了すると、元々視聴していたＣｈ２を選局する処理を実行する。以上のような処理が第１２の実施形態では実行される。
【０３４７】
図４９は、第１２の実施形態にかかる受信装置４０７０の構成を示す機能ブロック図である。当該実施形態に係る受信装置４０７０は、上述した第１０の実施形態で図４４を用いて説明した受信装置４０３０の機能構成から、第２のチューナ４０３３〜第２の表示部４０４７にかかる再生処理系統を除いたものに相当し、他の構成部は、第１の実施形態と同様である。従って、同一の構成部には同一の参照符号を付して詳細な説明を省略する。
【０３４８】
また、図４９において、ＴＳ合成・分離部４０４１は、第１０の実施形態と同様に２つの処理モードを切り替えて動作するが、第１０の実施形態とは異なり、上記バルク再生モードで動作する場合は、以下のような動作を行う。すなわち、バルク番組が放送されるときは、まず、ＣＰＵ４０４８からの制御信号に基づいて、第１のチューナ４０３２は、バルク伝送が行われている２つの物理チャンネルのうち、階層伝送がなされているチャンネルを選局する。そして、ＴＳ合成・分離部４０４１は、階層伝送されている物理チャンネルから得られたトランスポートストリームから、低階層番組にかかるＡＶストリームを分離して、第１のＡＶデコーダ４０４２に出力する処理を実行する。
【０３４９】
次に、第１２の実施形態にかかる受信装置４０７０での受信再生処理の詳細を説明する
。図５０は、当該受信再生処理の詳細を示すフローチャートである。図５０において、まず、ステップＳ４０２１において、利用者の操作に基づいて第１のチューナ４０３２での選局処理が実行される。ここでは、Ｃｈ２が選局されるものとする。
【０３５０】
次に、ステップＳ４０２２において、ステップＳ４０２１で選局された物理チャンネルの番号がフラッシュメモリ４０５０に一時的に記憶される。
【０３５１】
次に、ステップＳ４０２３において、ＴＭＣＣ信号から上記バルク関連情報が取得される。続くステップＳ４０２４で、バルク番組の放送が開始されるか否かが判定される。具体的には、ＣＰＵ４０４８は、上記バルク関連情報の接続フラグ４１３２を参照し、第１のチューナ４０３２で選局されているチャンネルでバルク番組が放送されるか否かを判定する。
【０３５２】
当該判定の結果、バルク番組の放送が開始されると判定されたときは（ステップＳ４０２４でＹＥＳ）、続くステップＳ４０２５において、現在選局しているチャンネルが階層伝送が行われているチャンネルであるか否かを判定する。本実施形態では、選局中のチャンネルがＣｈ１であるか否かを判定する。
【０３５３】
なお、バルク番組のうち、いずれのチャンネルで階層伝送が行われているかを示す情報については、例えば予め、階層伝送は周波数が低い方の物理チャンネルで行うという規格を決めておき、選局中の物理チャンネルがバルク番組を構成する２つのチャンネルのうち周波数が低い方の物理チャンネルであるか否かで判定するようにしても良いし、当該情報を上記バルク関連情報に含むようにし、これに基づいて判定するようにしてもよい。
【０３５４】
ステップＳ４０２５の判定の結果、階層伝送が行われていない物理チャンネル（本実施形態ではＣｈ２）のときは（ステップＳ４０２５でＮＯ）、次のステップＳ４０２６において、階層伝送が行われている物理チャンネルを選局する処理が実行される。すなわち、上記バルク関連情報の接続対象Ｃｈ４１３３に示されている物理チャンネルを第１のチューナ４０３２で選局する処理が実行される。一方、ステップＳ４０２５の判定の結果、階層伝送が行われている物理チャンネル（本実施形態ではＣｈ１）のときは（ステップＳ４０２５でＹＥＳ）、ステップＳ４０２６の処理はスキップされて、処理が次に進められる。
【０３５５】
次に、ステップＳ４０２７において、低階層番組の再生処理が開始される。具体的には、ＣＰＵ４０４８は、処理モードを上記バルク再生モードに切り替えるための制御信号をＴＳ合成・分離部４０４１に出力する。同時に、ＣＰＵ４０４８は、第１のＡＶデコーダ４０４２に対しても、低階層番組用のデコード処理に切り替えるための制御信号を出力する。その結果、第１のチューナ４０３２から得られたトランスポートストリームがＴＳ合成分離部４０４１に入力されると、ＴＳ合成・分離部４０４１において低階層番組にかかるＡＶストリームが分離され、第１のＡＶデコーダ４０４２に出力される。そして、デコードされた映像音声信号が第１のＡＶデコーダ４０４２から第１のＯＳＤ作成・合成部４０４４を経由して第１の表示部４０４６に出力される。このとき、第１のＯＳＤ作成・合成部４０４４で、バルク番組（低階層番組）が始まった旨等を表示するようにしても良い。
【０３５６】
次に、ステップＳ４０２８で低階層番組が終了したか否かが判定される。当該判定の結果、まだ放送中であれば（ステップＳ４０２８でＮＯ）、低階層番組の放送が終了するまで、ステップＳ４０２８の判定が繰り返される。一方、低階層番組の放送が終了すれば（ステップＳ４０２８でＹＥＳ）、続くステップＳ４０２９において、フラッシュメモリ４０５０に記憶されているＣｈ番号が取得される。本実施形態では、Ｃｈ２が取得される。
そして、当該取得されたチャンネルが第１のチューナ４０３２で選局される。同時に、ＣＰＵ４０４８から処理モードを非バルク再生モードへ切替る旨の制御信号がＴＳ合成・分離部４０４１に出力される。その結果、Ｃｈ２で放送される非バルク番組の再生処理が開始されることになる。以上で、第１２の実施形態にかかる受信再生処理は終了する。
【０３５７】
このように、第１２の実施形態では、バルク伝送される番組の内容そのものはシングルチューナ機であっても視聴できる。更に、当該番組視聴のためにチャンネルが変更されても、番組終了後に、元の物理チャンネルに自動的に戻す処理が実行される。そのため、バルク伝送される番組と同内容の番組が視聴でき、かつ、よりコストを抑えることができるシングルチューナ構成のデジタル放送受信装置を提供することが可能となる。
【０３５８】
なお、上述のような、バルク番組の開始時にそれまで視聴していた物理チャンネルを記憶する処理については、第１０の実施形態で上述したような構成の受信装置に適用しても良い。例えば、図５１に示すような番組スケジュールが組まれているとする。すなわち、Ｃｈ１およびＣｈ２では、午後７：００：００〜７：５９：５９はそれぞれ非バルク番組が放送され、午後８：００：００〜８：５９：５９までは両チャンネルを使ったバルク番組が放送され、午後９：００：００〜９：５９：５９は、それぞれ非バルク番組が放送される場合を想定する。また、Ｃｈ３では、午後７：００：００〜９：５９：５９まで、１本の非バルク番組が放送されているとする。
【０３５９】
このような番組スケジュールにおいて、午後７：３０の時点で、利用者が第１のチューナ４０３２ではＣｈ１を選局し、第２のチューナ４０３３ではＣｈ３を選局して、それぞれの番組を２画面同時表示している場合を考える。この場合、午後８：００になれば、Ｃｈ１ではバルク番組が開始されることになる。しかし、第２のチューナ４０３３はＣｈ３を選局している状態であるため、このままではバルク番組の再生処理が開始できない。そのため、午後８：００のタイミングで、上記図４７のステップＳ４００４の処理において、第１のＯＳＤ作成・合成部４０４４に、バルク番組が開始する旨、および、Ｃｈ３の視聴を停止してバルク番組の再生を行うか否かを問い合わせる表示を行わせる。その結果、バルク番組の再生を行う旨の指示が入力されたときは、第２のチューナ４０３３で選局している物理チャンネル番号をフラッシュメモリ４０５０に記憶させる処理を行い、バルク番組の１画面での再生処理を実行する。その後、午後９：００をまわり、バルク番組が終了すれば、フラッシュメモリ４０５０に記憶されている物理チャンネル番号を第２のチューナ４０３３に選局させ、２画面同時表示に戻すような処理を行うようにしてもよい。すなわち、Ｃｈ１とＣｈ３の２画面同時表示に戻しても良い。このような処理を行うことで、第１０の実施形態に示したような受信装置（Ｗチューナ機）の場合であっても、利便性を高めた受信装置を提供することが可能となる。
【０３６０】
（第１３の実施形態）
次に、本発明の第１３の実施形態について説明する。まず、図５２を用いて、本発明の原理及び本実施形態が想定している処理概要について説明する。本実施形態では、いわゆるスーパーハイビジョンの動画像コンテンツ（以下、ＳＨＤコンテンツと呼ぶ）を伝送するデジタル放送システムを想定している。そして、本実施形態では、図５２に示すように、送信側において当該ＳＨＤコンテンツ６１０１を２つに分割し（図５２のＳＨＤコンテンツ６１０１ａおよび６１０１ｂ）、２つの物理チャンネル６１１１および６１１２を用いて伝送する。これは、ＳＨＤコンテンツが、１つの物理チャンネルでは伝送しきれない情報量を有するためである。以下、このような、１つのＳＨＤコンテンツを２つの物理チャンネルを用いて伝送することをバルク伝送と呼ぶ。
【０３６１】
ここで、本実施形態では、当該２つの物理チャンネルのうち、いずれか一方のチャンネルについて階層伝送を行うようにしている。具体的には、送信側で、上記ＳＨＤコンテン
ツと同内容のコンテンツを、いわゆるＨＤ映像（High Definition映像）あるいはＳＤ映像（Standard Definition映像）として、上記ＳＨＤコンテンツと別途に生成する（以下、これらを、ＨＤ／ＳＤコンテンツと呼ぶ）。そして、本実施形態では、変調方式として、ＳＨＤコンテンツに関しては、雑音などの外乱に弱いが伝送効率が高い変調方式である、例えば３２ＡＰＳＫ（Amplitude Phase Shift Keying）を用い、一方ＨＤ／ＳＤコンテンツについては、ＳＨＤコンテンツの変調方式よりも、雑音などの外乱に強いが伝送効率が低い変調方式である、例えばＱＰＳＫ（quadrature phase shift keying）を用いて変調する。ここで、これらＨＤ／ＳＤコンテンツは、上記ＳＨＤコンテンツよりは情報量が少ないため、伝送するためのネットワーク帯域も少なくて済む。すなわち、ＨＤ／ＳＤコンテンツは、１チャンネル分の伝送容量以内で且つ、ＳＨＤコンテンツの変調方式よりも伝送効率が低い変調方式でも、十分伝送可能である。そして、本実施形態では、上記いずれか一方のチャンネル、図５２の例では、物理チャンネル６１１１について、ＳＨＤコンテンツ６１０１ａとＨＤ／ＳＤコンテンツ６１０２との階層伝送を行うように構成する。つまり、ＨＤ／ＳＤコンテンツ６１０２を伝送する為の変調方式のほうがＳＨＤコンテンツ６１０１を伝送する為の変調方式よりも所要ＣＮＲを低くなるようにしている（例えば、ＨＤ／ＳＤコンテンツ６１０２はＱＰＳＫ、ＳＨＤコンテンツ６１０１は３２ＡＰＳＫで変調する）。
【０３６２】
一方、受信側においては、通常は上記ＳＨＤコンテンツ６１０１の再生のための処理を行う（図５２の受信〜復元処理６１２１に相当）。同時に、伝送品質の監視、具体的には、受信ＣＮＲやビット誤り率の監視を行う（図５２の伝送品質監視６１２２に相当）。そして、いずれか一方のチャンネルの伝送品質が予め設定されている閾値より低下したとき、例えば、ＳＨＤコンテンツの良好な再生に必要な受信ＣＮＲを下回ったときには、受信側において、ＳＨＤコンテンツの再生から上記ＨＤ／ＳＤコンテンツの再生へと処理を切り替える（図５２の切替処理６１２３に相当）。上述のように、ＨＤ映像のコンテンツはＳＨＤコンテンツよりも所要ＣＮＲが低い。そのため、ＳＨＤコンテンツを良好な状態で再生するには伝送品質が足りない場合であっても、ＨＤ／ＳＤコンテンツを再生するには十分な伝送品質であることが考えられる。そこで、受信機側においてＳＨＤコンテンツを再生中に伝送品質が低下したときは、ＳＨＤコンテンツからＨＤ／ＳＤコンテンツへと再生処理を切り替えることで、映像や音声が途切れることのない、違和感のない動画像コンテンツの視聴を視聴者に継続させることを可能とするものである。
【０３６３】
次に、本実施形態のデジタル放送システムで使用される送信装置および受信装置の構成について説明する。図５３は、本発明の第１３の実施形態に係る送信装置の構成を示した機能ブロック図である。図５３において、送信装置６０１０は、高階層エンコーダ６０１１と低階層エンコーダ６０１２と、時分割多重部６０１３と、ＴＳ分割部６０１４と、第１の主信号誤り訂正符号化部６０１５と、第２の主信号誤り訂正符号化部６０１６と、第１のマッピング部６０１７と第２のマッピング部６０１８と、第１の周波数変換部６０１９と、第２の周波数変換部６０２０と、ＣＰＵ６０２１と、第１のＴＭＣＣ生成部６０２３と、第２のＴＭＣＣ生成部６０２４とで構成される。
【０３６４】
高階層エンコーダ６０１１は、放送対象となる動画像コンテンツ（例えば放送番組）をＳＨＤの映像としてエンコードする。具体的には、圧縮符号化形式として、例えば”ＭＰＥＧ−４  ＡＶＣ／Ｈ．２６４”（以下、単にＨ．２６４と呼ぶ）を用いてエンコードを行う。そして、エンコードの結果であるＡＶストリーム（以下、高階層ＡＶストリームと呼ぶ）を時分割多重部６０１３に出力する。
【０３６５】
低階層エンコーダ６０１２は、放送対象となる動画像コンテンツをＨＤまたはＳＤの映像としてエンコードする。具体的には、圧縮符号化形式として、例えば上述のＨ．２６４、又は、いわゆる”ＭＰＥＧ２”方式を用いてエンコードを行う。そして、エンコードの
結果であるＡＶストリーム（以下、低階層ＡＶストリームと呼ぶ）を時分割多重部６０１３に出力する。
【０３６６】
時分割多重部６０１３は、高階層ＡＶストリームおよび低階層ＡＶストリームを多重化し、トランスポートストリーム（以下、原ＴＳと呼ぶ）を生成する。すなわち、時分割多重部６０１３は、ＣＰＵ６０２１からの制御信号に基づいて高階層ＡＶストリーム／低階層ＡＶストリームを切り替えながら、両ＡＶストリームを多重化することで、原ＴＳを生成する。そして、生成した原ＴＳをＴＳ分割部６０１４に出力する。
【０３６７】
ＴＳ分割部６０１４は、２つの物理チャンネルで原ＴＳを伝送できるように原ＴＳを２つに分割して（振り分けて）第１の主信号誤り訂正符号化部６０１５および第２の主信号誤り訂正符号化部６０１６に出力する処理を行う。より具体的には、ＴＳ分割部６０１４は、高階層ＡＶストリームを構成するパケット（以下、高階層パケット）については、第１の主信号誤り訂正符号化部６０１５と第２の主信号誤り訂正符号化部６０１６とに振り分けて出力する。一方、低階層ＡＶストリームを構成するパケット（以下、低階層パケット）については、分割は行わずに、第１の主信号誤り訂正符号化部６０１５にのみ、そのまま出力する。これは、低階層ＡＶストリームについては片方の物理チャンネルのみで階層伝送を行うためである。また、低階層パケットを階層伝送する物理チャンネルについては、周波数が低い物理チャンネルが好ましい。これは、周波数が低い方が伝送路が安定していると考えられるためである。本実施形態でも、階層伝送を行う経路（第１の周波数変換部６０１９を通る経路）側のほうに周波数の低いチャンネルを割り当てるものとする。
【０３６８】
ここで、上記高階層パケットの振り分け方について説明する。図５４は、この振り分け方の概念を示す模式図である。本実施形態では、原ＴＳ内の、高階層ＡＶストリームを構成する各パケット（図５４では説明の便宜のため、各パケットに連番を付している）を２つの物理チャンネルに交互に振り分けるような処理が行われる。すなわち、図５４では、奇数番号のパケットが物理チャンネル１に振り分けられ、偶数番号のパケットが物理チャンネル２に振り分けられている。その結果、奇数番号のパケットが物理チャンネル１で伝送され、偶数番号のパケットは物理チャンネル２で伝送されることになる。なお、受信機側においては、当該２つのチャンネルを用いてＴＳを受信することになるが、これらを合成する場合は、元の順番通りになるよう復元するため、各チャンネルで受信したＴＳ（のパケット）を交互に繋いでいく必要がある。この繋いでいく順番、すなわち、どちらの物理チャンネルのＴＳパケットが先でどちらが後であるかを示すための情報については、後述するようなＴＭＣＣ情報に含まれて伝送される。
【０３６９】
図５３に戻り、第１の主信号誤り訂正符号化部６０１５は、ＴＳ分割部６０１４から出力された高階層パケットおよび低階層パケットに対して、誤り訂正等の処理を行う。図５５は、第１の主信号誤り訂正符号化部６０１５の詳細を示すブロック図である。第１の主信号誤り訂正符号化部６０１５は、外符号誤り訂正部６１５１、エネルギー拡散部６１５２、内符号誤り訂正部６１５３、インターリーブ部６１５４とで構成されている。外符号誤り訂正部６１５１は、入力されてきた各パケットに対して、例えばＢＣＨ符号を用いて外符号誤り訂正をかける。エネルギー拡散部６１５２は、外符号誤り訂正部６１５１から出力されたパケットに対して、一定の規則に沿ったランダムデータを加えることでエネルギー拡散を行う。内符号誤り訂正部６１５３は、エネルギー拡散部６１５２から出力されたパケットに対して、例えばＬＤＰＣ符号を行う。インターリーブ部６１５４は、内符号誤り訂正部６１５３から出力されてくるデータについて、インタリーブを行う。
【０３７０】
図５３に戻り、第２の主信号誤り訂正符号化部６０１６は、ＴＳ分割部６０１４から出力された高階層パケットに対して、誤り訂正等の処理を行う。その機能内容については、上記第１の主信号誤り訂正符号化部６０１５と同様であるため、ここでは説明を省略する
。
【０３７１】
第１のマッピング部６０１７は、第１の主信号誤り訂正符号化部６０１５から入力されてくるビットストリームを、キャリアの位相と振幅で決まる信号点にマッピングし、当該マッピングされたデータを第１の周波数変換部６０１９に出力する。具体的には、ＣＰＵ６０２１の制御に基づいて、誤り訂正符号化された高階層パケットについては、所要ＣＮＲは高いが、伝送効率が高い変調方式（例えば３２ＡＰＳＫ）にマッピングされ、誤り訂正符号化された低階層パケットについては、高階層パケットに施す変調よりも、所要ＣＮＲは低いが、伝送効率が低い変調方式（例えばＱＰＳＫ）にマッピングされる。
【０３７２】
第２のマッピング部６０１８は、第２の主信号誤り訂正符号化部６０１６から入力されてくるビットストリームに対してキャリアの位相と振幅で決まる信号点にマッピングし、当該マッピングされたデータを第２の周波数変換部６０２０に出力する。具体的には、第２のマッピング部６０１８には誤り訂正符号化された高階層パケットのみが入力されるため、ＣＰＵ６０２１の制御に基づいて、第１のマッピング部６０１７において高階層パケットに施す変調方式と同じ変調方式（例えば３２ＡＰＳＫ）にマッピングされる。
【０３７３】
第１のＴＭＣＣ生成部６０２３、及び第２のＴＭＣＣ生成部６０２４は、階層伝送に関する情報（各時間毎の変調方式情報）、バルク伝送に関する制御情報、その他伝送パラメータなど、受信機の制御に必要なＴＭＣＣ情報をＴＭＣＣ信号として生成する。具体的には、ＣＰＵ６０２１の制御に基づいて、第１のＴＭＣＣ生成部６０２３では第１の周波数変換部６０１９から出力される変調信号に対するＴＭＣＣ信号を生成して、第１のマッピング部６０１７に出力する。一方、第２のＴＭＣＣ生成部６０２４では、第２の周波数変換部６０２０から出力される変調信号に対するＴＭＣＣ信号を生成し、第２のマッピング部６０１８に出力する。第１のＴＭＣＣ生成部６０２３で生成されたＴＭＣＣ信号は、第１のマッピング部６０１７で、上述のようにキャリアの位相と振幅で決まる信号点にマッピングした上で、同じく第１のマッピング部６０１７でマッピングされたＡＶデータ（主信号）に多重化し、第１の周波数変換部６０１９に出力する。一方、第２のＴＭＣＣ生成部６０２４で生成されたＴＭＣＣ信号は、第２のマッピング部６０１８で、上述のようにキャリアの位相と振幅で決まる信号点にマッピングした上で、同じく第２のマッピング部６０１８でマッピングされたＡＶデータ（主信号）に多重化し、第２の周波数変換部６０２０に出力する。
【０３７４】
なお、第１のマッピング部６０１７、及び第２のマッピング部６０１８に於ける、ＴＭＣＣ信号に対するマッピングについては、受信機において、外乱により受信状態が劣化し低階層パケットに基づく番組を表示しなければならない状況下でも、確実にＴＭＣＣ信号を受信し、そのＴＭＣＣ信号による受信機制御を行えるようにする為に、上記低階層パケットに施した変調よりも、外乱に対して同等、若しくは強い変調方式（例えばＱＰＳＫ、又はＢＰＳＫ）でマッピングされる。第１のマッピング部６０１７でマッピングされた主信号とＴＭＣＣとの多重化変調信号は、第１の周波数変換部６０１９で所定の周波数に周波数変換を施して送信信号として出力する。また、第２のマッピング部６０１８でマッピングされた主信号とＴＭＣＣとの多重化変調信号は、第２の周波数変換部６０２０で所定の周波数に周波数変換を施して送信信号として出力する。
【０３７５】
ここで、上記ＴＭＣＣ情報に関して説明する。上記ＴＭＣＣ情報には、受信機制御を行えるように、一般的な伝送制御情報の他、上述したような各時間毎の変調方式に関する情報である階層伝送情報や、バルク伝送に関する情報であるバルク伝送関連情報が含まれている。図５６は、バルク伝送関連情報の一例を示す図である。バルク伝送関連情報は、物理Ｃｈ番号６１３１と接続フラグ６１３２と前接続Ｃｈ６１３３と後接続Ｃｈ６１３４の集合から構成されている。バルク伝送関連情報には、全ての物理チャンネルについての情
報が含まれており、物理Ｃｈ番号６１３１は、物理チャンネルの番号を示す。接続フラグ６１３２は、放送（伝送）されるコンテンツがバルク伝送を用いたコンテンツであるか否かを識別するためのフラグである。接続フラグ６１３２がオンに設定されているときは、その物理チャンネルで伝送されている動画像コンテンツはバルク伝送を用いた動画像コンテンツであること、すなわち、２つの物理チャンネルを用いて１つの動画像コンテンツを伝送していることを示す。オフに設定されているときは、バルク伝送は用いずに、その物理チャンネルのみを使用して１つの動画像コンテンツを伝送していることを示す。
【０３７６】
前接続Ｃｈ６１３３、および後接続Ｃｈ６１３４は、上記のようなバルク伝送において、対となる物理チャンネル番号を示すためのデータである。前接続Ｃｈ６１３３、および後接続Ｃｈ６１３４は、接続フラグ６１３２がオンのときにのみ設定され、且つ、前接続Ｃｈ６１３３、後接続Ｃｈ６１３４のいずれか一方だけに値が設定される。上述したように、受信機側においては、２つの物理チャンネルから得られたトランスポートストリームを合成する必要があるが、この際に、どちらの物理チャンネルのパケットが先にしてどちらを後にするかを示すための情報が前接続Ｃｈ６１３３、後接続Ｃｈ６１３４である。図５４の例で言うと、奇数番号のパケットが振り分けられた物理チャンネル１が前接続Ｃｈになり、偶数番号のパケットが振り分けられた物理チャンネル２が後接続Ｃｈとなる。そのため、図５６に示した例では、受信機側では、次のような判定処理が可能となる。すなわち、受信機側で物理チャンネル１を選局し、図５６に示されるようなバルク伝送関連情報を取得すると、まず、物理チャンネル１で伝送されてくるコンテンツはバルク伝送を用いたもの、すなわち、ＳＨＤコンテンツであることが判定できる。そして、当該物理チャンネル１には後接続Ｃｈとして物理チャンネル２が存在することが判定できる。更に、物理チャンネル１および物理チャンネル２でそれぞれ受信したＴＳパケットの合成順序としては、Ｃｈ１→Ｃｈ２→Ｃｈ１→Ｃｈ２→・・・のような順序で合成すべきことが判定できることになる。
【０３７７】
図５３に戻り、ＣＰＵ６０２１は、時分割多重部６０１３、ＴＳ分割部６０１４、第１の主信号誤り訂正符号化部６０１５、第２の主信号誤り訂正符号化部６０１６、第１のマッピング部６０１７、第２のマッピング部６０１８に上述したような処理を実行させるための各種制御を行う。
【０３７８】
次に、本実施形態のデジタル放送システムで使用される受信装置（典型的にはデジタル放送の受信が可能なテレビ受像機）について説明する。図５７は、本発明の第１３の実施形態に係る受信装置６０３０の構成を示した機能ブロック図である。図５７において、受信装置６０３０は、アンテナ６０３１と、第１のチューナ６０３２と、第２のチューナ６０３３と、第１の復調部６０３４と、第２の復調部６０３５と、第１の主信号誤り訂正復号部６０３６と、第２の主信号誤り訂正復号部６０３７と、第１のＴＭＣＣ復号部６０３８と、第２のＴＭＣＣ復号部６０３９と、ＴＭＣＣ制御部６０４０と、第１の受信ＣＮＲ検出部６０４１と第２の受信ＣＮＲ検出部６０４２と、ＴＳ合成・分離部６０４３と、ＡＶデコーダ６０４４と、ＣＰＵ６０４５と、表示部６０４６とで構成される。
【０３７９】
第１のチューナ６０３２および第２のチューナ６０３３は、ＣＰＵ６０４５からの制御信号に基づいて所定の物理チャンネルを選局し、送信装置６０１０からの送信信号をアンテナ６０３１を介して受信する。
【０３８０】
第１の復調部６０３４は、第１のチューナ６０３２から出力される送信信号をデジタル信号に復調し、第１の主信号誤り訂正復号部６０３６および第１のＴＭＣＣ復号部６０３８に出力する。
【０３８１】
第１の主信号誤り訂正復号部６０３６は、第１の復調部６０３４から出力されたデジタ
ル信号に対して、上記第１の主信号誤り訂正符号化部６０１５で行われた処理と逆の処理を行うことで、トランスポートストリームを得る。そして、当該トランスポートストリームをＴＳ合成・分離部６０４３に出力する。図５８は、第１の主信号誤り訂正復号部６０３６の詳細を示すブロック図である。図５８において、第１の主信号誤り訂正復号部６０３６では、第１の復調部６０３４から出力されたデジタル信号について、デインターリーブ部６３６１でデインタリーブが行われ、内符号誤り復号部６３６２における内符号の復号、エネルギー逆拡散部６３６３におけるエネルギー逆拡散を経て外符号誤り復号部６３６４による外符号の復号が行われ、トランスポートストリームとして出力される。
【０３８２】
第１のＴＭＣＣ復号部６０３８は、第１の復調部６０３４から出力されたデジタル信号（ＴＭＣＣ信号）からＴＭＣＣ情報を復号して取得する。そして、当該ＴＭＣＣ情報をＴＭＣＣ制御部６０４０に出力する。
【０３８３】
第１の受信ＣＮＲ検出部６０４１は、第１の復調部６０３４における復調結果に基づいて受信ＣＮＲを所定の単位時間毎に算出し、ＣＰＵ６０４５に出力する。
【０３８４】
第２の復調部６０３５、第２の主信号誤り訂正復号部６０３７、および、第２のＴＭＣＣ復号部６０３９は、第２のチューナ６０３３から出力される送信信号に対して、上記第１の復調部６０３４、第１の主信号誤り訂正復号部６０３６、第１のＴＭＣＣ復号部６０３８と同様の処理を行う。
【０３８５】
また、第２の受信ＣＮＲ検出部６０４２は、第２の復調部６０３５における復調結果に基づいて受信ＣＮＲを所定の単位時間毎に算出し、ＣＰＵ６０４５に出力する。
【０３８６】
ＴＭＣＣ制御部６０４０は、第１のＴＭＣＣ復号部６０３８から出力されるＴＭＣＣ情報の内、時間毎の変調方式に関する情報である階層伝送情報等の伝送パラメータに基づいて、第１の復調部６０３４および第１の主信号誤り訂正復号部６０３６を制御する。また、第２のＴＭＣＣ復号部６０３９から出力されるＴＭＣＣ情報の内各時間毎の変調方式に関する情報である階層伝送情報、等の伝送パラメータに基づいて、第２の復調部６０３５および第２の主信号誤り訂正復号部６０３７を制御する。また、ＴＭＣＣ制御部６０４０は、取得したＴＭＣＣ情報をＣＰＵ６０４５に出力する。
【０３８７】
ＴＳ合成・分離部６０４３は、ＣＰＵ６０４５からの制御信号に基づいて、以下のような処理を実行する。まず、ＴＳ合成・分離部６０４３は、第１の主信号誤り訂正復号部６０３６および第２の主信号誤り訂正復号部６０３７から出力されてくるトランスポートストリームを合成することによって、原ＴＳを復元する。更に、ＴＳ合成・分離部６０４３は、原ＴＳから、上記高階層ＡＶストリームと低階層ＡＶストリームとを分離して取得する。そして、ＴＳ合成・分離部６０４３は、ＣＰＵ６０４５からの制御信号に基づいて、高階層ＡＶストリーム、または、低階層ＡＶストリームをＡＶデコーダ６０４４に出力する。
【０３８８】
ＡＶデコーダ６０４４は、ＣＰＵ６０４５からの制御信号に基づいて、ＴＳ合成・分離部６０４３から出力されたＡＶストリームをデコードして映像・音声信号を取得する。そして、ＡＶデコーダ６０４４は、デコードの結果得られた映像・音声信号を表示部６０４６に出力する。ここで、ＡＶデコーダ６０４４は、少なくとも、上記高階層ＡＶストリーム、低階層ＡＶストリームのエンコード形式に対応するデコード形式でデコード処理が可能である。例えば、高階層ＡＶストリームのときはＨ．２６４方式でのデコード、低階層ＡＶストリームのときは、ＭＰＥＧ２方式でのデコードが可能である。そして、ＡＶデコーダ６０４４は、ＣＰＵ６０４５からの制御信号に基づき、これらのデコード方式を切り替えてデコード処理を実行する。
【０３８９】
ＣＰＵ６０４５は、図５９等を用いて後述するフローチャートに示すような処理を行い、上記第１のチューナ６０３２、第２のチューナ６０３３、第１の受信ＣＮＲ検出部６０４１、第２の受信ＣＮＲ検出部６０４２、ＴＳ合成・分離部６０４３、ＡＶデコーダ６０４４等を制御して、送信装置６０１０から送信された動画像コンテンツを利用者が視聴できるようにするための処理を実行する。また、第１の受信ＣＮＲ検出部６０４１および第２の受信ＣＮＲ検出部６０４２からの入力に基づいて、ＴＳ合成・分離部６０４３からＡＶデコーダ６０４４への出力内容の切替を制御し、更に、ＡＶデコーダ６０４４のデコード処理の切替制御も行う。
【０３９０】
表示部６０４６は、ＡＶデコーダ６０４４から出力された映像・音声信号に基づいて映像・音声を利用者に提示する。
【０３９１】
また、図示は省略するが、受信装置には、利用者が選局操作等を行うための操作部が設けられており、ＣＰＵ６０４５は、操作部からの操作信号に基づいて選局処理等の制御を行う。
【０３９２】
以下、図５９および図６０を用いて、受信装置６０３０において実行される受信再生処理の詳細動作を説明する。図５９および図６０は、受信装置６０３０において実行される受信再生処理の流れを示すフローチャートである。
【０３９３】
まず、ステップＳ６００１において、利用者の選局操作に基づいた選局処理が行われる。より具体的には、ＣＰＵ６０４５は、リモコン等の操作部からの指示信号を取得し、選局対象となる物理チャンネルを検出する。続いて、ＣＰＵ６０４５は、第１のチューナ６０３２に当該物理チャンネルを選局させるための制御信号を出力する。これに応じて、第１のチューナ６０３２は指定された物理チャンネルを選局する処理を実行する。選局が完了すれば、アンテナ６０３１を介して受信された信号（以下、受信信号と呼ぶ）が第１のチューナ６０３２から第１の復調部６０３４に入力され、受信信号からＴＭＣＣ信号が分離されて、第１のＴＭＣＣ復号部６０３８に出力される。第１のＴＭＣＣ復号部６０３８において、ＴＭＣＣ信号からＴＭＣＣ情報が復号され、ＴＭＣＣ制御部６０４０に出力される。ＴＭＣＣ制御部６０４０は、当該ＴＭＣＣ情報から、階層伝送情報、伝送パラメータ、及び、上記バルク伝送関連情報（図５６参照）を取得する。そして、ＴＭＣＣ制御部６０４０は、当該階層伝送情報や伝送パラメータに基づいた復調処理を実行させるための制御信号を第１の復調部６０３４に出力する。これに応じて、第１の復調部６０３４は、受信信号に含まれている主信号（コンテンツにかかるデータが含まれている信号）の復調を開始する。復調された主信号は、第１の主信号誤り訂正復号部６０３６に出力される。第１の主信号誤り訂正復号部６０３６において誤り訂正が行われることによってトランスポートストリームが得られることになる。そして、当該トランスポートストリームが、ＴＳ合成・分離部６０４３に出力される。
【０３９４】
次に、ステップＳ６００２において、上記バルク伝送関連情報から接続フラグ６１３２が読み出される。続くステップＳ６００３において、上記選局した物理チャンネルの接続フラグ６１３２がオンに設定されているか否かが判定される。当該判定の結果、接続フラグ６１３２がオンでないときは（ステップＳ６００３でＮＯ）、ステップＳ６００２に戻り、処理が繰り返される（なお、この場合は、単一のチャンネルによる番組放送と考えられるため、接続フラグ６１３２のオンが検出されるまでの間、上記ステップＳ６００１で選局した物理チャンネルのトランスポートストリームに基づいて動画像コンテンツを再生する処理を行っても良い）。
【０３９５】
一方、接続フラグ６１３２がオンと判定されたときは（ステップＳ６００３でＹＥＳ）
、続くステップＳ６００４において、第２のチューナ６０３３でバルク伝送の対となる物理チャンネルの選局処理が実行される。具体的には、ＣＰＵ６０４５は、上記バルク伝送関連情報から、前接続Ｃｈ６１３３および後接続Ｃｈ６１３４を取得する。上記のように、いずれか一方にのみ物理チャンネル番号が示されているので、いずれか一方に示されている物理チャンネル番号を取得する。図５６の例で言うと、第１のチューナ６０３２で物理チャンネル１を選局している場合は、物理チャンネル２が取得される。また、第１のチューナ６０３２で物理チャンネル２を選局している場合は、物理チャンネル１が取得される。そして、当該取得された物理チャンネルを第２のチューナ６０３３で選局するための制御信号を第２のチューナ６０３３に出力する。第２のチューナ６０３３は、当該制御信号に応じて選局処理を行う。
【０３９６】
第２のチューナでの選局が完了すれば、アンテナ６０３１を介して受信された受信信号からＴＭＣＣ信号が分離され、第２のＴＭＣＣ復号部６０３９に出力される。第２のＴＭＣＣ復号部６０３９において、ＴＭＣＣ信号からＴＭＣＣ情報が復号されてＴＭＣＣ制御部６０４０に出力される。ＴＭＣＣ制御部６０４０は、当該ＴＭＣＣ情報から伝送パラメータ等を取得する。そして、ＴＭＣＣ制御部６０４０は、当該伝送パラメータに基づいた復調処理を実行させるための制御信号を第２の復調部６０３５に出力する。これに応じて、第２の復調部６０３５は、主信号の復調を開始する。復調された主信号は、第２の主信号誤り訂正復号部６０３７に出力される。第２の主信号誤り訂正復号部６０３７において、誤り訂正処理が行われることによってトランスポートストリームが得られることになる。そして、当該トランスポートストリームが、ＴＳ合成・分離部６０４３に出力される。この結果、第１のチューナ６０３２経由で得られたトランスポートストリームと第２のチューナ６０３３経由で得られたトランスポートストリームがＴＳ合成・分離部６０４３に入力されることになる。
【０３９７】
続いて、ステップＳ６００５において、両トランスポートストリームを合成する処理が開始される。具体的には、ＣＰＵ６０４５は、両トランスポートストリームを合成する処理を開始させるための制御信号をＴＳ合成・分離部６０４３に出力する。当該制御信号には、上述したような前接続ｃｈ６１３３および後接続ｃｈ６１３４に基づいた、トランスポートストリームを合成していく順番に関する情報も含まれている。ＴＳ合成・分離部６０４３は、ＣＰＵ６０４５からの制御信号に応じて、第１のチューナ６０３２経由のトランスポートストリームと第２のチューナ６０３３経由のトランスポートストリームとの合成処理を行い、原ＴＳを復元する処理を開始する。
【０３９８】
続くステップＳ６００６において、原ＴＳから、高階層ＡＶストリームと低階層ＡＶストリームを分離するための処理が開始される。
【０３９９】
続くステップＳ６００７において、高階層ＡＶストリームのデコード処理が開始される。すなわち、ＣＰＵ６０４５は、ＴＳ合成・分離部６０４３に高階層ＡＶストリームをＡＶデコーダ６０４４に出力させるための制御信号を出力する。当該制御信号に応じて、ＴＳ合成・分離部６０４３は、高階層ＡＶストリームをＡＶデコーダ６０４４に出力する。更に、ＣＰＵ６０４５は、ＡＶデコーダ６０４４に、高階層ＡＶストリームのデコード処理を開始させるための制御信号を出力する。当該制御信号に応じて、ＡＶデコーダ６０４４は、ＴＳ合成・分離部６０４３から入力されてくる高階層ＡＶストリームのデコード処理を開始し、デコード結果である映像・音声信号を表示部６０４６に出力する。
【０４００】
次に、ステップＳ６００８において、受信ＣＮＲの取得を開始するための処理が実行される。より具体的には、ＣＰＵ６０４５は、第１の受信ＣＮＲ検出部６０４１に第１の復調部６０３４における受信ＣＮＲを要求するための制御信号を出力する。第１の受信ＣＮＲ検出部６０４１は、当該制御信号に応じて、第１の復調部６０３４における受信ＣＮＲ
をＣＰＵ６０４５に出力する処理を開始する。更に、ＣＰＵ６０４５は、第２の受信ＣＮＲ検出部６０４２に、第２の復調部６０３５における受信ＣＮＲを要求するための制御信号を出力する。当該制御信号に応じて、第２の受信ＣＮＲ検出部６０４２は、第２の復調部６０３５における受信ＣＮＲをＣＰＵ６０４５に出力する処理を開始する。
【０４０１】
次に、ステップＳ６００９において、第１の受信ＣＮＲ検出部６０４１、および、第２の受信ＣＮＲ検出部６０４２から出力される受信ＣＮＲのいずれか一方の値が所定の閾値未満であるか否かが判定される。当該所定の閾値は、ＳＨＤコンテンツの良好な再生に必要と考えられる、高階層変調方式の所要ＣＮＲを示している。いずれかの受信ＣＮＲが所定の閾値未満のとき、すなわち、伝送品質が低下したと考えられるときは（ステップＳ６００９でＹＥＳ）、続くステップＳ６０１０において、高階層ＡＶストリームのデコード処理および表示部への出力処理が現在実行中であるか否かが判定される。
【０４０２】
当該判定の結果、高階層ＡＶストリームのデコード処理等が実行中であれば（ステップＳ６０１０でＹＥＳ）、ステップＳ６０１１において、低階層ＡＶストリームをＡＶデコーダ６０４４に出力するための処理が実行される。具体的には、ＣＰＵ６０４５は、ＴＳ合成・分離部６０４３に低階層ＡＶストリームをＡＶデコーダ６０４４に出力させるための制御信号を出力する。当該制御信号に応じて、ＴＳ合成・分離部６０４３は、低階層ＡＶストリームをＡＶデコーダ６０４４に出力する。
【０４０３】
続くステップＳ６０１２において、低階層ＡＶストリームのデコード処理等の指示が実行される。具体的には、ＣＰＵ６０４５は、ＡＶデコーダ６０４４に低階層ＡＶストリームのデコード処理を開始させるための制御信号を出力する。当該制御信号に応じて、ＡＶデコーダ６０４４は、ＴＳ合成・分離部６０４３から入力されてくる低階層ＡＶストリームのデコード処理を開始し、デコード結果である映像・音声信号を表示部６０４６に出力する。
【０４０４】
一方、ステップＳ６０１０の判定の結果、高階層ＡＶストリームのデコード処理等が実行中でないときは（ステップＳ６０１０でＮＯ）、既に低階層ＡＶストリームの処理が実行中であると考えられるため、後述のステップＳ６０１６へ処理が進められる。
【０４０５】
一方、上記ステップＳ６００９の判定の結果、いずれかの受信ＣＮＲが所定の閾値以上のとき、すなわち、伝送品質は高階層ＡＶストリームの再生に十分な品質である考えられるときは（ステップＳ６００９でＮＯ）、ステップＳ６０１３において、低階層ＡＶストリームのデコード処理および表示部への出力処理が現在実行中であるか否かが判定される。当該判定の結果、低階層ＡＶストリームのデコード処理等が実行中であれば（ステップＳ６０１３でＹＥＳ）、一旦低下した伝送品質が再び良好な状態に戻ったような場合と考えられる。そのため、ステップＳ６０１４において、高階層ＡＶストリームをＡＶデコーダ６０４４に出力するための処理が実行される。具体的には、ＣＰＵ６０４５は、ＴＳ合成・分離部６０４３に高階層ＡＶストリームをＡＶデコーダ６０４４に出力させるための制御信号を出力する。当該制御信号に応じて、ＴＳ合成・分離部６０４３は、高階層ＡＶストリームをＡＶデコーダ６０４４に出力する。
【０４０６】
続くステップＳ６０１５において、高階層ＡＶストリームのデコード処理等の指示が実行される。具体的には、ＣＰＵ６０４５は、ＡＶデコーダ６０４４に、高階層ＡＶストリームのデコード処理を開始させるための制御信号を出力する。当該制御信号に応じて、ＡＶデコーダ６０４４は、ＴＳ合成・分離部６０４３から入力されてくる高階層ＡＶストリームのデコード処理を開始し、デコード結果である映像・音声信号を表示部６０４６に出力する。
【０４０７】
一方、ステップＳ６０１３の判定の結果、低階層ＡＶストリームのデコード処理等が実行中でないときは（ステップＳ６０１３でＮＯ）、既に高階層ＡＶストリームの処理が実行中であると考えられるため、後述のステップＳ６０１６へ処理が進められる。
【０４０８】
次に、ステップＳ６０１６において、処理終了の指示、例えば、電源をオフにする操作が行われたか否かが判定される。処理終了の指示が出されていないときは（ステップＳ６０１６でＮＯ）、上記ステップＳ６００８に戻って処理が繰り返される。一方、処理終了の指示が出されたときは（ステップＳ６０１６でＹＥＳ）、本実施形態にかかる受信再生処理は終了する。
【０４０９】
以上のように、本実施形態では、バルク伝送によってＳＨＤコンテンツを伝送するときに、いずれか一方の物理チャンネルで同内容のＨＤ／ＳＤコンテンツを階層伝送する。受信機側では、当該ＳＨＤコンテンツを再生するときに、バルク伝送に用いられている物理チャンネルの受信ＣＮＲを監視しておく。そして、当該受信ＣＮＲが高階層変調されているＳＨＤコンテンツの再生のための所要ＣＮＲを下回ったときに、低階層変調されているＨＤ／ＳＤコンテンツの再生へ切り替える処理を行う。また、上述のように、ＨＤ／ＳＤコンテンツとＳＨＤコンテンツとは、エンコード方式が異なるだけで、その内容については同じものである。そのため、高い伝送品質が求められるＳＨＤコンテンツの再生中に伝送品質が低下したようなときでも、より低い伝送品質でも良好な視聴が可能なＨＤ／ＳＤコンテンツに切り替えることで、映像や音声が途切れたり乱れたりする状態を発生させずに当該コンテンツの視聴を継続させることが可能となる。
【０４１０】
また、チューナを一つだけしか備えていない受信装置に対しても、上記ＨＤ／ＳＤコンテンツが階層伝送されている物理チャンネルを選局させ、低階層ＡＶストリームをデコードするようにすれば、上記ＳＨＤコンテンツと同じ内容のコンテンツを当該チューナが一つだけの受信装置で視聴させることが可能となる。
【０４１１】
なお、上述の実施形態では、伝送品質の監視に受信ＣＮＲを利用していたが、これに限らず、例えばビット誤り率を利用して伝送品質を監視するようにしてもよい。図６１は、ビット誤り率に基づいて伝送品質を監視する場合の受信装置６０５０の構成を示したブロック図である。図６１に示す受信装置６０５０の構成は、上記受信装置６０３０に類似している。すなわち、図５７における第１の受信ＣＮＲ検出部６０４１および第２の受信ＣＮＲ検出部６０４２の代わりに、第１の高階層スロットビット誤り検出部６０５１および第２の高階層スロットビット誤り検出部６０５２を備えた構成となっている。そこで、ここでは、図６１で示す構成要素のうち、図５７と同一の構成要素については、同一の参照符号を付して簡単な説明に止める。
【０４１２】
第１の高階層スロットビット誤り検出部６０５１は、第１の主信号誤り訂正復号部６０３６およびＣＰＵ６０４５と接続されている。また、第２の高階層スロットビット誤り検出部６０５２は、第２の主信号誤り訂正復号部６０３７およびＣＰＵ６０４５と接続されている。
【０４１３】
第１の高階層スロットビット誤り検出部６０５１は、第１の主信号誤り訂正復号部６０３６における誤り訂正処理の結果を示す情報を取得し、当該情報から高階層パケットについてのビット誤り率を算出する。同様に、第２の高階層スロットビット誤り検出部６０５２は、第２の主信号誤り訂正復号部６０３７における高階層パケットのビット誤り率を算出する。そして、それぞれ算出したビット誤り率をＣＰＵ６０４５に出力する。
【０４１４】
以上のような構成で、受信装置６０５０において次のような処理が実行される。すなわち、基本的には図５９〜図６０で示したフローチャートに沿った処理が実行されるが、図
６０のステップＳ６００８の処理において、受信ＣＮＲの取得の代わりに、ＣＰＵ６０４５は、第１の高階層スロットビット誤り検出部６０５１に上述したようなビット誤り率の出力を要求する制御信号を送る。第１の高階層スロットビット誤り検出部６０５１は、当該制御信号に応じて、上記ビット誤り率の算出およびＣＰＵ６０４５への出力を開始する。更に、ＣＰＵ６０４５は、第２の高階層スロットビット誤り検出部６０５２に対しても、同様の制御信号を送る。当該制御信号に応じて、第２の高階層スロットビット誤り検出部６０５２は、上記ビット誤り率の算出およびＣＰＵ６０４５への出力を開始する。
【０４１５】
更に、図６０のステップＳ６００９において、受信ＣＮＲが閾値未満か否かを判定する代わりに、第１の高階層スロットビット誤り検出部６０５１および第２の高階層スロットビット誤り検出部６０５２から出力される上記ビット誤り率のうち、いずれか一方の値が所定の閾値を越えたか否かが判定される。当該所定の閾値としては、ＳＨＤコンテンツの良好な再生のために許容される高階層変調方式のビット誤り率が考えられる。そして、いずれかのビット誤り率が所定の閾値を越えるようであれば（ステップＳ６００９でＹＥＳ）、伝送品質が低下したものとして、上記ステップＳ６０１０以降の処理を実行すればよい。
【０４１６】
このように、高階層パケット（つまり、ＳＨＤコンテンツを構成するデータ）のビット誤り率を監視することによっても、上述したような実施形態と同様の効果を得ることができる。
【０４１７】
（第１４の実施形態）
次に、図６２から図６３を参照して、本発明の第１４の実施形態について説明する。上述の第１３の実施形態では、いずれか一方の物理チャンネルについてのみ、ＳＨＤコンテンツとＨＤ／ＳＤコンテンツとの階層伝送を行っていた。これに対して、第１４の実施形態では、双方の物理チャンネルで階層伝送を行う。具体的には、図６２に示すように、送信側において上記ＨＤ／ＳＤコンテンツ６１０２を２つ生成し、双方のチャンネルでそれぞれ階層化して伝送を行う。そして、受信側においては、第１３の実施形態と同様に、伝送品質が低下したときにＨＤ／ＳＤコンテンツに切り替える処理を行うが、このとき、２つのチャンネルのうち、伝送品質が高いほうのチャンネルのＨＤ／ＳＤコンテンツを再生するようにしている。
【０４１８】
図６３は、本発明の第１４の実施形態に係る送信装置６０６０の構成を示した機能ブロック図である。当該実施形態に係る送信装置６０６０は、上述した第１３の実施形態で図５３を用いて説明した送信装置６０１０の機能構成に第２の低階層エンコーダ６０２２を加えたものに相当し、他の構成部は、第１３の実施形態と同様である。なお、図５３における低階層エンコーダ６０１２は、図６３では第１の低階層エンコーダ６０１２と称している。従って、第２の低階層エンコーダ６０２２以外の構成部については同一の参照符号を付して詳細な説明を省略する。
【０４１９】
図６３において、第２の低階層エンコーダ６０２２は、第１の低階層エンコーダ６０１２と同様の機能を有している。時分割多重部６０１３は、高階層ＡＶストリームと、第１の低階層エンコーダ６０１２から出力される低階層ＡＶストリームと、第２の低階層エンコーダ６０２２から出力される低階層ストリームとを多重化して原ＴＳを生成する。換言すれば、第１４の実施形態における原ＴＳには、１つの高階層ＡＶストリームと同じ内容の２つの低階層ＡＶストリームが含まれていることになる。
【０４２０】
また、ＴＳ分割部６０１４は、入力されてくる原ＴＳについて、高階層ＡＶストリームは、第１の主信号誤り訂正符号化部６０１５と第２の主信号誤り訂正符号化部６０１６に振り分けて出力する。一方、低階層ＡＶストリームについては、第１の低階層エンコーダ
６０１２から出力された低階層ストリームは第１の主信号誤り訂正符号化部６０１５に出力し、第２の低階層エンコーダ６０２２から出力された低階層ストリームは第２の主信号誤り訂正符号化部６０１６へ出力する。
【０４２１】
上記のような構成で、第１４の実施形態にかかる送信装置は、動画像コンテンツの送信を行う。その結果、バルク伝送に係る各チャンネルでＨＤ／ＳＤコンテンツが階層伝送されることになる。
【０４２２】
次に、第１４の実施形態にかかる受信装置について説明する。第１４の実施形態の受信装置の機能ブロック図は、第１３の実施形態と同様である（図５７参照）。そして、当該受信装置において、基本的には、第１３の実施形態で図５９〜図６０を用いて上述したような処理が実行されるが、次の点において、第１３の実施形態とは部分的に異なる処理が実行される。
【０４２３】
まず、図５９のステップＳ６００６の処理において、第１４の実施形態では、原ＴＳから、高階層ＡＶストリームと上記２つの低階層ＡＶストリームが分離されるような処理が実行される。その後、ステップＳ６００７、Ｓ６００８の処理を経て、ステップＳ６００９の処理において、第１の受信ＣＮＲ検出部６０４１、および、第２の受信ＣＮＲ検出部６０４２から出力される受信ＣＮＲのいずれか一方の値が所定の閾値未満であるか否かが判定される。このとき、それぞれの受信ＣＮＲの値をメモリ（図示せず）に一時的に記憶しておく。
【０４２４】
その後、図６０のステップＳ６０１１の処理において、上記記憶した受信ＣＮＲが比較される。そして、より伝送品質が高いほうの物理チャンネルの低階層ＡＶストリームをＴＳ合成・分離部６０４３からＡＶデコーダ６０４４に出力させる処理が実行される。
【０４２５】
以上のような処理が実行されることで、第１４の実施形態では、伝送品質が低下した場合に、２つの物理チャンネルのうち、より伝送品質が良好な状態の物理チャンネル側のＨＤ／ＳＤコンテンツを再生することが可能となる。そのため、第１３の実施形態のように一方のチャンネルだけで階層伝送を行う場合で、当該階層伝送を行っている側の物理チャンネルの伝送品質が低下したような状況のときに、上記コンテンツ（放送番組）について、より確実な視聴の継続を確保することができる点で第２の実施形態は有利である。一方、第１３の実施形態では、片側の物理チャンネルのみで階層伝送を行うため、第１４の実施形態に比べて、ＳＨＤコンテンツを伝送するための帯域を圧迫しない点で有利である。
【０４２６】
なお、上記第１４の実施形態は、上述したようなビット誤り率を用いての伝送品質を判定する場合にも適用可能である。
【０４２７】
更に、送信装置６０６０において上記のような２つの低階層ＡＶストリームを生成するときに、それぞれ異なるエンコード方式を用いるようにしても良い。例えば、第１の低階層エンコーダ６０１２ではＭＰＥＧ２方式でエンコードを行い、第２の低階層エンコーダ６０２２では、Ｈ．２６４方式でエンコードを行うようにしてもよい。これにより、ＳＨＤコンテンツのエンコード方式に非対応の受信装置、例えば、ＭＰＥＧ２方式のデコーダしか備えていないような受信装置であっても、ＳＨＤコンテンツと同様の内容のコンテンツの視聴を可能とすることができる。具体的には、当該受信装置においてＭＰＥＧ２方式でエンコードした低階層ＡＶストリームを階層伝送している物理チャンネルを選局させ、ＨＤ／ＳＤコンテンツを再生するようにすれば、このような受信装置でも、ＳＨＤコンテンツと同様の内容のコンテンツを視聴することが可能となる。すなわち、ＳＨＤコンテンツをデコードできる受信装置がなければ放送番組を全く視聴することができない、という状況になることを防ぐ事ができる。
【０４２８】
また、第１の低階層エンコーダ６０１２ではＳＤ映像のＡＶストリームを、第２の低階層エンコーダ６０２２ではＨＤ映像のＡＶストリームを階層伝送するように構成しても良い。この場合も、ＳＨＤコンテンツをデコードできる受信装置がなければ放送番組を全く視聴することができない、という状況になることを防ぐ事ができる。
【０４２９】
また、送信装置において、第１３の実施形態のように低階層ＡＶストリームは一つだけ生成するが、その伝送に際しては、高階層ＡＶストリームと同様に、２つのチャンネルに振り分けて伝送するようにしても良い（図６４参照）。つまり、１つの低階層ＡＶストリームを、例えば半分ずつ２つのチャンネルに振り分けて伝送するようにしてもよい。この場合であっても、低階層ＡＶストリームは高階層ＡＶストリームで要求される伝送品質よりは低い伝送品質で視聴することが可能であるため、第１３の実施形態と同様に、伝送品質が低下したときに低階層ＡＶストリームの再生に切り替えることで、コンテンツの視聴を継続できるという効果が得られる。
【０４３０】
なお、第１３および第１４の実施形態では、ＳＨＤコンテンツ等を２つの物理チャンネルを使ってバルク伝送を行い、２つのチューナを搭載した受信装置を用いて受信する場合を例としたが、３つ以上の物理チャンネルを用いたバルク伝送および３つ以上のチューナを搭載した受信装置を組み合わせたデジタル放送システムにおいても本発明は適用可能である。
【０４３１】
また、第１３および第１４の実施形態では、受信ＣＮＲが所定の閾値未満となったとき、あるいはビット誤り率が所定の閾値を越えたときに低階層ＡＶストリームのデコードを行っていたが、この閾値を２段階の閾値で構成してもよい。すなわち、受信ＣＮＲが上述したような閾値に近づいてくると、例えば、上記ＳＨＤコンテンツの画像は、映らないとまではいかないが、画面にノイズが発生して、見栄えの悪い画像が表示されうる。そこで、このようなノイズ等が発生して画面の映りが悪くなり始めるような受信ＣＮＲを第１の閾値とし、上記第１３の実施形態等で用いた閾値（例えばステップＳ６００９等で用いた閾値）を第２の閾値として設定する（そのため、第１の閾値は、第２の閾値より少し低い、あるいは少し高いというような、第２の閾値に近い値となる）。そして、受信ＣＮＲが第１の閾値を下回ったときに、ＣＰＵ６０４５は、画面に小さいサイズのウィンドウを表示し、当該ウィンドウ内でＨＤ／ＳＤコンテンツ（すなわち、低階層ＡＶストリーム）を再生、表示する。更に、ＣＰＵ６０４５は、受信状態が悪くなっている旨のメッセージと、ウィンドウに表示されているＨＤ／ＳＤコンテンツの再生を行うか否かを問い合わせる旨のメッセージを画面に表示する。これに対して利用者が、ＨＤ／ＳＤコンテンツの表示を選択する操作を行えば、その時点で高階層ＡＶストリームのデコードは中止して、低階層ＡＶストリームのデコードを実行する（上記ウィンドウは消去する）ようにしてもよい。また、利用者が、ＨＤ／ＳＤコンテンツの表示を選択する操作を行わなかったときは、受信ＣＮＲが第２の閾値未満となったときに低階層ＡＶストリームのデコードを実行する。これにより、受信状態が悪くなり始めたときに、より早いタイミングでＨＤ／ＳＤコンテンツの再生への切替を利用者に選択させることができ、受信装置の利便性を高めることができる。
【０４３２】
また、第１４の実施形態で上述したような、双方の物理チャンネルでＨＤ／ＳＤコンテンツの階層伝送を行っているときは、上記第１の閾値を下回ったときにウィンドウに表示するＨＤ／ＳＤコンテンツについては、より受信ＣＮＲが良好である方の物理チャンネルのＨＤ／ＳＤコンテンツコンテンツを表示するようにすればよい。また、利用者の選択操作、あるいは第２の閾値未満となったためにＨＤ／ＳＤコンテンツに切り替わった後も受信ＣＮＲの状態を監視し、その状態に応じて適宜、受信状態が良好な方の物理チャンネルのＨＤ／ＳＤコンテンツを再生するようにしてもよい。これにより、映像や音声が途切れ
たり乱れたりする状態を発生させずにコンテンツの視聴を継続させることが可能となる。
【産業上の利用可能性】
【０４３３】
本発明にかかるデジタル放送送信装置、デジタル放送受信装置は、情報量が大きな番組を送受信することができ、デジタル放送の放送設備における送信装置や、デジタル放送を受信可能なテレビやカーナビゲーション装置等に有用である。
【符号の説明】
【０４３４】
１０    送信装置
１１    映像符号化部
１２    音声符号化部
１３    データ符号化部
１４    マルチプレクサ
１５    分割部
１６    誤り訂正・変調部
１７    送信部
１８    ＣＰＵ
１９    メモリ
２０    アンテナ
３０    受信装置
３１    アンテナ
３２    フロントエンド
３３    結合部
３４    デマルチプレクサ
３５    ＣＰＵ
３６    メモリ
３７    ビデオデコーダー
３８    オーディオデコーダー
３９    データ処理部
５０    ＮＩＴ
６０    選局テーブル
２０３０    受信装置
２０３１    アンテナ
２０３２    第１のチューナ
２０３３    第２のチューナ
２０３４    第１の復調部
２０３５    第２の復調部
２０３６    第１の主信号誤り訂正復号部
２０３７    第２の主信号誤り訂正復号部
２０３８    第１のＴＭＣＣ復号部
２０３９    第２のＴＭＣＣ復号部
２０４０    ＴＭＣＣ制御部
２０４１    ＴＳ合成・分離部
２０４２    第１のＡＶデコーダ
２０４３    第２のＡＶデコーダ
２０４４    第１のＯＳＤ作成・合成部
２０４５    第２のＯＳＤ作成・合成部
２０４６    第１の表示部
２０４７    第２の表示部
２０４８    ＣＰＵ
２０４９    リモコン処理部
２０５０    フラッシュメモリ
２０５１    リモコン
２０５２    録画処理部
２０５３    記録部
２０５４    ＥＰＧ情報取得部
２３６１  デインターリーブ部
２３６２  内符号誤り復号部
２３６３  エネルギー逆拡散部
２３６４  外符号誤り復号部
３０３０    受信装置
３０３１    アンテナ
３０３２    第１のチューナ
３０３３    第２のチューナ
３０３４    第１の復調部
３０３５    第２の復調部
３０３６    第１の主信号誤り訂正復号部
３０３７    第２の主信号誤り訂正復号部
３０３８    第１のＴＭＣＣ復号部
３０３９    第２のＴＭＣＣ復号部
３０４０    ＴＭＣＣ制御部
３０４１    ＴＳ合成・分離部
３０４２    第１のＡＶデコーダ
３０４３    第２のＡＶデコーダ
３０４４    第１の表示部
３０４５    第２の表示部
３０４６    ＣＰＵ
３０４７    リモコン処理部
３０４８    フラッシュメモリ
３０４９    リモコン
３０５０    受信装置
３０５１    第１のＯＳＤ作成・合成部
３０５２    第２のＯＳＤ作成・合成部
３０６０    受信装置
３０６１    ＥＰＧ情報取得部
３３６１  デインターリーブ部
３３６２  内符号誤り復号部
３３６３  エネルギー逆拡散部
３３６４  外符号誤り復号部
４０３０    受信装置
４０３１    アンテナ
４０３２    第１のチューナ
４０３３    第２のチューナ
４０３４    第１の復調部
４０３５    第２の復調部
４０３６    第１の主信号誤り訂正復号部
４０３７    第２の主信号誤り訂正復号部
４０３８    第１のＴＭＣＣ復号部
４０３９    第２のＴＭＣＣ復号部
４０４０    ＴＭＣＣ制御部
４０４１    ＴＳ合成・分離部
４０４２    第１のＡＶデコーダ
４０４３    第２のＡＶデコーダ
４０４４    第１のＯＳＤ作成・合成部
４０４５    第２のＯＳＤ作成・合成部
４０４６    第１の表示部
４０４７    第２の表示部
４０４８    ＣＰＵ
４０４９    リモコン処理部
４０５０    フラッシュメモリ
４０５１    リモコン
４０６０    受信装置
４０６１    録画処理部
４０６２    記録部
４０７０    受信装置
４３６１  デインターリーブ部
４３６２  内符号誤り復号部
４３６３  エネルギー逆拡散部
４３６４  外符号誤り復号部
６０１０    送信装置
６０１１    高階層エンコーダ
６０１２    低階層エンコーダ
６０１３    時分割多重部
６０１４    ＴＳ分割部
６０１５    第１の主信号誤り訂正符号化部
６０１６    第２の主信号誤り訂正符号化部
６０１７    第１のマッピング部
６０１８    第２のマッピング部
６０１９    第１の周波数変換部
６０２０    第２の周波数変換部
６０２１    ＣＰＵ
６０２２    第２の低階層エンコーダ
６０２３    第１のＴＭＣＣ生成部
６０２４    第２のＴＭＣＣ生成部
６０３０    受信装置
６０３１    アンテナ
６０３２    第１のチューナ
６０３３    第２のチューナ
６０３４    第１の復調部
６０３５    第２の復調部
６０３６    第１の主信号誤り訂正復号部
６０３７    第２の主信号誤り訂正復号部
６０３８    第１のＴＭＣＣ復号部
６０３９    第２のＴＭＣＣ復号部
６０４０    ＴＭＣＣ制御部
６０４１    第１の受信ＣＮＲ検出部
６０４２    第２の受信ＣＮＲ検出部
６０４３    ＴＳ合成・分離部
６０４４    ＡＶデコーダ
６０４５    ＣＰＵ
６０４６    表示部
６０５０    受信装置
６０５１    第１の高階層スロットビット誤り検出部
６０５２    第２の高階層スロットビット誤り検出部
６０６０    送信装置
６１５１  外符号誤り訂正部
６１５２  エネルギー拡散部
６１５３  内符号誤り訂正部
６１５４  インターリーブ部
６３６１  デインターリーブ部
６３６２  内符号誤り復号部
６３６３  エネルギー逆拡散部
６３６４  外符号誤り復号部
【手続補正２】
【補正対象書類名】特許請求の範囲
【補正対象項目名】全文
【補正方法】変更
【補正の内容】
【特許請求の範囲】
【請求項１】
１つのデジタル放送の番組と当該番組の関連情報で構成されるビットストリームを複数の物理チャンネルで送信するデジタル放送送信装置であって、
前記複数の物理チャンネルを関連づけるための情報であるチャンネル結合情報を生成するチャンネル結合情報生成手段と、
前記ビットストリームを複数のビットストリームに分割し、当該分割したビットストリームを前記チャンネル結合情報と共に前記複数の物理チャンネルでそれぞれ送信する送信手段と、
前記送信手段でビットストリームとして送信される前記デジタル放送の番組と同一内容の番組を構成するビットストリームであり、且つ、当該送信手段で送信されるビットストリームよりも情報量の少ないビットストリームである軽量ビットストリームを生成する軽量ビットストリーム生成手段と、
前記送信手段が前記ビットストリームを送信するのに用いる物理チャンネルとは異なった単一の物理チャンネルで前記軽量ビットストリームを、前記送信手段が送信するビットストリームと並行して送信する並行送信手段とを備える、デジタル放送送信装置。
【請求項２】
前記並行送信手段は、前記軽量ビットストリームと並行して前記送信手段による複数の物理チャンネルでの前記ビットストリームの送信が行われているか否かを示す並行放送情報を当該軽量ビットストリームと共に送信する、請求項１に記載のデジタル放送送信装置。
【請求項３】
前記番組の関連情報は、前記ビットストリームにどのような番組が存在しているかを記した情報であるサービスインフォメーションであり、
前記送信手段は、前記チャンネル結合情報を前記サービスインフォメーションに含めるチャンネル結合情報付加手段を含む、請求項１に記載のデジタル放送送信装置。
【請求項４】
１つのデジタル放送の番組と当該番組の関連情報で構成されるビットストリームを複数の物理チャンネルで送信するデジタル放送送信装置から送信される放送波を受信して復調するフロントエンド部を複数備えるデジタル放送受信装置であって、
単一の物理チャンネルで受信した放送波で構成される番組内容と同じ番組内容であって、当該単一の物理チャンネルとは異なる複数の物理チャンネルで、当該単一の物理チャン
ネルでの番組の送信と並行して送信されている番組の存在を判別するための判別手段と、
前記複数の物理チャンネルを関連づけるための情報であるチャンネル結合情報に基づいて、前記複数のフロントエンド部を用いて前記複数の物理チャンネルを選局し、それぞれの物理チャンネルで受信した放送波を復調する同時選局復調手段と、  前記同時選局復調手段でそれぞれ復調されたビットストリームを結合する結合手段と、
前記結合されたビットストリームを出力する出力手段とを備え、
前記同時選局復調手段は、前記判別手段が前記複数の物理チャンネルで並行して送信されている番組が存在すると判定したときに、当該複数の物理チャンネルを選局し、
前記結合手段は、前記チャンネル結合情報に基づいて、前記同時選局復調手段でそれぞれ復調されたビットストリームを結合する、受信装置。
【請求項５】
前記チャンネル結合情報は、前記ビットストリームにどのような番組が存在しているかを記した情報であるサービスインフォメーションに含まれ、
前記受信装置は、前記サービスインフォメーションに含まれるチャンネル結合情報に基づいて、視聴対象として選択された番組が複数の物理チャンネルで送信される番組であるか否かを判定する判定手段を更に備え、
前記同時選局復調手段は、視聴対象として選択された番組が複数の物理チャンネルで送信されていると前記判定手段が判定したときに、前記チャンネル結合情報に基づいて当該複数の物理チャンネルを選局する、請求項４に記載のデジタル放送受信装置。
【請求項６】
複数の物理チャンネルを用いてバルク伝送される放送番組であるバルク番組と、単一の物理チャンネルを用いて伝送される放送番組である非バルク番組と、伝送される放送番組がバルク番組であるか非バルク番組であるかを識別するための情報である識別情報および該バルク番組が伝送される複数の物理チャンネル番号を示す情報であるバルクチャンネル情報を少なくとも含む制御情報とをデジタル放送信号として送信する送信装置からの該デジタル放送信号を受信するデジタル放送受信装置であって、
前記バルク番組が伝送される物理チャンネルのうち少なくとも１つのチャンネルでは、当該バルク番組と同じ番組内容であって映像規格が異なる番組である低階層番組が階層伝送されており、
複数のチューナと、
利用者の所定の操作を受け付ける操作受付手段と、
前記操作受付手段が受け付けた操作に基づいて利用者が指定した物理チャンネルを前記チューナに選局させる選局指示手段と、
前記選局指示手段が選局させた物理チャンネルで前記バルク番組が伝送されるか否かを前記制御情報に基づいて検出するバルクチャンネル検出手段と、
前記バルク番組が伝送されることを前記バルクチャンネル検出手段が検出したとき、前記複数のチューナそれぞれの利用状態を検出するチューナ状態検出手段と、
前記チューナ状態検出手段の検出結果に基づいて、前記バルクチャンネル検出手段で検出されたバルク番組がバルク伝送される複数の物理チャンネルを全て選局できるだけの数のチューナが利用可能か否かを判定する受信可否判定手段と、
前記受信可否判定手段が、前記バルク伝送される複数の物理チャンネルを全て選局できるだけの数のチューナが利用可能と判定したときは、前記バルクチャンネル検出手段で検出されたバルク番組を再生するための処理を実行し、当該バルク伝送される複数の物理チャンネルを全て選局できるだけの数のチューナが利用可能ではないと判定したときは、当該バルク番組と階層伝送されている前記低階層番組を再生するための処理を実行する番組再生手段とを備えるデジタル放送受信装置。
【請求項７】
前記受信可否判定手段は、前記バルク番組が伝送される物理チャンネルとは異なる物理チャンネルを録画のために選局している前記チューナについては利用可能ではない状態と判定する、請求項６に記載のデジタル放送受信装置。
【請求項８】
前記デジタル放送受信装置は、ＯＳＤ表示を行うためのＯＳＤ表示手段を更に備え、
前記ＯＳＤ表示手段は、前記番組再生手段が前記バルク番組と階層伝送されている前記低階層番組を再生するための処理を実行するときに、当該低階層番組を再生することを示すＯＳＤ表示を画面に出力する、請求項６に記載のデジタル放送受信装置。
【請求項９】
前記デジタル放送受信装置は、
前記操作受付手段が受け付けた操作に基づいて、放送予定である所定の番組の放送時間帯、放送される物理チャンネル、および前記識別情報とを少なくとも含む録画予約情報を登録するための録画予約手段と、
前記録画予約情報を記憶するための予約情報記憶手段と、
前記録画予約手段が登録しようとする番組の放送時間帯と放送時間が重複する番組である重複番組が既に録画予約されているか否かを前記予約情報記憶手段に記憶されている録画予約情報に基づいて検出する重複番組検出手段と、
前記録画予約手段が登録しようとする番組および前記重複番組の少なくともいずれか一方が前記バルク番組であるときは、当該バルク番組の録画予約を前記低階層番組の録画予約として登録するための予約内容変更手段とを更に備える、請求項６に記載のデジタル放送受信装置。
【請求項１０】
前記予約内容変更手段は、前記重複番組がバルク番組のときは、当該重複番組の録画予約を前記低階層番組の録画予約に変更する、請求項９に記載のデジタル放送受信装置。
【請求項１１】
前記予約内容変更手段は、前記録画予約手段が登録しようとする番組がバルク番組のときは、当該録画予約手段が登録しようとする番組の録画予約を前記低階層番組の録画予約として登録する、請求項９に記載のデジタル放送受信装置。
【請求項１２】
前記予約内容変更手段は、前記録画予約手段が登録しようとする番組および前記重複番組が共にバルク番組のときは、いずれの番組も前記低階層番組の録画予約として登録する、請求項９に記載のデジタル放送受信装置。
【請求項１３】
複数の物理チャンネルを用いてバルク伝送される番組であるバルク番組と、単一の物理チャンネルを用いて伝送される番組である非バルク番組と、放送される番組がバルク番組であるか非バルク番組であるかを識別するための情報である識別情報および該バルク番組を構成する複数の物理チャンネル番号を示す情報であるバルクチャンネル情報を少なくとも含む制御情報とをデジタル放送信号として送信する送信装置からの該デジタル放送信号を受信するデジタル放送受信装置であって、
所定の物理チャンネルを選局して前記デジタル放送信号を受信する第１のチューナおよび第２のチューナと、
前記第１のチューナで受信したデジタル放送信号で伝送されている番組が前記バルク番組であるか非バルク番組であるかを前記制御情報に基づいて判定する放送種別判定手段と、
放送中あるいは放送予定の前記バルク番組に関する情報を検索するためのバルク番組検索手段と、
前記第１のチューナおよび第２のチューナの選局動作を制御するための選局制御手段と、
前記第１のチューナおよび第２のチューナの少なくとも一方で選局された物理チャンネルで伝送されるデジタル放送信号に基づいて前記バルク番組または非バルク番組を再生して画面に出力するための番組再生出力手段とを備え、
前記選局制御手段は、前記第１のチューナで選局した物理チャンネルで伝送されている番組がバルク番組であると前記放送種別判定手段が判定したときは、前記バルクチャンネ
ル情報に基づいて該バルク番組を構成する複数の物理チャンネルを該第１のチューナおよび前記第２のチューナに選局させて、それぞれのチューナで受信されたデジタル放送信号を合成して前記番組再生出力手段に出力し、前記第１のチューナで選局した物理チャンネルで放送されている番組が非バルク番組であると前記放送種別判定手段が判定したときは、該第１のチューナを介して得られたデジタル放送信号を前記番組再生出力手段に出力すると共に、前記バルク番組検索手段にバルク番組を放送している物理チャンネルを検索させ、該バルク番組検索手段によって検索された物理チャンネルのいずれか一つを前記第２のチューナに選局させる、デジタル放送受信装置。
【請求項１４】
前記制御情報には、全てのチャンネルについての前記識別情報およびバルクチャンネル情報が含まれており、
前記バルク番組検索手段は、前記識別情報に基づいて放送中のバルク番組を検索する、請求項１３に記載のデジタル放送受信装置。
【請求項１５】
前記デジタル放送受信装置は、ＥＰＧを取得するためのＥＰＧ取得手段を更に備え、
前記バルク番組検索手段は、前記ＥＰＧに基づいて、放送中または放送予定のバルク番組にかかる物理チャンネル番号を検索する、請求項１３に記載のデジタル放送受信装置。
【請求項１６】
前記バルク番組検索手段は、前記ＥＰＧに基づいて、所定時間以内に放送予定であるバルク番組にかかる物理チャンネル番号を検索する、請求項１５に記載のデジタル放送受信装置。
【請求項１７】
前記バルク番組が伝送される各物理チャンネルでは、当該バルク番組と同じ番組内容であって映像規格が異なる番組である低階層番組が階層伝送されており、
前記選局制御手段は、前記第１のチューナで選局した物理チャンネルにかかる番組がバルク番組であると前記放送種別判定手段が判定したときは、前記第１のチューナで受信したデジタル放送信号に含まれている前記低階層番組を構成するデータを前記番組再生出力手段へ出力した後に、それぞれのチューナで受信したデジタル放送信号を合成して前記番組再生出力手段へ出力する、請求項１３に記載のデジタル放送受信装置。
【請求項１８】
前記デジタル放送受信装置は、前記番組再生出力手段からの出力に所定のＯＳＤ表示を合成して画面に出力するためのＯＳＤ合成手段と、
前記ＯＳＤ表示に対する所定の操作入力を受け付けるためのＯＳＤ操作受付手段とを更に備え、
前記ＯＳＤ合成手段は、前記選局制御手段が前記低階層番組を構成するデータを前記番組再生出力手段に出力した後、前記バルク番組の再生に切替えるか否かの旨のメッセージをＯＳＤ表示として生成して画面に出力し、
前記選局制御手段は、前記ＯＳＤ合成手段が前記メッセージを表示した後、当該メッセージに対する操作入力内容を前記ＯＳＤ操作受付手段から取得し、当該入力内容に基づいて前記バルク番組を構成する複数の物理チャンネルを前記第１のチューナおよび第２のチューナに選局させ、それぞれのチューナで受信したデジタル放送信号を合成して前記番組再生出力手段に出力する、請求項１７記載のデジタル放送受信装置。
【請求項１９】
前記バルク番組は、スーパーハイビジョン規格で作成された番組であり、
前記非バルク番組は、ハイビジョン規格またはＳＤ規格で作成された番組である、請求項１３〜１７のいずれかに記載のデジタル放送受信装置。
【請求項２０】
前記バルク番組は、スーパーハイビジョン規格で作成された番組であり、
前記低階層番組は、ハイビジョン規格またはＳＤ規格で作成された番組である、請求項１７に記載のデジタル放送受信装置。
【請求項２１】
複数の物理チャンネルを用いてバルク伝送される放送番組であるバルク番組と、単一の物理チャンネルを用いて伝送される放送番組である非バルク番組と、伝送される放送番組がバルク番組であるか非バルク番組であるかを識別するための情報である識別情報および該バルク番組が伝送される複数の物理チャンネル番号を示す情報であるバルクチャンネル情報を少なくとも含む制御情報とをデジタル放送信号として送信する送信装置からの該デジタル放送信号を受信するデジタル放送受信装置であって、
所定の物理チャンネルを選局して前記デジタル放送信号を受信する複数のチューナと、
前記複数のチューナで選局される物理チャンネルのいずれかにおいて前記バルク番組が伝送されることを前記制御情報に基づいて検出するバルクチャンネル検出手段と、
前記バルク番組が伝送される複数の物理チャンネルを前記複数のチューナでそれぞれ選局して受信したデジタル放送信号から前記バルク番組を再生して出力する第１の再生処理モードと、前記非バルク番組が伝送される物理チャンネルを単一のチューナを用いて選局して受信したデジタル放送信号から前記非バルク番組を再生して出力する第２の再生処理モードとの間で再生処理モードを前記バルクチャンネル検出手段の検出結果に応じて切り替える番組再生手段と、
前記番組再生手段から出力される前記バルク番組または非バルク番組を所定の画面または所定の記憶媒体に出力する少なくとも一つの出力部とを備え、
前記番組再生手段は、いずれかの前記チューナで選局している物理チャンネルでバルク番組が伝送されることを前記バルクチャンネル検出手段が検出したときは前記再生処理モードを第１の再生処理モードに切替え、前記チューナで選局されているいずれの物理チャンネルにおいてもバルク番組が伝送されないことを前記バルクチャンネル検出手段が検出したときは前記再生処理モードを第２の再生処理モードに切替える、デジタル放送受信装置。
【請求項２２】
前記デジタル放送受信装置は、
ＯＳＤ表示として表示する内容であるＯＳＤ表示内容を生成するＯＳＤ生成手段と、
ＯＳＤ生成手段が生成した表示内容をＯＳＤ表示するためのＯＳＤ表示手段とを更に備え、
前記ＯＳＤ生成手段は、いずれかの前記チューナで選局している物理チャンネルでバルク番組が伝送されることを前記バルクチャンネル検出手段が検出したとき、所定のメッセージをＯＳＤ表示内容として生成してＯＳＤ表示手段に出力する、請求項２１に記載のデジタル放送受信装置。
【請求項２３】
前記デジタル放送受信装置は、いずれかの前記チューナで選局している物理チャンネルでバルク番組が伝送されることを前記バルクチャンネル検出手段が検出したときに、当該デジタル放送受信装置においてバルク番組を再生することが可能か否かを判定するための再生可否判定手段を更に備え、
前記ＯＳＤ生成手段は、前記再生可否判定手段がバルク番組の再生ができないと判定したときに、バルク番組が再生できないことを示すメッセージを前記ＯＳＤ表示内容として生成する、請求項２２に記載のデジタル放送受信装置。
【請求項２４】
前記バルク番組が伝送される物理チャンネルのうち少なくとも１つのチャンネルでは、当該バルク番組と同じ番組内容であって映像規格が異なる番組である低階層番組が階層伝送されており、
前記デジタル放送受信装置は、複数の前記出力部を備えており、
前記番組再生手段は、前記バルク番組が伝送される複数の物理チャンネルを前記複数のチューナでそれぞれ選局して受信したデジタル放送信号から前記バルク番組を再生して、前記複数の出力部のいずれか一つに出力すると共に、前記低階層番組を再生して、バルク番組を出力している出力部とは異なる出力部に出力する第３の再生処理モードを更に有し
、
前記番組再生手段は、いずれかの前記チューナで選局している物理チャンネルでバルク番組が伝送されることを前記バルクチャンネル検出手段が検出したとき、または、前記第１の再生処理モードでバルク番組を再生中に利用者からの所定の操作信号が送られたとき前記再生処理モードを第３の再生処理モードに切替える、請求項２１に記載のデジタル放送受信装置。
【請求項２５】
前記番組再生手段は、前記第３の再生処理モードで低階層番組を出力するときは、当該低階層番組を録画するための所定の記録媒体に出力する、請求項２４に記載のデジタル放送受信装置。
【請求項２６】
複数の物理チャンネルを用いてバルク伝送される放送番組であるバルク番組と、単一の物理チャンネルを用いて伝送される放送番組である非バルク番組と、伝送される放送番組がバルク番組であるか非バルク番組であるかを識別するための情報である識別情報および該バルク番組が伝送される複数の物理チャンネル番号を示す情報であるバルクチャンネル情報を少なくとも含む制御情報とをデジタル放送信号として送信する送信装置からの該デジタル放送信号を受信するデジタル放送受信装置であって、
前記バルク番組が伝送される物理チャンネルのうち少なくとも１つのチャンネルでは、当該バルク番組と同じ番組内容であって映像規格が異なる番組である低階層番組が階層伝送されており、
前記物理チャンネルを選局して前記デジタル放送信号を受信する少なくとも１つのチューナと、
前記選局された物理チャンネルで前記バルク番組が伝送されることを検出するバルクチャンネル検出手段と、
前記バルク番組が伝送される複数の物理チャンネルのうち、前記低階層番組が階層伝送される物理チャンネルを選局して受信したデジタル放送信号から前記低階層番組を再生して出力する第１の再生処理モードと、前記非バルク番組が伝送される物理チャンネルを選局して受信したデジタル放送信号から前記非バルク番組を再生して出力する第２の再生処理モードとの間で再生処理モードを前記バルクチャンネル検出手段の検出結果に応じて切り替える番組再生手段と、
前記チューナで選局されている物理チャンネル番号を記憶するためのチャンネル記憶手段と、
前記番組再生手段から出力される前記低階層番組または非バルク番組を所定の画面または所定の記憶媒体に出力する出力部とを備え、
前記番組再生手段は、前記再生処理モードが前記第２の再生処理モードのときに前記バルク番組が伝送されることを前記バルクチャンネル検出手段が検出したときは、その時点で選局されている物理チャンネルの番号を前記チャンネル記憶手段に記憶させてから前記低階層番組が階層伝送される物理チャンネルを選局して前記再生処理モードを第１の再生処理モードに切替え、該低階層番組の放送が終了したときに該チャンネル記憶手段に記憶されているチャンネル番号を選局して第２の再生処理モードに切り替える、デジタル放送受信装置。
【請求項２７】
１つのデジタル放送コンテンツを構成する番組データに基づいて放送データを生成して、複数の物理チャンネルに分割して送信するデジタル放送送信装置であって、
前記１つのデジタル放送コンテンツを構成する番組データに所定の符号化処理を行って第１の放送データを生成する第１の符号化手段と、
前記番組データに、前記第１の符号化手段とは異なる符号化処理を行って、１つの物理チャンネルの伝送容量で伝送可能な第２の放送データを生成する第２の符号化手段と、
前記第１の放送データを分割して複数の物理チャンネルで送信する送信部とを備え、
前記送信部は、少なくとも一つの物理チャンネルにおいて前記第１の放送データと第２
の放送データとの階層伝送を行う、デジタル放送送信装置。
【請求項２８】
前記送信部は、前記複数の物理チャンネルのうち、最も周波数が低い物理チャンネルを用いて前記階層伝送を行う、請求項２７に記載のデジタル放送送信装置。
【請求項２９】
前記第１の符号化手段は、映像規格がスーパーハイビジョン映像である番組データを符号化し、
前記第２の符号化手段は、映像規格がハイビジョン映像またはＳＤ映像である番組データを符号化する、請求項２７に記載のデジタル放送送信装置。
【請求項３０】
１つのデジタル放送コンテンツを構成する番組データに基づいて放送データを生成して、複数の物理チャンネルに分割して送信するデジタル放送送信装置から送信される放送データを受信して該番組データを再生するデジタル放送受信装置であって、
前記物理チャンネルのうち少なくとも一つは、それぞれ映像規格が異なる第１の放送データと第２の放送データが階層伝送されており、
前記デジタル放送受信装置は、
前記複数の物理チャンネルを同時に選局して前記第１の放送データおよび第２の放送データを受信する受信手段と、
前記第１の放送データが送信される複数の物理チャンネルの伝送品質を検出する伝送品質検出手段と、
前記第１の放送データに復号処理を行い、前記番組データを再生する再生出力手段とを備え、
前記再生出力手段は、前記伝送品質検出手段が、前記第１の放送データが送信される複数の物理チャンネルのうち、いずれかの物理チャンネルの伝送品質が所定の閾値未満になったことを検出したときは、前記階層伝送されてくる前記第２の放送データの復号処理を行い、該復号処理で得られた番組データを再生する、デジタル放送受信装置。
【請求項３１】
前記伝送品質検出手段は、第１の放送データが送信される複数の物理チャンネル毎に受信ＣＮＲを検出し、
前記再生出力手段は、前記伝送品質検出手段が検出した各物理チャンネルの受信ＣＮＲのいずれかが所定の閾値未満となったときに前記第２の放送データの復号処理を行い、該復号処理で得られた番組データを再生する、請求項３０に記載のデジタル放送受信装置。
【請求項３２】
前記伝送品質検出手段は、第１の放送データが送信される複数の物理チャンネル毎にビット誤り率を検出し、
前記再生出力手段は、前記伝送品質検出手段が検出した各物理チャンネルのビット誤り率のうちいずれかが所定の閾値以上となったときに前記第２の放送データの復号処理を行い、該復号処理で得られた番組データを再生する、請求項３０に記載のデジタル放送システム。
【請求項３３】
前記第１の放送データと第２の放送データは、前記複数の物理チャンネルの全てのチャンネルで階層伝送が行われており、
前記再生出力手段は、前記伝送品質検出手段が前記第１の放送データが送信される複数の物理チャンネルのうち、いずれかの物理チャンネルの伝送品質が所定の閾値未満になったことを検出したとき、伝送品質が最も高い物理チャンネルで階層伝送されてくる前記第２の放送データの復号処理を行い、該復号処理で得られた番組データを再生する、請求項３０に記載のデジタル放送受信装置。
【手続補正３】
【補正対象書類名】図面
【補正対象項目名】全図
【補正方法】変更
【補正の内容】
【図１】
2009016835.tif 000067
【図２】
2009016835.tif 000068
【図３】
2009016835.tif 000069
【図４】
2009016835.tif 000070
【図５】
2009016835.tif 000071
【図６】
2009016835.tif 000072
【図７】
2009016835.tif 000073
【図８】
2009016835.tif 000074
【図９】
2009016835.tif 000075
【図１０】
2009016835.tif 000076
【図１１】
2009016835.tif 000077
【図１２】
2009016835.tif 000078
【図１３】
2009016835.tif 000079
【図１４】
2009016835.tif 000080
【図１５】
2009016835.tif 000081
【図１６】
2009016835.tif 000082
【図１７】
2009016835.tif 000083
【図１８】
2009016835.tif 000084
【図１９】
2009016835.tif 000085
【図２０】
2009016835.tif 000086
【図２１】
2009016835.tif 000087
【図２２】
2009016835.tif 000088
【図２３】
2009016835.tif 000089
【図２４】
2009016835.tif 000090
【図２５】
2009016835.tif 000091
【図２６】
2009016835.tif 000092
【図２７】
2009016835.tif 000093
【図２８】
2009016835.tif 000094
【図２９】
2009016835.tif 000095
【図３０】
2009016835.tif 000096
【図３１】
2009016835.tif 000097
【図３２】
2009016835.tif 000098
【図３３】
2009016835.tif 000099
【図３４】
2009016835.tif 000100
【図３５】
2009016835.tif 000101
【図３６】
2009016835.tif 000102
【図３７】
2009016835.tif 000103
【図３８】
2009016835.tif 000104
【図３９】
2009016835.tif 000105
【図４０】
2009016835.tif 000106
【図４１】
2009016835.tif 000107
【図４２】
2009016835.tif 000108
【図４３】
2009016835.tif 000109
【図４４】
2009016835.tif 000110
【図４５】
2009016835.tif 000111
【図４６】
2009016835.tif 000112
【図４７】
2009016835.tif 000113
【図４８】
2009016835.tif 000114
【図４９】
2009016835.tif 000115
【図５０】
2009016835.tif 000116
【図５１】
2009016835.tif 000117
【図５２】
2009016835.tif 000118
【図５３】
2009016835.tif 000119
【図５４】
2009016835.tif 000120
【図５５】
2009016835.tif 000121
【図５６】
2009016835.tif 000122
【図５７】
2009016835.tif 000123
【図５８】
2009016835.tif 000124
【図５９】
2009016835.tif 000125
【図６０】
2009016835.tif 000126
【図６１】
2009016835.tif 000127
【図６２】
2009016835.tif 000128
【図６３】
2009016835.tif 000129
【図６４】
2009016835.tif 000130
【国際調査報告】
2009016835.tif 000131
2009016835.tif 000132